(57)【要約】【課題】半導体製造プロセスを監視するための方法とシステムを提示する。【解決手段】システムは、試料を支持するように構成され、測定具に結合されているステージを備えている。測定具は、照明システムと検出システムを備えている。照明システムと検出システムは、システムが試料の複数の特性を判別する構成となるように構成されている。例えば、システムは、限界寸法とオーバーレイ・ミスレジストレーション、欠陥と薄膜特性、限界寸法と欠陥、限界寸法と薄膜特性、限界寸法、薄膜特性、ならびに欠陥、目立つ欠陥と微小欠陥、平坦さ、薄膜特性、ならびに欠陥、オーバーレイ・ミスレジストレーションと平坦さ、注入特性と欠陥、および粘着性と厚さなどの試料の複数の特性を判別するように構成されている。このようにして、測定具は複数の光学的および／または非光学的測定および／または検査手法を実施することができる。【選択図】図１２
2016122860.tif 000002
【特許請求の範囲】
【請求項１】
使用時に試料の少なくとも２つの特性を判別するように構成されたシステムであって、
使用時に試料を支持するように構成されているステージと、
ステージに結合され、
使用時にエネルギーを試料の表面に向けるように構成された照明システムと、
照明システムに結合され、使用時に試料の表面から伝搬するエネルギーを検出するように構成され、測定具が使用時に検出されたエネルギーに対応して１つまたは複数の出力信号を発生するように構成されている検出システムとを備える測定具と、
測定具に結合され、使用時に１つまたは複数の出力信号から試料の第１の特性および第２の特性を判別するように構成され、第１の特性が試料の限界寸法を含み、第２の特性が試料のオーバーレイ・ミスレジストレーションを含むプロセッサとを備えるシステム。
【発明の詳細な説明】
【技術分野】
【０００１】
１．発明の分野
本発明は、一般的に半導体製造プロセスのための方法とシステムに関する。いくつかの
実施形態は、試料の少なくとも２つの特性を判別することにより半導体製造プロセスを評
価かつ／または制御するための方法およびシステムに関する。
【背景技術】
【０００２】
ロジックおよびメモリ・デバイスなどの半導体デバイスの製造には、通常、半導体ウェ
ーハまたはその他の適切な基板の表面に半導体デバイスのさまざまなフィーチャ（形状）
および複数のレベルすなわち層を形成するために使用される多数のプロセスが含まれる。
例えば、リソグラフィは、通常、半導体ウェーハの表面に配列されたレジストにパターン
を転写する作業を伴うプロセスである。半導体製造プロセスの他の例として、化学機械研
磨、エッチング、堆積、イオン注入、メッキ、洗浄などがある。半導体デバイスは、代表
的な半導体ウェーハまたは基板よりも著しく小さく、半導体ウェーハ上に半導体デバイス
の配列を形成することができる。処理が完了した後、半導体ウェーハを個々の半導体デバ
イスに分離することができる。
【０００３】
しかし、半導体製造プロセスは生産で使用するとりわけ最も精密で複雑なプロセスであ
る。効率よく実行するために、半導体製造プロセスに対する頻繁な監視および慎重な評価
が要求される。例えば、半導体製造プロセスでは、さまざまな欠陥（例えば、不均一）が
半導体デバイスに入り込むことがある。例えば、欠陥としては、半導体製造プロセスで処
理化学薬品および／またはクリーン・ルーム環境内の微粒子によってウェーハに持ち込ま
れる汚染がある。このような欠陥はプロセスの性能に悪影響を及ぼし、その結果製造プロ
セスの歩留まり全体が許容可能な水準を下回る可能性がある。したがって、通常は、半導
体製造プロセスの広範な監視および評価を実施して、プロセスを設計許容誤差内に確実に
収め、プロセスの歩留まり全体を引き上げるようにする。プロセスの広範な監視および評
価をプロセス開発および半導体製造プロセスのプロセス管理の両方で実施することが理想
的である。
【０００４】
半導体デバイスの形状が縮小し続けているが、製造できる最小形状は、半導体製造プロ
セスの性能特性によって制限されることが多い。半導体製造プロセスの性能特性として、
これらに限定されないが、例えば、分解能、チップ間変動、およびウェーハ間変動がある
。例えば、光学的リソグラフィでは、リソグラフィ・プロセスの分解能などの性能特性は
、レジスト適用の質、レジスト材料の性能、露光ツールの性能、およびレジストを露光す
るために使用する光の波長によって制限される。しかし、最小形状を解決できるかどうか
は、露光後加熱プロセスの温度および露光プロセスの照射線量などのリソグラフィ・プロ
セスの他の重要なパラメータにも強く依存する場合がある。したがって、リソグラフィ・
プロセスなどの半導体製造プロセスの分解能に重要と思われるプロセスのパラメータを制
御することが、半導体デバイスの製造を成功させるうえで次第に重要なものになってきて
いる。
【０００５】
半導体デバイスの寸法が半導体材料およびプロセスの進歩で小さくなるにつれ、顕微鏡
的フィーチャを調べ、顕微鏡的欠陥を検出できることもまた、半導体デバイスの製造の成
功に欠かせないないようになってきた。顕微鏡的フィーチャおよび欠陥を調べる場合に用
いる測定法および／または検査ツールの分解能の上限を引き上げることに関しておびただ
しい研究が行われてきた。しかし、半導体製造プロセスで製造される試料の測定および／
または検査に現在利用できる方法およびシステムの使用にはいくつかの短所がある。例え
ば、複数のスタンドアロンの測定／検査システムがこのようなプロセスで製造される試料
の測定および／または検査に使用される場合がある。本発明で使用しているように、「ス
タンドアロンの方法／検査システム」は一般に、プロセス・ツールに結合されておらず、
他のプロセス・ツールおよび／または方法／検査システムとは無関係に動作するシステム
を指す。しかし、複数の測定／検査システムは、測定および／または検査システムのそれ
ぞれには占有面積があるためクリーン・ルーム領域を比較的多く占有することになる。
【０００６】
さらに、複数の測定／検査システムで試料を測定かつ／または検査することに関連する
テスト時間およびプロセスが遅延すると、生産の全体的なコストが高くなり、半導体デバ
イスを製造する生産時間が長くなるであろう。例えば、プロセス・ツールは試料の測定お
よび／または検査を実行している間アイドル状態にあることが多く、プロセスを評価して
から試料を追加処理するので生産遅延が長くなる。さらに、追加ウェーハを処理する前に
処理の問題を検出できない場合、このときに処理したウェーハは廃棄しなければならない
ことがあり、生産の全体的コストが高くなる。さらに、複数の測定／検査システムを購入
するので、製造原価が高くなる。
【発明の概要】
【発明が解決しようとする課題】
【０００７】
さらに他の例では、複数の現在利用可能なシステムを使用したインサイチュー測定およ
び／または検査については、処理中に試料の特性を判別することは不可能でないにしても
難しい。例えば、リソグラフィ・プロセスで現在利用可能な複数のシステムで試料を測定
かつ／または検査することにより、プロセスの各工程段階の間またはその後に時間の遅れ
が生じることがある。遅延時間が比較的長い場合、レジストの性能が悪影響を受けること
があり、また半導体デバイスの全体的な歩留まりが低下することがある。したがって、複
数の現在利用可能なシステムを使用した測定および／または検査と関連する制限によって
、半導体製造プロセスのプロセス強化、制御、および歩留まりも制約を受ける。プロセス
強化、制御、および歩留まりは、さらに、多くの現在使用可能な測定／検査システムを使
用した測定および／または検査と関連して汚染が生じる可能性によっても制限を受けるこ
とがある。さらに、半導体製造プロセスにおいて複数の測定／検査システムを使用するこ
とに対して実用上の制限が生じることもある。例としてあげると、複数の現在利用可能な
システムを使用した現場での位置測定および／または検査の場合、プロセス・ツールまた
はクラスタ・ツールに複数の測定／検査システムを組み込むことは、ツール内のスペース
の関係上困難な場合がある。
【課題を解決するための手段】
【０００８】
一実施態様は、試料の少なくとも２つの特性を判別するように構成できるシステムに関
係する。このシステムは、その試料を支持するように構成されたステージを含むことがで
きる。このシステムはさらに、そのステージに結合された測定具を備えることもできる。
測定具は、エネルギーを試料の表面に向けるように構成された照明システムを備えること
ができる。測定具は、さらに、照明システムに結合された検出システムを備えることもで
きる。検出システムは、試料の表面から伝搬されるエネルギーを検出するように構成する
ことができる。測定具はさらに、検出されたエネルギーに対して１つまたは複数の出力信
号を生成するように構成することもできる。このシステムはさらに、測定具に結合された
プロセッサを備えることもできる。プロセッサは、１つまたは複数の出力信号から試料の
少なくとも第１の特性と第２の特性を判別するように構成することができる。
【０００９】
一実施態様では、第１の特性は試料の限界寸法を含むことができる。第２の特性には、
試料のオーバーレイ・ミスレジストレーションを含めることができる。さらに、プロセッ
サは、１つまたは複数の出力信号から試料の第３および／または第４の特性を判別するよ
うに構成することができる。例えば、試料の第３の特性は試料の欠陥の有無を含み、試料
の第４の特性は試料の平坦さの測定結果を含むことができる。一実施態様では測定具は、
非結像スキャタロメータ、スキャタロメータ、分光スキャタロメータ、反射率計、分光反
射率計、偏光解析器、分光偏光解析器、明視野撮像デバイス、暗視野撮像デバイス、明視
野暗視野撮像デバイス、明視野非結像デバイス、暗視野非結像デバイス、明視野暗視野非
結像デバイス、コヒーレンス・プローブ顕微鏡、干渉顕微鏡、光学プロフィルメータ、ま
たはそれらの任意の組み合わせを備えることができる。このようにして、測定具は単一の
測定具としてまたは複数の測定具として機能するように構成することができる。複数の測
定具をシステムの単一の測定具に組み込むことができるため、例えば、第１の測定具の光
学要素はさらに第２の測定具の光学要素とすることもできる。
【００１０】
一実施態様では、プロセッサは測定具に結合されたローカル・プロセッサおよび／また
はローカル・プロセッサに結合されたリモート・コントローラ・コンピュータを備えるこ
とができる。ローカル・プロセッサは、少なくとも一部は、１つまたは複数の出力信号を
処理するように構成することができる。リモート・コントローラ・コンピュータは、ロー
カル・プロセッサから少なくとも一部は処理された１つまたは複数の出力信号を受信する
ように構成することができる。さらに、リモート・コントローラ・コンピュータは、少な
くとも一部は処理された１つまたは複数の出力信号から試料の少なくとも第１の特性と第
２の特性を判別するように構成することができる。さらに、リモート・コントローラ・コ
ンピュータは、少なくとも一部は処理された１つまたは複数の出力信号から試料の第３の
特性および／または第４の特性を判別するように構成することができる。他の実施態様で
は、リモート・コントローラ・コンピュータを半導体製造プロセス・ツールなどのプロセ
ス・ツールに結合することができる。このようにして、リモート・コントローラ・コンピ
ュータはさらに、インサイチュー制御手法、フィードバック制御手法、またはフィードフ
ォワード制御手法を使用して試料の少なくとも判別された第１または第２の特性に対して
半導体製造プロセス・ツールに結合された１つまたは複数の計測器のパラメータを変更す
るように構成することができる。
【００１１】
他の実施態様は、試料の少なくとも２つの特性を判別する方法に関係する。この方法は
、ステージに試料を配置するステップを含むことができる。ステージを測定具に結合する
ことができる。測定具は、照明システムと検出システムを備えることもできる。さらに、
この方法は、エネルギーを試料の表面に向けるステップも含む。この方法はさらに、試料
の表面から伝搬されるエネルギーを検出するステップも含むことができる。この方法はさ
らに、検出されたエネルギーに対して１つまたは複数の出力信号を生成するステップを含
むこともできる。さらに、この方法は、１つまたは複数の出力信号を処理して試料の少な
くとも第１の特性と第２の特性を判別するステップを含むことができる。
【００１２】
一実施態様では、第１の特性は試料の限界寸法を含むことができる。第２の特性には、
試料のオーバーレイ・ミスレジストレーションを含めることができる。さらに、この方法
は、１つまたは複数の出力信号を処理して試料の第３および／または第４の特性を判別す
るステップを含むことができる。例えば、試料の第３および第４の特性は試料の欠陥の有
無および試料の平坦さの測定結果を含むことができる。他の実施態様では、半導体デバイ
スをこの方法で製造することができる。例えば、この方法は、試料の上に半導体デバイス
の一部を形成するステップも含むことができる。
【００１３】
一実施態様では、１つまたは複数の出力信号を処理して試料の少なくとも第１の特性と
第２の特性を判別するステップに、ローカル・プロセッサを使用して１つまたは複数の出
力信号を少なくとも一部は処理するステップを含めることができる。ローカル・プロセッ
サを測定具に結合することができる。１つまたは複数の出力信号を処理するステップがさ
らに、ローカル・プロセッサからの一部処理された１つまたは複数の出力信号をリモート
・コントローラ・コンピュータに送信するステップを含むことができる。さらに、１つま
たは複数の出力信号を処理するステップは、リモート・コントローラ・コンピュータを使
用して一部処理された１つまたは複数の出力信号をさらに処理するステップを含むことが
できる。他の実施態様では、リモート・コントローラ・コンピュータを半導体製造プロセ
ス・ツールなどのプロセス・ツールに結合することができる。このようにして、この方法
は試料の少なくとも判別された第１または第２の特性に対してリモート・コントローラ・
コンピュータを使用してプロセス・ツールに結合された１つまたは複数の計測器のパラメ
ータを変更するステップを含むことができる。計測器のパラメータを変更するステップは
、インサイチュー制御手法、フィードバック制御手法、またはフィードフォワード制御手
法を使用するステップを含むことができる。
【００１４】
他の実施態様は、試料の少なくとも２つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることもできる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性と第２
の特性を判別するステップを含むことができる。例えば、第１の特性は試料の限界寸法を
含むことができる。さらに、第２の特性には、試料のオーバーレイ・ミスレジストレーシ
ョンを含めることができる。コンピュータにより実施された方法は、１つまたは複数の出
力信号を処理して試料の第３および／または第４の特性を判別するステップを含むことが
できる。実施例では、試料の第３および第４の特性は試料の欠陥の有無および試料の平坦
さの測定結果を含むことができる。
【００１５】
一実施態様は、試料の少なくとも２つの特性を判別するように構成されたシステムに関
係する。このシステムは、その試料を支持するように構成されたステージを含むことがで
きる。このシステムはさらに、そのステージに結合された測定具を備えることもできる。
測定具は、エネルギーを試料の表面に向けるように構成された照明システムを備えること
ができる。測定具は、さらに、照明システムに結合された検出システムを備えることもで
きる。検出システムは、試料の表面から伝搬されるエネルギーを検出するように構成する
ことができる。測定具はさらに、検出されたエネルギーに対して１つまたは複数の出力信
号を生成するように構成することもできる。このシステムはさらに、測定具に結合された
プロセッサを備えることもできる。プロセッサは、１つまたは複数の出力信号から試料の
少なくとも第１の特性と第２の特性を判別するように構成することができる。
【００１６】
一実施態様では、第１の特性は試料の欠陥の有無を含むことができる。第２の特性には
、試料の薄膜特性を含めることができる。さらに、プロセッサは、１つまたは複数の出力
信号から試料の他の特性を判別するように構成することができる。一実施態様では測定具
は、非結像スキャタロメータ、スキャタロメータ、分光スキャタロメータ、反射率計、分
光反射率計、偏光解析器、分光偏光解析器、ビーム・プロフィル偏光解析器、明視野撮像
デバイス、暗視野撮像デバイス、明視野暗視野撮像デバイス、明視野非結像デバイス、暗
視野非結像デバイス、明視野暗視野非結像デバイス、二重暗視野デバイス、二重分光光度
計、コヒーレンス・プローブ顕微鏡、干渉顕微鏡、光学プロフィルメータ、またはそれら
の任意の組み合わせを備えることができる。このようにして、測定具は単一の測定具とし
てまたは複数の測定具として機能するように構成することができる。複数の測定具をシス
テムの単一の測定具に組み込むことができるため、例えば、第１の測定具の光学要素はさ
らに第２の測定具の光学要素とすることもできる。
【００１７】
一実施態様では、プロセッサは測定具に結合されたローカル・プロセッサおよびローカ
ル・プロセッサに結合されたリモート・コントローラ・コンピュータを備えることができ
る。ローカル・プロセッサは、少なくとも一部は、１つまたは複数の出力信号を処理する
ように構成することができる。リモート・コントローラ・コンピュータは、プロセッサか
ら少なくとも一部は処理された１つまたは複数の出力信号を受信するように構成すること
ができる。さらに、リモート・コントローラ・コンピュータは、少なくとも一部は処理さ
れた１つまたは複数の出力信号から試料の少なくとも第１の特性と第２の特性を判別する
ように構成することができる。さらに、リモート・コントローラ・コンピュータは、少な
くとも一部は処理された１つまたは複数の出力信号から試料の追加特性を判別するように
構成することができる。他の実施態様では、リモート・コントローラ・コンピュータを半
導体製造プロセス・ツールなどのプロセス・ツールに結合することができる。このように
して、リモート・コントローラ・コンピュータはさらに、インサイチュー制御手法、フィ
ードバック制御手法、またはフィードフォワード制御手法を使用して試料の少なくとも判
別された第１または第２の特性に対してプロセス・ツールに結合された１つまたは複数の
計測器のパラメータを変更するように構成することができる。
【００１８】
他の実施態様は、試料の少なくとも２つの特性を判別する方法に関係する。この方法は
、ステージに試料を配置するステップを含むことができる。ステージを測定具に結合する
ことができる。測定具は、照明システムと検出システムを備えることもできる。さらに、
この方法は、エネルギーを試料の表面に向けるステップも含む。この方法はさらに、試料
の表面から伝搬されるエネルギーを検出するステップも含むことができる。この方法はさ
らに、検出されたエネルギーに対して１つまたは複数の出力信号を生成するステップを含
むこともできる。さらに、この方法は、１つまたは複数の出力信号を処理して試料の少な
くとも第１の特性と第２の特性を判別するステップを含むことができる。
【００１９】
一実施態様では、第１の特性は試料の欠陥の有無を含むことができる。第２の特性には
、試料の薄膜特性を含めることができる。さらに、プロセッサは、１つまたは複数の出力
信号から試料の他の特性を判別するように構成することができる。他の実施態様では、半
導体デバイスをこの方法で製造することができる。例えば、この方法は、試料の上に半導
体デバイスの一部を形成するステップも含むことができる。
【００２０】
一実施態様では、１つまたは複数の出力信号を処理して試料の少なくとも第１の特性と
第２の特性を判別するステップに、ローカル・プロセッサを使用して１つまたは複数の出
力信号を少なくとも一部処理するステップを含めることができる。ローカル・プロセッサ
を測定具に結合することができる。１つまたは複数の出力信号を処理するステップがさら
に、ローカル・プロセッサからの一部処理された１つまたは複数の出力信号をリモート・
コントローラ・コンピュータに送信するステップを含むことができる。さらに、１つまた
は複数の出力信号を処理するステップは、リモート・コントローラ・コンピュータを使用
して一部処理された１つまたは複数の出力信号をさらに処理するステップを含むことがで
きる。他の実施態様では、リモート・コントローラ・コンピュータを半導体製造プロセス
・ツールなどのプロセス・ツールに結合することができる。このようにして、この方法は
試料の少なくとも判別された第１または第２の特性に対してリモート・コントローラ・コ
ンピュータを使用してプロセス・ツールに結合された１つまたは複数の計測器のパラメー
タを変更するステップを含むことができる。計測器のパラメータを変更するステップは、
インサイチュー制御手法、フィードバック制御手法、またはフィードフォワード制御手法
を使用するステップを含むことができる。
【００２１】
他の実施態様は、試料の少なくとも２つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることもできる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性と第２
の特性を判別するステップを含むことができる。例えば、第１の特性は試料の欠陥の有無
を含むことができる。第２の特性には、試料の薄膜特性を含めることができる。さらに、
プロセッサは、１つまたは複数の出力信号から試料の他の特性を判別するように構成する
ことができる。
【００２２】
一実施態様は、試料の少なくとも２つの特性を判別するように構成されたシステムに関
係する。このシステムは、その試料を支持するように構成されたステージを含むことがで
きる。このシステムはさらに、そのステージに結合された測定具を備えることもできる。
測定具は、エネルギーを試料の表面に向けるように構成された照明システムを備えること
ができる。測定具は、さらに、照明システムに結合された検出システムを備えることもで
きる。検出システムは、試料の表面から伝搬されるエネルギーを検出するように構成する
ことができる。測定具はさらに、検出されたエネルギーに対して１つまたは複数の出力信
号を生成するように構成することもできる。このシステムはさらに、測定具に結合された
プロセッサを備えることもできる。プロセッサは、１つまたは複数の出力信号から試料の
少なくとも第１の特性と第２の特性を判別するように構成することができる。
【００２３】
一実施態様では、第１の特性は試料の欠陥の有無を含むことができる。第２の特性には
、試料の限界寸法を含めることができる。さらに、プロセッサは、１つまたは複数の出力
信号から試料の他の特性を判別するように構成することができる。一実施態様では測定具
は、非結像スキャタロメータ、スキャタロメータ、分光スキャタロメータ、反射率計、分
光反射率計、偏光解析器、分光偏光解析器、明視野撮像デバイス、暗視野撮像デバイス、
明視野暗視野撮像デバイス、明視野非結像デバイス、暗視野非結像デバイス、明視野暗視
野非結像デバイス、コヒーレンス・プローブ顕微鏡、干渉顕微鏡、光学プロフィルメータ
、またはそれらの任意の組み合わせを備えることができる。このようにして、測定具は単
一の測定具としてまたは複数の測定具として機能するように構成することができる。複数
の測定具をシステムの単一の測定具に組み込むことができるため、例えば、第１の測定具
の光学要素はさらに第２の測定具の光学要素とすることもできる。
【００２４】
一実施態様では、プロセッサは測定具に結合されたローカル・プロセッサおよびローカ
ル・プロセッサに結合されたリモート・コントローラ・コンピュータを備えることができ
る。ローカル・プロセッサは、少なくとも一部は、１つまたは複数の出力信号を処理する
ように構成することができる。リモート・コントローラ・コンピュータは、プロセッサか
ら少なくとも一部は処理された１つまたは複数の出力信号を受信するように構成すること
ができる。さらに、リモート・コントローラ・コンピュータは、少なくとも一部が処理さ
れた１つまたは複数の出力信号から試料の少なくとも第１の特性と第２の特性を判別する
ように構成することができる。さらに、リモート・コントローラ・コンピュータは、少な
くとも一部が処理された１つまたは複数の出力信号から試料の追加特性を判別するように
構成することができる。他の実施態様では、リモート・コントローラ・コンピュータを半
導体製造プロセス・ツールなどのプロセス・ツールに結合することができる。このように
して、リモート・コントローラ・コンピュータはさらに、インサイチュー制御手法、フィ
ードバック制御手法、および／またはフィードフォワード制御手法を使用して試料の少な
くとも判別された第１または第２の特性に対してプロセス・ツールに結合された１つまた
は複数の計測器のパラメータを変更するように構成することができる。
【００２５】
他の実施態様は、試料の少なくとも２つの特性を判別する方法に関係する。この方法は
、ステージに試料を配置するステップを含むことができる。ステージを測定具に結合する
ことができる。測定具は、照明システムと検出システムを備えることもできる。さらに、
この方法は、照明システムを使用してエネルギーを試料の表面に向けるステップも含む。
この方法はさらに、検出システムを使用して試料の表面から伝搬されるエネルギーを検出
するステップも含むことができる。この方法はさらに、検出されたエネルギーに対して１
つまたは複数の出力信号を生成するステップを含むこともできる。さらに、この方法は、
１つまたは複数の出力信号を処理して試料の少なくとも第１の特性と第２の特性を判別す
るステップを含むことができる。
【００２６】
一実施態様では、第１の特性は試料の欠陥の有無を含むことができる。第２の特性には
、試料の限界寸法を含めることができる。さらに、プロセッサは、１つまたは複数の出力
信号から試料の他の特性を判別するように構成することができる。他の実施態様では、半
導体デバイスをこの方法で製造することができる。例えば、この方法は、半導体基板など
の試料の上に半導体デバイスの一部を形成するステップも含むことができる。
【００２７】
一実施態様では、１つまたは複数の出力信号を処理して試料の少なくとも第１の特性と
第２の特性を判別するステップに、ローカル・プロセッサを使用して１つまたは複数の出
力信号を少なくとも一部処理するステップを含めることができる。ローカル・プロセッサ
を測定具に結合することができる。１つまたは複数の出力信号を処理するステップがさら
に、ローカル・プロセッサからの一部処理された１つまたは複数の出力信号をリモート・
コントローラ・コンピュータに送信するステップを含むことができる。さらに、１つまた
は複数の出力信号を処理するステップは、リモート・コントローラ・コンピュータを使用
して一部処理された１つまたは複数の出力信号をさらに処理するステップを含むことがで
きる。他の実施態様では、リモート・コントローラ・コンピュータを半導体製造プロセス
・ツールなどのプロセス・ツールに結合することができる。このようにして、この方法は
試料の少なくとも判別された第１または第２の特性に対してリモート・コントローラ・コ
ンピュータを使用してプロセス・ツールに結合された１つまたは複数の計測器のパラメー
タを変更するステップを含むことができる。計測器のパラメータを変更するステップは、
インサイチュー制御手法、フィードバック制御手法、および／またはフィードフォワード
制御手法を使用するステップを含むことができる。
【００２８】
他の実施態様は、試料の少なくとも２つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることもできる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性と第２
の特性を判別するステップを含むことができる。例えば、第１の特性は試料の欠陥の有無
を含むことができる。第２の特性には、試料の限界寸法を含めることができる。さらに、
プロセッサは、１つまたは複数の出力信号から試料の他の特性を判別するように構成する
ことができる。
【００２９】
一実施態様は、試料の少なくとも２つの特性を判別するように構成されたシステムに関
係する。このシステムは、その試料を支持するように構成されたステージを含むことがで
きる。このシステムはさらに、そのステージに結合された測定具を備えることもできる。
測定具は、エネルギーを試料の表面に向けるように構成された照明システムを備えること
ができる。測定具は、さらに、照明システムに結合された検出システムを備えることもで
きる。検出システムは、試料の表面から伝搬されるエネルギーを検出するように構成する
ことができる。測定具はさらに、検出されたエネルギーに対して１つまたは複数の出力信
号を生成するように構成することもできる。このシステムはさらに、測定具に結合された
プロセッサを備えることもできる。プロセッサは、１つまたは複数の出力信号から試料の
少なくとも第１の特性と第２の特性を判別するように構成することができる。
【００３０】
一実施態様では、第１の特性は試料の限界寸法を含むことができる。第２の特性には、
試料の薄膜特性を含めることができる。さらに、プロセッサは、１つまたは複数の出力信
号から試料の他の特性を判別するように構成することができる。一実施態様では測定具は
、非結像スキャタロメータ、スキャタロメータ、分光スキャタロメータ、反射率計、分光
反射率計、偏光解析器、分光偏光解析器、ビーム・プロフィル偏光解析器、二重ビーム分
光光度計、明視野撮像デバイス、暗視野撮像デバイス、明視野暗視野撮像デバイス、明視
野および／または暗視野非結像デバイス、コヒーレンス・プローブ顕微鏡、干渉顕微鏡、
光学プロフィルメータ、またはそれらの任意の組み合わせを備えることができる。このよ
うにして、測定具は単一の測定具としてまたは複数の測定具として機能するように構成す
ることができる。複数の測定具をシステムの単一の測定具に組み込むことができるため、
例えば、第１の測定具の光学要素はさらに第２の測定具の光学要素とすることもできる。
【００３１】
一実施態様では、プロセッサは測定具に結合されたローカル・プロセッサおよび／また
はローカル・プロセッサに結合されたリモート・コントローラ・コンピュータを備えるこ
とができる。ローカル・プロセッサは、少なくとも一部は、１つまたは複数の出力信号を
処理するように構成することができる。リモート・コントローラ・コンピュータは、ロー
カル・プロセッサから少なくとも一部が処理された１つまたは複数の出力信号を受信する
ように構成することができる。さらに、リモート・コントローラ・コンピュータは、少な
くとも一部が処理された１つまたは複数の出力信号から試料の少なくとも第１の特性と第
２の特性を判別するように構成することができる。さらに、リモート・コントローラ・コ
ンピュータは、少なくとも一部が処理された１つまたは複数の出力信号から試料の追加特
性を判別するように構成することができる。他の実施態様では、リモート・コントローラ
・コンピュータを半導体製造プロセス・ツールなどのプロセス・ツールに結合することが
できる。このようにして、リモート・コントローラ・コンピュータはさらに、インサイチ
ュー制御手法、フィードバック制御手法、および／またはフィードフォワード制御手法を
使用して試料の少なくとも判別された第１または第２の特性に対してプロセス・ツールに
結合された１つまたは複数の計測器のパラメータを変更するように構成することができる
。
【００３２】
他の実施態様は、試料の少なくとも２つの特性を判別する方法に関係する。方法は、ス
テージに試料を配置するステップを含むことができる。ステージを測定具に結合すること
ができる。測定具は、照明システムと検出システムを備えることもできる。さらに、この
方法は、照明システムを使用してエネルギーを試料の表面に向けるステップも含む。この
方法はさらに、検出システムを使用して試料の表面から伝搬されるエネルギーを検出する
ステップも含むことができる。この方法はさらに、検出されたエネルギーに対して１つま
たは複数の出力信号を生成するステップを含むこともできる。さらに、この方法は、１つ
または複数の出力信号を処理して試料の少なくとも第１の特性と第２の特性を判別するス
テップを含むことができる。
【００３３】
一実施態様では、第１の特性は試料の限界寸法を含むことができる。第２の特性には、
試料の薄膜特性を含めることができる。さらに、プロセッサは、１つまたは複数の出力信
号から試料の他の特性を判別するように構成することができる。他の実施態様では、半導
体デバイスをこの方法で製造することができる。例えば、この方法は、半導体基板などの
試料の上に半導体デバイスの一部を形成するステップも含むことができる。
【００３４】
一実施態様では、１つまたは複数の出力信号を処理して試料の少なくとも第１の特性と
第２の特性を判別するステップに、ローカル・プロセッサを使用して１つまたは複数の出
力信号を少なくとも一部処理するステップを含めることができる。ローカル・プロセッサ
を測定具に結合することができる。１つまたは複数の出力信号を処理するステップがさら
に、ローカル・プロセッサからの一部処理された１つまたは複数の出力信号をリモート・
コントローラ・コンピュータに送信するステップを含むことができる。さらに、１つまた
は複数の出力信号を処理するステップは、リモート・コントローラ・コンピュータを使用
して一部処理された１つまたは複数の出力信号をさらに処理するステップを含むことがで
きる。他の実施態様では、リモート・コントローラ・コンピュータを半導体製造プロセス
・ツールなどのプロセス・ツールに結合することができる。このようにして、この方法は
試料の少なくとも判別された第１または第２の特性に対してリモート・コントローラ・コ
ンピュータを使用してプロセス・ツールに結合された１つまたは複数の計測器のパラメー
タを変更するステップを含むことができる。計測器のパラメータを変更するステップは、
インサイチュー制御手法、フィードバック制御手法、および／またはフィードフォワード
制御手法を使用するステップを含むことができる。
【００３５】
他の実施態様は、試料の少なくとも２つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることもできる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性と第２
の特性を判別するステップを含むことができる。例えば、第１の特性は試料の限界寸法を
含むことができる。第２の特性には、試料の薄膜特性を含めることができる。さらに、プ
ロセッサは、１つまたは複数の出力信号から試料の他の特性を判別するように構成するこ
とができる。
【００３６】
一実施態様は、試料の少なくとも３つの特性を判別するように構成されたシステムに関
係する。このシステムは、その試料を支持するように構成されたステージを含むことがで
きる。このシステムはさらに、そのステージに結合された測定具を備えることもできる。
測定具は、エネルギーを試料の表面に向けるように構成された照明システムを備えること
ができる。測定具は、さらに、照明システムに結合された検出システムを備えることもで
きる。検出システムは、試料の表面から伝搬されるエネルギーを検出するように構成する
ことができる。測定具はさらに、検出されたエネルギーに対して１つまたは複数の出力信
号を生成するように構成することもできる。このシステムはさらに、測定具に結合された
プロセッサを備えることもできる。プロセッサは、１つまたは複数の出力信号から試料の
少なくとも第１の特性、第２の特性、および第３の特性を判別するように構成することが
できる。
【００３７】
一実施態様では、第１の特性は試料の限界寸法を含むことができる。第２の特性は試料
の欠陥の有無を含むことができる。第３の特性には、試料の薄膜特性を含めることができ
る。さらに、プロセッサは、１つまたは複数の出力信号から試料の他の特性を判別するよ
うに構成することができる。一実施態様では測定具は、非結像スキャタロメータ、スキャ
タロメータ、分光スキャタロメータ、反射率計、分光反射率計、偏光解析器、分光偏光解
析器、ビーム・プロフィル偏光解析器、明視野撮像デバイス、暗視野撮像デバイス、明視
野暗視野撮像デバイス、明視野および／または暗視野非結像デバイス、コヒーレンス・プ
ローブ顕微鏡、干渉顕微鏡、光学プロフィルメータ、二重ビーム分光光度計、またはそれ
らの任意の組み合わせを備えることができる。このようにして、測定具は単一の測定具と
してまたは複数の測定具として機能するように構成することができる。複数の測定具をシ
ステムの単一の測定具に組み込むことができるため、例えば、第１の測定具の光学要素は
さらに第２の測定具の光学要素とすることもできる。
【００３８】
一実施態様では、プロセッサは測定具に結合されたローカル・プロセッサおよび／また
はローカル・プロセッサに結合されたリモート・コントローラ・コンピュータを備えるこ
とができる。ローカル・プロセッサは、少なくとも一部は、１つまたは複数の出力信号を
処理するように構成することができる。リモート・コントローラ・コンピュータは、プロ
セッサから少なくとも一部が処理された１つまたは複数の出力信号を受信するように構成
することができる。さらに、リモート・コントローラ・コンピュータは、少なくとも一部
が処理された１つまたは複数の出力信号から試料の少なくとも第１の特性、第２の特性、
および第３の特性を判別するように構成することができる。さらに、リモート・コントロ
ーラ・コンピュータは、少なくとも一部が処理された１つまたは複数の出力信号から試料
の追加特性を判別するように構成することができる。他の実施態様では、リモート・コン
トローラ・コンピュータを半導体製造プロセス・ツールなどのプロセス・ツールに結合す
ることができる。このようにして、リモート・コントローラ・コンピュータはさらに、イ
ンサイチュー制御手法、フィードバック制御手法、および／またはフィードフォワード制
御手法を使用して試料の少なくとも判別された第１、第２、または第３の特性に対して半
導体製造プロセス・ツールに結合された１つまたは複数の計測器のパラメータを変更する
ように構成することができる。
【００３９】
他の実施態様は、試料の少なくとも３つの特性を判別する方法に関係する。この方法は
、ステージに試料を配置するステップを含むことができる。ステージを測定具に結合する
ことができる。測定具は、照明システムと検出システムを備えることもできる。さらに、
この方法は、照明システムを使用してエネルギーを試料の表面に向けるステップも含む。
この方法はさらに、検出システムを使用して試料の表面から伝搬されるエネルギーを検出
するステップも含むことができる。この方法はさらに、検出されたエネルギーに対して１
つまたは複数の出力信号を生成するステップを含むこともできる。さらに、この方法は、
１つまたは複数の出力信号を処理して試料の少なくとも第１の特性、第２の特性、および
第３の特性を判別するステップを含むことができる。
【００４０】
一実施態様では、第１の特性は試料の限界寸法を含むことができる。第２の特性は試料
の欠陥の有無を含むことができる。第３の特性には、試料の薄膜特性を含めることができ
る。さらに、プロセッサは、１つまたは複数の出力信号から試料の他の特性を判別するよ
うに構成することができる。他の実施態様では、半導体デバイスをこの方法で製造するこ
とができる。例えば、この方法は、半導体基板などの試料の上に半導体デバイスの一部を
形成するステップを含むことができる。
【００４１】
一実施態様では、１つまたは複数の出力信号を処理して試料の少なくとも第１の特性、
第２の特性、および第３の特性を判別するステップに、ローカル・プロセッサを使用して
１つまたは複数の出力信号を少なくとも一部処理するステップを含めることができる。ロ
ーカル・プロセッサを測定具に結合することができる。１つまたは複数の出力信号を処理
するステップがさらに、ローカル・プロセッサからの一部処理された１つまたは複数の出
力信号をリモート・コントローラ・コンピュータに送信するステップを含むことができる
。さらに、１つまたは複数の出力信号を処理するステップは、リモート・コントローラ・
コンピュータを使用して一部処理された１つまたは複数の出力信号をさらに処理するステ
ップを含むことができる。他の実施態様では、リモート・コントローラ・コンピュータを
半導体製造プロセス・ツールなどのプロセス・ツールに結合することができる。このよう
にして、この方法は試料の少なくとも判別された第１または第２の特性に対してリモート
・コントローラ・コンピュータを使用してプロセス・ツールに結合された１つまたは複数
の計測器のパラメータを変更するステップを含むことができる。計測器のパラメータを変
更するステップは、インサイチュー制御手法、フィードバック制御手法、および／または
フィードフォワード制御手法を使用するステップを含むことができる。
【００４２】
他の実施態様は、試料の少なくとも３つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることができる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性、第２
の特性、および第３の特性を判別するステップを含むことができる。例えば、第１の特性
は試料の限界寸法を含むことができる。第２の特性は試料の欠陥の有無を含むことができ
る。第３の特性には、試料の薄膜特性を含めることができる。さらに、プロセッサは、１
つまたは複数の出力信号から試料の他の特性を判別するように構成することができる。
【００４３】
一実施態様は、試料の少なくとも２つの特性を判別するように構成されたシステムに関
係する。このシステムは、その試料を支持するように構成されたステージを含む。このシ
ステムはさらに、そのステージに結合された測定具を備えることもできる。測定具は、エ
ネルギーを試料の表面に向けるように構成された照明システムを備えることができる。測
定具は、さらに、照明システムに結合された検出システムを備えることもできる。検出シ
ステムは、試料の表面から伝搬されるエネルギーを検出するように構成することができる
。測定具はさらに、検出されたエネルギーに対して１つまたは複数の出力信号を生成する
ように構成することもできる。このシステムはさらに、測定具に結合されたプロセッサを
備えることもできる。プロセッサは、１つまたは複数の出力信号から試料の少なくとも第
１の特性と第２の特性を判別するように構成することができる。
【００４４】
一実施態様では、第１の特性は試料上の目立った欠陥の有無を含むことができる。第２
の特性は試料上の目立った欠陥の有無を含むことができる。さらに、プロセッサは、１つ
または複数の出力信号から試料の他の特性を判別するように構成することができる。一実
施態様では測定具は、非結像スキャタロメータ、スキャタロメータ、分光スキャタロメー
タ、反射率計、分光反射率計、偏光解析器、分光偏光解析器、明視野撮像デバイス、暗視
野撮像デバイス、明視野暗視野撮像デバイス、明視野および／または暗視野非結像デバイ
ス、二重暗視野デバイス、コヒーレンス・プローブ顕微鏡、干渉顕微鏡、光学プロフィル
メータ、またはそれらの任意の組み合わせを備えることができる。このようにして、測定
具は単一の測定具としてまたは複数の測定具として機能するように構成することができる
。複数の測定具をシステムの単一の測定具に組み込むことができるため、例えば、第１の
測定具の光学要素はさらに第２の測定具の光学要素とすることもできる。
【００４５】
一実施態様では、プロセッサは測定具に結合されたローカル・プロセッサまたはローカ
ル・プロセッサに結合されたリモート・コントローラ・コンピュータを備えることができ
る。ローカル・プロセッサは、少なくとも一部は、１つまたは複数の出力信号を処理する
ように構成することができる。リモート・コントローラ・コンピュータは、プロセッサか
ら少なくとも一部は処理された１つまたは複数の出力信号を受信するように構成すること
ができる。さらに、リモート・コントローラ・コンピュータは、少なくとも一部が処理さ
れた１つまたは複数の出力信号から試料の少なくとも第１の特性と第２の特性を判別する
ように構成することができる。さらに、リモート・コントローラ・コンピュータは、少な
くとも一部が処理された１つまたは複数の出力信号から試料の追加特性を判別するように
構成することができる。他の実施態様では、リモート・コントローラ・コンピュータを半
導体製造プロセス・ツールなどのプロセス・ツールに結合することができる。このように
して、リモート・コントローラ・コンピュータはさらに、インサイチュー制御手法、フィ
ードバック制御手法、および／またはフィードフォワード制御手法を使用して試料の少な
くとも判別された第１または第２の特性に対してプロセス・ツールに結合された１つまた
は複数の計測器のパラメータを変更するように構成することができる。
【００４６】
他の実施態様は、試料の少なくとも２つの特性を判別する方法に関係する。この方法は
、ステージに試料を配置するステップを含むことができる。ステージを測定具に結合する
ことができる。測定具は、照明システムと検出システムを備えることもできる。さらに、
この方法は、照明システムを使用してエネルギーを試料の表面に向けるステップを含むこ
とができる。この方法はさらに、検出システムを使用して試料の表面から伝搬されるエネ
ルギーを検出するステップも含むことができる。この方法はさらに、検出されたエネルギ
ーに対して１つまたは複数の出力信号を生成するステップを含むこともできる。さらに、
この方法は、１つまたは複数の出力信号を処理して試料の少なくとも第１の特性と第２の
特性を判別するステップを含むことができる。
【００４７】
一実施態様では、第１の特性は試料上の目立った欠陥の有無を含むことができる。第２
の特性は試料上の目立った欠陥の有無であってよい。さらに、プロセッサは、１つまたは
複数の出力信号から試料の他の特性を判別するように構成することができる。他の実施態
様では、半導体デバイスをこの方法で製造することができる。例えば、この方法は、半導
体基板などの試料の上に半導体デバイスの一部を形成するステップを含むことができる。
【００４８】
一実施態様では、１つまたは複数の出力信号を処理して試料の少なくとも第１の特性と
第２の特性を判別するステップに、ローカル・プロセッサを使用して１つまたは複数の出
力信号を少なくとも一部処理するステップを含めることができる。ローカル・プロセッサ
を測定具に結合することができる。１つまたは複数の出力信号を処理するステップがさら
に、ローカル・プロセッサからの一部処理された１つまたは複数の出力信号をリモート・
コントローラ・コンピュータに送信するステップを含むことができる。さらに、１つまた
は複数の出力信号を処理するステップは、リモート・コントローラ・コンピュータを使用
して一部処理された１つまたは複数の出力信号をさらに処理するステップを含むことがで
きる。他の実施態様では、リモート・コントローラ・コンピュータを半導体製造プロセス
・ツールなどのプロセス・ツールに結合することができる。このようにして、この方法は
試料の少なくとも判別された第１または第２の特性に対してリモート・コントローラ・コ
ンピュータを使用してプロセス・ツールに結合された１つまたは複数の計測器のパラメー
タを変更するステップを含むことができる。計測器のパラメータを変更するステップは、
インサイチュー制御手法、フィードバック制御手法、および／またはフィードフォワード
制御手法を使用するステップを含むことができる。
【００４９】
他の実施態様は、試料の少なくとも２つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることもできる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性と第２
の特性を判別するステップを含むことができる。例えば、第１の特性は試料上の目立った
欠陥の有無を含むことができる。第２の特性は試料上の目立った欠陥の有無であってよい
。さらに、プロセッサは、１つまたは複数の出力信号から試料の他の特性を判別するよう
に構成することができる。
【００５０】
一実施態様は、試料の少なくとも３つの特性を判別するように構成されたシステムに関
係する。このシステムは、その試料を支持するように構成されたステージを含むことがで
きる。このシステムはさらに、そのステージに結合された測定具を備えることもできる。
測定具は、エネルギーを試料の表面に向けるように構成された照明システムを備えること
ができる。測定具は、さらに、照明システムに結合された検出システムを備えることもで
きる。検出システムは、試料の表面から伝搬されるエネルギーを検出するように構成する
ことができる。測定具はさらに、検出されたエネルギーに対して１つまたは複数の出力信
号を生成するように構成することもできる。このシステムはさらに、測定具に結合された
プロセッサを備えることもできる。プロセッサは、１つまたは複数の出力信号から試料の
少なくとも第１の特性、第２の特性、および第３の特性を判別するように構成することが
できる。
【００５１】
一実施態様では、第１の特性は試料の平坦さ測定結果を含むことができる。第２の特性
は試料の欠陥の有無に関する情報を含むことができる。第３の特性には、試料の薄膜特性
を含めることができる。さらに、プロセッサは、１つまたは複数の出力信号から試料の他
の特性を判別するように構成することができる。一実施態様では測定具は、非結像スキャ
タロメータ、スキャタロメータ、分光スキャタロメータ、反射率計、分光反射率計、偏光
解析器、分光偏光解析器、ビーム・プロフィル偏光解析器、明視野および／または暗視野
撮像デバイス、明視野および／または暗視野非結像デバイス、二重暗視野デバイス、コヒ
ーレンス・プローブ顕微鏡、干渉顕微鏡、干渉計、光学プロフィルメータ、二重ビーム分
光光度計、またはそれらの任意の組み合わせを備えることができる。このようにして、測
定具は単一の測定具としてまたは複数の測定具として機能するように構成することができ
る。複数の測定具をシステムの単一の測定具に組み込むことができるため、例えば、第１
の測定具の光学要素はさらに第２の測定具の光学要素とすることもできる。
【００５２】
一実施態様では、プロセッサは測定具に結合されたローカル・プロセッサおよびローカ
ル・プロセッサに結合されたリモート・コントローラ・コンピュータを備えることができ
る。ローカル・プロセッサは、１つまたは複数の出力信号を少なくとも一部処理するよう
に構成することができる。リモート・コントローラ・コンピュータは、プロセッサから少
なくとも一部が処理された１つまたは複数の出力信号を受信するように構成することがで
きる。さらに、リモート・コントローラ・コンピュータは、少なくとも一部が処理された
１つまたは複数の出力信号から試料の少なくとも第１の特性、第２の特性、および第３の
特性を判別するように構成することができる。さらに、リモート・コントローラ・コンピ
ュータは、少なくとも一部が処理された１つまたは複数の出力信号から試料の追加特性を
判別するように構成することができる。他の実施態様では、リモート・コントローラ・コ
ンピュータを半導体製造プロセス・ツールなどのプロセス・ツールに結合することができ
る。このようにして、リモート・コントローラ・コンピュータはさらに、インサイチュー
制御手法、フィードバック制御手法、および／またはフィードフォワード制御手法を使用
して試料の少なくとも判別された第１、第２、または第３の特性に対してプロセス・ツー
ルに結合された１つまたは複数の計測器のパラメータを変更するように構成することがで
きる。
【００５３】
他の実施態様は、試料の少なくとも３つの特性を判別する方法に関係する。この方法は
、ステージに試料を配置するステップを含むことができる。ステージを測定具に結合する
ことができる。測定具は、照明システムと検出システムを備えることもできる。さらに、
この方法は、照明システムを使用してエネルギーを試料の表面に向けるステップも含むこ
とができる。この方法はさらに、検出システムを使用して試料の表面から伝搬されるエネ
ルギーを検出するステップも含むことができる。この方法はさらに、検出されたエネルギ
ーに対して１つまたは複数の出力信号を生成するステップを含むことができる。さらに、
この方法は、１つまたは複数の出力信号を処理して試料の少なくとも第１の特性、第２の
特性、および第３の特性を判別するステップを含むことができる。
【００５４】
一実施態様では、第１の特性は試料の平坦さ測定結果を含むことができる。第２の特性
は試料の欠陥の有無を含むことができる。第３の特性には、試料の薄膜特性を含めること
ができる。さらに、プロセッサは、１つまたは複数の出力信号から試料の他の特性を判別
するように構成することができる。他の実施態様では、半導体デバイスをこの方法で製造
することができる。例えば、この方法は、半導体基板などの試料の上に半導体デバイスの
一部を形成するステップを含むことができる。
【００５５】
一実施態様では、１つまたは複数の出力信号を処理して試料の少なくとも第１の特性、
第２の特性、および第３の特性を判別するステップに、ローカル・プロセッサを使用して
１つまたは複数の出力信号を少なくとも一部処理するステップを含めることができる。ロ
ーカル・プロセッサを測定具に結合することができる。１つまたは複数の出力信号を処理
するステップがさらに、ローカル・プロセッサからの一部処理された１つまたは複数の出
力信号をリモート・コントローラ・コンピュータに送信するステップを含むことができる
。さらに、１つまたは複数の出力信号を処理するステップは、リモート・コントローラ・
コンピュータを使用して一部処理された１つまたは複数の出力信号をさらに処理するステ
ップを含むことができる。他の実施態様では、リモート・コントローラ・コンピュータを
半導体製造プロセス・ツールなどのプロセス・ツールに結合することができる。このよう
にして、この方法は試料の少なくとも判別された第１または第２の特性に対してリモート
・コントローラ・コンピュータを使用してプロセス・ツールに結合された１つまたは複数
の計測器のパラメータを変更するステップを含むことができる。計測器のパラメータを変
更するステップは、インサイチュー制御手法、フィードバック制御手法、および／または
フィードフォワード制御手法を使用するステップを含むことができる。
【００５６】
他の実施態様は、試料の少なくとも３つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることもできる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性、第２
の特性、および第３の特性を判別するステップを含むことができる。例えば、第１の特性
は試料の平坦さ測定結果を含むことができる。第２の特性は試料の欠陥の有無を含むこと
ができる。第３の特性には、試料の薄膜特性を含めることができる。さらに、プロセッサ
は、１つまたは複数の出力信号から試料の他の特性を判別するように構成することができ
る。
【００５７】
一実施態様は、試料の少なくとも２つの特性を判別するように構成されたシステムに関
係する。このシステムは、その試料を支持するように構成されたステージを含む。このシ
ステムはさらに、そのステージに結合された測定具を備えることもできる。測定具は、エ
ネルギーを試料の表面に向けるように構成された照明システムを備えることができる。測
定具は、さらに、照明システムに結合された検出システムを備えることもできる。検出シ
ステムは、試料の表面から伝搬されるエネルギーを検出するように構成することができる
。測定具はさらに、検出されたエネルギーに対して１つまたは複数の出力信号を生成する
ように構成することもできる。このシステムはさらに、測定具に結合されたプロセッサを
備えることもできる。プロセッサは、検出された光から試料の少なくとも第１の特性と第
２の特性を判別するように構成することができる。
【００５８】
一実施態様では、第１の特性に、試料のオーバーレイ・ミスレジストレーションを含め
ることができる。第２の特性は試料の平坦さ測定結果を含むことができる。さらに、プロ
セッサは、１つまたは複数の出力信号から試料の他の特性を判別するように構成すること
ができる。一実施態様では測定具は、非結像スキャタロメータ、スキャタロメータ、分光
スキャタロメータ、反射率計、分光反射率計、分光偏光解析器、ビーム・プロフィル偏光
解析器、明視野撮像デバイス、暗視野撮像デバイス、明視野暗視野撮像デバイス、コヒー
レンス・プローブ顕微鏡、干渉顕微鏡、干渉計、光学プロフィルメータ、二重ビーム分光
光度計、またはそれらの任意の組み合わせを備えることができる。このようにして、測定
具は単一の測定具としてまたは複数の測定具として機能するように構成することができる
。複数の測定具をシステムの単一の測定具に組み込むことができるため、例えば、第１の
測定具の光学要素はさらに第２の測定具の光学要素とすることもできる。
【００５９】
一実施態様では、プロセッサは測定具に結合されたローカル・プロセッサおよびローカ
ル・プロセッサに結合されたリモート・コントローラ・コンピュータを備えることができ
る。ローカル・プロセッサは、１つまたは複数の出力信号を少なくとも一部処理するよう
に構成することができる。リモート・コントローラ・コンピュータは、プロセッサから少
なくとも一部が処理された１つまたは複数の出力信号を受信するように構成することがで
きる。さらに、リモート・コントローラ・コンピュータは、少なくとも一部が処理された
１つまたは複数の出力信号から試料の少なくとも第１の特性と第２の特性を判別するよう
に構成することができる。さらに、リモート・コントローラ・コンピュータは、少なくと
も一部が処理された１つまたは複数の出力信号から試料の追加特性を判別するように構成
することができる。他の実施態様では、リモート・コントローラ・コンピュータを半導体
製造プロセス・ツールなどのプロセス・ツールに結合することができる。このようにして
、リモート・コントローラ・コンピュータはさらに、インサイチュー制御手法、フィード
バック制御手法、および／またはフィードフォワード制御手法を使用して試料の少なくと
も判別された第１または第２の特性に対してプロセス・ツールに結合された１つまたは複
数の計測器のパラメータを変更するように構成することができる。
【００６０】
他の実施態様は、試料の少なくとも２つの特性を判別する方法に関係する。方法は、ス
テージに試料を配置するステップを含むことができる。ステージを測定具に結合すること
ができる。測定具は、照明システムと検出システムを備えることができる。さらに、この
方法は、照明システムを使用してエネルギーを試料の表面に向けるステップも含むことが
できる。この方法はさらに、検出システムを使用して試料の表面から伝搬されるエネルギ
ーを検出するステップも含むことができる。この方法はさらに、検出されたエネルギーに
対して１つまたは複数の出力信号を生成するステップを含むこともできる。さらに、この
方法は、１つまたは複数の出力信号を処理して試料の少なくとも第１の特性と第２の特性
を判別するステップを含むことができる。
【００６１】
一実施態様では、第１の特性に、試料のオーバーレイ・ミスレジストレーションを含め
ることができる。第２の特性は試料の平坦さ測定結果を含むことができる。さらに、プロ
セッサは、１つまたは複数の出力信号から試料の他の特性を判別するように構成すること
ができる。他の実施態様では、半導体デバイスをこの方法で製造することができる。例え
ば、この方法は、半導体基板などの試料の上に半導体デバイスの一部を形成するステップ
も含むことができる。
【００６２】
一実施態様では、１つまたは複数の出力信号を処理して試料の少なくとも第１の特性と
第２の特性を判別するステップに、ローカル・プロセッサを使用して１つまたは複数の出
力信号を少なくとも一部処理するステップを含めることができる。ローカル・プロセッサ
を測定具に結合することができる。１つまたは複数の出力信号を処理するステップがさら
に、ローカル・プロセッサからの一部処理された１つまたは複数の出力信号をリモート・
コントローラ・コンピュータに送信するステップを含むこともできる。さらに、１つまた
は複数の出力信号を処理するステップは、リモート・コントローラ・コンピュータを使用
して一部処理された１つまたは複数の出力信号をさらに処理するステップを含むことがで
きる。他の実施態様では、リモート・コントローラ・コンピュータを半導体製造プロセス
・ツールなどのプロセス・ツールに結合することができる。このようにして、この方法は
試料の少なくとも判別された第１または第２の特性に対してリモート・コントローラ・コ
ンピュータを使用してプロセス・ツールに結合された１つまたは複数の計測器のパラメー
タを変更するステップを含むことができる。計測器のパラメータを変更するステップは、
インサイチュー制御手法、フィードバック制御手法、および／またはフィードフォワード
制御手法を使用するステップを含むことができる。
【００６３】
他の実施態様は、試料の少なくとも２つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることもできる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性と第２
の特性を判別するステップを含むことができる。例えば、第１の特性に、試料のオーバー
レイ・ミスレジストレーションを含めることができる。第２の特性は試料の平坦さ測定結
果を含むことができる。さらに、プロセッサは、１つまたは複数の出力信号から試料の他
の特性を判別するように構成することができる。
【００６４】
一実施態様は、試料の少なくとも２つの特性を判別するように構成されたシステムに関
係する。このシステムは、その試料を支持するように構成されたステージを含むことがで
きる。このシステムはさらに、そのステージに結合された測定具を備えることもできる。
測定具は、エネルギーを試料の表面に向けるように構成された照明システムを備えること
ができる。測定具は、さらに、照明システムに結合された検出システムを備えることもで
きる。検出システムは、試料の表面から伝搬されるエネルギーを検出するように構成する
ことができる。測定具はさらに、検出されたエネルギーに対して１つまたは複数の出力信
号を生成するように構成することもできる。このシステムはさらに、測定具に結合された
プロセッサを備えることもできる。プロセッサは、１つまたは複数の出力信号から試料の
少なくとも第１の特性と第２の特性を判別するように構成することができる。
【００６５】
一実施態様では、第１の特性は試料のイオン注入領域の特性を含むことができる。第２
の特性は試料の欠陥の有無を含むことができる。さらに、プロセッサは、１つまたは複数
の出力信号から試料の他の特性を判別するように構成することができる。一実施態様では
測定具は、変調光学反射率計、Ｘ線反射率デバイス、渦電流デバイス、写真音響デバイス
、分光偏光解析器、分光反射率計、二重ビーム分光光度計、非結像スキャタロメータ、ス
キャタロメータ、分光スキャタロメータ、反射率計、偏光解析器、非結像明視野デバイス
、非結像暗視野デバイス、非結像明視野暗視野デバイス、明視野撮像デバイス、暗視野撮
像デバイス、明視野暗視野撮像デバイス、またはそれらの任意の組み合わせを備えること
ができる。このようにして、測定具は単一の測定具としてまたは複数の測定具として機能
するように構成することができる。複数の測定具をシステムの単一の測定具に組み込むこ
とができるため、例えば、第１の測定具の光学要素はさらに第２の測定具の光学要素とす
ることもできる。
【００６６】
一実施態様では、プロセッサは測定具に結合されたローカル・プロセッサおよびローカ
ル・プロセッサに結合されたリモート・コントローラ・コンピュータを備えることができ
る。ローカル・プロセッサは、１つまたは複数の出力信号を少なくとも一部処理するよう
に構成することができる。リモート・コントローラ・コンピュータは、プロセッサから少
なくとも一部が処理された１つまたは複数の出力信号を受信するように構成することがで
きる。さらに、リモート・コントローラ・コンピュータは、少なくとも一部は処理された
１つまたは複数の出力信号から試料の少なくとも第１の特性と第２の特性を判別するよう
に構成することができる。さらに、リモート・コントローラ・コンピュータは、少なくと
も一部が処理された１つまたは複数の出力信号から試料の追加特性を判別するように構成
することができる。他の実施態様では、リモート・コントローラ・コンピュータを半導体
製造プロセス・ツールなどのプロセス・ツールに結合することができる。このようにして
、リモート・コントローラ・コンピュータはさらに、インサイチュー制御手法、フィード
バック制御手法、および／またはフィードフォワード制御手法を使用して試料の少なくと
も判別された第１または第２の特性に対してプロセス・ツールに結合された１つまたは複
数の計測器のパラメータを変更するように構成することができる。
【００６７】
他の実施態様は、試料の少なくとも２つの特性を判別する方法に関係する。方法は、ス
テージに試料を配置するステップを含むことができる。ステージを測定具に結合すること
ができる。測定具は、照明システムと検出システムを備えることができる。さらに、この
方法は、照明システムを使用してエネルギーを試料の表面に向けるステップも含むことが
できる。この方法はさらに、検出システムを使用して試料の表面から伝搬されるエネルギ
ーを検出するステップも含むことができる。この方法はさらに、検出されたエネルギーに
対して１つまたは複数の出力信号を生成するステップを含むことができる。さらに、この
方法は、１つまたは複数の出力信号を処理して試料の少なくとも第１の特性と第２の特性
を判別するステップを含むことができる。
【００６８】
一実施態様では、第１の特性は試料のイオン注入領域の特性を含むことができる。第２
の特性は試料の欠陥の有無を含むことができる。さらに、プロセッサは、１つまたは複数
の出力信号から試料の他の特性を判別するように構成することができる。他の実施態様で
は、半導体デバイスをこの方法で製造することができる。例えば、この方法は、半導体基
板などの試料の上に半導体デバイスの一部を形成するステップも含むことができる。
【００６９】
一実施態様では、１つまたは複数の出力信号を処理して試料の少なくとも第１の特性と
第２の特性を判別するステップに、ローカル・プロセッサを使用して１つまたは複数の出
力信号を少なくとも一部処理するステップを含めることができる。ローカル・プロセッサ
を測定具に結合することができる。１つまたは複数の出力信号を処理するステップがさら
に、ローカル・プロセッサからの一部処理された１つまたは複数の出力信号をリモート・
コントローラ・コンピュータに送信するステップを含むことができる。さらに、１つまた
は複数の出力信号を処理するステップは、リモート・コントローラ・コンピュータを使用
して一部処理された１つまたは複数の出力信号をさらに処理するステップを含むことがで
きる。他の実施態様では、リモート・コントローラ・コンピュータを半導体製造プロセス
・ツールなどのプロセス・ツールに結合することができる。このようにして、この方法は
試料の少なくとも判別された第１または第２の特性に対してリモート・コントローラ・コ
ンピュータを使用して半導体製造プロセス・ツールに結合された１つまたは複数の計測器
のパラメータを変更するステップを含むことができる。計測器のパラメータを変更するス
テップは、インサイチュー制御手法、フィードバック制御手法、および／またはフィード
フォワード制御手法を使用するステップを含むことができる。
【００７０】
他の実施態様は、試料の少なくとも２つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることができる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性と第２
の特性を判別するステップを含むことができる。例えば、第１の特性は試料のイオン注入
領域の特性を含むことができる。第２の特性は試料の欠陥の有無を含むことができる。さ
らに、プロセッサは、１つまたは複数の出力信号から試料の他の特性を判別するように構
成することができる。
【００７１】
一実施態様は、試料の少なくとも２つの特性を判別するように構成されたシステムに関
係する。このシステムは、その試料を支持するように構成されたステージを含むことがで
きる。このシステムはさらに、そのステージに結合された測定具を備えることもできる。
測定具は、エネルギーを試料の表面に向けるように構成された照明システムを備えること
ができる。測定具は、さらに、照明システムに結合された検出システムを備えることもで
きる。検出システムは、試料の表面から伝搬されるエネルギーを検出するように構成する
ことができる。測定具は、検出された光に対して１つまたは複数の出力信号を生成するよ
うに構成することができる。このシステムはさらに、測定具に結合されたプロセッサを備
えることもできる。プロセッサは、１つまたは複数の出力信号から試料の少なくとも第１
の特性と第２の特性を判別するように構成することができる。
【００７２】
一実施態様では、第１の特性は試料の粘着特性を含むことができる。第２の特性には、
試料の厚さを含めることができる。さらに、プロセッサは、１つまたは複数の出力信号か
ら試料の他の特性を判別するように構成することができる。一実施態様では、測定具は、
渦電流デバイス、写真音響デバイス、分光偏光解析器、偏光解析器、Ｘ線反射率計、グレ
ージングＸ線反射率計、Ｘ線回折計、またはその組み合わせを備えることができる。この
ようにして、測定具は単一の測定具としてまたは複数の測定具として機能するように構成
することができる。複数の測定具をシステムの単一の測定具に組み込むことができるため
、例えば、第１の測定具の光学要素はさらに第２の測定具の光学要素とすることもできる
。
【００７３】
一実施態様では、プロセッサは測定具に結合されたローカル・プロセッサおよびローカ
ル・プロセッサに結合されたリモート・コントローラ・コンピュータを備えることができ
る。ローカル・プロセッサは、少なくとも一部は、１つまたは複数の出力信号を処理する
ように構成することができる。リモート・コントローラ・コンピュータは、ローカル・プ
ロセッサから少なくとも一部が処理された１つまたは複数の出力信号を受信するように構
成することができる。さらに、リモート・コントローラ・コンピュータは、少なくとも一
部が処理された１つまたは複数の出力信号から試料の少なくとも第１の特性と第２の特性
を判別するように構成することができる。さらに、リモート・コントローラ・コンピュー
タは、少なくとも一部が処理された１つまたは複数の出力信号から試料の追加特性を判別
するように構成することができる。他の実施態様では、リモート・コントローラ・コンピ
ュータを半導体製造プロセス・ツールなどのプロセス・ツールに結合することができる。
このようにして、リモート・コントローラ・コンピュータはさらに、インサイチュー制御
手法、フィードバック制御手法、および／またはフィードフォワード制御手法を使用して
試料の少なくとも判別された第１または第２の特性に対して半導体製造プロセス・ツール
に結合された１つまたは複数の計測器のパラメータを変更するように構成することができ
る。
【００７４】
他の実施態様は、試料の少なくとも２つの特性を判別する方法に関係する。方法は、ス
テージに試料を配置するステップを含むことができる。ステージを測定具に結合すること
ができる。測定具は、照明システムと検出システムを備えることもできる。さらに、この
方法は、照明システムを使用してエネルギーを試料の表面に向けるステップも含むことが
できる。この方法はさらに、検出システムを使用して試料の表面から伝搬されるエネルギ
ーを検出するステップも含むことができる。この方法はさらに、検出されたエネルギーに
対して１つまたは複数の出力信号を生成するステップを含むことができる。さらに、この
方法は、１つまたは複数の出力信号を処理して試料の少なくとも第１の特性と第２の特性
を判別するステップを含むことができる。
【００７５】
一実施態様では、第１の特性は試料の粘着特性を含むことができる。第２の特性には、
試料の厚さを含めることができる。さらに、プロセッサは、１つまたは複数の出力信号か
ら試料の他の特性を判別するように構成することができる。他の実施態様では、半導体デ
バイスをこの方法で製造することができる。例えば、この方法は、半導体基板などの試料
の上に半導体デバイスの一部を形成するステップを含むことができる。
【００７６】
一実施態様では、１つまたは複数の出力信号を処理して試料の少なくとも第１の特性と
第２の特性を判別するステップに、ローカル・プロセッサを使用して１つまたは複数の出
力信号を少なくとも一部は処理するステップを含めることができる。ローカル・プロセッ
サを測定具に結合することができる。１つまたは複数の出力信号を処理するステップがさ
らに、ローカル・プロセッサからの一部処理された１つまたは複数の出力信号をリモート
・コントローラ・コンピュータに送信するステップを含むこともできる。さらに、１つま
たは複数の出力信号を処理するステップは、リモート・コントローラ・コンピュータを使
用して一部処理された１つまたは複数の出力信号をさらに処理するステップを含むことが
できる。他の実施態様では、リモート・コントローラ・コンピュータを半導体製造プロセ
ス・ツールなどのプロセス・ツールに結合することができる。このようにして、この方法
は試料の少なくとも判別された第１または第２の特性に対してリモート・コントローラ・
コンピュータを使用してプロセス・ツールに結合された１つまたは複数の計測器のパラメ
ータを変更するステップを含むことができる。計測器のパラメータを変更するステップは
、インサイチュー制御手法、フィードバック制御手法、および／またはフィードフォワー
ド制御手法を使用するステップを含むことができる。
【００７７】
他の実施態様は、試料の少なくとも２つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることができる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性と第２
の特性を判別するステップを含むことができる。例えば、第１の特性は試料の粘着特性を
含むことができる。第２の特性には、試料の厚さを含めることができる。さらに、プロセ
ッサは、１つまたは複数の出力信号から試料の他の特性を判別するように構成することが
できる。
【００７８】
一実施態様は、試料の少なくとも２つの特性を判別するように構成されたシステムに関
係する。このシステムは、その試料を支持するように構成されたステージを含むことがで
きる。このシステムはさらに、そのステージに結合された測定具を備えることもできる。
測定具は、エネルギーを試料の表面に向けるように構成された照明システムを備えること
ができる。測定具は、さらに、照明システムに結合された検出システムを備えることもで
きる。検出システムは、試料の表面から伝搬されるエネルギーを検出するように構成する
ことができる。測定具はさらに、検出されたエネルギーに対して１つまたは複数の出力信
号を生成するように構成することができる。このシステムはさらに、測定具に結合された
プロセッサを備えることもできる。プロセスは、１つまたは複数の出力信号から試料の少
なくとも第１の特性と第２の特性を判別するように構成することができる。
【００７９】
一実施態様では、第１の特性は試料内の元素の濃度を含むことができる。第２の特性に
は、試料の厚さを含めることができる。さらに、プロセッサは、１つまたは複数の出力信
号から試料の他の特性を判別するように構成することができる。一実施態様では、測定具
は、写真音響デバイス、Ｘ線反射率計、グレージングＸ線反射率計、Ｘ線回折計、渦電流
デバイス、分光偏光解析器、偏光解析器、またはその組み合わせを備えることができる。
このようにして、測定具は単一の測定具としてまたは複数の測定具として機能するように
構成することができる。複数の測定具をシステムの単一の測定具に組み込むことができる
ため、例えば、第１の測定具の光学要素はさらに第２の測定具の光学要素とすることもで
きる。
【００８０】
一実施態様では、プロセッサは測定具に結合されたローカル・プロセッサおよびローカ
ル・プロセッサに結合されたリモート・コントローラ・コンピュータを備えることができ
る。ローカル・プロセッサは、１つまたは複数の出力信号を少なくとも一部処理するよう
に構成することができる。リモート・コントローラ・コンピュータは、プロセッサから少
なくとも一部が処理された１つまたは複数の出力信号を受信するように構成することがで
きる。さらに、リモート・コントローラ・コンピュータは、少なくとも一部が処理された
１つまたは複数の出力信号から試料の少なくとも第１の特性と第２の特性を判別するよう
に構成することができる。さらに、リモート・コントローラ・コンピュータは、少なくと
も一部が処理された１つまたは複数の出力信号から試料の追加特性を判別するように構成
することができる。他の実施態様では、リモート・コントローラ・コンピュータを半導体
製造プロセス・ツールなどのプロセス・ツールに結合することができる。このようにして
、リモート・コントローラ・コンピュータはさらに、インサイチュー制御手法、フィード
バック制御手法、および／またはフィードフォワード制御手法を使用して試料の少なくと
も判別された第１または第２の特性に対してプロセス・ツールに結合された１つまたは複
数の計測器のパラメータを変更するように構成することができる。
【００８１】
他の実施態様は、試料の少なくとも２つの特性を判別する方法に関係する。この方法は
、ステージに試料を配置するステップを含むことができる。ステージを測定具に結合する
ことができる。測定具は、照明システムと検出システムを備えることもできる。さらに、
この方法は、照明システムを使用してエネルギーを試料の表面に向けるステップも含むこ
とができる。この方法はさらに、検出システムを使用して試料の表面から伝搬されるエネ
ルギーを検出するステップも含むことができる。この方法はさらに、検出されたエネルギ
ーに対して１つまたは複数の出力信号を生成するステップを含むこともできる。さらに、
この方法は、１つまたは複数の出力信号を処理して試料の少なくとも第１の特性と第２の
特性を判別するステップを含むことができる。
【００８２】
一実施態様では、第１の特性は試料内の元素の濃度を含むことができる。第２の特性に
は、試料の厚さを含めることができる。さらに、プロセッサは、１つまたは複数の出力信
号から試料の他の特性を判別するように構成することができる。他の実施態様では、半導
体デバイスをこの方法で製造することができる。例えば、この方法は、半導体基板などの
試料の上に半導体デバイスの一部を形成するステップを含むことができる。
【００８３】
一実施態様では、１つまたは複数の出力信号を処理して試料の少なくとも第１の特性と
第２の特性を判別するステップに、ローカル・プロセッサを使用して１つまたは複数の出
力信号を少なくとも一部処理するステップを含めることができる。ローカル・プロセッサ
を測定具に結合することができる。１つまたは複数の出力信号を処理するステップがさら
に、ローカル・プロセッサからの一部処理された１つまたは複数の出力信号をリモート・
コントローラ・コンピュータに送信するステップを含むこともできる。さらに、１つまた
は複数の出力信号を処理するステップは、リモート・コントローラ・コンピュータを使用
して一部処理された１つまたは複数の出力信号をさらに処理するステップを含むことがで
きる。他の実施態様では、リモート・コントローラ・コンピュータを半導体製造プロセス
・ツールなどのプロセス・ツールに結合することができる。このようにして、この方法は
試料の少なくとも判別された第１または第２の特性に対してリモート・コントローラ・コ
ンピュータを使用してプロセス・ツールに結合された１つまたは複数の計測器のパラメー
タを変更するステップを含むことができる。計測器のパラメータを変更するステップは、
インサイチュー制御手法、フィードバック制御手法、および／またはフィードフォワード
制御手法を使用するステップを含むことができる。
【００８４】
他の実施態様は、試料の少なくとも２つの特性を判別するように構成されたシステムを
制御するコンピュータ実装方法に関係する。このシステムは測定具を備えることができる
。このようにして、システムを制御するステップは、測定具を制御するステップを含むこ
とができる。さらに、測定具は、照明システムと検出システムを備えることもできる。測
定具はステージに結合することができる。測定具を制御するステップは、照明システムを
制御してエネルギーを試料の表面に向けるステップを含むことができる。さらに、測定具
を制御するステップは、検出システムを制御して試料の表面から伝搬するエネルギーを検
出するステップを含むことができる。この方法はさらに、検出されたエネルギーに対して
１つまたは複数の出力信号を生成するステップを含むこともできる。コンピュータ実装方
法は、さらに、１つまたは複数の出力信号を処理して試料の少なくとも第１の特性と第２
の特性を判別するステップを含むことができる。例えば、第１の特性は試料内の元素の濃
度を含むことができる。第２の特性には、試料の厚さを含めることができる。さらに、プ
ロセッサは、１つまたは複数の出力信号から試料の他の特性を判別するように構成するこ
とができる。
【００８５】
一実施態様は、堆積ツールに結合されたシステムに関係する。堆積ツールは、試料の上
に材料の層を形成するように構成することができる。材料の層を試料の上に形成するには
堆積ツールを使用する。測定具は、この層を形成する前、形成している間、または形成し
た後、材料の層の特性を判別するように構成することができる。このシステムは、その試
料を支持するように構成されたステージを含むことができる。測定具は、層を形成する前
、形成している間、または形成した後、エネルギーを試料の表面に向けるように構成され
た照明システムを備えることができる。測定具は、さらに、照明システムに結合された検
出システムを備えることもできる。検出システムは、層を形成する前、形成している間、
または形成した後、試料の表面から伝搬するエネルギーを検出するように構成することが
できる。測定具はさらに、検出されたエネルギーに対して１つまたは複数の出力信号を生
成するように構成することができる。このシステムはさらに、測定具に結合されたプロセ
ッサを備えることもできる。プロセッサは、１つまたは複数の出力信号から層の特性を判
別するように構成することができる。プロセッサはさらに、堆積ツールに結合することも
できる。プロセッサは、堆積ツールに結合された１つまたは複数の計測器のパラメータを
変更するように構成することができる。さらに、プロセッサは、形成された層の判別され
た特性に対して堆積ツールに結合された計測器のパラメータを変更するように構成するこ
とができる。
【００８６】
一実施態様では測定具は、非結像スキャタロメータ、スキャタロメータ、分光スキャタ
ロメータ、反射率計、分光反射率計、偏光解析器、分光偏光解析器、明視野撮像デバイス
、暗視野撮像デバイス、明視野暗視野撮像デバイス、コヒーレンス・プローブ顕微鏡、干
渉顕微鏡、光学プロフィルメータ、またはそれらの任意の組み合わせを備えることができ
る。このようにして、測定具は単一の測定具としてまたは複数の測定具として機能するよ
うに構成することができる。複数の測定具をシステムの単一の測定具に組み込むことがで
きるため、例えば、第１の測定具の光学要素はさらに第２の測定具の光学要素とすること
もできる。堆積ツールは、半導体基板の上に層を形成するように構成されたツールを備え
ることができる。堆積ツールは、化学堆積ツール、物理堆積ツール、原子層堆積ツール、
および電気メッキ・ツールを備えることができる。
【００８７】
一実施態様では、プロセッサは測定具および／または堆積ツールに結合されたローカル
・プロセッサおよびローカル・プロセッサに結合されたリモート・コントローラ・コンピ
ュータを備えることができる。ローカル・プロセッサは、１つまたは複数の出力信号を少
なくとも一部処理するように構成することができる。リモート・コントローラ・コンピュ
ータは、プロセッサから少なくとも一部が処理された１つまたは複数の出力信号を受信す
るように構成することができる。さらに、リモート・コントローラ・コンピュータは、少
なくとも一部が処理された１つまたは複数の出力信号から試料上に形成された層の特性を
判別するように構成することができる。さらに、リモート・コントローラ・コンピュータ
は、少なくとも一部が処理された１つまたは複数の出力信号から試料の追加特性を判別す
るように構成することができる。リモート・コントローラ・コンピュータはさらに、堆積
ツールに結合することもできる。このようにして、リモート・コントローラ・コンピュー
タはさらに、インサイチュー制御手法、フィードバック制御手法、および／またはフィー
ドフォワード制御手法を使用して試料上に形成された層の少なくとも判別された特性に対
して堆積ツールに結合された１つまたは複数の計測器のパラメータを変更するように構成
することができる。
【００８８】
他の実施態様は、試料上に形成された層の特性を評価する方法に関係する。この方法は
、堆積ツールを使用して試料上に層を堆積するステップを含むことができる。測定具は、
照明システムと検出システムを備えることもできる。さらに、この方法は、照明システム
を使用してエネルギーを試料の表面に向けるステップを含むことができる。この方法はさ
らに、検出システムを使用して試料の表面から伝搬されるエネルギーを検出するステップ
も含むことができる。この方法はさらに、検出された光に対して１つまたは複数の出力信
号を生成するステップを含むことができる。さらに、この方法は、１つまたは複数の出力
信号を処理して形成された層の特性を判別するステップを含むことができる。
【００８９】
一実施態様では、形成された層の特性を判別するようにプロセッサを構成することがで
きる。さらに、プロセッサは、１つまたは複数の出力信号から試料の他の特性を判別する
ように構成することができる。他の実施態様では、半導体デバイスをこの方法で製造する
ことができる。例えば、この方法は、半導体基板などの試料の上に半導体デバイスの一部
を形成するステップを含むことができる。
【００９０】
一実施態様では、１つまたは複数の出力信号を処理して形成された層の特性を判別する
ステップに、ローカル・プロセッサを使用して１つまたは複数の出力信号を少なくとも一
部処理するステップを含めることもできる。ローカル・プロセッサを測定具に結合するこ
とができる。１つまたは複数の出力信号を処理するステップがさらに、ローカル・プロセ
ッサからの一部処理された１つまたは複数の出力信号をリモート・コントローラ・コンピ
ュータに送信するステップを含むこともできる。さらに、１つまたは複数の出力信号を処
理するステップは、リモート・コントローラ・コンピュータを使用して一部処理された１
つまたは複数の出力信号をさらに処理するステップを含むことができる。他の実施態様で
は、リモート・コントローラ・コンピュータを堆積ツールに結合することができる。この
ようにして、この方法は試料上に形成された層の少なくとも判別された特性に対してリモ
ート・コントローラ・コンピュータを使用して堆積ツールに結合された１つまたは複数の
計測器のパラメータを変更するステップを含むことができる。堆積ツールのパラメータを
変更するステップは、インサイチュー制御手法、フィードバック制御手法、および／また
はフィードフォワード制御手法を使用するステップを含むことができる。
【００９１】
他の実施態様は、堆積ツールおよび測定具を備えるシステムを制御するコンピュータ実
装方法に関係する。システムを制御するステップは、測定具、堆積ツール、またはその両
方を制御するステップを含むことができる。さらに、測定具は、照明システムと検出シス
テムを備えることができる。測定具はステージに結合することもできる。測定具を制御す
るステップは、照明システムを制御してエネルギーを試料の表面に向けるステップを含む
ことができる。さらに、測定具を制御するステップは、検出システムを制御して試料の表
面から伝搬するエネルギーを検出するステップを含むことができる。この方法はさらに、
検出されたエネルギーに対して１つまたは複数の出力信号を生成するステップを含むこと
もできる。コンピュータ実装方法は、さらに、１つまたは複数の出力信号を処理して、少
なくとも層が形成されるときまたは形成された後の層の特性を判別するステップを含むこ
とができる。さらに、プロセッサは、１つまたは複数の出力信号から試料の他の特性を判
別するように構成することができる。
【００９２】
一実施態様は、ビーム・プロフィル偏光解析器に結合されたエッチング・ツールを備え
るシステムに関係する。エッチング・ツールは、化学反応および／またはイオン種が試料
に向かうように構成することができる。ビーム・プロフィル偏光解析器は、エッチングの
間または後に試料のエッチングされた領域の特性を判別するように構成することができる
。ビーム・プロフィル偏光解析器は、試料のエッチング中またはエッチング後に極性が知
られている光の入射ビームが試料の表面に向かうように構成された照明システムを備える
ことができる。測定具は、さらに、照明システムに結合された検出システムを備えること
もできる。検出システムは、試料のエッチング中またはエッチング後に試料から戻る光を
表す１つまたは複数の出力信号を発生するように構成することができる。このシステムは
さらに、測定具に結合されたプロセッサを備えることもできる。プロセッサは、１つまた
は複数の出力信号から試料のエッチングされた領域の特性を判別するように構成すること
ができる。プロセッサはさらに、エッチング・ツールに結合することもできる。プロセッ
サは、エッチング・ツールに結合された１つまたは複数の計測器のパラメータを変更する
ことができる。さらに、プロセッサは、エッチングされた層の特性に対してエッチング・
ツールに結合された計測器のパラメータを変更するように構成することができる。
【００９３】
一実施態様ではシステムは、非結像スキャタロメータ、スキャタロメータ、分光スキャ
タロメータ、反射率計、分光反射率計、偏光解析器、分光偏光解析器、明視野および／ま
たは暗視野撮像デバイス、明視野および／または暗視野非結像デバイス、コヒーレンス・
プローブ顕微鏡、干渉顕微鏡、またはそれらの任意の組み合わせを備えることができる。
このようにして、システムは単一の測定具としてまたは複数の測定具として機能するよう
に構成することができる。複数の測定具をシステムの単一の測定具に組み込むことができ
るため、例えば、第１の測定具の光学要素はさらに第２の測定具の光学要素とすることも
できる。
【００９４】
一実施態様では、プロセッサはビーム・プロフィル偏光解析器および／またはエッチン
グ・ツールに結合されたローカル・プロセッサおよびローカル・プロセッサに結合された
リモート・コントローラ・コンピュータを備えることができる。ローカル・プロセッサは
、１つまたは複数の出力信号を少なくとも一部処理するように構成することができる。リ
モート・コントローラ・コンピュータは、プロセッサから少なくとも一部が処理された１
つまたは複数の出力信号を受信するように構成することができる。さらに、リモート・コ
ントローラ・コンピュータは、少なくとも一部が処理された１つまたは複数の出力信号か
ら試料上のエッチングされた領域の特性を判別するように構成することができる。さらに
、リモート・コントローラ・コンピュータは、少なくとも一部が処理された１つまたは複
数の出力信号から試料の追加特性を判別するように構成することができる。リモート・コ
ントローラ・コンピュータはさらに、エッチング・ツールに結合することもできる。この
ようにして、リモート・コントローラ・コンピュータはさらに、インサイチュー制御手法
、フィードバック制御手法、および／またはフィードフォワード制御手法を使用して試料
のエッチングされた領域の少なくとも判別された特性に対してエッチング・ツールに結合
された１つまたは複数の計測器のパラメータを変更するように構成することができる。
【００９５】
他の実施態様は、ビーム・プロフィル偏光解析器で試料のエッチングされた領域を評価
する方法に関係する。この方法は、エッチング・ツールを使用して試料上の層をエッチン
グするステップを含むことができる。ビーム・プロフィル偏光解析器は、照明システムと
検出システムを備えることもできる。さらに、この方法は、照明システムを使用して光を
試料の表面に向けるステップも含むことができる。この方法はさらに、検出システムを使
用して試料の表面から伝搬される光を検出するステップも含むことができる。この方法は
さらに、検出された光に対して１つまたは複数の出力信号を生成するステップを含むこと
ができる。さらに、この方法は、１つまたは複数の出力信号を処理して試料のエッチング
された領域の特性を判別するステップを含むことができる。さらに、この方法は、１つま
たは複数の出力信号を処理して、１つまたは複数の出力信号から試料の他の特性を判別す
るステップを含むことができる。他の実施態様では、半導体デバイスをこの方法で製造す
ることができる。例えば、この方法は、半導体基板などの試料の上に半導体デバイスの一
部を形成するステップを含むことができる。
【００９６】
一実施態様では、１つまたは複数の出力信号を処理して試料のエッチングされた領域の
特性を判別するステップに、ローカル・プロセッサを使用して１つまたは複数の出力信号
を少なくとも一部処理するステップを含めることができる。ローカル・プロセッサをビー
ム・プロフィル偏光解析器に結合することができる。１つまたは複数の出力信号を処理す
るステップがさらに、ローカル・プロセッサからの一部処理された１つまたは複数の出力
信号をリモート・コントローラ・コンピュータに送信するステップを含むこともできる。
さらに、１つまたは複数の出力信号を処理するステップは、リモート・コントローラ・コ
ンピュータを使用して一部処理された１つまたは複数の出力信号をさらに処理するステッ
プを含むことができる。他の実施態様では、リモート・コントローラ・コンピュータをエ
ッチング・ツールに結合することができる。このようにして、この方法は試料上に形成さ
れた層の少なくとも判別された特性に対してリモート・コントローラ・コンピュータを使
用してエッチング・ツールに結合された１つまたは複数の計測器のパラメータを変更する
ステップを含むことができる。エッチング・ツールのパラメータを変更するステップは、
インサイチュー制御手法、フィードバック制御手法、および／またはフィードフォワード
制御手法を使用するステップを含むことができる。
【００９７】
他の実施態様は、エッチング・ツールおよびビーム・プロフィル偏光解析器を備えるシ
ステムを制御するコンピュータ実装方法に関係する。システムを制御するステップは、ビ
ーム・プロフィル偏光解析器、エッチング・ツール、またはその両方を制御するステップ
を含むことができる。さらに、ビーム・プロフィル偏光解析器は、照明システムと検出シ
ステムを備えることができる。ビーム・プロフィル偏光解析器は、ステージに結合するこ
ともできる。ビーム・プロフィル偏光解析器を制御するステップは、照明システムを制御
して光を試料の表面に向けるステップを含むことができる。さらに、ビーム・プロフィル
偏光解析器を制御するステップは、検出システムを制御して試料の表面からの光を検出す
るステップを含むことができる。この方法はさらに、検出された光に対して１つまたは複
数の出力信号を生成するステップを含むこともできる。コンピュータ実装方法は、さらに
、１つまたは複数の出力信号を処理して、エッチング中、領域のエッチング後、またはそ
の両方で、試料のエッチングされた領域の少なくとも１つの特性を判別するステップを含
むことができる。さらに、プロセッサは、１つまたは複数の出力信号から試料の他の特性
を判別するように構成することができる。
【００９８】
一実施態様は、測定具に結合されたイオン注入器を備えるシステムに関係する。測定具
は、少なくとも試料のイオン注入領域の特性判別するように構成することができる。測定
具は、この試料のイオン注入中または注入後、試料のイオン注入領域の特性を判別するよ
うに構成することができる。このシステムは、その試料を支持するように構成されたステ
ージを含むことができる。測定具は、イオン注入中またはイオン注入後、２筋またはそれ
以上の光線を定期的に試料の表面に向けるように構成された照明システムを備えることが
できる。一実施態様では、測定具は、イオン注入中、入射光線を試料に向けることにより
試料のある領域を定期的に励起することができる。さらに、測定具は、サンプル光線を試
料の励起された表面に向けることができる。測定具は、さらに、照明システムに結合され
た検出システムを備えることもできる。検出システムは、試料の励起された領域から反射
されたサンプル・ビームの強度を測定するように構成することができる。測定具はさらに
、測定された強度に対して１つまたは複数の出力信号を生成するように構成することもで
きる。
【００９９】
このシステムはさらに、測定具に結合されたプロセッサを備えることもできる。プロセ
ッサは、１つまたは複数の出力信号からイオン注入領域の特性を判別するように構成する
ことができる。プロセッサはさらに、イオン注入器に結合することもできる。プロセッサ
は、イオン注入器に結合された１つまたは複数の計測器に結合されたパラメータを変更す
るように構成することができる。さらに、プロセッサは、イオン注入領域の判別された特
性に対してイオン注入器に結合された１つまたは複数の計測器のパラメータを変更するよ
うに構成することができる。
【０１００】
一実施態様では、測定具は、非結像スキャタロメータ、スキャタロメータ、分光スキャ
タロメータ、反射率計、分光反射率計、明視野および／または暗視野撮像デバイス、明視
野および／または暗視野非結像デバイス、コヒーレンス・プローブ顕微鏡、干渉顕微鏡、
光学プロフィルメータ、変調光学反射率計、またはそれらの任意の組み合わせを備えるこ
とができる。このようにして、測定具は単一の測定具としてまたは複数の測定具として機
能するように構成することができる。複数の測定具をシステムの単一の測定具に組み込む
ことができるため、例えば、第１の測定具の光学要素はさらに第２の測定具の光学要素と
することもできる。
【０１０１】
一実施態様では、プロセッサは測定具および／またはイオン注入器に結合されたローカ
ル・プロセッサおよびローカル・プロセッサに結合されたリモート・コントローラ・コン
ピュータを備えることができる。ローカル・プロセッサは、１つまたは複数の出力信号を
少なくとも一部処理するように構成することができる。リモート・コントローラ・コンピ
ュータは、プロセッサから少なくとも一部が処理された１つまたは複数の出力信号を受信
するように構成することができる。さらに、リモート・コントローラ・コンピュータは、
少なくとも一部が処理された１つまたは複数の出力信号から試料のイオン注入領域の特性
を判別するように構成することができる。さらに、リモート・コントローラ・コンピュー
タは、少なくとも一部が処理された１つまたは複数の出力信号から試料の追加特性を判別
するように構成することができる。リモート・コントローラ・コンピュータはさらに、イ
オン注入器に結合することもできる。このようにして、リモート・コントローラ・コンピ
ュータはさらに、インサイチュー制御手法、フィードバック制御手法、および／またはフ
ィードフォワード制御手法を使用して試料のイオン注入領域の少なくとも判別された特性
に対してイオン注入器に結合された１つまたは複数の計測器のパラメータを変更するよう
に構成することができる。
【０１０２】
他の実施態様は、試料のイオン注入領域を評価する方法に関係する。この方法は、イオ
ン注入器を使用して試料の領域にイオンを注入するステップを含むことができる。測定具
は、照明システムと検出システムを備えることができる。さらに、この方法は、イオン注
入中またはイオン注入後、入射光線を試料のある領域に向けることにより試料のその領域
を定期的に励起するステップを含むことができる。サンプル・ビームはさらに、試料の励
起された領域に向けることもできる。この方法はさらに、検出システムを使用して試料の
励起された領域から伝搬する光の強度を測定するステップも含むことができる。この方法
はさらに、測定された強度に対して１つまたは複数の出力信号を生成するステップを含む
ことができる。さらに、この方法は、１つまたは複数の出力信号を処理してイオン注入さ
れた領域の特性を判別するステップを含むことができる。さらに、この方法は、１つまた
は複数の出力信号を処理して、１つまたは複数の出力信号から試料の他の特性を判別する
ステップを含むことができる。他の実施態様では、半導体デバイスをこの方法で製造する
ことができる。例えば、この方法は、半導体基板などの試料の上に半導体デバイスの一部
を形成するステップを含むことができる。
【０１０３】
一実施態様では、１つまたは複数の出力信号を処理してイオン注入領域の特性を判別す
るステップに、ローカル・プロセッサを使用して１つまたは複数の出力信号を少なくとも
一部処理するステップを含めることができる。ローカル・プロセッサを測定具に結合する
ことができる。１つまたは複数の出力信号を処理するステップがさらに、ローカル・プロ
セッサからの一部処理された１つまたは複数の出力信号をリモート・コントローラ・コン
ピュータに送信するステップを含むことができる。さらに、１つまたは複数の出力信号を
処理するステップは、リモート・コントローラ・コンピュータを使用して一部処理された
１つまたは複数の出力信号をさらに処理するステップを含むことができる。他の実施態様
では、リモート・コントローラ・コンピュータをイオン注入器に結合することができる。
このようにして、この方法は、試料のイオン注入領域の少なくとも判別された特性に対し
てリモート・コントローラ・コンピュータを使用してイオン注入器に結合された１つまた
は複数の計測器のパラメータを変更するステップを含むことができる。イオン注入器のパ
ラメータを変更するステップは、インサイチュー制御手法、フィードバック制御手法、お
よび／またはフィードフォワード制御手法を使用するステップを含むことができる。
【０１０４】
他の実施態様は、イオン注入器および測定具を備えるシステムを制御するコンピュータ
実装方法に関係する。システムを制御するステップは、測定具、イオン注入器、またはそ
の両方を制御するステップを含むことができる。さらに、測定具は、照明システムと検出
システムを備えることもできる。測定具はステージに結合することができる。測定具を制
御するステップは、照明システムを制御して光を試料の表面に向けるステップを含むこと
ができる。さらに、測定具を制御するステップは、検出システムを制御して試料の表面か
らの光を検出するステップを含むことができる。この方法はさらに、検出された光に対し
て１つまたは複数の出力信号を生成するステップを含むこともできる。コンピュータ実装
方法は、さらに、１つまたは複数の出力信号を処理して少なくとも試料のイオン注入領域
の特性を判別するステップを含むことができる。さらに、この方法は、１つまたは複数の
出力信号から試料の他の特性を判別するステップを含むことができる。
【０１０５】
一実施態様は、測定具に結合されたプロセス・チャンバを備えるシステムに関係する。
プロセス・チャンバは、試料の上に半導体デバイスの一部を製造するように構成すること
ができる。測定具は、試料の上の欠陥の有無を判別するように構成することができる。測
定具は、試料上に半導体デバイスの一部を製造する前、製造している間、または製造した
後、試料の欠陥の有無を判別するように構成することができる。一実施態様では、測定具
は微小欠陥を検出するように構成できる。このシステムは、その試料を支持するように構
成されたステージを含む。ステージは、回転するように構成することができる。
【０１０６】
測定具は、製造前、製造中、または製造した後、エネルギーを試料の表面に向けるよう
に構成された照明システムを備えることができる。さらに、測定具は、ステージが静止し
ている間またはステージが回転している間に試料の表面にエネルギーを向けるように構成
することができる。測定具は、さらに、照明システムに結合された検出システムを備える
こともできる。検出システムは、試料の表面から伝搬されるエネルギーを検出するように
構成することができる。検出システムは、製造前、または製造中、または製造後にエネル
ギーを検出することができる。検出システムはさらに、ステージが静止または回転してい
る間にエネルギーを検出するように構成することができる。測定具はさらに、検出された
エネルギーに対して１つまたは複数の出力信号を生成するように構成することもできる。
【０１０７】
このシステムはさらに、測定具に結合されたプロセッサを備えることもできる。プロセ
ッサは、１つまたは複数の出力信号から試料の表面上の欠陥の有無を判別するように構成
することができる。プロセッサはさらに、プロセス・チャンバに結合することもできる。
プロセッサは、プロセス・チャンバに結合された１つまたは複数の計測器のパラメータを
制御することができる。さらに、プロセッサは、試料の表面上の微小欠陥の検出に対して
プロセス・チャンバに結合された１つまたは複数の計測器のパラメータを変更するように
構成することができる。
【０１０８】
一実施態様では、測定具は、非結像スキャタロメータ、スキャタロメータ、分光スキャ
タロメータ、反射率計、分光反射率計、偏光解析器、分光偏光解析器、明視野および／ま
たは暗視野撮像デバイス、明視野および／または暗視野非結像デバイス、コヒーレンス・
プローブ顕微鏡、干渉顕微鏡、光学プロフィルメータ、またはそれらの任意の組み合わせ
を備えることもできる。このようにして、測定具は単一の測定具としてまたは複数の測定
具として機能するように構成することができる。複数の測定具をシステムの単一の測定具
に組み込むことができるため、例えば、第１の測定具の光学要素はさらに第２の測定具の
光学要素とすることもできる。
【０１０９】
一実施態様では、プロセッサは測定具および／またはプロセス・チャンバに結合された
ローカル・プロセッサおよびローカル・プロセッサに結合されたリモート・コントローラ
・コンピュータを備えることができる。ローカル・プロセッサは、１つまたは複数の出力
信号を少なくとも一部処理するように構成することができる。リモート・コントローラ・
コンピュータは、ローカル・プロセッサから少なくとも一部が処理された１つまたは複数
の出力信号を受信するように構成することができる。さらに、リモート・コントローラ・
コンピュータは、少なくとも一部が処理された１つまたは複数の出力信号から試料の欠陥
の有無を判別するように構成することができる。さらに、リモート・コントローラ・コン
ピュータは、少なくとも一部が処理された１つまたは複数の出力信号から試料の追加特性
を判別するように構成することができる。リモート・コントローラ・コンピュータはさら
に、プロセス・チャンバに結合することもできる。このようにして、リモート・コントロ
ーラ・コンピュータはさらに、インサイチュー制御手法、フィードバック制御手法、およ
び／またはフィードフォワード制御手法を使用して試料の欠陥の有無が判別されたことに
対応してプロセス・チャンバに結合された１つまたは複数の計測器のパラメータを変更す
るように構成することができる。
【０１１０】
他の実施態様は、プロセス・ツールおよび測定具を備えるシステムを使用して試料の表
面上の欠陥の有無を評価する方法に関係する。この方法を使用して、試料の上の微小欠陥
の有無を検出することができる。この方法は、プロセス・ツールを使用して試料の上に半
導体デバイスの一部を製造するステップを含むことができる。測定具は、照明システムと
検出システムを備えることもできる。さらに、この方法は、エネルギーを試料の表面に向
けるステップも含む。この方法はさらに、検出システムを使用し、試料から伝搬するエネ
ルギーを検出するステップも含むことができる。この方法はさらに、検出されたエネルギ
ーへの応答として１つまたは複数の出力信号を生成するステップを含むこともできる。さ
らに、この方法は、１つまたは複数の出力信号を処理して、試料の上の欠陥の有無を判別
するステップを含むことができる。測定具は、処理前、または処理中、または処理後に欠
陥の有無を判別するように構成することができる。試料はさらに、ステージ上に配置する
こともできる。この方法は、ステージが静止している間またはステージが回転している間
に試料の上の欠陥の有無を判別するステップを含むことができる。
【０１１１】
さらに、この方法は、１つまたは複数の出力信号から試料の他の特性を判別するステッ
プを含むことができる。他の実施態様では、半導体デバイスをこの方法で製造することが
できる。例えば、この方法は、半導体基板などの試料の上に半導体デバイスの一部を形成
するステップも含むことができる。
【０１１２】
一実施態様では、１つまたは複数の出力信号を処理して試料の欠陥の有無を判別するス
テップに、ローカル・プロセッサを使用して１つまたは複数の出力信号を少なくとも一部
は処理するステップを含めることができる。ローカル・プロセッサを測定具に結合するこ
とができる。１つまたは複数の出力信号を処理するステップがさらに、ローカル・プロセ
ッサからの一部処理された１つまたは複数の出力信号をリモート・コントローラ・コンピ
ュータに送信するステップを含むこともできる。さらに、１つまたは複数の出力信号を処
理するステップは、リモート・コントローラ・コンピュータを使用して一部処理された１
つまたは複数の出力信号をさらに処理するステップを含むことができる。他の実施態様で
は、リモート・コントローラ・コンピュータをプロセス・ツールに結合することができる
。このようにして、この方法は、１つまたは複数の出力信号に対してリモート・コントロ
ーラ・コンピュータを使用しプロセス・ツールに結合された１つまたは複数の計測器のパ
ラメータを変更するステップを含むことができる。プロセス・ツールのパラメータを変更
するステップは、インサイチュー制御手法、フィードバック制御手法、および／またはフ
ィードフォワード制御手法を使用するステップを含むことができる。
【０１１３】
他の実施態様は、プロセス・ツールおよび測定具を備えるシステムを制御するコンピュ
ータ実装方法に関係する。システムを制御するステップは、測定具、プロセス・ツール、
またはその両方を制御するステップを含むことができる。さらに、測定具は、照明システ
ムと検出システムを備えることができる。測定具はステージに結合することができる。測
定具を制御するステップは、照明システムを制御してエネルギーを試料の表面に向けるス
テップを含むことができる。さらに、測定具を制御するステップは、検出システムを制御
して試料の表面から伝搬するエネルギーを検出するステップを含むことができる。この方
法はさらに、検出されたエネルギーに対して１つまたは複数の出力信号を生成するステッ
プを含むこともできる。コンピュータによって実装される方法はさらに、処理前、処理中
、または処理後、１つまたは複数の出力信号を処理して、試料の欠陥の有無を判別するス
テップを含むことができる。さらに、プロセッサは、１つまたは複数の出力信号から試料
の他の特性を判別するように構成することができる。
【０１１４】
一実施態様は、試料の複数の表面の上の欠陥の有無を判別するように構成できるシステ
ムに関係する。このシステムは、その試料を支持するように構成されたステージを含む。
このシステムはさらに、そのステージに結合された測定具を備えることもできる。ステー
ジは、移動するように構成することができる。測定具は、エネルギーを試料の表面と裏面
に向けるように構成された照明システムを備えることができる。照明システムは、ステー
ジが静止している間または移動している間に使用することができる。測定具は、さらに、
照明システムに結合された検出システムを備えることもできる。検出システムは、試料の
表面と裏面から複数の経路に沿って伝搬するエネルギーを検出するように構成することが
できる。このシステムはさらに、測定具に結合されたプロセッサを備えることもできる。
測定具はさらに、検出された光に対して１つまたは複数の出力信号を生成するように構成
することができる。プロセッサは、１つまたは複数の出力信号から試料の表面および裏面
の欠陥の有無を判別するように構成することができる。
【０１１５】
さらに、プロセッサは、１つまたは複数の出力信号から試料の他の特性を判別するよう
に構成することができる。一実施態様では、測定具は、非結像スキャタロメータ、スキャ
タロメータ、分光スキャタロメータ、反射率計、分光反射率計、偏光解析器、分光偏光解
析器、明視野および／または暗視野撮像デバイス、明視野および／または暗視野非結像デ
バイス、コヒーレンス・プローブ顕微鏡、干渉顕微鏡、光学プロフィルメータ、またはそ
れらの任意の組み合わせを備えることもできる。このようにして、測定具は単一の測定具
としてまたは複数の測定具として機能するように構成することができる。複数の測定具を
システムの単一の測定具に組み込むことができるため、例えば、第１の測定具の光学要素
はさらに第２の測定具の光学要素とすることもできる。
【０１１６】
一実施態様では、プロセッサは測定具に結合されたローカル・プロセッサおよびローカ
ル・プロセッサに結合されたリモート・コントローラ・コンピュータを備えることができ
る。ローカル・プロセッサは、１つまたは複数の出力信号を少なくとも一部処理するよう
に構成することができる。リモート・コントローラ・コンピュータは、プロセッサから少
なくとも一部処理された１つまたは複数の出力信号を受信するように構成することができ
る。さらに、リモート・コントローラ・コンピュータは、少なくとも一部が処理された１
つまたは複数の出力信号から試料の表面および裏面の欠陥の有無を判別するように構成す
ることができる。さらに、リモート・コントローラ・コンピュータは、少なくとも一部が
処理された１つまたは複数の出力信号から試料の追加特性を判別するように構成すること
ができる。他の実施態様では、リモート・コントローラ・コンピュータを半導体製造プロ
セス・ツールなどのプロセス・ツールに結合することができる。このようにして、リモー
ト・コントローラ・コンピュータはさらに、インサイチュー制御手法、フィードバック制
御手法、および／またはフィードフォワード制御手法を使用して試料の少なくとも判別さ
れた第１または第２の特性に対してプロセス・ツールに結合された１つまたは複数の計測
器のパラメータを変更するように構成することができる。
【０１１７】
他の実施態様は、試料の複数の表面の上の欠陥を判別する方法に関係する。この方法は
、ステージに試料を配置するステップを含むことができる。ステージを測定具に結合する
ことができる。測定具は、照明システムと検出システムを備えることができる。さらに、
この方法は、照明システムを使用してエネルギーを試料の表面および裏面に向けるステッ
プを含むことができる。この方法はさらに、検出システムを使用して、試料の表面と裏面
から複数の経路に沿って伝搬するエネルギーを検出するステップを含むこともできる。こ
の方法はさらに、検出されたエネルギーに対して１つまたは複数の出力信号を生成するス
テップを含むことができる。さらに、この方法は、１つまたは複数の出力信号を処理して
、試料の表面と裏面の欠陥の有無を判別するステップを含むことができる。
【０１１８】
さらに、プロセッサは、１つまたは複数の出力信号から試料の他の特性を判別するよう
に構成することができる。他の実施態様では、半導体デバイスをこの方法で製造すること
ができる。例えば、この方法は、半導体基板などの試料の上に半導体デバイスの一部を形
成するステップを含むことができる。
【０１１９】
一実施態様では、１つまたは複数の出力信号を処理して試料の複数の表面の欠陥の有無
を判別するステップに、ローカル・プロセッサを使用して１つまたは複数の出力信号を少
なくとも一部処理するステップを含めることができる。ローカル・プロセッサを測定具に
結合することができる。１つまたは複数の出力信号を処理するステップがさらに、ローカ
ル・プロセッサからの一部処理された１つまたは複数の出力信号をリモート・コントロー
ラ・コンピュータに送信するステップを含むこともできる。さらに、１つまたは複数の出
力信号を処理するステップは、リモート・コントローラ・コンピュータを使用して一部処
理された１つまたは複数の出力信号をさらに処理するステップを含むことができる。他の
実施態様では、リモート・コントローラ・コンピュータを半導体製造プロセス・ツールな
どのプロセス・ツールに結合することができる。このようにして、この方法は、試料の複
数の表面の欠陥の有無を判別した結果に対応してリモート・コントローラ・コンピュータ
を使用してプロセス・ツールに結合された１つまたは複数の計測器のパラメータを変更す
るステップを含むことができる。計測器のパラメータを変更するステップは、インサイチ
ュー制御手法、フィードバック制御手法、および／またはフィードフォワード制御手法を
使用するステップを含むことができる。
【０１２０】
他の実施態様は、試料の複数の表面の欠陥を判別するように構成されたシステムを制御
するコンピュータ実装方法に関係する。このシステムは測定具を備えることができる。こ
のようにして、システムを制御するステップは、測定具を制御するステップを含むことが
できる。さらに、測定具は、照明システムと検出システムを備えることができる。測定具
はステージに結合することもできる。測定具を制御するステップは、照明システムを制御
してエネルギーを試料の表面に向けるステップを含むことができる。さらに、測定具を制
御するステップは、検出システムを制御して試料の表面から伝搬するエネルギーを検出す
るステップを含むことができる。ステージは、移動するように構成することができる。こ
の方法はさらに、分析中に試料が移動するようにしてステージを制御するステップも含む
ことができる。この方法はさらに、検出されたエネルギーに対して１つまたは複数の出力
信号を生成するステップを含むことができる。コンピュータ実装方法は、さらに、１つま
たは複数の出力信号を処理して試料の複数の表面の欠陥の有無を判別するステップを含む
ことができる。
【０１２１】
一実施態様では、半導体デバイスの生産時に本明細書で説明しているようなシステムの
いずれかを使用することができる。半導体デバイスを形成するには、１つまたは複数の半
導体処理ステップを使用する。それぞれの処理ステップにおいて、試料に変更が加えられ
る場合がある。処理ステップの後、半導体デバイスの一部を試料の上に形成することがで
きる。処理ステップの実行前、実行中、または実行後に、試料の少なくとも２つの特性を
判別するように構成されたシステムの一ステージ上に試料を配置することができる。シス
テムは、上記の実施態様のいずれかにより構成することができる。
【０１２２】
第１および第２の特性が判別された後、それらの特性を使用して、半導体デバイスを形
成するそれ以降の処理ステップを決定することができる。例えば、このシステムを使用し
て、半導体プロセスが適切に実行されているかどうかを評価することができる。半導体プ
ロセスが適切に実行されていない場合、システムから得られたデータを使用して、試料を
さらに処理するかどうかを決定することができる。他の実施態様では、試料が正しく処理
されていないことが検出された場合、その試料を半導体プロセスから取り除く必要がある
ことがあることを示すことができる。上述のような複数の分析システムを使用して、半導
体デバイスの処理効率を高めることができる。そのためテストに要する時間を短縮できる
。さらに、複数のテストを使用することにより、適切に処理されたことが明らかな試料の
みを次の処理ステップに進めるようにできる。このようにして、半導体デバイスの歩留ま
りを高めることができる。
【０１２３】
本発明の他の目的および利点は、以下の詳細な説明を読み、添付図面を参照することで
明白になるであろう。
【０１２４】
本発明はさまざまな修正を加えることができ、また他の態様も可能であるが、特定の実
施態様を図面の例を用いて示しており、これらについて以下で詳述する。ただし、図面お
よび詳細な説明は本発明を開示されている特定の態様に制限する意図はなく、むしろその
反対に、付属の請求項によって定義されているように、発明は本発明の精神と範囲にある
すべての修正、等価物、および代替え物を対象とすることは理解されるであろう。
【図面の簡単な説明】
【０１２５】
【図１】試料の表面に複数のダイスおよび複数の欠陥がある試料の一実施形態の概略上面図である。
【図２ａ】使用中に回転移動させるように構成されているステージと使用中に直線移動させるように構成されている測定具の一実施形態の概略上面図である。
【図２ｂ】使用中に回転移動させるように構成されているステージと静止している測定具の一実施形態の概略上面図である。
【図３】１つの照明システムと１つの検出システムを備えるシステムの一実施形態の概略側面図である。
【図４】複数の照明システムと１つの検出システムを備えるシステムの一実施形態の概略側面図である。
【図５】複数の照明システムと複数の検出システムを備えるシステムの一実施形態の概略側面図である。
【図６】１つの照明システムと複数の検出システムを備えるシステムの一実施形態の概略側面図である。
【図７】１つの照明システムと複数の検出システムを備えるシステムの一実施形態の概略側面図である。
【図８】試料の一実施形態の概略側面図である。
【図９】複数の測定具を備えるシステムの一実施形態の概略上面図である。
【図１０】試料の限界寸法を判別するように構成されたシステムの一実施形態の概略側面図である。
【図１１ａ】試料の限界寸法を判別するように構成された測定具の一実施形態の概略側面図である。
【図１１ｂ】試料の限界寸法を判別するように構成された測定具の一部の一実施形態の概略側面図である。
【図１２】試料の複数の面の複数の特性を判別するように構成されたシステムの一実施形態の概略側面図である。
【図１３】半導体製造プロセス・ツールに結合されたシステムの一実施形態の概略上面図である。
【図１４】半導体製造プロセス・ツールに結合するように構成されたシステムの一実施形態の透視図である。
【図１５】半導体製造プロセス・ツールに結合されたシステムの一実施形態の透視図である。
【図１６】測定チャンバ内に配置されたシステムの一実施形態の概略側面図である。
【図１７】半導体製造プロセス・ツールのプロセス・チャンバに側面に沿って近くなるように配置された測定チャンバの一実施形態の概略側面図である。
【図１８】半導体製造プロセス・ツールのプロセス・チャンバに結合されたシステムの一実施形態の概略側面図である。
【図１９】試料の少なくとも２つの特性を判別する方法の一実施形態を説明する流れ図である。
【図２０】試料の表面から帰ってくる検出された光を処理する方法の一実施形態を説明する流れ図である。
【図２１】資料の少なくとも２つの特性を判別するように構成されたシステムを制御する方法の一実施形態を説明する流れ図である。
【図２２】化学機械研磨ツールに結合されたシステムの一実施形態の概略側面図である。
【図２３】化学堆積ツールに結合されたシステムの一実施形態の概略側面図である。
【図２４】エッチング・ツールに結合されたシステムの一実施形態の概略側面図である。
【図２５】イオン注入器に結合されたシステムの一実施形態の概略側面図である。
【図２６】試料の表面上の微小欠陥の特性を判別するように構成されたシステムの一実施形態の概略側面図である。
【図２７】試料の複数の表面の欠陥の特性を判別するように構成されたシステムの一実施形態の概略側面図である。
【発明を実施するための形態】
【０１２６】
そこで図１の図面を参照すると、試料１０の表面の実施形態の概略上面図が示されている
。試料１０は、単結晶シリコン基板、シリコン・ゲルマニウム基板、またはガリウム・ヒ
素基板などの基板を含む。さらに、試料１０は、半導体デバイスの製造に適していればい
ずれの基板でもよい。また、試料１０は、繰り返し可能なパターン・フィーチャを備える
複数のダイス１２を備えることができる。それとは別に、試料１０は、未使用の半導体の
ウェーハまたは未処理のウェーハなどパターンが作られていないものでもよい。さらに、
試料１０は、レチクルの製造に適していると思われる、ガラス基板または実質的に透明な
材料から形成された基板を使用することもできる。さらに、試料１０は、従来のどのよう
な試料をも含むことができる。
【０１２７】
さらに、試料１０は、基板上に形成した１つまたは複数の層を含んでいてもよい。例え
ば、基板の上に形成できる層としてこれらに限定はされないが、レジスト、誘電体、およ
び／または導体などがある。レジストは光学的リソグラフィ手法でパターン化されたフォ
トレジスト材料を含む。ただし、レジストには、電子線レジストやＸ線レジストなどのレ
ジストがあり、これらは、電子線またはＸ線リソグラフィ手法でそれぞれパターン化され
る。適切な誘電体の例としては、二酸化珪素、窒化ケイ素、酸窒化ケイ素、および窒化チ
タンなどがある。さらに、適切な導体の例としては、これらに限定はされないがアルミニ
ウム、多結晶シリコン、および銅がある。さらに、試料には、ウェーハなどの基板上に形
成されたトランジスタなどの半導体デバイスを含めることもできる。
【０１２８】
図２ａおよび２ｂは、試料を支持するように構成されているステージ２４の一実施形態
の概略上面図を示している。ステージは、真空チャックまたは静電チャックであってよい
。この方法で、試料をステージ上の適切な位置にしっかり保持することができる。さらに
、ステージは、モーター駆動平行移動ステージ、ロボット・ウェーハ・ハンドラ、または
当業界で知られているその他の適切な機械式デバイスとすることができる。一実施形態で
は、システムはステージに結合された測定具２６を備えることができる。したがって、ス
テージは、測定具に対して試料に相対的な運動を伝えるように構成することができる。一
例としては、試料の測定具に対する相対運動を直線方向になるようにステージを構成する
ことができる。ステージの相対運動により、測定具のエネルギー源からの入射エネルギー
・ビームは試料の表面を横切るが、その際に、光が試料の表面に当たる入射角度に実質的
な変化は生じない。ここで使用しているように「測定具」という用語は、広く測定器具、
検査器具、または測定および検査の組み合わせ器具を指す。
【０１２９】
図２ａおよび２ｂに示されているように、ステージ２４は、試料が測定具２６に対して
複数の方向に向けられるようにベクトル２８による指示に従って時計回りおよび反時計回
りに回転できるように構成することができる。このようなステージを使用すると、測定ま
たは検査中に測定具に対して試料を揃えるように試料の向きを修正することもできる。さ
らに、ステージ２４は、回転と直線移動を同時にできるように構成することもできる。試
料を測定具に揃える方法の例が、Ｅｙｌｏｎによる米国特許出願第５６８２２４２号、Ｅ
ｙｌｏｎによる米国特許出願第５８６７５９０号、およびＦｉｎａｒｏｖによる米国特許
出願第６０３８０２９号に説明されており、参照により本明細書に完全に規定されている
かのように取り込まれる。
【０１３０】
一実施形態では、ステージ２４はさらに、ｚ軸に沿って移動し試料と測定具２６の間の
距離を変えるように構成することもできる。例えば、試料と測定具との間の距離を変更す
ることで、測定具のエネルギー源からのエネルギー・ビームの焦点が試料の表面に確実に
結ばれるようにできる。システムの焦点を定める例が、Ｆｉｎａｒｏｖによる米国特許出
願第５６０４３４４号、およびＦｅｌｄｍａｎらによる米国特許出願第６１２４９２４号
に説明されており、参照により本明細書に完全に規定されているかのように取り込まれる
。荷電粒子ビームを試料に集束させる例は、Ｐｅａｒｌらによる欧州特許出願番号ＥＰ１
０８１７４１Ａ２に説明されており、参照により本明細書に完全に規定されているかのよ
うに取り込まれる。
【０１３１】
図２ａに示されているように、ステージ２４を、測定具２６に対して移動するように構
成することができ、測定具を、そのステージに対して移動するように構成することもでき
る。例えば、測定具２６をベクトル２９によって示されている方向に沿って直線移動する
ように構成し、ステージ２４を回転移動するように構成することができる。そのようにし
て、ステージが回転しているときに測定具のエネルギー源からの入射エネルギー・ビーム
をステージの半径方向に横切らせることができる。
【０１３２】
図２ｂに示されているように、測定具３０を、ステージ２４に対してある位置に相対的
に静止するように構成することができる。測定具３０内の音響光学偏向器（「ＡＯＤ」）
などの偏向器（ただしこれだけには限られない）を含む器具（図に示されていない）を、
ステージに対して入射ビームの位置を直線的に変えるように構成することができる。ＡＯ
Ｄの例は、ＡｌｌｅｎらによるＰＣＴ出願番号ＷＯ０１／１４９２５Ａ１に説明されてお
り、参照により本明細書に完全に規定されているかのように取り込まれる。このようにし
て、入射ビームをステージが回転しているときにステージの半径方向へ横切らせることが
できる。さらに、このような器具を使用してステージに対する入射ビームの位置を変更す
ることにより、試料の表面に形成されたパターンとともに測定具のレジストリを維持でき
る。測定具のエネルギー源からの入射エネルギー・ビームを試料の表面を横切らせ、その
際に、エネルギーのビームが試料の表面に当たる入射角度に実質的な変化が生じないよう
に器具を構成することができる。
【０１３３】
他の実施形態では、測定具３０は照明システムなどの複数のエネルギー源と複数の検出
システムを備えることができる。複数の照明システムと複数の検出システムを２つの直線
的アレイに配列することができる。照明システムと検出システムは、各照明システムが検
出システムの１つに結合されるようにすることができる。したがって、測定具３０は、直
線的撮像デバイスとして構成できる。このようにして、測定具を、試料の表面の位置を実
質的に同時にまたは順次測定または検査するように構成することができる。さらに、測定
具を、ステージが回転している間に実質的に同時に試料上の複数の位置で測定するように
構成することができる。さらに、ステージと測定具を、実質的に連続的または間欠的に移
動するように構成できる。例えば、システムを移動−取得−測定システムとして構成する
ようにステージと測定具を間欠的に移動させることもできる。
【０１３４】
試料の測定または検査位置を制御し、変更するために上記のように構成された測定具と
ステージは、現在使用されているシステムと比較していくつかの利点がある。例えば、試
料上の複数の位置を検査するように構成されている現在使用されているシステムは、静止
測定具と２つの別々の方向に横へ移動するように構成されたステージを含む。それとは別
に、現在使用されているシステムは、第１の方向の２つの鏡の位置および第２の方向の２
つの鏡の位置を変更することにより、静止ステージおよび試料に入射したエネルギー・ビ
ームの位置を変更するように構成された測定具を含む。このようなシステムの例は、Ｆｉ
ｎａｒｏｖによる米国特許出願第５５１７３１２号、およびＦｉｎａｒｏｖによる米国特
許出願第５７６４３６５号に説明されており、参照により本明細書に完全に規定されてい
るかのように取り込まれる。他のシステムは、回転するように構成されたステージと放射
状に移動するように構成されたレーザー光源を備えることができる。このようなシステム
は、パターン化された試料を測定または検査するのには適していないと思われる。現在使
用されているシステムの他の例は、Ｈｏｌｍｅｓによる米国特許出願第５９４３１２２号
に説明されており、参照により本明細書に完全に規定されているかのように取り込まれる
。
【０１３５】
ウェーハなどの試料の横方向寸法が３００ｍｍになると、検査または測定時に試料を直
線的に移動させることは、標準的な半導体製造設備に必要なスペースの関係上、実用的で
ないと思われる。さらに、このように試料を移動させることは、このようなツールに対す
るスペースを比較的大きく確保するコストが高くつくため、かなり費用がかかる可能性が
ある。したがって、上の実施形態で説明されているように構成されているシステムは、試
料を直線移動することなく試料の表面全体を検査または測定するように構成するとよい。
【０１３６】
図３は、試料の少なくとも２つの特性を判別するように構成されたシステム３２の一実
施形態の概略側面図を示している。システム３２は、照明システム３６および検出システ
ム３８を備える測定具３４を備えることができる。照明システム３６は、ステージ４２の
上に配置されている試料４０の表面に光が当たるように構成されている。ステージ４２は
、上の実施形態で説明されているように構成されている。検出システム３８は、照明シス
テム３６に結合でき、また試料の表面からの光を検出するように構成することができる。
例えば、検出システム３８、照明システム３６、および追加の光学系コンポーネントを、
試料４０の表面から送られてくるスペクトル反射光または散乱光を検出システムにより検
出できるように配列することができる。
【０１３７】
照明システム３６はエネルギー源４４を備えることができる。エネルギー源４４は、単
色光を放射するように構成されている。例えば、適切な単色光源をガスレーザーまたは固
体レーザー・ダイオードとすることができる。それとは別に、エネルギー源を、紫外線、
可視光、赤外線、Ｘ線、ガンマ線、マイクロ波、または無線周波を含む複数の波長の電磁
放射を放射するように構成することもできる。さらに、エネルギー源を、電子、陽子、中
性子、イオン、または分子のビームなど他のエネルギー源を放射するように構成すること
もできる。例えば、熱電界放射源は通常、電子源として使用される。
【０１３８】
検出システム３８は検出器４６を備えることができる。検出器４６は、光検出器、複数
セル光検出器、干渉計、リニア・センサ・アレイなどのフォトダイオード・アレイ、従来
の分光光度計、位置検知検出器、光電子増倍管、アバランシェ・フォトダイオード、電荷
結合素子（「ＣＣＤ」）カメラ、時間遅延積分（「ＴＤＩ」）カメラ、ビデオ・カメラ、
パターン認識デバイス、および撮像システムなどの光感知デバイスを備えることができる
。さらに、検出器は、ショットキー固体障壁検出器などの固体検出器であってもよい。
【０１３９】
さらに、測定具３４は光学系コンポーネントをいくつでも追加することができる（図に
示されていない）。適切な光学系コンポーネントとしては、これらに限定されないが、ビ
ーム・スプリッタまたはダイクロイック・ミラー、４分の１波長板、直線偏光器および円
偏光器などの偏光器、回転偏光器、回転検光子、コリメータ、集光レンズ、追加レンズ、
折り畳み式鏡、部分的透過型ミラー、スペクトルまたは偏光フィルタ、空間フィルタ、リ
フレクト、デフレクタ、およびモジュレータのフィルタなどがある。追加光学系コンポー
ネントはそれぞれ、照明システムまたは検出システム内に結合または配置することができ
る。さらに、測定具は、磁気集光レンズ、磁気対物レンズ、静電偏向システム、ビーム開
口絞り、およびウィーン・フィルタを含む電磁デバイス（図に示されていない）を多数追
加することができる。
【０１４０】
照明システム、検出システム、および追加光学および電磁コンポーネントの配置は、例
えば、試料の少なくとも２つの特性を判別するために使用する手法により異なることがあ
る。照明システム、検出システム、および追加光学系および電磁コンポーネントの配置も
また、判別される資料の特性により異なる。例えば、図３に示されているように、測定具
３４は照明システム３６内に配置または結合されている光学系コンポーネント４８を備え
ることができる。光学系コンポーネント４８には、これらに限定されないが偏光器、スペ
クトルまたは偏光フィルタ、および４分の１波長板などがある。さらに、測定具３４はビ
ーム・スプリッタ５０および光学系コンポーネント５２を備えることができる。光学系コ
ンポーネント５２は、検出システム３８内に配置または結合することができる。光学系コ
ンポーネント５２には、これらに限定されないが、４分の１波長板、コリメータ、集光レ
ンズなどがある。
【０１４１】
図４〜７には、システム３２の測定具３４の他の実施形態が示されている。後述のよう
に、図３〜７に示されている実施形態のそれぞれにおいて同様に構成することができるシ
ステム３２の要素は、同じ参照文字で示されている。例えば、エネルギー源４４は、図３
〜７に示されているそれぞれの実施形態において同じように構成できる。図４に示されて
いるように、測定具３４は複数のエネルギー源４４を備えることができる。それぞれのエ
ネルギー源は、実質的に似た種類のエネルギーまたは異なる種類のエネルギーを放射する
ように構成することができる。例えば、複数のエネルギー源４４は本明細書で説明してい
るいずれかの光源を備えることができる。光源を、広帯域光を放射するように構成するこ
とができる。それとは別に、光源を２つ用意し異なる種類の光を放射させるようにするこ
とができる。例えば、一方の光源を、単一波長の光を放射するように構成し、他方の光源
を、広帯域光を放射するように構成することができる。さらに、図４に示されているよう
に、エネルギー源は試料４０の表面の実質的に同じ位置にエネルギー・ビームを向けるよ
うに構成することができる。それとは別に、図５に示されているように、複数のエネルギ
ー源４４を、試料４０の表面の実質的に異なる位置にエネルギーを向けるように構成する
ことができる。例えば、図５に示されているように、複数のエネルギー源を、試料４０の
表面の横方向に間隔をあけて並ぶ位置にエネルギー・ビームを向けるように構成すること
ができる。また図５に示されている複数のエネルギー源を、上述のように構成することも
できる。
【０１４２】
図４に示されているように、測定具は複数のエネルギー源４４に結合された検出器４６
を備えることができる。このようにして、鏡面反射光および散乱光などの試料４０の表面
から来る異なる種類のエネルギーを検出する検出器を構成できるように検出器４６を複数
のエネルギー源に対して配置することができる。検出器はさらに、実質的に同時に、試料
の表面から来る異なる種類のエネルギーを検出するように構成することもできる。例えば
、検出器は、フォトダイオードのアレイを備えることができる。フォトダイオードのアレ
イの第１の部分を、試料の表面から来る複数の光源の１つから入射する光のみを検出する
ように構成し、フォトダイオードのアレイの第２の部分を、試料の表面から来る複数の光
源のうちの別の光源から入射する光のみを検出するように構成することができる。実質的
に同時に試料の表面から来る複数の光源のそれぞれから入射する光を検出するように検出
器を構成することができる。それとは別に、複数のエネルギー源は、エネルギーが試料の
表面に間欠的に向けられるように構成することができる。試料の表面から来る複数のエネ
ルギー源のそれぞれから入射するエネルギーを間欠的に検出するように検出器を構成する
こともできる。
【０１４３】
図５に示されているように、測定具３４は複数の検出器４６を備えることができる。複
数の検出器のそれぞれを、複数のエネルギー源４４の１つに結合することができる。この
ようにして、検出器が試料４０の表面から来るエネルギー源の１つから入射するエネルギ
ーを検出するように、エネルギー源の１つに対してそれぞれの検出器４６を配置すること
ができる。例えば、試料の表面から散乱された光を検出するように第１の光源に対して検
出器の１つを配置することができる。一例としては、散乱光は、暗視野経路に沿って来る
暗視野光を含む。明視野経路に沿って来る明視野光などの試料の表面から鏡面反射された
光を検出するように複数の検出器のうちの第２の検出器を第２の光源に対して配置するこ
とができる。上の実施形態で説明されているように複数の検出器を構成することができる
。例えば、複数の検出器は２つの異なる検出器または２つの同じ種類の検出器を含むこと
ができる。例えば、第１の検出器は、従来の分光光度計として構成し、第２の検出器は、
クォッド・セル（四分割セル）検出器として構成することができる。それとは別に、両方
の検出器をフォトダイオードのアレイとして構成することもできる。
【０１４４】
図４に示されているように、測定具３４はさらに複数の光学系コンポーネント４８を備
えることもできる。例えば、光学系コンポーネント４８を複数のエネルギー源４４のそれ
ぞれに結合することができる。一例としては、光学系コンポーネントの第１のものを偏光
器として構成し、光学系コンポーネントの第２のものを集光レンズとして構成することが
できる。それとは別に、図５に示されているように、測定具３４は複数のエネルギー源４
４のそれぞれに結合された１つの光学系コンポーネント４８を備えることができる。光学
系コンポーネント４８のそれぞれは、本明細書で説明しているように構成することができ
る。さらに、図５に示されているように、測定具３４は複数のエネルギー源の１つに結合
されたビーム・スプリッタ５０などの光学系コンポーネントを備えることもできる。例え
ば、ビーム・スプリッタ５０は光源から発せられる光の経路に沿って配置される。ビーム
・スプリッタ５０は光源から光を試料の表面へ送り、試料の表面からの光を反射するよう
に構成させることができる。ビーム・スプリッタは、試料の表面からの光を反射させ、そ
の反射された光が検出器４６に向かうように構成させることができる。さらに、ビーム・
スプリッタを、複数の光源のそれぞれから発せられる光の経路に沿って配置することがで
きる。図４に示されているように、光学系コンポーネント５２は、検出器４６に結合する
ことができ、このコンポーネントを例えば、４分の１波長板、コリメータ、および集光レ
ンズとして構成することができる。光学系コンポーネント５２をさらに、本明細書で説明
しているように構成することができる。複数の光学系コンポーネント５２はさらに、検出
器のそれぞれに結合される。しかし、光学系コンポーネントのそれぞれの位置および構成
は、以下で詳述するようなシステムによって決定される試料の特性によって異なる。
【０１４５】
図６および７は、システム３２の他の実施形態の概略側面図を示す。これらの図に示さ
れているように、測定具３４は単一のエネルギー源４４を備えている。さらに、測定具３
４は複数の検出器４６を備えている。これらの検出器は、本明細書で説明しているような
デバイスであればどれでもよい。複数の検出器４６のそれぞれを、エネルギー源４４に関
して異なる角度で配置することができる。例えば、図６に示されているように、暗視野経
路に沿って来る暗視野光を検出するように検出器の１つを構成することができる。明視野
経路に沿って来る明視野光を検出するように第２の検出器を構成することができる。それ
とは別に、図７に示されているように、複数の検出器のそれぞれを鏡面反射光を検出する
ように構成することができる。複数の検出器を似たような形で、例えばフォトダイオード
・アレイとして構成することができる。それとは別に、複数の検出器を従来の分光光度計
およびクォッド・セル検出器などの異なる検出器として構成することができる。
【０１４６】
さらに、照明システムを、異なる種類のエネルギーが試料の表面に変化するインターバ
ルで向けられるように構成することができる。例えば、エネルギー源は、１種類の光を放
射する構成である。図７に示されているように、光学系コンポーネント４８をエネルギー
源４４に結合することができる。光学系コンポーネント４８は、さらに、エネルギー源４
４によって放射される光を変化するインターバルで変えるように構成することもできる。
例えば、光学系コンポーネント４８は、エネルギー源４４によって変化するインターバル
で放射される光の経路内で回転される複数のスペクトルおよび／または偏光フィルタとし
て、またはフィルタに結合されたコントローラによって制御される液晶ディスプレイ（「
ＬＣＤ」）・フィルタとして構成することができる。コントローラは、ＬＣＤフィルタの
透過、反射、および／または偏光特性を変化するインターバルで変えるように構成するこ
とができる。ＬＣＤフィルタの特性を変化させることにより、エネルギー源から放射され
た光のスペクトル特性または偏光状態を変えることができる。さらに、複数の検出器はそ
れぞれ、試料の表面から来る異なる種類の光を検出するのに適したものでよい。したがっ
て、測定具は、試料の実質的に異なる光学的特性を変化するインターバルで測定するよう
に構成することができる。このようにして、試料の表面に向かうエネルギーと試料の表面
から戻るエネルギーが、例えば、システムを使用して測定する試料の特性に応じて変化す
るように測定具３４を構成することができる。
【０１４７】
一実施形態では、図３〜７に示されているように、システム３２は測定具３４に結合さ
れたプロセッサ５４を備えることができる。このプロセッサは、測定具検出器で発生する
１つまたは複数の出力信号を受信するように構成することができる。１つまたは複数の出
力信号は、試料から戻り検出されたエネルギーを表すことができる。この１つまたは複数
の出力信号はアナログ信号でもデジタル信号でもよい。プロセッサは、検出器で発生した
１つまたは複数の出力信号から試料の少なくとも第１の特性と第２の特性を判別すること
ができる。第１の特性は、試料４０の限界寸法を含み、第２の特性は、試料４０のオーバ
ーレイ・ミスレジストレーションを含むことができる。例えば、測定具は、これらに限定
されないが、スキャタロメータ、非結像スキャタロメータ、分光スキャタロメータ、反射
率計、分光反射率計、楕円偏光計、分光楕円偏光計、ビーム・プロフィル楕円偏光計、明
視野撮像デバイス、暗視野撮像デバイス、明視野暗視野撮像デバイス、明視野非結像デバ
イス、暗視野非結像デバイス、明視野暗視野非結像デバイス、コヒーレンス・プローブ顕
微鏡、干渉顕微鏡、光学プロフィルメータ、またはそれらの任意の組み合わせを備えるこ
とができる。このようにして、システムは単一の測定具または複数の測定具として構成す
ることができる。
【０１４８】
複数の測定具を単一のシステムに組み込むことができるため、例えば、第１の測定具の
光学要素はさらに第２の測定具の光学要素として使用することもできる。さらに、複数の
測定具を共通ステージ、共通ハンドラ、および共通プロセッサに結合することができる。
本明細書で説明しているハンドラは、試料を共通ステージに配置し、共通ステージまたは
他のハンドラから試料を取り除くように構成された機械デバイスを備えることができる。
さらに、このシステムは、連続してあるいはほぼ同時に、試料の限界寸法およびオーバー
レイ・ミスレジストレーションを判別できるように構成されている。この方法では、この
ようなシステムは半導体業界で現在使用しているシステムに比べて、コスト、時間、およ
びスペースの面で効率が優れていると思われる。
【０１４９】
図８は、試料の一実施形態の概略側面図を示している。図８に示されているように、複
数のフィーチャ５６を試料６０の上面５８に形成する。例えば、試料の上面に形成された
フィーチャは、局所的相互接続部、ゲート電極と誘電体側壁スペーサからなるゲート構造
、コンタクト・ホール、ビアなどである。しかし、これら複数のフィーチャは、試料内に
形成することもできる。例えば、試料内に形成されたフィーチャは、半導体基板およびト
レンチ内のフィールド酸化膜領域などの分離構造である。限界寸法には、試料６０上のフ
ィーチャ５６の幅６２などの試料の上面に実質的に平行な方向で定義されている機能の横
方向寸法を含めることができる。したがって、限界寸法は、一般的に、ゲートまたは相互
接続部の幅または穴もしくはビアの直径など断面で見たときのフィーチャの横方向寸法と
して定義することができる。フィーチャの限界寸法には、さらに、試料６０上のフィーチ
ャ５６の高さ６４などの試料の上面に実質的に垂直な方向で定義されているフィーチャの
横方向寸法も含めることができる。
【０１５０】
さらに、限界寸法は、フィーチャの側壁角度も含むことができる。「側壁角度」は、一
般的に、試料の上面に関するフィーチャの側面（または横）の角度として定義することが
できる。このようにして、フィーチャの高さに対して幅が実質的に一様なフィーチャはそ
の側壁角度６６が約９０度となる。フィーチャの高さに対して幅が実質的に一様な半導体
デバイスなどの試料のフィーチャを比較的近い位置にまとめて形成し、半導体デバイスの
デバイス密度を高めることができる。さらに、このようなデバイスの電気的特性は比較的
予測可能であり、また実質的に一様であると思われる。フィーチャの高さに対して傾斜し
たプロフィルを持つかまたは幅が実質的に一様でないフィーチャはその側壁角度６８が約
９０度未満となる。傾斜したプロフィルは、フィーチャの上に層を形成する場合に望まし
い。例えば、傾斜したプロフィルでは、フィーチャの上に形成された層内の空隙の発生を
低減することができる。
【０１５１】
オーバーレイ・ミスレジストレーションは、一般に、試料の第２のレベルのフィーチャ
の横の位置に関する試料の第１のレベルのフィーチャの横の位置のずれの尺度として定義
することができる。第１のレベルは、第２のレベルの上に形成することができる。例えば
、オーバーレイ・ミスレジストレーションは、半導体デバイスの複数のレベルのフィーチ
ャのアラインメントを表している。理想的には、オーバーレイ・ミスレジストレーション
は、試料の第１のレベル上のフィーチャを試料の第２のレベル上のフィーチャに完全に揃
えられるようにほぼ０であるのが好ましい。例えば、オーバーレイ・ミスレジストレーシ
ョンが大きいと、試料の第１および第２のレベル上に電気的フィーチャの接触が生じるこ
とがあり望ましくない。この方法では、このようなミスアラインメントの大きな試料上に
形成された半導体デバイスに多数の開回路または短絡回路が生じ、デバイスの不具合の基
になる。
【０１５２】
試料のオーバーレイ・ミスレジストレーションの程度は、例えば、リソグラフィ・プロ
セスの性能特性によって異なる。リソグラフィ・プロセスの実行中、レチクルつまりマス
クは試料の第１のレベルに配置されているレジストの上に配置される。レチクルは、レジ
ストに転写できる、パターンが構成された実質的に透明な領域と実質的に不透明な領域を
持つ。レチクルは、試料上のアラインメントマークの位置を検出するように構成された露
光ツールにより試料の上に配置することができる。この場合、オーバーレイ・ミスレジス
トレーションは、アラインメントマークを検出し、試料に対してレチクルの位置を変える
露光ツールの性能上の制限によって生じることがある。
【０１５３】
図９は、複数の測定具を備えるシステム７０の一実施形態の概略上面図を示している。
測定具のそれぞれは、本明細書で説明しているように構成される。例えば、各測定具を試
料の少なくとも１つの特性を判別するように構成する。さらに、各測定具を試料の異なる
特性を判別するように構成することもできる。そこで、システム７０を、試料の少なくと
も４つの特性を判別するように構成する。例えば、測定具７２を、試料の限界寸法を判別
するように構成する。さらに、第１の横方向で試料のオーバーレイ・ミスレジストレーシ
ョンを判別するように測定具７４を構成する。測定具７６については、第２の横方向で試
料のオーバーレイ・ミスレジストレーションを判別するように構成する。第１の横方向は
、第２の横方向に実質的に直交する方向である。さらに、測定具７８をパターン認識デバ
イスとして構成することができる。したがって、システム７０を、試料の少なくとも４つ
の特性を同時にまたは順次判別するように構成することができる。さらに、本明細書で説
明している測定具をそれぞれ、試料の任意の特性を判別するように構成することができる
。
【０１５４】
図１０は、試料の少なくとも２つの特性を判別するように構成されたシステム８０の一
実施形態の概略側面図を示している。例えば、システム８０は、試料の少なくとも限界寸
法を判別するように構成されている。したがって、システム８０を上の実施形態で説明さ
れているようにシステム７０に含めることができる。システム８０は広帯域光源８２を備
えている。「広帯域光」という用語は、一般的に、２つまたはそれ以上の異なる周波数成
分を含む周波数振幅スペクトルを持つ放射光を指すのに用いられる。広帯域周波数振幅ス
ペクトルには、１９０ｎｍ程度から１７００ｎｍ程度までのさまざまな波長範囲が含まれ
る。しかし、波長の範囲は、たとえば光源能力、照射対象のサンプル、および判別される
特性により広い場合も狭い場合もある。例えば、可視光線と紫外線を含む光線を放射する
ように構成されたキセノンアーク・ランプを広帯域光源として使用することができる。
【０１５５】
システム８０は、光源８２から放射された光を試料８５の表面に当てるように構成され
たビーム・スプリッタ８４を備えることもできる。ビーム・スプリッタは、連続広帯域ス
ペクトルの光を出力するように構成できるビーム・スプリッタ鏡として構成されている。
システム８０は、ビーム・スプリッタ８４から来る光の焦点を試料８５の表面に定めるよ
うに構成されたレンズ８６を備える。試料８５の表面から戻る光は、ビーム・スプリッタ
８４を通り、回折格子８８に届く。回折格子は、試料の表面から戻された光を分散するよ
うに構成されている。分散された光は、検出器アレイ９０などの分光計に向けることがで
きる。この検出器アレイは、リニア・フォトダイオード・アレイを含むことができる。光
は分光計に入ると回折格子により分散させられ、その結果得られるサンプル・ビームの一
次回折回折光線がリニア・フォトダイオード・アレイに集まる。分光反射率計の例が、Ｇ
ｏｌｄらによる米国特許出願第４９９９０１４号、およびＮｏｒｔｏｎらによる米国特許
出願第５７４７８１３号に説明されており、参照により本明細書に完全に規定されている
かのように取り込まれる。
【０１５６】
したがって、フォトダイオード・アレイで、試料の表面から戻る光の反射スペクトル９
２を測定することができる。相対的反射スペクトルを求めるには、各波長の反射スペクト
ルの戻された光の強度を各波長の相対的基準強度で割ればよい。相対的反射スペクトルを
使用して、ウェーハ上のさまざまな膜の厚さを測定することができる。さらに、単一波長
の反射率および膜の屈折率も、相対的反射スペクトルから求めることができる。さらに、
モード展開（「ＭＭＭＥ」）モデル９４によるモデル手法を使用して、さまざまな反射ス
ペクトルのライブラリ９６を生成することができる。ＭＭＭＥモデルは、パラメータ空間
内の各格子から理論的回折光の「指紋」を計算するために使用できる厳密な回折モデルで
ある。しかし、他のモデルも、厳密カップリング導波管分析（rigorous coupling wavegu
ide analysis:「ＲＣＷＡ」）モデルなど（これに限定されない）の理論的回折光を計算
するのに使用することもできる。測定された反射スペクトル９２をライブラリ９６内のさ
まざまな反射スペクトルに当てはめることができる。本明細書で説明しているように、当
てはめたデータ９７を使用して、試料の表面上のフィーチャの横方向寸法、高さ、および
側壁角度などの限界寸法９５を求めることができる。モデル作成手法の例は、Ｘｕらによ
るＰＣＴ出願番号ＷＯ９９／４５３４０に説明されており、参照により本明細書に完全に
規定されているかのように取り込まれる。
【０１５７】
図１１ａおよび１１ｂは、試料の限界寸法などの特性を判別するように構成された測定
具９８の一実施形態の他の概略側面図である。測定具を上述のシステム８０に結合するこ
とができる。測定具９８は光ファイバ光源１００を備えている。光ファイバ光源は、光を
放射し、コリメート鏡１０２に向けるように構成されている。コリメート鏡１０２は、光
ファイバ光源によって放射された光の経路を変えて、経路１０６に沿って実質的に一方向
に試料１０４の表面に向かって行くように構成されている。光ファイバ光原１００から放
射された光はさらに、反射鏡１０８にも向けられる。反射鏡１０８は、光ファイバ光源に
よって放射された光を基準分光計１１０に向けるように構成されている。基準分光計１１
０は、光ファイバ光源によって放射された光の強度を測定するように構成されている。さ
らに、基準分光計１１０は、測定された光の強度に対して１つまたは複数の出力信号を発
生するように構成することもできる。そこで、基準分光計１１０によって生成される信号
を使用して、光ファイバ光源によって放射された光の強度の変動を監視することができる
。
【０１５８】
測定具９８はさらに、偏光器１１２を備えることもできる。偏光器１１２は、光の経路
１０６に対して４５度の角度に向けることができる。偏光器１１２は、光の偏光状態を変
化させ試料の表面に向かって行く光を直線偏光または回転偏光させるように構成されてい
る。測定具９８はさらに、光の経路１０６に沿って配置された光ピストン１１４を備える
こともできる。この光ピストンは、試料の表面に向かって行く光の経路の方向を変える。
例えば、測定具の光ピストンは試料の複数の位置を測定するために測定具の一部１１５が
試料に対して移動するように構成されている。このようにして、試料の表面に光が当たる
入射角度が実質的に変わらないようにしながら、経路１０６に沿って来る光を試料の表面
を横断させるようにすることできる。
【０１５９】
測定具はさらに、アポダイザ１１６を備えることもできる。アポダイザ１１６は、比較
的透過度の高い領域と実質的に不透明な領域が交互に並ぶ二次元パターンを持つ。この交
互パターンは、アポダイズ関数などのような局所的平均透過率関数を持つ。したがって、
アポダイザは、測定具の集光分解能を高めるために試料の光の当たる領域の横の部分を減
らすように構成されている。また、測定具は、経路１０６に沿って来る光が試料の表面に
当たるように構成された複数の鏡１１８を備えている。さらに、測定具は、光が試料の表
面に向かうように構成された反射対物レンズ１２０を備えている。例えば、適切な反射対
物レンズの開口数（「ＮＡ」）を約０．１とし、光を高い入射角度で試料の表面に向ける
ことができる。
【０１６０】
試料の表面から戻ってきた光は、対物レンズ１２０と鏡の１つにより検光子１２２へと
反射される。検光子１２２は、試料の表面から戻った光を光の偏光状態に基づき２つの反
射光に分割するように構成されている。例えば、検光子１１２は、偏光状態が実質的に異
なる２つの別々の光線を発生するように構成されている。図１１ｂに示されているように
、測定具はオートフォーカス・センサ１２４を備えている。オートフォーカス・センサ１
２４は、試料に入射したスポットの焦点が合っている像を受け取るように構成された分割
フォトダイオード検出器を備えている。焦点が合っているスポットの像は、検光子１２２
と鏡１１８の間の光経路に沿って配置されたビーム・スプリッタ１２５から得られる。例
えば、試料１０４から戻った光の一部をオートフォーカス・センサに向けるようにビーム
・スプリッタを構成している。オートフォーカス・センサ１２４は、像の強度を測定し、
測定された強度を表す信号をプロセッサに送信するように構成された２つのフォトダイオ
ードを備えている。オートフォーカス・センサの出力を焦点信号と呼ぶことができる。焦
点信号はサンプル位置の関数である。プロセッサは、焦点信号の最大値の位置を使用して
、測定具に対する試料の焦点位置を判別するように構成されている。
【０１６１】
また、測定具は試料の表面から戻ってきた光が分光計１２８に導くように構成された鏡
１２６を備えている。分光計１２８は、ある波長帯域にわたる反射率のｓ成分とｐ成分の
強さを測定するように構成されている。「ｓ成分」という用語は、一般に、電界が反射さ
れたビームの入射平面に実質的に垂直になっている偏光の成分を説明するために使用され
る。「ｐ成分」という用語は、一般に、電界が反射されたビームの入射平面内にある偏光
の成分を説明するために使用される。本明細書で説明しているように、測定した反射スペ
クトルを使用して、試料の表面上のフィーチャの限界寸法、高さ、および側壁角度を求め
ることができる。例えば、相対的反射スペクトルを求めるには、分光計１２８で測定した
各波長の戻ってきた光の強度を測定具基準分光計１１０により測定した各波長の相対的基
準強度で割る。この相対反射スペクトルをデータの論理モデルに当てはめて、限界寸法、
高さ、および側壁角度を求めることができる。
【０１６２】
一実施形態では、図９に示されているように、システム７０の測定具７４および測定具
７６は、コヒーレンス・プローブ顕微鏡、干渉顕微鏡、または光学プロフィルメータとし
て構成されている。例えば、コヒーレンス・プローブ顕微鏡は、特別に改造されたＬｉｎ
ｎｉｋ顕微鏡とビデオ・カメラ、試料搬送ステージ、およびデータ処理電子回路を組み合
わせて構成されている。それとは別に、Ｆｒｉｎｇｅｓ  ｏｆ  Ｅｑｕａｌ  Ｃｈｒｏｍ
ａｔｉｃ  Ｏｒｄｅｒ  （“ＦＥＣＯ”）、Ｎｏｍａｒｓｋｉ偏光干渉計、差動干渉コン
トラスト（「ＤＩＣ」）、Ｔｏｌａｎｓｋｙ繰返し反射干渉法、およびＭｉｃｈｅｌｓｏ
ｎ、Ｆｉｚｅａｕ、およびＭｉｒａｕに基づく２ビーム・ベースの干渉法などの他の干渉
光プロファイリング顕微鏡および手法をシステムに合わせて改造することができる。この
測定具では、広帯域または比較的狭い帯域のいずれかの光を使用して、試料の表面に対し
て異なる軸位置（迎角）で撮像した複数の干渉像を発生させることができる。干渉像は、
一連の像平面を構成する。これらの平面内のデータは、ビデオ信号強度に対する加法的変
換により変換することができる。変換された像データを使用することで、変換された平面
内のピクセルごとに物体波と参照波との間の絶対相互可干渉性を測定することができる。
光経路長を変えたときに輝度が絶対相互可干渉に比例する合成像を形成することができる
。
【０１６３】
一実施形態では、干渉顕微鏡として構成された測定具は、入射光線を放射するように構
成されたキセノン・ランプなどのエネルギー源を備えている。適切なエネルギー源はさら
に、レーザーによって出力される光などのコヒーレント光を放射するように構成された光
源を備えている。測定具は、さらに、入射光線を試料の表面に向けるように構成された追
加光学コンポーネントを備えている。適切な追加光学コンポーネントは、集光レンズ、フ
ィルタ、ディフューザ、開口絞り、および視野絞りを備えている。追加光学コンポーネン
トはさらに、ビーム・スプリッタ、顕微鏡対物レンズ、部分的透過鏡を備えている。
【０１６４】
入射光線の第１の部分を試料の表面に向けることができるように測定具内に光学コンポ
ーネントを配置することができる。さらに、入射光線の第２の部分を基準鏡に向けること
ができるように測定具内に光学コンポーネントを配置することができる。例えば、試料の
表面にサンプル光線を向ける前に入射光線を部分的透過鏡に通すことにより入射光線の第
２の部分を発生させることができる。試料の表面から反射された光を基準鏡から反射され
た光と組み合わせることができる。一実施形態では、検出システムは従来の干渉計を備え
ている。反射された入射光線は基準光線と組み合わさって、干渉計に入射させられる。試
料の表面から反射された光入射光線と基準鏡から反射された基準光線は位相が一致してい
ないので、この組み合わせた光線内に干渉パターンが発生する。組み合わせたビームの干
渉パターンの強度変化は、干渉計で検出できる。
【０１６５】
干渉計は、組み合わせたビームの干渉パターンの検出された強度変化に対応する信号を
発生するように構成されている。発生した信号を測定面に関する表面情報が得られるよう
に処理することができる。測定具はさらに、光入射光線の制御を補助するスポッター顕微
鏡を備えている。スポッター顕微鏡を電子回路を介して測定具に結合し、入射光線を一部
制御するようにできる。使用する干渉顕微鏡および方法の例は、Ｄａｖｉｄｓｏｎらによ
る米国特許出願第５１１２１２９号、Ｍａｚｏｒらによる第５４３８３１３号、Ａｕｓｓ
ｃｈｎｉｔｔらによる第５７１２７０７号、Ａｕｓｓｃｈｎｉｔｔらによる第５７５７５
０７号、Ａｕｓｓｃｈｎｉｔｔらによる第５８０５２９０号、Ａｕｓｓｃｈｎｉｔｔらに
よる第５９１４７８４号、Ｂａｒｅｋｅｔによる第６０２３３３８号で説明されており、
すべて、参照により本明細書に完全に規定されているかのように取り込まれる。
【０１６６】
他の実施形態では、光学プロフィルメータとして構成されている測定具を使用して試料
の表面の高さを測定することができる。本明細書で説明している光学プロフィルメータは
、光散乱法、光切断法、およびさまざまな干渉光プロファイリング手法を使用するように
なっている。光学プロフィルメータは、２筋のビーム経路の光の干渉を測定するようにな
っている。試料の表面の高さが変化すると、光線経路長の１つが変化し、それにより干渉
パターンが変化する。そこで、測定された干渉パターンを使用して、試料の表面の高さを
判別することができる。Ｎｏｍａｒｓｋｉ偏光干渉計は、光学プロフィルメータとして使
用するのに適している。
【０１６７】
一実施形態では、光学プロフィルメータは、入射光線を放射するように構成されたタン
グステン・ハロゲン白熱灯などの光源を備えている。この光源は、赤外線、紫外線、およ
び／または可視光線などさまざまな波長の光を放射するようになっている。この光源を、
さらに、レーザーから出力される光などのコヒーレント光を放射するように構成すること
もできる。光学プロフィルメータはさらに、光を試料の表面に向けるように構成された光
学コンポーネントを備えている。このような光学コンポーネントは、本明細書で説明して
いるような光学コンポーネントのいずれかを備えている。光学プロフィルメータはさらに
、電磁放射光を位相シフトするように構成された回転検光子、電荷結合素子（「ＣＣＤ」
）カメラ、フレーム取込み器、および電子処理回路を備えている。フレーム取込み器は、
ＣＣＤカメラなどの検出器から信号を受信し、その信号を変換する（つまり、像をデジタ
ル化する）ようになっているデバイスである。４分の１波長板およびスペクトル・フィル
タも、光学プロフィルメータに含めることができる。偏光器やＮｏｍａｒｓｋｉプリズム
は、対物レンズの分解能限界よりも小さい距離だけ試料の表面上の横方向にオフセットし
ている実質的に直角に偏光している２つのビームで試料が照らされるように構成されてい
る。試料から戻ってきた後の光線は、Ｎｏｍａｒｓｋｉプリズムで再結合させることがで
きる。
【０１６８】
一実施形態では、光学プロフィルメータは従来の干渉計を備えている。再結合された光
線の干渉パターンは干渉計で検出できる。検出された干渉パターンを使用して、試料の表
面プロフィルを判別することができる。光学プロフィルメータの例は、Ｓａｍｓａｖａｒ
らによる米国特許出願第５９５５６６１号に説明されており、参照により本明細書に完全
に規定されているかのように取り込まれる。オーバーレイ・ミスレジストレーションを判
別するように構成された測定具の例は、Ｎｉｋｏｏｎａｈａｄらによる「Ｍｅｔｒｏｌｏ
ｇｙ  Ｓｙｓｔｅｍ  Ｕｓｉｎｇ  Ｏｐｔｉｃａｌ  Ｐｈａｓｅ」という表題の２０００
年８月１４日に出願された米国特許出願第０９／６３９４９５号に説明されており、参照
により本明細書に完全に規定されているかのように取り込まれる。
【０１６９】
一実施形態では、測定具７８は、パターン認識デバイスとして構成できる。測定具７８
は、可視光線および紫外線などの広帯域の光を放射するように構成されたランプなどの光
源を備えている。この測定具はさらに、光源によって放射された光の一部を対物レンズに
向けサンプル光線を形成するように形成されたビーム分割鏡を備えている。対物レンズと
しては、複数の倍率を持つ反射対物レンズがある。例えば、この対物レンズとしては、１
５倍率Ｓｃｈｗａｒｔｚｃｈｉｌｄ設計全反射対物レンズ、４倍率Ｎｉｋｏｎ  ＣＦＮ  
Ｐｌａｎ  Ａｐｏｃｈｒｏｍａｔ、１倍率ＵＶ透過対物レンズがある。これら３つの対物
レンズは、３つの対物レンズのうちの１つがサンプル光線の経路内に入るように回転する
タレットに取り付けることができる。対物レンズは、サンプル光線が試料の表面に向かう
ように構成されている。
【０１７０】
試料の表面から戻ってくる光は対物レンズとビーム分割鏡を通り、測定具のサンプル板
に入る。サンプル板は、開口が板を通して形成されている反射石英ガラス板でよい。試料
の表面から戻ってくる光は、一部、サンプル板から比較的短い焦点距離アクロマートを通
って反射される。戻ってくる光は、折り畳み式の鏡からビーム・スプリッタ・キューブへ
反射される。ビーム・スプリッタ・キューブは、戻ってきた光の一部がペンタプリズムに
向かうように構成されている。ペンタプリズムは、戻ってくる光の一部を反射するように
なっている。戻ってきた光の反射された部分も、比較的焦点距離の長いアクロマートおよ
びフィルタなどの測定具７８の追加光学コンポーネントを通ることができる。戻ってきた
光の反射された部分は、戻ってきた光がビデオ・カメラを向くように構成された折り畳み
式鏡に当たる。さらに、ビデオ・カメラは、試料の表面の非反転像を発生するように構成
されている。パターン認識デバイスの例は、Ｐｉｗｏｎｋａ−Ｃｏｒｌｅらによる米国特
許出願第５９１０８４２号に説明されており、参照により本明細書に完全に規定されてい
るかのように取り込まれる。
【０１７１】
他の実施形態では、測定具は、非結像スキャタロメータ、スキャタロメータ、または分
光スキャタロメータを採用することができる。スキャタロメトリは、構造体から散乱され
た光の角度分解測定および特性を必要とする手法である。例えば、反復パターン・フィー
チャなど周期的パターンで試料上に配置されている構造だと、入射光は異なる順序に散乱
または回折される。構造から回折された光パターンを「指紋」または「シグネチャ」とし
て使用し、反復可能パターン・フィーチャの特性を識別することができる。例えば、回折
光パターンを分析し、周期、幅、ステップ高さ、側壁角度、基礎層の厚さ、および試料上
のフィーチャのプロフィルなどの試料の表面上の反復可能パターン・フィーチャの特性を
判別することができる。
【０１７２】
スキャタロメータは、単一波長の光が試料の表面に向かうように構成された光源を備え
ている。例えば、この光源は、ガスレーザーまたは固体レーザー・ダイオードを備えてい
る。それとは別に、光源は、複数の波長の光が試料の表面に向かうように構成されている
。したがって、スキャタロメータは、分光スキャタロメータとして構成できる。一例とし
ては、光源は広帯域放射光を放射するように構成されている。適切な広帯域光源は、放射
された光の偏光状態をランダム化するように構成された光ファイバ・ケーブルに結合され
た白色光源を備え、実質的に一様な入射光線を発生することができる。光ファイバ・ケー
ブルから放射された光は、測定具内に配置された複数の光コンポーネントを通過する。例
えば、光ファイバ・ケーブルから放射された光は入射光線のスポット・サイズを制限する
ように構成されたスリット開口を通過できる。スポット・サイズは、一般に、入射光線に
よって照らされる試料の表面面積として定義することができる。光ファイバ・ケーブルか
ら放射された光は、集光レンズを通過することができる。さらに、光ファイバ・ケーブル
から放射された光は、偏光状態が知られている入射光線を生成するように構成された偏光
器を通過することができる。偏光状態が知られている入射光線は試料の表面に向かうこと
ができる。
【０１７３】
スキャタロメータは、さらに、分光計を含む検出システムを備えている。分光計は、試
料の表面から散乱されたさまざまな波長の光の強度を測定するように構成されている。一
実施形態では、０次回折強度を測定することができる。ただしいくつかの反復可能パター
ン・フィーチャについては、高次の回折強度の測定も可能である。分光計によって生じた
異なる波長における０次および／またはそれ以上の次数の回折強度に対応する信号を分光
計に結合されているプロセッサに送ることができる。プロセッサは、試料の表面の構造の
シグネチャを判別するように構成されている。さらに、プロセッサは、試料の表面上の反
復可能パターン・フィーチャの特性を判別するように構成されている。例えば、判別され
たシグネチャとデータベースに記録されているシグネチャとを比較するようにプロセッサ
を構成することもできる。データベースのシグネチャは、モデル作成により特性および／
またはシグネチャが判別されて知られている試料で実験的に決定されたシグネチャを含む
ことができる。反復可能パターン・フィーチャの特性には、基礎層の周期幅、ステップ高
さ、側壁角度、厚さ、および試料上のフィーチャのプロフィルがある。
【０１７４】
上述のように、スキャタロメータは照明システムに結合されたに偏光器を備えている。
偏光器は、さらに、第１の偏光状態の照明システムの光源により放射された光を透過し、
第２の偏光状態の光源により放射された光を反射するように構成されている。さらに、ス
キャタロメータは、検出システムに結合された検光子を備えている。この検光子は、実質
的に偏光器と同じ偏光状態の光を透過するようになっている。例えば、検光子は、第１の
偏光状態の試料の表面から散乱された光を透過するように構成されている。他の実施形態
では、スキャタロメータは照明システムと検出システムに結合されたステージを備えてい
る。ステージは、本明細書で説明したように構成されている。このようにして、実質的に
異なる特性が試料の表面上に形成される反復可能パターン・フィーチャの特性を順次また
は同時に判別することができる。測定具の例は、ＸｕらによるＰＣＴ出願番号ＷＯ９９／
４５３４０に説明されており、参照により本明細書に完全に規定されているかのように取
り込まれる。試料から散乱された光を測定するように構成された測定具の他の例が、Ｌｅ
ｓｌｉｅらによる米国特許出願第６０８１３２５号、Ｖａｅｚ−Ｉｒａｖａｎｉらによる
米国特許出願第６２０１６０１号、およびＮｉｋｏｏｎａｈａｄらによる米国特許出願第
６２１５５５１号に説明されており、参照により本明細書に完全に規定されているかのよ
うに取り込まれる。
【０１７５】
スキャタロメータなどの測定具は、撮像デバイスまたは非結像デバイスのいずれかであ
ってよい。撮像デバイスでは、試料の表面から散乱された光をレンズにより捕捉すること
ができる。このレンズではさらに、反射光でエンコードされている空間情報を保存するこ
とができる（例えば、光強度の空間分布）。さらに、スキャタロメータは電荷結合素子（
「ＣＣＤ」）カメラ、ＣＭＯＳフォトダイオード、またはフォトゲート・カメラなどの光
検出デバイスのアレイとして構成されている検出器を備えている。それとは別に、非結像
デバイスでは、光源から出た光は、試料の表面上の比較的小さな領域に向けられる。光電
子増倍管、フォトダイオード、またはアバランシェ・フォトダイオードなどの検出器で、
散乱または回折された光を検出し、検出された光の積分した光強度に比例する信号を発生
する。
【０１７６】
他の実施形態では、測定具は、明視野撮像デバイス、暗視野撮像デバイス、または明視
野暗視野撮像デバイスとして構成されている。「明視野」とは一般に、試料からの鏡面反
射光を集めるように構成された集束幾何学的構造を指す。明視野集束幾何学的構造は、任
意の入射角度を持つことができるが、通常は、試料平面に対し法線となる入射の角度を持
つ。明視野撮像デバイスは、光を試料の表面に向けるように構成された光源を備えている
。光源はさらに、試料の表面の実質的に連続する照明を実現するように構成されてもよい
。例えば、光源は蛍光灯であってよい。連続照明もまた、光拡散要素に結合された１列に
並んだ点光源により実現できる。このような光源は、本明細書で説明しているような光源
であればどのようなものをも含む。
【０１７７】
明視野撮像デバイスはさらに、試料の表面から明視野経路に沿って来る明視野光を集め
るように構成された明視野撮像システムを備えている。明視野光は、試料の表面から鏡面
反射された光を含む。明視野撮像システムは、スリット鏡および結像レンズなどの光学コ
ンポーネントを備えている。スリット鏡は、試料の表面から明視野経路に沿って来る明視
野光が結像レンズに向けるように構成されている。結像レンズは、スリット鏡から反射さ
れた明視野光を受け取るように構成されている。例えば、結像レンズは、明視野光の光学
収差を減らし、結像視野の縁の強度減少の効果を低減するように構成された固定レンズで
よい。結像レンズを、レンズを通過する光が結像レンズの後ろに配置されている光検出デ
バイスに集束するように構成することもできる。光検出デバイスとしては、これらに限定
しないが、８０００ＰＮダイオード要素ライン・スキャン・センサ、ＣＣＤカメラ、ＴＤ
Ｉカメラ、またはその他の適切な種類のデバイスを使用できる。
【０１７８】
光検出デバイスの１つまたは複数の出力信号をイメージ・コンピュータに送信して処理
することができる。イメージ・コンピュータは、一般的にマシン・ビジョン業界で使用し
ている並列処理システムとすることができる。イメージ・コンピュータはさらに、明視野
撮像デバイスを制御し、データ処理機能を実行するように構成されたホスト・コンピュー
タに結合することもできる。例えば、データ処理機能としては、試料上の複数の位置に光
を向けることにより発生する光検出デバイスの複数の出力信号を比較することで試料の表
面上の欠陥の有無を判別する機能がある。試料上の複数の位置としては、例えば、図１に
示されているような試料の２つのダイスがを含めることができる。
【０１７９】
「暗視野」とは一般に、試料からの散乱光のみを集めるように構成された集束幾何学的構
造を指す。「二重暗視野」とは一般に、急角度の斜行照明を使用する検査幾何学的構造お
よび入射平面を外れている集光角度を指す。このような配置には、すれすれの照明角度お
よび表面散乱を抑制するすれすれの集光角度が含むことができる。このような抑制は、入
射波と反射波が干渉することで表面近くの暗フリンジ（Ｗｅｉｎｅｒフリンジとも呼ばれ
る）が生じるため発生する。暗視野撮像デバイスは、本明細書で説明しているような光源
であればどのようなものをも含むことができる。二重暗視野デバイスは、撮像デバイスま
たは非結像デバイスのいずれかである。
【０１８０】
暗視野撮像デバイスはさらに、試料の表面から暗視野経路に沿って来る暗視野光を集め
るように構成された暗視野撮像システムを備えている。本明細書で説明している暗視野撮
像システムは、光学コンポーネント、イメージ・コンピュータ、およびホスト・コンピュ
ータを含む。本明細書で説明している方法で、試料の表面の欠陥の有無を試料の暗視野像
から判別することができる。暗視野撮像用に構成された検査システムの例は、Ａｌｍｏｇ
ｙによるＰＣＴ出願番号ＷＯ９９／３１４９０に説明されており、参照により本明細書に
完全に規定されているかのように取り込まれる。
【０１８１】
さらに、測定具は、１つまたは複数の光源を含む、明視野光源および暗視野光源を備え
ている。光源はそれぞれ、試料の表面に関して異なる入射角度で配置することができる。
それとは別に、各光源を試料の表面に対して同じ入射角度で配置することもできる。測定
具はさらに、上で説明したように、明視野および暗視野撮像システムを備えている。例え
ば、測定具は１つまたは複数の撮像システムを備えている。撮像システムはそれぞれ、試
料の表面に対して異なる入射角度で配置することができる。それとは別に、各撮像システ
ムを試料の表面に対して同じ入射角度で配置することもできる。したがって、測定具は、
明視野および暗視野撮像デバイスとして動作するように構成されている。各撮像システム
は、上で説明したように構成されている同じイメージ・コンピュータに結合させることが
できる。さらに、イメージ・コンピュータはホスト・コンピュータに結合させることがで
き、これも上で説明したように構成されている。ホスト・コンピュータも、測定具の明視
野コンポーネントおよび暗視野コンポーネントの両方を制御するように構成することもで
きる。
【０１８２】
しかし、明視野、暗視野、および明視野暗視野デバイスは、非結像デバイスとして構成
することもできる。例えば、上で説明した検出器は、光電子増倍管、フォトダイオード、
またはアバランシェ・フォトダイオードで置き換えることができる。このような検出器は
、明視野光および／または暗視野光の積算光強度に比例する信号を出力するようになって
いる。
【０１８３】
図１２は、使用中試料の少なくとも２つの特性を判別するように構成されたシステム３
２の他の実施形態の概略側面図を示している。後述のように、図３〜７および１２に示さ
れている実施形態のそれぞれにおいて同様に構成できるシステム３２の要素は、同じ参照
文字で示されている。例えば、ステージ４２は図３〜７および１２に示されている実施形
態のそれぞれにおいて同様に構成されている。
【０１８４】
ここで使用しているように、用語「表面」および「裏面」は一般的に、試料の両側を指
す。例えば、ウェーハなど試料の「表面」または「上面」という用語を使用して、半導体
デバイスが形成されるウェーハ面を指すことができる。同様に、ウェーハなど試料の「裏
面」または「下面」という用語を使用して、実質的に半導体デバイスがないウェーハ面を
指すことができる。
【０１８５】
システム３２は、試料４０を支えるように構成されたステージ４２を備えている。図１
２に示されているように、ステージ４２は試料を支持するために試料の外側横縁に近い試
料の裏面に接触する。例えば、このステージは、試料を支持するように構成されたロボッ
ト・ウェーハ・ハンドラを備えている。他の実施形態では、ステージの上面は、試料の裏
面の表面積よりも小さい表面積を持つように構成されている。このようにして、ステージ
４２は試料の中心つまり内側表面領域に近い試料の裏面と接触し試料を支える。一例とし
ては、ステージは、真空チャックまたは静電チャックを備えている。このようなステージ
は、半導体製造プロセス・ツールなどのプロセス・ツールのプロセス・チャンバ内に配置
し、半導体製造工程段階などの工程段階で試料を支えるように構成されている。このよう
なステージはさらに、本明細書で説明しているように他の測定具に取り入れることもでき
る。
【０１８６】
システム３２は、ステージに結合された測定具を備えている。この測定具は複数のエネ
ルギー源４４を備えている。複数のエネルギー源４４の第１のものは、エネルギーが試料
４０の表面４０ａに向けられるように構成されている。図１２に示されているように、２
つの検出器４６ａおよび４６ｂを複数のエネルギー源の第１のものに結合できる。これら
２つの検出器は、第１のエネルギー源に関して異なる角度に配置することができる。この
ようにして、検出器はそれぞれ、試料４０の表面４０ａから来る異なる種類のエネルギー
を検出するように構成されている。例えば、検出器４６ｂは、試料４０の表面から来る暗
視野光を検出するように構成されている。さらに、検出器４６ａは、試料４０の表面から
来る明視野光を検出するように構成されている。しかし、他の実施形態では、単一の検出
器、つまり検出器４６ａまたは検出器４６ｂのいずれかを測定具に装備し、第１のエネル
ギー源に結合することができる。コンポーネント４８などの追加コンポーネントも第１の
エネルギー源に結合できる。例えば、コンポーネント４８は、本明細書で説明しているよ
うな光コンポーネントであればどのようなものでもよい。
【０１８７】
測定具はさらに、コンポーネント５０を備えている。例えば、コンポーネント５０は、
光源から光を試料４０に向けて送り、試料４０から来る光を検出器４６ａに向けて反射す
るように構成されたビーム・スプリッタを備えている。測定具は、さらに、検出器４６ａ
に結合された追加コンポーネント５２を備えている。コンポーネント５２は、上の実施形
態で説明したように構成される。さらに、このようなコンポーネントは検出器４６ｂに結
合することもできる。しかし、コンポーネントのそれぞれの位置および構成は、例えば、
システムによって測定される試料の特性によって異なってよい。
【０１８８】
一実施形態では、複数のエネルギー源４４の第２のものは、エネルギーが試料４０の裏
面４０ｂに向けられるように構成されている。測定具は、さらに、第２のエネルギー源に
結合された検出器４６ｃを備えている。さらに、複数の検出器を第２のエネルギー源に結
合することもできる。検出器４６ｃを第２のエネルギー源に関して、試料４０の裏面４０
ｂから来る特定の種類のエネルギーを検出できるように配置することができる。例えば、
検出器４６ｃを第２のエネルギー源に関して、試料４０の裏面４０ｂから暗視野経路に沿
って来る暗視野光を検出できるように配置することができる。追加コンポーネント４８を
第２のエネルギー源に結合することもできる。コンポーネント４８は、本明細書で説明し
ているような光コンポーネントであればどのようなものでもよい。さらに、システム３２
はプロセッサ５４を備えている。プロセッサ５４は、図１２に示されているように、検出
器４６ａ、４６ｂ、および４６ｃのそれぞれに結合することができる。このプロセッサは
、本明細書で説明したように構成されている。
【０１８９】
したがって、上の実施形態によれば、システム３２は、試料の少なくとも２つの表面上
の少なくとも２つの特性を判別するように構成されている。例えば、システム３２は、試
料の表面の欠陥の有無を判別するように構成されている。さらに、システム３２は、試料
の裏面の欠陥の有無を判別するように構成されている。さらに、このシステムは、試料の
追加表面の欠陥の有無を判別するように構成されている。例えば、このシステムは、試料
の表面、裏面、および縁の欠陥の有無を判別するように構成されている。ここで使用して
いるように、試料の「縁」という用語は一般的に、試料の表面および裏面の実質的に法線
方向となる試料の外側の横の表面を指す。さらに、このシステムは、試料の複数の表面の
欠陥の有無を同時に判別するように構成されている。
【０１９０】
他の実施形態では、さらに、試料の１つまたは複数の表面の欠陥の個数、試料の１つま
たは複数の表面の欠陥の位置、および／または試料の１つまたは複数の表面の欠陥の種類
を、順次または実質的に同時に判別するようにシステムを構成することもできる。例えば
、プロセッサは、測定具によって検出されたエネルギーから、試料の１つまたは複数の表
面上の欠陥の個数、位置、および／または種類を判別するように構成されている。試料の
表面に存在する欠陥の種類を判別する方法の例は、Ｂｅｒｅｚｉｎらによる米国特許出願
第５８３１８６５号に説明されており、参照により本明細書に完全に規定されているかの
ように取り込まれる。試料の表面に存在する欠陥の種類を判別する方法の他の例は、Ｒａ
ｖｉｄらによるＷＯ９９／６７６２６、Ｂｅｎ  ＰｏｒａｔｈらによるＷＯ００／０３２
３４号、およびＨａｎｓｅｎによるＷＯ００／２６６４６号に説明されており、参照によ
り本明細書に完全に規定されているかのように取り込まれる。
【０１９１】
さらに、プロセッサ５４は、試料の少なくとも３つの特性を判別するように構成されて
いる。これら３つの特性には、試料の限界寸法、試料のオーバーレイ・ミスレジストレー
ション、および試料の１つまたは複数の表面上の欠陥の有無、個数、位置、および／また
は種類が含まれる。このようにして、このシステムは、試料の限界寸法、試料のオーバー
レイ・ミスレジストレーション、および試料の１つまたは複数の表面上の欠陥の有無、個
数、位置、および／または種類を順次または実質的に同時に判別するように構成されてい
る。
【０１９２】
このシステムは、試料の１つまたは複数の表面上の微小な欠陥および／または目立つ欠
陥を順次にまたは実質的に同時に判別するように構成されている。目立つ欠陥および微小
な欠陥を判別するように構成されたシステムの例は、Ｓａｎｄｌａｎｄらによる米国特許
出願第４６４４１７２号に説明されており、参照により本明細書に完全に規定されている
かのように取り込まれる。Ｓａｎｄｌａｎｄによって説明されているようなマクロ−ミク
ロ光学系を、本明細書で説明しているように、測定具に組み込み、これを１ステージに結
合することができる。ステージは、本明細書で説明したように構成されている。このよう
にして、Ｓａｎｄｌａｎｄのマクロ−ミクロ光学系は、試料の１つまたは複数の表面上の
微小な欠陥および／または目立つ欠陥を実質的に同時に判別するように構成されている。
さらに、Ｓａｎｄｌａｎｄのマクロ−ミクロ光学系は、試料が単一ステージに配置されて
いる間に試料の１つまたは複数の表面上の微小な欠陥および／または目立つ欠陥を順次判
別するように構成されている。それとは別に、測定具は、Ａｄｄｉｅｇｏによる、参照に
より本明細書に完全に規定されているかのように取り込まれる米国特許出願第５９１７５
８８号に説明されているような光学コンポーネントを備えることができる。例えば、本明
細書で説明しているように、測定具は、Ａｄｄｉｅｇｏによって説明されているような開
発後検査（「ＡＤＩ」）マクロ検査システムのマクロ光学系に結合されたＳａｎｄｌａｎ
ｄによって説明されているようなミクロ光学系を備えている。
【０１９３】
微小な欠陥は、通常、横方向の寸法が約２５μｍ未満である。目立つ欠陥は、横方向の
寸法が約２５μｍを超えるような歩留まりを制限する大規模な欠陥を含む。このような大
規模な欠陥には、レジストの浮き上がり、薄いレジスト、フォトレジストの余分な被覆、
不完全または欠損のあるレジストなどのレジストや現像装置の問題があり、原因は、滴下
ノズルの詰まりや、不正な工程順序、現像装置または水のスポットである。目立つ欠陥の
例として他に、ピンぼけ（「ホット・スポット」）の領域、傾斜したレチクルや間違って
選択されたレチクルなどのレチクルの誤り、ひっかき傷、レジストの現像過剰または不足
などのパターン完全性の問題、粒子や繊維などの汚染、不均一または完全なエッジ・ビー
ド除去（「ＥＢＲ」）などがある。「ホット・スポット」という用語は、例えば、露光ツ
ールの焦点深度の制限、露光ツールの不具合、露光時に試料の平面になっていない表面、
試料の裏面または支持デバイスの表面の異物、または設計上の制約によって生じるフォト
レジスト露光欠陥を指す。例えば、試料の裏面または支持デバイスの表面に異物がついて
いると試料が変形してしまう可能性がある。試料がこのように変形すると、露光プロセス
実行中に焦面が不均一になるおそれがある。さらに、このような不均一な焦面は試料上に
望ましくないまたは欠損パターン・フィーチャ変化として現れてよい。
【０１９４】
上述の欠陥はそれぞれ、暗視野または明視野照明のいずれかのもとでフィーチャ的なシ
グネチャを持つことがある。例えば、ひっかき傷は暗視野照明のもとでは暗色背景に明る
い線として現れる。しかし、フォトレジストが余分であったりフォトレジストの被覆が不
完全だと、明視野照明の下で薄膜干渉効果が発生する。さらに、大きなピンボケ欠陥は暗
視野照明の下で横方向に近いダイスによって生じるパターンと比較してぼんやりとしたま
たは明るいパターンとして現れる。レジストの過剰露光または不足露光によって生じる欠
陥、線幅の大きな変動、大きな粒子、コメット、縞、欠損フォトレジスト、現像不足また
は現像過剰レジスト、および、現像装置スポットなどの他の欠陥は明視野暗視野照明の下
でフィーチャ的なシグネチャを持つ。
【０１９５】
図１に示されているように、試料１０の表面には複数の欠陥がありえる。試料１０の表
面にある欠陥１４はレジスト被覆が不完全であるというものである。例えば、不完全なレ
ジスト被覆は、コーティング・ツールの故障やレジスト滴下システムの故障によって生じ
ることがある。試料１０の表面にある欠陥１６は表面のひっかき傷であろう。試料１０の
表面にある欠陥１８はレジストの層の不均一な領域である。例えば、レジストのこのよう
な不均一な領域は、コーティング・ツールの故障や塗布後焼き付けツールの故障によって
生じることがある。試料１０の表面にある欠陥２０はホット・スポットである。さらに、
試料１０の表面にある欠陥２２は不均一なエッジ・ビード除去（「ＥＢＲ」）であろう。
上述の欠陥はそれぞれ、試料１０の表面のどのような場所にも存在することができる。さ
らに、各欠陥もまたいくつでも、試料の表面に存在する可能性がある。
【０１９６】
試料の表面の欠陥の有無を判別する方法とシステムの他の例は、Ｌｅｖｙらによる米国
特許第４２４７２０３号、Ｌｅｖｙらによる米国特許第４３４７００１号、Ｇａｌｂｒａ
ｉｔｈによる米国特許第４３７８１５９号、Ｊｏｓｅｐｈらによる米国特許第４４４８５
３２号、Ｗｉｈｌらによる米国特許第４５３２６５０号、Ｂｒｏａｄｂｅｎｔ，Ｊｒ．ｅ
ｔ  ａｌ．による米国特許第４５５５７９８号、Ｓａｎｄｌａｎｄらによる米国特許第４
５５６３１７号、Ｌｅｖｙらによる米国特許第４５７９４５５号、Ｇａｌｂｒａｉｔｈに
よる米国特許第４６０１５７６号、Ｓａｎｄｌａｎｄらによる米国特許第４６１８９３８
号、Ｗｉｈｌによる米国特許第４６３３５０４号、Ｐｅｃｅｎによる米国特許第４６４１
９６７号、Ｓａｎｄｌａｎｄらによる米国特許第４６４４１７２号、Ｓａａｄａｔらによ
る米国特許第４７６６３２４号、Ｓｐｅｃｈｔらによる米国特許第４８０５１２３号、Ｄ
ａｖｉｄｓｏｎによる米国特許第４８１８１１０号、Ｔｓａｉらによる米国特許第４８４
５５５８号、Ｃｈａｄｗｉｃｋらによる米国特許第４８７７３２６号、Ｖａｕｇｈｔらに
よる米国特許第４８９８４７１号、Ｄａｎｉｅｌｓｏｎらによる米国特許第４９２６４８
９号、Ｎｅｕｋｅｒｍａｎｓらによる米国特許第５０７６６９２号、Ｊａｎｎらによる米
国特許第５１８９４８１号、Ｖａｕｇｈｔらによる米国特許第５２６４９１２号、Ｗｅｌ
ｌｓらによる米国特許第５３５５２１２号、Ｅｖａｎｓらによる米国特許第５５３７６６
９号、Ｅｍｅｒｙらによる米国特許第５５６３７０２号、Ｇｒｏｓｓによる米国特許第５
５６５９７９号、Ｗｉｈｌらによる米国特許第５５７２５９８号、Ｊｏｈｎｓｏｎらによ
る米国特許第５６０４５８５号、Ｅｍｅｒｙらによる米国特許第５７３７０７２号、Ｖａ
ｅｚ−Ｉｒａｖａｎｉによる米国特許第５７９８８２９号、Ｎｉｋｏｏｎａｈａｄによる
米国特許第５６３３７４７号、Ｔｓａｉらによる米国特許第５８２２０５５号、Ｎｉｋｏ
ｏｎａｈａｄらによる米国特許第５８２５４８２号、Ｊｏｒｄａｎ，ＩＩＩらによる米国
特許第５８６４３９４号、Ｎｉｋｏｏｎａｈａｄらによる米国特許第５８８３７１０号、
Ａｄｄｉｅｇｏによる米国特許第５９１７５８８号、Ｒｏｓｅｎｇａｕｓらによる米国特
許第６０２０２１４号、Ｗｉｈｌらによる米国特許第６０５２４７８号、Ｃｈｕａｎｇら
による米国特許第６０６４５１７号、Ｔｓａｉらによる米国特許第６０７８３８６号、Ｌ
ｅｓｌｉｅらによる米国特許第６０８１３２５号、Ｅｌｙａｓａｆらによる米国特許第６
１７５６４５号、Ａｌｕｍｏｔらによる米国特許第６１７８２５７号、Ａｌｍｏｇｙによ
る米国特許第６１２２０４６号、およびＮｉｋｏｏｎａｈａｄらによる米国特許第６２１
５５５１号に示されており、すべて参照により本明細書に完全に規定されているかのよう
に取り込まれる。欠陥検査方法および装置の他の例は、ＥｌｙａｓａｆらによるＰＣＴ出
願ＷＯ９９／３８００２号、ＲｅｉｎｈｒｏｎらによるＷＯ００／６８６７３号、Ｌｅｈ
ａｎによるＷＯ００／７０３３２号、ＦｅｕｅｒｂａｕｍらによるＷＯ０１／０３１４５
号、およびＡｌｍｏｇｙらによるＷＯ０１／１３０９８号に示されており、参照により本
明細書に完全に規定されているかのように取り込まれる。欠陥検査方法および装置の他の
例は、Ｄｏｔａｎによる欧州特許出願ＥＰ０９９３０１９Ａ２号、ＤｏｔａｎによるＥＰ
１０６１３５８Ａ２号、Ｂｅｎ−ＰｏｒａｔｈによるＥＰ１０６１５７１Ａ２号、Ｈａｒ
ｖｅｙらによるＥＰ１０６９６０９Ａ２号、ＫａｒｐｏｌらによるＥＰ１０８１４８９Ａ
２号、ＰｅａｒｌらによるＥＰ１０８１７４２Ａ２号、およびＫｅｎａｎらによるＥＰ１
０９３０１７Ａ２号に示されており、参照により本明細書に完全に規定されているかのよ
うに取り込まれる。したがって、上述の実施形態はさらに、本明細書で参照により取り込
まれる特許のすべてにおいて説明されているシステムおよび方法のフィーチャを含むこと
ができる。
【０１９７】
他の実施形態では、本明細書で説明しているようなシステムを、試料の平坦性を測定す
るように構成することもできる。「平坦性」とは、一般に、試料の表面積に対する試料の
上面の領域形状特性の平均として定義することができる。例えば、領域形状特性として、
これらに限定されないが、試料の上面の粗さおよび試料上に配置された層の上面の平面一
様性などがある。層の上面の粗さおよび平面一様性は、例えば、測定前に試料に対し実行
するプロセスによって異なり、半導体製造の例では、エッチング、堆積、メッキ、化学機
械研磨、またはコーティングを含むことができる。
【０１９８】
本明細書で説明しているプロセッサは、検出されたエネルギーから、試料の少なくとも
３つの特性を判別するように構成されている。これら３つの特性は、試料の限界寸法、試
料のオーバーレイ・ミスレジストレーション、および試料の平坦さなどである。さらに、
プロセスは、検出されたエネルギーから試料の４つの特性を判別するように構成されてい
る。これら４つの特性には、試料の限界寸法、試料のオーバーレイ・ミスレジストレーシ
ョン、および試料の平坦さ、試料の欠陥の有無、個数、位置、および／または種類を含め
ることができる。したがって、このシステムは、試料の限界寸法、試料のオーバーレイ・
ミスレジストレーション、平坦性測定、および／または試料の表面上の欠陥の有無、個数
、位置、および／または種類を順次または実質的に同時に判別するようになっている。
【０１９９】
図１３は、半導体製造プロセス・ツールに結合されたシステム３２の一実施形態の概略
上面図を示している。例えば、このシステムをリソグラフィ・ツール１３０に結合するこ
とができる。リソグラフィ・ツールは一般にリソグラフィ・トラックまたはクラスタ・ツ
ールと呼ばれ、複数のプロセス・チャンバ１３２、１４４、１４６、１４８、１５０、１
５４、および１５６を含むことができる。プロセス・チャンバの個数と構成は、例えば、
リソグラフィ・ツールで処理されるウェーハの種類によって異なることができる。リソグ
ラフィ・ツールおよびプロセスの例は、Ｕｓｈｉｊｉｍａによる米国特許第５３９３６２
４号、Ｓｈｉｒａｉｓｈｉらによる米国特許出願第５４０１３１６号、Ｈｏｂｂｓらによ
る米国特許第５５１６６０８号、Ｙｏｓｈｉｏｋａらによる米国特許第５９６８６９１号
、およびＰｈａｎらによる米国特許第５９８５４９７号に説明されており、参照により本
明細書に完全に規定されているかのように取り込まれる。リソグラフィ・ツール１３０は
、露光チャンバ１３４を備えている露光ツールに結合することができる。プロセス・チャ
ンバの第１の部分は、レジストの露光の前にリソグラフィ・プロセスの１ステップを実行
するようになっている。プロセス・チャンバの第２の部分は、レジストの露光の後にリソ
グラフィ・プロセスの１ステップを実行するように構成されている。
【０２００】
一実施形態では、リソグラフィ・ツール１３０は少なくとも１つのロボット・ウェーハ
・ハンドラ１３６を備えている。ロボット・ウェーハ・ハンドラ１３６は、第１のプロセ
ス・チャンバから第２のプロセス・チャンバへ試料を移動させるように構成されている。
例えば、ロボット・ウェーハ・ハンドラはベクトル１３８によって一般的に示される方向
に沿って移動するように構成されている。さらに、ロボット・ウェーハ・ハンドラは、ベ
クトル１４０によって示される方向に回転することで試料を、リソグラフィ・ツールの第
１の側に配置されている第１のプロセス・チャンバからリソグラフィ・ツールの第２の側
に配置されている第２のプロセス・チャンバに移動させるように構成することもできる。
第１の側および第２の側は、リソグラフィ・ツールの実質的な両側に配置することができ
る。ロボット・ウェーハ・ハンドラをさらに、リソグラフィ・ツール１３０から露光ツー
ルの露光チャンバ１３４に試料を移動させるように構成することもできる。このようにし
て、ロボット・ウェーハ・ハンドラは、試料を一連のプロセス・チャンバに順次通して、
試料に対してリソグラフィ・プロセスを実行することができる。
【０２０１】
ロボット・ウェーハ・ハンドラをさらに、リソグラフィ・ツールのロード・チャンバ１
４２内に配置されているカセット１４１からリソグラフィ・ツールのプロセス・チャンバ
に試料１３９を移動させるように構成することもできる。このカセットは、リソグラフィ
・プロセスの実行中に処理することができる試料を多数保持するように構成されている。
例えば、カセットは正面開放統一ポッド（「ＦＯＵＰ」）でよい。ロボット・ウェーハ・
ハンドラは、表面処理チャンバ１４４などのプロセス・チャンバ内に試料を配置するよう
になっている。表面処理チャンバは、試料の表面上でヘキサメチルジシラザン（「ＨＭＤ
Ｓ」）などの粘着促進剤を形成するように構成されている。ＨＭＤＳは、約８０℃から約
１８０℃の温度で堆積する。表面処理プロセスの後、ロボット・ウェーハ・ハンドラは、
表面処理チャンバ１４４から試料を取り出し、その試料を冷却チャンバ１４６に入れるよ
うに構成されている。そこで、試料の温度は後の処理に適した温度に下げる（例えば、２
０℃から２５℃程度）ように冷却チャンバ１４６を構成している。
【０２０２】
他の実施形態では、反射防止膜を試料の表面に形成することができる。反射防止膜を試
料に形成するには、スピン・コーティングの後に塗布後焼き付けプロセスを実行する。反
射防止膜の塗布後焼き付けプロセスでは一般に、コーティングされた試料を１７０℃から
２３０℃程度で加熱する必要があるため、この塗布後焼き付けプロセスの後に冷却プロセ
スも実行することができる。
【０２０３】
レジストをさらに、試料上に形成することもできる。ロボット・ウェーハ・ハンドラは
、レジスト塗布プロセス・チャンバ１４８内に試料を配置するようになっている。レジス
トは、試料の上面に自動的に滴下される。レジストを試料上に分配する際に、試料を高速
回転させる。この回転プロセスでレジストを乾燥させ、コーティングされたレジストに悪
影響を及ぼすことなくレジスト塗布プロセス・チャンバから試料を取り出すことができる
。ロボット・ウェーハ・ハンドラは、レジスト塗布プロセス・チャンバ１４８から塗布後
焼き付けプロセス・チャンバ１５０に試料を移動させるようになっている。塗布後焼き付
けプロセス・チャンバは、レジストを塗布した試料を９０℃から１４０℃程度の温度で加
熱するようになっている。塗布後焼き付けプロセスを使用して、レジストから溶剤を追い
出し、表面張力などのレジストの特性を変える。塗布後焼き付けプロセスの後、ロボット
・ウェーハ・ハンドラは、塗布後焼き付けプロセス・チャンバ１５０から試料を取り出し
、その試料を冷却チャンバ１４６に移動させるようになっている。この方法では、試料の
温度を２０℃から２５℃程度に下げることができる。
【０２０４】
ロボット・ウェーハ・ハンドラをさらに、冷却プロセス・チャンバ１４６から露光チャ
ンバ１３４に試料を移動させるように構成することもできる。露光チャンバは、リソグラ
フィ・ツール１３０に結合されたインターフェイス・システム１５２を備えている。イン
ターフェイス・システム１５２は、リソグラフィ・ツールと露光チャンバとの間で試料を
移動させるように構成された機械デバイス１５３を備えている。露光ツールは、露光チャ
ンバ内の試料の位置を揃え、深紫外線などのエネルギーをレジストに照射するようになっ
ている。さらに、露光ツールは、特定の強度のエネルギー、つまり線量をレジストに照射
し、特定の焦点のあった状態にする。試料間、例えば、ダイス毎に線量および焦点の状態
を変えるようにさまざまな露光ツールを構成している。露光システムを、さらに、試料の
外側の横方向のエッジを露光するように構成することもできる。このようにして、試料の
外側の横方向のエッジ近くに配置されているレジストを除去することができる。試料の外
側の横方向のエッジにあるレジストを除去すると、後続のプロセスでの汚染を低減するこ
とができる。
【０２０５】
ロボット・ウェーハ・ハンドラをさらに、露光チャンバ１３４から露光後焼き付けプロ
セス・チャンバ１５４に試料を移動させるように構成することもできる。次に、試料に露
光後焼き付けプロセス・ステップを実行することができる。例えば、露光後焼き付けプロ
セス・チャンバは、試料を９０℃から１５０℃程度の温度に加熱するように構成されてい
る。露光後焼き付けプロセスは、レジスト内の化学反応を促進し、後の処理でレジストの
一部を除去できるようにすることができる。したがって、露光後プロセスのパフォーマン
スがリソグラフィ・プロセスの全体的なパフォーマンスにとって重要である。
【０２０６】
露光後プロセスの後、ロボット・ウェーハ・ハンドラは、露光後焼き付けプロセス・チ
ャンバ１５４から試料を取り出し、その試料を冷却チャンバ１４６に移動させるようにな
っている。試料を冷却した後、試料を現像プロセス・チャンバ１５６に移動するようにロ
ボット・ウェーハ・ハンドラを構成している。現像プロセス・チャンバは、現像液と水を
試料の上に順次滴下し、レジストの一部を除去するように構成されている。したがって、
試料に残っているレジストをパターン化できる。現像プロセス・ステップの後、ロボット
・ウェーハ・ハンドラは、現像プロセス・チャンバから試料を取り出し、その試料を硬焼
き付けプロセス・チャンバまたは現像後焼き付けプロセス・チャンバに移動させるように
なっている。硬焼き付けプロセスは、９０℃〜１３０℃程度の温度に試料を加熱するよう
になっている。硬焼き付けプロセスでは、レジストおよび試料から汚染物質と余分な水を
追い出すことができる。試料の温度は、ここに説明されているように冷却プロセスによっ
て下げられる。
【０２０７】
一実施形態では、システム３２を、リソグラフィ・ツール１３０または他の半導体製造
プロセス・ツールに近い横の位置に配置することができる。図１３に示されているように
、システム３２は、リソグラフィ・ツール１３０のカセット端１６０またはリソグラフィ
・ツール１３０の露光ツール端１６２の近くに配置されることができる。さらに、リソグ
ラフィ・ツール１３０に対するシステム３２の位置は、例えば、リソグラフィ・ツール１
３０内のプロセス・チャンバの構成およびリソグラフィ・ツール１３０を囲む領域のクリ
ーン・ルームの制約によって異なることがある。他の実施形態では、システム３２はリソ
グラフィ・ツール１３０内に配置することができる。リソグラフィ・ツール１３０内のシ
ステム３２の位置は、リソグラフィ・ツール１３０内のプロセス・チャンバの構成によっ
て異なることがある。さらに、複数のシステム３２を、横方向の近い位置に配置および／
またはリソグラフィ・ツール１３０内に配置することができる。各システムは、試料の少
なくとも２つの異なる特性を測定するようになっている。それとは別に、各システムは似
た形で構成されている。
【０２０８】
これらの実施形態のいずれでも、ロボット・ウェーハ・ハンドラ１３６は、リソグラフ
ィ・ツール１３０から試料をシステム３２内のステージに移動させるようになっている。
例えば、リソグラフィ・プロセスの前後またはリソグラフィ・プロセスの各工程の間に試
料をシステム３２内のステージに移動させるようにロボット・ウェーハ・ハンドラ１３６
を構成している。それとは別に、システム３２から試料をリソグラフィ・ツール１３０に
移動させるようにシステム３２内のステージを構成している。一例としては、このステー
ジは、システム３２から試料をリソグラフィ・ツール１３０のプロセス・チャンバに移動
させるように構成されたウェーハ・ハンドラを備えている。さらに、システム３２のステ
ージは、第１のプロセス・チャンバからリソグラフィ・ツール１３０内の第２のプロセス
・チャンバに試料を移動させるように構成されている。システム３２をさらに、システム
３２がそのステージとともにリソグラフィ・ツール１３０内の第１のプロセス・チャンバ
から第２のプロセス・チャンバに移動させるようにそのステージに結合させることができ
る。このようにして、システムは、リソグラフィ・ツール１３０の第１のプロセス・チャ
ンバから第２のプロセス・チャンバに試料が移動するときに試料の少なくとも２つの特性
を判別するようになっている。処理システム内の基板をスキャンする装置と方法の例は、
Ｈｕｎｔｅｒらによる欧州特許出願番号ＥＰ１０８３４２４Ａ２に説明されており、参照
により本明細書に完全に規定されているかのように取り込まれる。
【０２０９】
一実施形態では、システム３２は、統合ステーション・プラットフォーム（「ＩＳＰ」
）システムとして構成されている。システムは、スタンドアロンのクラスタ・ツールとし
て構成できる。それとは別に、ＩＳＰシステムは、プロセス・ツールに結合できる。図１
４は、リソグラフィ・ツール１３０などの半導体製造プロセス・ツールの近くに横方向に
配置され、そのツールに結合できるＩＳＰシステム１５８の一実施形態の透視図である。
このようにして、ＩＳＰシステム１５８は、リソグラフィ・ツール１３０に結合されたク
ラスタ・ツールとして構成されている。例えば、図１３に破線で示されているように、Ｉ
ＳＰシステム１５８はリソグラフィ・ツール１３０のカセット端１６０に結合することが
できる。図１５は、さらに、リソグラフィ・ツール１３０のカセット端１６０に結合され
ているＩＳＰシステム１５８の一実施形態の透視図である。さらに図１３に破線で示され
ているように、リソグラフィ・ツール１３０の露光ツール端１６２のところでＩＳＰシス
テム１５８をインターフェイス・システム１５２に結合することもできる。ＩＳＰシステ
ム１５８は、Ａｌｍｏｇｙによる米国特許出願第６２０８７５１号に説明されているよう
に構成することができ、これは参照により本明細書に完全に規定されているかのように取
り込まれる。
【０２１０】
ＩＳＰシステム１５８をさらに、複数のプロセス・ツールに結合することもできる。例
えば、リソグラフィ・ツールとエッチング・ツールの間にウェーハ・バッファ・ステーシ
ョンとしてＩＳＰシステムを構成している。この方法では、ＩＳＰシステムは、リソグラ
フィ・プロセスの後にリソグラフィ・ツールから試料を受け取り、エッチング・プロセス
のため試料をエッチング・ツールに送るように構成されている。さらに、ＩＳＰシステム
は、リソグラフィ・プロセスとエッチング・プロセスとの間で試料の１つまたは複数の特
性を判別するように構成されている。ウェーハ・バッファ・ステーションの例は、Ｌａｐ
ｉｄｏｔによるＰＣＴ出願番号ＷＯ９９／６０６１４に説明されており、参照により本明
細書に完全に規定されているかのように取り込まれる。ＩＳＰシステム１５８はさらに、
Ｌａｐｉｄｏｔが説明しているように構成されている。
【０２１１】
ＩＳＰシステム１５８は、１つまたは複数の測定チャンバを備えている。例えば、ＩＳ
Ｐシステムを３つの測定チャンバ１７２、１７４、１７６に結合することができる。測定
具を、各測定チャンバ内に配置することができる。各測定具のそれぞれは、本明細書で説
明しているように構成されている。測定チャンバはユニット１６０内に配置することがで
きる。ユニット１６０内の環境条件は、ＩＳＰシステム１５８を囲む空間の環境条件とは
実質的に無関係に制御することができる。例えば、相対湿度、粒子数、および温度などの
ユニット１６０内の環境条件を、ＩＳＰシステムに結合されたコントローラ・コンピュー
タ１６２によって制御することができる。このようなユニットは、一般に、「ミニ環境」
と呼ばれる。
【０２１２】
さらに、第１の測定チャンバ１７２が第２の測定チャンバ１７４の下に配置され、第２
の測定チャンバ１７４が第３の測定チャンバ１７６の下に配置されるように１つまたは複
数の測定チャンバを配置することができる。このようにして、ＩＳＰシステムの横方向領
域すなわち「専有面積」を減らすことができる。さらに、ＩＳＰシステム１５８は半導体
製造プロセス・ツールに結合することができるため、１つの正面インターフェイス機械標
準（「ＦＩＭＳ」front interface mechanical standard）ドロップ(drop)を半導体製造
プロセス・ツールとＩＳＰシステムの両方に結合させることもできる。したがって、製造
施設（「ｆａｂ」）、特に３００ｍｍのウェーハ製造ではＦＩＭＳドロップが少ないこと
が要求される。ＦＩＭＳドロップは、ＦＯＵＰを頭上輸送システムから半導体製造プロセ
ス・ツールまたはスタンドアロン検査または測定ツールに下げるように構成された機械デ
バイスであってよい。試料輸送システムの例は、Ａｒｏｎｓｔｅｉｎらによる米国特許出
願第３９４６４８４号に説明されており、参照により本明細書に完全に規定されているか
のように取り込まれる。
【０２１３】
一実施形態では、ＩＳＰシステム１５８はさらに、ウェーハ・ハンドラ１６４、受け入
れステーション１６６、送り出しステーション１６８、およびバッファ・カセット・ステ
ーション１７０を備えている。受け入れステーション１６６および送り出しステーション
１６８は、半導体製造プロセス・ツールのウェーハ・ハンドラが試料を受け入れステーシ
ョンに移動し、試料を送り出しステーションから移動させるように構成されている。バッ
ファ・カセット・ステーション１７０は、例えば、半導体製造プロセス・ツールおよびＩ
ＳＰシステム１５８の相対的入出力速度に応じて多数の試料を保持するようになっている
。受け入れステーション１６６をさらに、試料の位置を変えて試料を測定チャンバの１つ
に結合された測定具に実質的に揃うように構成することもできる。例えば、受け入れステ
ーションは、試料上のノッチや平坦部などの位置決めマークを検出し、試料を直線的にお
よび／または回転させて動かすようになっている。バッファ・カセット・ステーション１
７０は、Ｄｖｉｒによる米国特許出願第６２１２６９１号に説明されているようにバッフ
ァ・ステーションとして構成でき、これは参照により本明細書に完全に規定されているか
のように取り込まれる。
【０２１４】
ＩＳＰウェーハ・ハンドラは、受け入れステーションから試料を取り出すようになって
いる。さらに、ＩＳＰウェーハ・ハンドラは、試料を測定チャンバの１つに移動させるよ
うに構成されている。さらに、ＩＳＰウェーハ・ハンドラは、試料を順番に各測定チャン
バに移動させるように構成されている。このようにして、ＩＳＰシステムは、並列パイプ
ライン方式で複数の測定チャンバのそれぞれにおいて試料の少なくとも１つの特性を判別
するようになっている。
【０２１５】
さらに、各測定チャンバに結合された測定具はそれぞれ、試料の異なる特性を判別する
ように構成されている。例えば、第１の測定チャンバ１７２に結合された測定具は、試料
のオーバーレイ・ミスレジストレーションを判別するように構成されている。第２の測定
チャンバ１７４に結合された測定具は、試料の限界寸法を判別するように構成されている
。第３の測定チャンバ１７６に結合された測定具は、試料の表面上の目立つ欠陥の有無を
判別するように構成されている。他の実施形態では、測定具は、試料の表面上の微小欠陥
の有無または試料の薄膜特性を判別するように測定チャンバの１つに結合されたている。
本明細書で説明しているように、薄膜特性には厚さ、屈折率、または減衰係数が含まれる
。さらに、ウェーハ・ハンドラ１６４は、各測定チャンバから送り出しステーション１６
８に試料を移動させるように構成されている。
【０２１６】
ＩＳＰシステム１５８はリソグラフィ・ツール１３０などの半導体製造プロセス・ツー
ルに結合できるため、試料の特性を判別する速度はスタンドアロンの測定および検査ツー
ルに比べて高速化できる。したがって、本明細書で説明しているように、システムにより
試料の特性を判別するターンアラウンド時間を短縮できる。ターンアラウンド時間の短縮
はプロセス制御に大きなメリットをもたらすことがある。例えば、ターンアラウンド時間
が短縮されると、スタンドアロンの測定および検査ツールに比べて半導体製造プロセスの
プロセス制御をより厳格に行うことができる。例えば、プロセス制御を厳密に行うと、試
料上のフィーチャの限界寸法分布の変動を低減できる。
【０２１７】
さらに、本明細書で説明しているようなシステムは、ドリフト・プロセス平均を目標値
に合わせて調整し、限界寸法データの自己相関をとり試料上のフィーチャの限界寸法分布
の分散を低減するようになっている。例えば、現像工程段階の後の試料上のフィーチャの
限界寸法分布は、露光ツールまたは現像プロセス・チャンバに結合された計測器のパラメ
ータを変更することにより低減できる。このような変更されるパラメータとして、これら
に限定されないが、露光プロセスの照射線量または現像プロセスの現像時間などがある。
さらに、制御の線形モデルを使用し、オフセット項のみを更新または適応させることがで
きる。制御の線形モデルには、Ａおよびｃを実験的にまたは理論的に決定された制御パラ
メータ、ｘを試料の限界寸法または試料の他のそのように求められた特性、ｙを半導体製
造プロセス・ツールに結合された計測器のパラメータとするｙ＝Ａｘ＋ｃなどの制御関数
を含めることができる。それとは別に、オフセット項の指数重み付き移動平均を使用して
、露光ツールなどの半導体製造ツールに結合された計測器のパラメータを変更することが
できる。比例および積分制御モデルは、□を実験的にまたは理論的に求めた制御パラメー
タ、Ｅt-delを試料の判断された特性、ｃtを半導体製造プロセス・ツールに結合された計
測器のパラメータとするｃt＝□Ｅt-del＋（１−□）ｃt-1などの制御関数を含むことが
できる。
【０２１８】
本明細書で説明しているようなシステムにより現像後の限界寸法分布の分散が劇的に低
減され得る。例えば、ロット間フィードバック制御を使用してウェーハのロット（つまり
、２５）の目標値に限界寸法平均を調整すると、限界寸法分散は約６５％低減される。さ
らに、ロット間フィードバック制御は、ロット限界寸法範囲内の限界寸法に相関関係があ
る場合に効果的である。例えば、自己相関係数が小さいと、ロット間フィードバック制御
を使用しても限界寸法分散は低減しない。しかし自己相関係数が高いと、ロット間フィー
ドバック制御を使用すると限界寸法分散は１５％低減され得る。しかし、ウェーハ間フィ
ードバック制御を使用して限界寸法分散を制御する方法は、ロット限界寸法に相関関係が
ない場合であっても効果的である。例えば、自己相関係数が小さいと、ウェーハ間フィー
ドバック制御を使用すると限界寸法分散は２５％低減することができる。フィードバック
制御が成功するかどうかは、実証済みのＡＰＣフレームワーク、堅牢なプロセス・モデリ
ング、高効率測定、測定遅延を短縮する効率の良い生産方法、およびプロセス・ツール・
ウェーハ・ベースの制御が使用可能であることなどによって決めることができる。さらに
、生産ウェーハの制御に対するターンアラウンド時間の影響も、複数ロット平均制御機能
を使用して平均限界寸法のドリフトを調整することにより調べることができる。目標限界
寸法は、限界寸法データの平均にほぼ等しい値に設定することができる。そこで、ロット
間制御により、限界寸法分散を８％向上させることができる。さらに、ウェーハ間制御に
より、限界寸法分散を１８％向上させることができる。
【０２１９】
図１６は、測定チャンバ１７８内に配置されているシステム３２の実施形態の概略側面
図である。例えば、システム３２は、測定チャンバ１７８内に配置されたステージ４２を
備えている。さらに、システム３２は、測定チャンバ１７８内に配置された測定具３４を
備えている。測定チャンバ１７８はさらに、開口部１７９および開口部１７９に結合され
る機械デバイス（図には示されていない）も備えている。さらに、測定チャンバ１７８は
、そのような複数の開口部と、それらの開口部のそれぞれに結合された機械デバイスを備
えている。機械デバイスは、薄い金属板などの物体を開口部１７９の前に置き、その開口
部から物体を取り除くようになっている。このようにして、機械デバイスは、例えば、試
料４０が開口部１７９を通してステージ４２上に配置されているときに測定チャンバに近
づけるように構成されている。試料４０は、本明細書で説明しているような方法またはデ
バイスによりステージ４２上に配置することができる。試料４０をステージ４２上に配置
した後、機械デバイスにより対象を開口部１７９の前に置くことで、測定チャンバ内の相
対湿度、温度、および粒子数などの環境条件を維持かつ／または制御することができる。
このようにして、システム３２は、維持かつ／または制御された環境条件の下で試料４０
の特性を判別するように構成することができ、これによりシステムの信頼性を高めること
ができる。さらに、測定具３４など（ただし限定されない）のシステム３２のコンポーネ
ントを測定チャンバの外部の環境条件に晒す機会を減らすことができる。したがって、シ
ステム３２のコンポーネントの汚染および／または劣化が低減され、これにより、システ
ム障害の発生、関連する保守および修理コストを低減し、システムの寿命を延ばすことが
できる。
【０２２０】
このシステムはさらに、測定チャンバ１７８の外部に配置されたプロセッサ５４を備え
ている。この方法では、プロセッサは、コントローラ・コンピュータとして構成すること
ができ、例えば、オペレータが測定チャンバの外部でアクセスすることができる。さらに
、測定チャンバ１７８の外部にあるプロセッサ５４を配置することで、測定チャンバ１７
８の寸法を縮小することができる。測定チャンバ１７８の寸法を縮小することにより、シ
ステム３２は、従来の測定および／または検査システムよりも多くのプロセス・ツールに
結合したり、またはその中に配置することができる。例えば、測定チャンバ１７８は、半
導体製造プロセス・ツールのプロセス・チャンバとほぼ同じ寸法となるように構成されて
いる。この方法では、図１３に示されているように、システム３２を既存の半導体製造プ
ロセス・ツール内に配置することができ、しかも、半導体製造プロセス・ツールのプロセ
ス・チャンバの配置を変更する必要がない。例えば、測定チャンバ１７８は、プロセス・
チャンバの１つを測定チャンバ１７８で置き換えることにより、ツール内に配置すること
ができる。システム３２は、本明細書で説明しているように構成されている。
【０２２１】
図１７は、半導体製造プロセス・ツールなどのプロセス・ツールに結合された測定チャ
ンバ１７８の一実施形態の概略側面図を示している。図１７に示されているように、測定
チャンバ１７８は、プロセス・ツールのプロセス・チャンバ１８０の近くに横方向に配置
することができる。それとは別に、測定チャンバをプロセス・チャンバ１８０の近くに垂
直に配置することができる。例えば、測定チャンバをプロセス・チャンバ１８０の上また
は下に配置することができる。図１７に示されているように、プロセス・チャンバ１８０
は、本明細書で説明されているようなレジスト塗布チャンバとすることができる。例えば
、試料１８２をステージ１８４上に配置することができる。ステージ１８４は、電動式回
転チャックまたは当業で知られているその他のデバイスとして構成されている。レジスト
を、滴下システム１８６から試料１８２に滴下させることができる。滴下システム１８６
を、レジスト供給部に結合することができ、多数のパイプおよび／またはホースおよび弁
などの制御機器を備えることができ、レジストをレジスト供給部から試料１８２に転送す
ることができる。滴下システムはさらに、滴下システムを制御するように構成されること
ができるコントローラ・コンピュータに結合することもできる。例えば、コントローラ・
コンピュータは本明細書で説明しているようなプロセッサ５４を備えている。ステージ１
８４は、回転により滴下されたレジストが試料１８２の上に広がり溶剤が滴下されたレジ
ストから蒸発するようになっている。しかし、プロセス・チャンバ１８０は、本明細書で
説明しているようなプロセス・チャンバのいずれでもよい。さらに、測定チャンバ１７８
、プロセス・チャンバ１８０、プロセッサ５４は、ＭｏｏｒｉｎｇらによるＰＣＴ出願番
号ＷＯ９９／０３１３３に説明されているようなモジュール形式のアーキテクチャとして
配置することができ、これは参照により本明細書に完全に規定されているかのように取り
込まれる。
【０２２２】
したがって、一実施形態では、プロセス・ツールのロボット・ウェーハ・ハンドラ、Ｉ
ＳＰシステムのウェーハ・ハンドラ、または本明細書で説明しているようなステージ４２
によりプロセス・チャンバ１８０から測定チャンバ１７８（または測定チャンバ１７８か
らプロセス・チャンバ１８０）へ簡単にかつ素早く試料１８２を移動させることができる
。この方法により、システム３２は、プロセスの各工程段階の間の前に試料の少なくとも
第１の特性および第２の特性を判別するように構成されている。例えば、リソグラフィ・
プロセスでは、試料の第１の特性および第２の特性をレジストを塗布してから露光する前
まで判別することができる。他の例では、試料の第１の特性および第２の特性を、露光し
てから露光後焼き付け前まで判別することができる。さらに他の例では、試料の第１の特
性および第２の特性を、露光後焼き付けしてから現像前まで判別することができる。試料
の第１の特性および第２の特性を現像後に判別することもできる。さらに、このようなシ
ステムは、実質的にプロセス全体の前、または実質的にプロセス全体の後に、少なくとも
試料の第１の特性および第２の特性を判別するようになっている。上述のように構成され
たシステムはさらに、ターンアラウンド時間が比較的短くなる。したがって、上述のよう
に、このようなシステムには、現在使用されている測定および検査システムに勝るいくつ
かの利点がある。
【０２２３】
半導体製造プロセス・ツールなどのプロセス・ツールは、図１７に示されているように
、ステージ１８４などの多数の支持デバイスを備え、工程段階で試料を支持するようにな
っている。例えば、支持デバイスをプロセス・ツールに結合された各プロセス・チャンバ
内に配置することができる。適切な支持デバイスとしては、これらに限定されないが、ス
ピン・コーター、焼き付け板、冷却板、露光ステージ、およびエッチングまたは堆積チャ
ンバ内の静電チャックなどがある。それぞれの支持デバイスでは、試料がその上面に配置
される。各支持デバイスの上面は、プロセス・ツール内に配置された他の支持デバイスの
上面と実質的に平行であってよい、つまり、各プロセス・チャンバ内の各支持デバイスの
向きはそれぞれ、実質的に平行であってよいということである。一実施形態では、システ
ムのステージは、本明細書で説明されているように、上面が図１７に示されているように
、プロセス・ツールの支持デバイスの上面に実質的に平行であってよい、つまり測定チャ
ンバ１７８などの測定チャンバ内のステージの向きは、それぞれ、各プロセス・チャンバ
内の各支持デバイスの向きに実質的に平行であってよい。
【０２２４】
他の実施形態では、システムのステージは、本明細書で説明されているように、上面が
支持デバイスの上面に対してある角度で配置される、つまり測定チャンバ内のステージの
向きは、それぞれ、各プロセス・チャンバ内の各支持デバイスの向きに対しある角度をな
すことができる。例えば、ステージの上面をプロセス・ツールの支持デバイスの上面に対
して９０度の角度で配置することができる。それとは別に、ステージの上面を支持デバイ
スの上面に関して９０度未満の角度で配置することもできる。このような角度により、試
料の表面を真空状態にし、ステージ上の試料の位置を維持する。
【０２２５】
このようなステージとともに測定チャンバ内に配置された測定具の向きを変更すること
もできる。例えば、測定具を、測定具とステージとの間の空間関係（つまり、図３〜７、
１１ａ〜１２、および１６〜１７に示されている空間配置のいずれか）が維持される角度
で配置することができる。このようなステージは、測定具の照明システムと検出システム
に関してある角度で配置することもできる。このようにして、本明細書で説明しているよ
うなシステムにより実行できる検査または測定プロセスで測定具に関して試料を傾斜させ
ることができる。
【０２２６】
上で説明したように測定チャンバ内のステージの角度付きの向きにより、測定チャンバ
の横方向の寸法を縮小することができる。例えば、照明システム、検出システム、および
ステージを、従来の検査および測定システムに比べてよりコンパクトな幾何学的構造に配
置することができる。特に、測定チャンバの横方向の寸法については、２００ｍｍウェー
ハおよび３００ｍｍのウェーハなどの比較的口径の大きな試料に対して大幅に縮小できる
。したがって、半導体製造プロセス・ツール内にこのような測定具を配置する場合も、半
導体製造プロセス・ツールの改造はあまり必要でなくなる。したがって、半導体製造プロ
セス・ツールの既存の構成では、半導体製造プロセス・ツール内にシステムを配置するこ
とができなくなる可能性はあまりない。
【０２２７】
図１８は、プロセス・チャンバ１８８に結合されているシステム３２の一実施形態の概
略側面図を示している。プロセス・チャンバは、半導体製造プロセス・ツールに結合され
たプロセス・チャンバでよい。ステージ１９０は、プロセス・チャンバ１８８内に配置す
ることができる。ステージ１９０は、例えば、半導体製造工程段階で試料１９２を支持す
るようになっている。システム３２は、測定具３４がプロセス・チャンバ１８８の外部に
ある形になるようにプロセス・チャンバ１８８に結合されるが、プロセス・チャンバ内に
配置されたページ１９０に結合されてもよい。例えば、プロセス・チャンバ１８８はプロ
セス・チャンバの１つまたは複数の壁内に配置された実質的に透明な材料からなる１つま
たは複数の比較的小さなセクション１９４を含む。セクション１９４は、プロセス・チャ
ンバの外部にある測定具のエネルギー源からエネルギー・ビームをプロセス・チャンバ内
の試料の表面に送るようになっている。セクション１９４は、試料の表面から戻ってきた
エネルギー・ビームをプロセス・チャンバ１８８の外部にある測定具３４の検出器に送る
ように構成することもできる。実質的に透明な材料は、エネルギー源から届くエネルギー
・ビームおよび戻ってくるエネルギー・ビームがプロセス・チャンバのセクション１９４
を通り、しかも指向性の戻ってくるエネルギー・ビームの特性を変える望ましくない作用
がない光学または材料特性を持つことができる。例えば、エネルギー・ビームの特性を変
える望ましくない作用としては、これらに限定されないが、エネルギー・ビームの偏光ま
たは波長を変えたり、エネルギー・ビームの色収差を高くすることなどがある。さらに、
ＧｒｉｍｂｅｒｇｅｎらによるＰＣＴ出願第９９／６５０５６号に説明されているように
、試料の処理中に使用している化学薬品からプロセス残滓が堆積されるのを低減するよう
なセクション１９４を構成でき、これは参照により本明細書に完全に規定されているかの
ように取り込まれる。
【０２２８】
しかし、プロセス・チャンバおよびプロセス・チャンバ内に配置されているステージの
外部にある測定具を結合する適切なシステムおよび方法は、例えば、プロセス・チャンバ
の構成および／または測定具の構成によって異なってよい。例えば、プロセス・チャンバ
１８８の壁の中に配置されている比較的小さなセクション１９４の配置および寸法は、プ
ロセス・チャンバ内のコンポーネントの構成によって異なることができる。したがって、
プロセス・チャンバ１８８内で測定具３４は化学薬品および環境条件に晒される機会が低
減され、さらには実質的に排除されさえする。さらに、測定具３４は、プロセス・チャン
バ１８８に外部で結合され、測定具はプロセス・チャンバ１８８内で実行される工程段階
の動作、性能、または制御を変えることはない。
【０２２９】
図１８に示されているように、測定具は、上述のリソグラフィ・プロセスの例での塗布
後焼き付けプロセスの後の冷却プロセス、露光後焼き付けプロセス、現像プロセス、また
は本明細書で説明しているような工程段階などの工程段階で、試料の表面に向けてエネル
ギーを放射するように構成されている。さらに、測定具は、工程段階で試料の表面から戻
ってきたエネルギーを検出するようになっている。測定具は、工程段階で実質的に連続し
てまたはさまざまな時間間隔により試料から戻ってきたエネルギーを検出するようになっ
ている。
【０２３０】
システムは、工程段階で試料の少なくとも第１の特性および第２の特性を判別するよう
に構成されたプロセッサを備えている。例えば、工程段階で検出されたエネルギーから限
界寸法およびオーバーレイ・ミスレジストレーションなどの試料の少なくとも２つの特性
を判別するようにプロセッサを構成している。他の実施形態では、さらに、工程段階で測
定具により検出されたエネルギーの変動を検出するようにプロセッサを構成することもで
きる。例えば、工程段階で特徴付けられるシグネチャを得るようにプロセッサを構成して
いる。シグネチャは、工程段階の終わりを表す少なくとも１つの特異性を含む。
【０２３１】
他の実施形態では、さらに、プロセッサをリソグラフィ・ツールなどのプロセス・ツー
ルに結合し、プロセス・ツールに結合された測定器のパラメータを変更するように構成さ
れている。例えば、プロセッサでは、上述のような検出された特異性に対してプロセス・
ツールに結合されている計測器のパラメータを変更することができる。計測器のパラメー
タは、特異性の検出後、工程段階を終了するように変えることができる。さらに、プロセ
ッサは、インサイチュー制御手法を使用して試料の少なくとも１つの判別された特性に対
してプロセス・ツールの測定器のパラメータを変更するように構成されている。
【０２３２】
他の実施形態では、プロセッサは、半導体製造プロセス・ツールなどのプロセス・ツー
ルに結合された計測器のパラメータを監視するように構成されている。例えば、プロセッ
サをリソグラフィ・ツールのレジスト塗布プロセス・チャンバに結合し、そのレジスト塗
布チャンバに結合されている計測器のパラメータを監視するように構成されている。この
ようにして、プロセッサは、レジスト塗布チャンバの電動チャックの回転速度、レジスト
塗布チャンバの滴下システムの滴下時間、および／またはレジスト塗布チャンバの温度お
よび湿度を監視するように構成されている。このプロセッサはさらに、検査対象のウェー
ハに使用されるツールを識別するリアルタイム情報およびＳｏｍｅｋｈによる欧州特許出
願第ＥＰ１０７１１２８Ａ２号で説明されているツールで使用されているプロセス・パラ
メータを供給する方法および装置の例において説明するように構成され、これは、参照に
より本明細書に完全に規定されているかのように取り込まれる。さらに、プロセッサは、
試料の少なくとも１つの判別された特性とプロセス・ツールに結合されている計測器の監
視されるパラメータとの関係を判別するようになっている。例えば、このプロセッサは、
試料上に形成されたレジスト層の表面の欠陥の有無とレジスト塗布チャンバの監視されて
いる温度および／または湿度との関係を判別するように構成されている。さらに、プロセ
ッサは、判別された関係に対して計測器の監視されているパラメータを変更するように構
成されている。例えば、このプロセッサは、判別された関係を用いてレジスト塗布チャン
バに結合されている計測器のパラメータを変更し、試料の表面上の欠陥の有無の判別に対
応してレジスト塗布チャンバの温度および湿度を変えるようになっている。
【０２３３】
このプロセッサをさらに、フィードバック制御手法用いて少なくとも１つの判別された
特性に対してプロセス・ツールに結合されている計測器のパラメータを変更するように構
成することもできる。さらに、このプロセッサをさらに、フィードフォワード制御手法を
用いて少なくとも１つの判別された特性に対してプロセス・ツールに結合されている計測
器のパラメータを変更するように構成することもできる。例えば、システムは、現像プロ
セスで試料の少なくとも２つの特性を判別するように構成されている。このプロセッサは
さらに、試料の現像中または追加試料の現像前に判別された特性の少なくとも１つ対して
現像プロセス・チャンバに結合されている計測器のパラメータを変更するように構成され
ている。さらに、このプロセッサは、プロセス・チャンバ内の試料の後処理前に判別され
た特性の少なくとも１つ対して硬焼き付けプロセス・チャンバなどのプロセス・チャンバ
に結合されている計測器のパラメータを変更するように構成されている。他の一例として
は、プロセッサは、露光ツール、露光後焼き付けチャンバ、レジスト塗布チャンバ、およ
びクラスタ・ツールに含まれるその他のツールまたはチャンバに結合された計測器のパラ
メータを変更するように構成されている。
【０２３４】
他の実施形態では、プロセッサは、試料の少なくとも１つの判別された特性と複数の試
料の特性とを比較するように構成されている。例えば、その複数の試料に試料の処理前に
処理された製品ウェーハを含めることができる。複数の試料の少なくとも２つの特性を、
本明細書で説明しているようなシステムで試料の処理前に判別することができる。この複
数の試料はさらに、その試料と同じロット内の試料またはその試料と異なるロット内の試
料を含むこともできる。したがって、ウェーハ間比較手法またはロット間比較手法を使用
して半導体製造プロセスなどのプロセスを監視するようにプロセッサを構成している。こ
のようにして、プロセッサは、プロセスの性能を監視し、プロセスまたはプロセス・ツー
ルの性能がドリフトしているかどうかを判別するようになっている。半導体ウェーハ処理
のロット間ＣＤ変動を低減する方法と装置は、Ｓｕによる欧州特許出願番号ＥＰ１０６５
５６７Ａ２に説明されており、参照により本明細書に完全に規定されているかのように取
り込まれる。
【０２３５】
それとは別に、プロセッサは、試料の少なくとも１つの判別された特性と少なくとも１
つの所定の範囲の特性とを比較するように構成されている。所定の範囲は、例えば、試料
の設計制約から判別できる。さらに、所定の範囲は、統計的プロセス管理方法を使用して
プロセスの少なくとも１つの特性の変動などの少なくとも１つの特性および追加統計的パ
ラメータの平均を求めることで判別できる。さらに、プロセッサは、少なくとも１つの判
別された特性が所定の範囲を外れている場合に出力信号を発生するように構成されている
。この出力信号は、プロセッサに結合されたモニターに表示される信号などの視覚的信号
でよい。モニターは、表示されている信号をオペレータが確認できるように半導体製造施
設内に配置することができる。それとは別に、この出力信号は、可聴信号または複数の信
号などの当業で知られているどのような信号であってもよい。
【０２３６】
さらに、試料の特性を判別した後、プロセッサは、試料の追加処理を実行できるかどう
かを判別するように構成されている。試料の追加処理を変更または実行して、判別された
特性を変えることができる。このような追加処理は、一般に、「やり直し」と呼ばれる。
このような方法で、プロセッサは作り直し決定を自動的に行うことができる。例えば、試
料上ですでに実行されている可能性のある１つまたは複数の工程段階を反復する再処理を
このような追加処理に含めることができる。さらに、反復工程段階を実行するように構成
された１つまたは複数のプロセス・チャンバに結合されている１つまたは複数の計測器の
パラメータを、フィードフォワード制御手法を使用して判別された特性に対応して変更す
ることができる。このようにして、試料のこのような追加処理は、判別された特性に対し
て計測器のパラメータを変更することにより判別された特性を変更するようになっている
。したがって、このような追加処理で判別された特性を変更し、その判別された特性がそ
の特性の予想値にほぼ等しいか、またはその特性の所定の範囲内に収まるようにできる。
【０２３７】
他の実施形態では、プロセッサは、試料の少なくとも１つの判別された特性に対して測
定具のサンプリング周波数を変更するように構成されている。例えば、判別された特性が
その特性の予想値と実質的に異なる場合、または判別された特性がその特性の所定の範囲
を外れている場合、プロセッサにより、測定具のサンプリング周波数が高められる。この
サンプリング周波数を変更することで、例えば、測定具が試料上の多数の位置からエネル
ギーの方向を決めて検出するように構成される。このようにして、サンプリング周波数を
変更するには、インサイチュー制御手法を使用する。さらに、測定具のサンプリング周波
数を変更して、試料に対する判別された特性の平均などの試料に対する判別された特性の
統計的データを求めることができる。したがって、判別された特性は、ランダム欠陥、反
復欠陥、またはその他のそのような欠陥として分類できる。
【０２３８】
他の一例としては、試料のその後の測定または検査を高めるように、測定具のサンプリ
ング周波数を変更してもよい。このようにして、サンプリング周波数を変更するには、フ
ィードフォワード制御手法を使用する。その後の測定または検査では、試料を追加システ
ムに転送してもよく、これは、本明細書で説明しているように構成し、試料の判別された
特性をさらに調べることができる。試料の判別された特性をさらに調べるために使用する
適切な追加システムとしては、特性を最初に判別するために使用したシステムに比べて感
度、倍率、および／または分解能が高いシステムを含むことができる。
【０２３９】
それとは別に、サンプリング周波数を変更することで、測定具を試料と同じロット内に
ありうる追加試料上の数を増やした位置からエネルギーの方向を決めて検出するように構
成することもできる。さらに、サンプリング周波数を変更することで、測定具を試料と同
じロット内にある個数を増やした試料から、または数を増やしたロットの多数の試料から
エネルギーの方向を決めて検出するように構成する。このようにして、サンプリング周波
数は、フィードバック制御手法を使用して変更することができる。したがって、サンプリ
ング周波数を変更するステップは、インサイチュー制御手法、フィードフォワード制御手
法、またはフィードバック制御手法を使用するステップを含むことができる。さらに、こ
れらの制御手法のそれぞれを使用して、ウェーハ内、ロット内、および／またはロット間
で測定具のサンプリング周波数を変更することができる。
【０２４０】
他の実施形態では、データベースを生成するようにプロセッサを構成できる。このデー
タベースは、試料の少なくとも第１の特性と第２の特性を含むデータの集まりを含むこと
ができる。プロセッサはさらに、データベースを使用して測定具を較正するようになって
いる。例えば、このデータの集合は、参照試料の少なくとも第１の特性と第２の特性を含
むことができる。測定具は、参照試料の第１の特性および第２の特性を判別するように構
成されている。このようにして、プロセッサは、データベース内の参照試料の第１および
第２の特性と参照試料の判別された第１および第２の特性とを比較することにより測定具
を較正するようになっている。例えば、プロセッサは、データベース内の第１および第２
の特性と参照試料の判別された第１および第２の特性との比較結果から補正係数を決定す
るようになっている。さらに、プロセッサは、この補正係数を使用して追加試料の第１お
よび第２の特性を判別するように構成されている。
【０２４１】
他の実施形態では、プロセッサはデータベースを使用して測定具を監視するようになっ
ている。例えば、データベースは試料の少なくとも２つの特性を含むことができる。シス
テムは、所定の時間間隔で試料の少なくとも２つの特性を判別するようになっている。プ
ロセッサは、異なる時間で判別された試料の少なくとも２つの特性を比較するようになっ
ている。したがって、このプロセッサは、測定具の性能が時間の経過とともに変化するか
どうかを判別するように構成されている。他の一例としては、プロセッサは、所定の時間
間隔で複数の試料の少なくとも第１の特性および第２の判別された特性を含むデータの集
合を生成するように構成されている。したがって、プロセッサは、このデータベースを使
用して複数の試料の少なくとも第１の特性と第２の特性を比較するように構成することも
できる。試料または複数の試料の第１および第２の特性を判別するために、測定具を使用
するか、または複数の測定具を使用することができる。プロセッサを、さらに、複数の測
定具に結合することができる。したがって、プロセッサはさらに、上述のようなデータベ
ースを使用して複数の測定具を較正するようになっている。さらに、プロセッサは、上述
のようなデータベースを使用して複数の測定具を監視するように構成することもできる。
【０２４２】
上述のように、プロセッサを複数の測定具に結合させることができる。他の実施形態で
は、プロセッサは複数の測定具のうち少なくとも１つに結合された計測器のパラメータを
変更するようになっている。各測定具は、スタンドアロンの測定または検査デバイスとし
て構成できる。それとは別に、本明細書で説明しているように各測定具を複数のプロセス
・ツールのうち少なくとも１つに結合することができる。さらに、プロセッサを少なくと
も１つのプロセス・ツールに結合することができる。このようにして、プロセッサは、複
数のプロセッサ・ツールのうち少なくとも１つに結合された計測器のパラメータを変更す
るようになっている。さらに、プロセッサは、複数の計測器のパラメータを変更するよう
に構成されている。各計測器は、複数のプロセス・ツールの１つに結合させることができ
る。ただし、プロセッサは、複数のプロセス・ツールのうち少なくとも１つに結合された
複数の計測器のパラメータを変更するように構成させることもできる。例えば、プロセッ
サは、インサイチュー制御手法、フィードバック制御手法、およびフィードフォワード制
御手法を使用して、判別された特性のうち少なくとも１つに対して測定器のパラメータを
変更するように構成されている。
【０２４３】
一実施形態では、プロセッサは測定具に結合されたローカル・プロセッサを備えている
。しかし、このプロセッサは、リモート・コントローラ・コンピュータまたはローカル・
プロセッサに結合されたリモート・コントローラ・コンピュータを備えている。ローカル
・プロセッサは、測定具により出力される信号を少なくとも一部処理するようになってい
る。検出システムによって信号を発生させることができ、これはアナログ信号でもデジタ
ル信号でもよい。例えば、このシステムは、アナログ・デジタル・コンバータを備えてい
る。アナログ・デジタル・コンバータを、検出システムによって生成された信号を変換す
るように構成することができ、デジタル信号はローカル・プロセッサまたはリモート・コ
ントローラ・コンピュータに送信することができる。さらに、リモート・コントローラ・
コンピュータは、少なくとも一部が処理された信号をさらに処理するようになっている。
例えば、ローカル・プロセッサは、試料の少なくとも第１の特性と第２の特性を判別する
ように構成されている。このようにして、リモート・コントローラ・コンピュータは、少
なくとも２つの判別された特性をさらに処理するように構成されている。例えば、判別さ
れた特性をさらに処理する操作には、判別された特性と各特性の所定の範囲とを比較する
操作を含むことができる。さらに、リモート・コントローラ・コンピュータは、判別され
た特性が所定の範囲を外れている場合に出力信号を発生するように構成されている。
【０２４４】
プロセッサはさらに、例えば、パーソナル・コンピュータ・システム、メインフレーム
・コンピュータ・システム、ワークステーション、ネットワーク・アプライアンス、イン
ターネット・アプライアンス、パーソナル・デジタル・アシスタント（「ＰＤＡ」）、テ
レビ・システム、またはその他のデバイスなどのさまざまな形態を取りうる。一般に、「
プロセッサ」という用語は、メモリ媒体からの命令を読み込んで実行する、プロセッサを
備えるデバイスを包含するよう広い意味で定義される。プロセッサおよび制御方法の例は
、Ｋａｍｏｓｈｉｄａによる米国特許第４５７１６８５号、Ｗａｎｇらによる米国特許出
願第５８５９９６４号、Ｃｈｅｎらによる米国特許第５８６６４３７号、Ｍａｔｈｅｗｓ
による米国特許第５８８３３７４号、Ｃｈｏｗらによる米国特許第５８９６２９４号、Ｌ
ｉｎらによる米国特許第５９３０１３８号、Ｃｈｅｎによる米国特許第５９６６３１２号
、Ｒｏｓｅｎｇａｕｓらによる米国特許第６０２０９５７号に説明されており、参照によ
り本明細書に完全に規定されているかのように取り込まれる。プロセッサおよび制御方法
の他の例は、ＬａｍｅｙらによるＰＣＴ出願番号ＷＯ９９／５９２００とＰｕｔｎａｍ−
ＰｉｔｅらによるＰＣＴ出願番号ＷＯ００／１５８７０に説明されており、参照により本
明細書に完全に規定されているかのように取り込まれる。
【０２４５】
図１９は、試料の少なくとも２つの特性を判別する方法の一実施形態を示している。ス
テップ１９６に示されているように、この方法はステージに試料を配置することを含む。
このステージは測定具に結合されている。測定具はそれぞれ、本明細書で説明しているよ
うに構成されている。例えば、測定具は、照明システムと検出システムを備えている。ス
テップ１９８に示されているように、この方法は、照明システムを使用してエネルギーを
試料の表面に向ける方法も含む。さらに、この方法は、ステップ２００に示されているよ
うに、試料の表面から来るエネルギーを検出する方法を含むことができる。さらに、この
方法は、ステップ２０２に示されているように、検出されたエネルギーを処理して、試料
の少なくとも第１の特性および第２の特性を判別する操作を含む。第１の特性には、試料
の限界寸法を含めることができる。限界寸法としては、これに限定しないが、試料のフィ
ーチャの横方向の寸法がある。本明細書で説明しているように、試料の上面に、または試
料の中にフィーチャを形成することができる。第２の特性には、試料のオーバーレイ・ミ
スレジストレーションを含めることができる。オーバーレイ・ミスレジストレーションは
、試料の第２のレベルの第２のフィーチャに対する試料の第１のレベルの第１のフィーチ
ャの横の位置のずれを含む。第１のレベルは、第２のレベルの上に形成することができる
。
【０２４６】
ステージは、本明細書で説明したように構成される。例えば、ステージは、水平移動や
回転移動ができるように構成されている。このようにして、この方法は、ステージを水平
移動または回転移動させる操作を含む。ステージの水平移動または回転移動は、測定具か
ら送られたエネルギーが試料に向けられ、試料から進むように試料を配置する操作を含む
。この方法はさらに、エネルギーが試料の表面に向けられている間、またエネルギーが試
料の表面から検出されている間、ステージを水平移動かつ／または回転移動させる操作を
含むことができる。したがって、この方法は、試料の表面の測定または検査時にステージ
を横方向および／または回転移動させる操作を含むことができる。このようにして、光は
、試料の表面の測定または検査が行われている間、試料の表面上の複数の場所へ向けられ
、複数の場所から進むことができる。したがって、システムは、試料上の複数の位置で試
料の少なくとも２つの特性を判別するように構成されている。他の実施形態では、この方
法は、本明細書で説明したように試料の横方向寸法に沿って直線的に測定具を移動させな
がらステージを回転させる操作を含むことができる。
【０２４７】
測定具の照明システムは本明細書で説明しているように構成されている。さらに、測定
具の検出システムは、本明細書で説明しているように構成されている。例えば、測定具は
、これらに限定されないが非結像スキャタロメータ、スキャタロメータ、分光スキャタロ
メータ、反射率計、分光反射率計、分光楕円偏光計、明視野撮像デバイス、暗視野撮像デ
バイス、明視野暗視野撮像デバイス、コヒーレンス・プローブ顕微鏡、干渉顕微鏡、およ
び光学プロフィルメータを備えている。さらに、測定具は、上記デバイスのどんな組み合
わせも備えている。したがって、測定具は単一の測定具としてまたは複数の測定具として
機能するように構成されている。複数の測定具をシステムの単一の測定具に組み込むこと
ができるため、例えば、第１の測定具の光学要素はさらに第２の測定具の光学要素とする
こともできる。
【０２４８】
一実施形態では、この方法は、試料の第３の特性を判別するために、検出されたエネル
ギーを処理することを含むことができる。試料の第３の特性としては、これらに限定しな
いが、試料の表面上の欠陥の有無、個数、位置、および／または種類および試料の平坦さ
の測定結果であってよい。欠陥には、本明細書で説明しているような目立った欠陥および
／または微小な欠陥がある。さらに、この方法は、検出されたエネルギーを処理して試料
の第３の特性および第４の特性を判別する操作を含むことができる。例えば、第３の特性
は試料の表面上の欠陥の有無、個数、位置、および／または種類を含み、試料の第４の特
性は試料の平坦さの測定結果を含むことができる。したがって、この方法を使用して、試
料の限界寸法、試料のオーバーレイ・ミスレジストレーション、欠陥の有無、個数、位置
、および／または種類、および試料の平坦さ測定結果を判別することができる。この方法
は、試料のこのような特性を順次または実質的に同時に判別することを含むことができる
。他の実施形態では、この方法は、エネルギーを試料の表面および／または裏面に向ける
操作も含むことができる。したがって、この方法はさらに、それぞれ、試料の表面および
／または裏面から来るエネルギーを検出する操作を含むこともできる。このようにして、
この方法はさらに、試料の裏面の欠陥の有無、個数、位置、および／または種類を判別す
ることも含むことができる。これらの欠陥には、目立った欠陥が含まれることがある。
【０２４９】
一実施形態では、ステージと測定具を半導体製造プロセス・ツールなどのプロセス・ツ
ールに結合することができる。半導体製造プロセス・ツールは、本明細書で説明している
ようなリソグラフィ・ツールを含むことができる。ステージと測定具は、本明細書で説明
しているようにプロセス・ツールの近くに横方向に配置することができる。例えば、ステ
ージと測定具は、上述のようにＩＳＰシステム内に配置することができる。それとは別に
、ステージと測定具をプロセス・ツール内に配置することができる。例えば、ステージと
測定具を測定チャンバ内に配置することができる。測定チャンバは、プロセス・ツールに
結合することができる。例えば、測定チャンバは、プロセス・ツールのプロセス・チャン
バ近くで横方向に配置することができる。それとは別に、測定チャンバは、プロセス・ツ
ールのプロセス・チャンバ近くで縦方向に配置することができる。測定チャンバは、プロ
セス・ツール内の環境条件から測定具とステージが隔てられるように構成されている。
【０２５０】
一実施形態では、支持デバイスはプロセス・ツールのプロセス・チャンバ内に配置する
ことができる。支持デバイスは、工程段階で試料を支持するようになっている。例えば、
リソグラフィ・ツールのレジスト塗布チャンバ内に配置された支持デバイスは、電動回転
デバイスに結合されたチャックを備えている。したがって、支持デバイスは、リソグラフ
ィ・プロセスのレジスト塗布工程段階で試料を支持するようになっている。支持デバイス
はさらに、例えば、塗布後焼き付けチャンバ内に配置された焼き付け板を備えている。焼
き付け板は、リソグラフィ・プロセスの塗布後焼き付け工程段階で試料を支持するように
なっている。支持デバイスの上面は、システムのステージの上面に実質的に平行な形にで
きる。それとは別に、ステージの上面を支持デバイスの上面に関して角度を持たせること
ができる。ステージはさらに、ステージの上面に真空を引くことにより、または適切な機
械デバイスを使用して試料をこのような角度に適切に保持するように構成することもでき
る。この方法では、ステージと測定具は、プロセス・チャンバ内に配置された支持デバイ
スに対し実質的に垂直にすることができる。したがって、システムは本質的にその「側面
」に配置することができる。ここで使用している「側面」という用語は一般に、従来の測
定または検査システムの横側壁を指す。プロセス・チャンバの支持デバイスに関するステ
ージの向きは、例えば、プロセス・ツールの寸法およびプロセス・ツール内のプロセス・
チャンバの配置によって異なる。例えば、測定具とステージが既存のプロセス・ツール内
に配置されるようにステージを支持デバイスに対して直角をなすように配置することがで
きる。このようにして、システムは、プロセス・チャンバの再構成を行うことなくプロセ
ス・ツール内に配置することができる。
【０２５１】
他の実施形態では、プロセス・ツールは、本明細書で説明しているように構成されたウ
ェーハ・ハンドラを備えている。例えば、ウェーハ・ハンドラは、１プロセスの１工程の
後にプロセス・チャンバから試料を取り出すようになっている。ウェーハ・ハンドラはさ
らに、１プロセスの１工程段階の前にプロセス・チャンバ内に試料を入れるようにも構成
できる。この方法では、ウェーハ・ハンドラは、各工程段階の間に、試料を第１のプロセ
ス・チャンバから第２のプロセス・チャンバに移動させるように構成されている。ステッ
プ１９６に示されているように、試料をステージ上に配置する操作には、ウェーハ・ハン
ドラを使用してプロセス・ツールからステージに試料を移動させる操作も含まれる。さら
に、この方法は、エネルギーを試料の表面に当てて、試料の表面から来るエネルギーを検
出した後、プロセス・ツールに試料を移動させる操作を含むことができる。このようにし
て、この方法は、プロセスの工程段階の間に試料の少なくとも２つの特性を判別する操作
を含むことができる。
【０２５２】
他の実施形態では、システムのステージをプロセス・ツールのプロセス・チャンバ内に
配置することができる。したがって、ステージは、本明細書で説明しているように支持デ
バイスとして機能するように構成され、工程段階で試料を支持することができる。この方
法では、ステップ１９６に示されているように、試料をステージ上に配置する操作は、プ
ロセス・ツールのプロセス・チャンバ内の支持デバイス上に試料を配置することも含む。
この方法はさらに、工程段階で、試料の表面にエネルギーを向けて、試料の表面から来る
エネルギーを検出することも含むことができる。この方法では、システムは、工程段階で
所定の時間間隔により試料の少なくとも２つの特性を判別するように構成されている。一
実施形態では、この方法はさらに、工程段階を特徴付けるシグネチャを取得することも含
むことができる。シグネチャは、本明細書で説明しているように工程段階の終わりを表す
ことができる少なくとも１つの特異性を含むことができる。さらに、この方法は、インサ
イチュー制御手法を使用して、判別された特性のうち少なくとも１つに対してプロセス・
ツールに結合された測定器のパラメータを変更する操作を含むことができる。
【０２５３】
一実施形態では、ステージと測定具はプロセス・ツールのウェーハ・ハンドラに結合す
ることができる。本明細書で説明しているウェーハ・ハンドラは、試料を支持し移動させ
るようになっている。このようにして、この方法はさらに、試料の移動中に、試料の表面
にエネルギーを向けて、試料の表面から来るエネルギーを検出することも含むことができ
る。したがって、この方法はさらに、第１のプロセス・チャンバから試料を第２のプロセ
ス・チャンバに移動させながら試料の少なくとも２つの特性を判別する操作を含むことが
できる。このようにして、この方法は、プロセスの２つの工程段階の間に試料の少なくと
も２つの特性を判別する操作を含むことができる。例えば、この方法は第１のプロセス・
チャンバ内で試料を冷却する操作を含むことができる。さらに、この方法は第２のプロセ
ス・チャンバ内で試料にレジストを塗布する操作を含むことができる。
【０２５４】
他の一例としては、この方法は、塗布後焼き付け工程段階の後に第１のプロセス・チャ
ンバ内で試料を冷却する操作を含むことができる。この方法はさらに、第２のプロセス・
チャンバ内で試料を露光する操作を含むことができる。他の一例としては、この方法は、
露光後焼き付け工程段階の後に第１のプロセス・チャンバ内で試料を冷却し、第２のプロ
セス・チャンバ内で試料を現像する操作を含むことができる。さらに、この方法は、第１
のプロセス・チャンバ内で試料を現像し、第２のプロセス・チャンバ内で試料を焼き付け
る操作を含むことができる。さらに、この方法は、第１のプロセス・チャンバ内で試料を
現像し、第２のプロセス・チャンバ内でウェーハ・カセットに試料を受け入れる操作を含
むことができる。このようにして、この方法は半導体製造プロセスの２つの工程段階の間
に試料の少なくとも２つの特性を判別する操作を含むことができる。
【０２５５】
他の実施形態では、測定具をプロセス・チャンバに結合し、試料をプロセス・チャンバ
に移動したりプロセス・チャンバから移動させる際に、測定具の下に試料を移動させるよ
うにできる。このようにして、ステージはウェーハ・ハンドラを含むことができる。
【０２５６】
一実施形態では、この方法は、試料の判別された特性と複数の試料の判別された特性と
を比較する操作を含むことができる。例えば、この方法は、ウェーハ間制御手法を使用し
て半導体製造プロセスを監視し評価する操作を含むことができる。さらに、この方法は、
試料上の第１の位置で判別された試料の特性と、試料上の第２の位置で判別された試料の
特性とを比較する操作を含むことができる。したがって、この方法は、ウェーハ内制御手
法を使用して半導体製造プロセスを監視し評価する操作を含むことができる。それとは別
に、この方法はさらに、試料の判別された特性と各特性の所定の範囲とを比較する操作を
含むこともできる。所定の範囲は、例えば、試料上のフィーチャに対する横寸法の許容可
能の範囲または試料の表面上の欠陥の存在の許容など各特性の設計制約によって異なって
よい。この方法はさらに、試料の判別された特性がその特性の所定の範囲を外れている場
合に出力信号を発生する操作を含むことができる。この出力信号は、視覚的信号および／
または可聴信号などさまざまな形態をとることができる。さらに、出力信号は、判別され
た特性のうちどれが所定の範囲を外れているか、また判別された特性が所定の範囲からど
れだけ外れているかを示すようにもなっている。
【０２５７】
他の実施形態では、この方法は、試料の少なくとも判別された第１または第２の特性に
対して測定具のサンプリング周波数を変更する操作を含むことができる。例えば、この方
法は、判別された特性に対して測定具のサンプリング周波数を高める操作を含むことがで
きる。単一の試料上の位置の数を増やしてそれらの位置で少なくとも２つの特性を判別で
きるようにサンプリング周波数を高めることができる。それとは別に、ウェーハの１ロッ
ト内などの試料上の位置の数を増やしてそれらの位置で少なくとも２つの特性を判別でき
るようにサンプリング周波数を高めることができる。さらに、ロットの数を増やしてそれ
らのロットについて少なくとも２つの特性を判別できるようにサンプリング周波数を高め
ることができる。
【０２５８】
一実施形態では、この方法は、フィードバック制御手法を使用して、試料の判別された
特性のうち少なくとも１つに対して測定具に結合された測定器のパラメータを変更する操
作を含むことができる。例えば、試料の特性が所定の範囲を外れていると判断された場合
、この方法では、測定具で追加試料の少なくとも２つの特性を判別する前に測定具のサン
プリング周波数を高めることができる。追加試料については、所定の範囲を外れている少
なくとも１つの特性を持つ試料と実質的に同じ工程段階またはプロセスがすでに行われて
いるかもしれない。このようにして、この方法は、データが生成されるように試料の数を
増やしてサンプリングする操作を含み、これを使用して、所定の範囲を外れている試料の
特性が整然と生じているかまたは無作為に生じているかを判別することができる。
【０２５９】
他の実施形態では、この方法は、フィードフォワード制御手法を使用して、試料の判別
された特性のうち少なくとも１つに対して測定具に結合された測定器のパラメータを変更
する操作を含むことができる。例えば、この方法は、測定具を使用し、プロセスの第１の
工程段階の後に試料の少なくとも２つの特性を判別する操作を含むことができる。またこ
の方法は、測定具を使用し、プロセスの第２の工程段階の後に試料の少なくとも２つの特
性を判別する操作を含むことができる。第１の工程段階の後に判別された試料の特性のう
ちの１つが所定の範囲を外れている場合、第２の工程段階の後の少なくとも２つの特性を
判別する前に測定具のサンプリング周波数を高めることができる。例えば、第２の工程段
階には、試料を再処理するか、または第１の工程段階の後に判別された特性の少なくとも
１つに対して変更されたプロセスの工程段階を実行する操作を含むことがある。例えば、
第２の工程段階は、試料の特性を変更して特性が第２の工程段階の後に所定の範囲内に収
まるように構成されている。このようにして、この方法を使用し、第２の工程段階により
試料の特性が変更されたかどうかを判別することができる。
【０２６０】
他の実施形態では、この方法はデータベースを生成する操作を含むことができる。デー
タベースは、試料の少なくとも２つの判別された特性を含むことができる。この方法では
さらに、データベースを使用して測定具を較正する操作を含むことができる。例えば、デ
ータベースは、参照試料の少なくとも第１の特性と第２の特性を含むことができる。さら
に、この方法は、測定具で参照試料の第１の特性および第２の特性を判別する操作を含む
ことができる。このようにして、この方法は、データベース内の参照試料の特性の少なく
とも１つと測定具で判別した参照試料の特性の少なくとも１つとを比較することにより測
定具を較正する操作を含むことができる。例えば、この方法は、参照試料の少なくとも１
つの特性の比較から相関係数を求め、この相関係数を用いて追加試料の少なくとも第１お
よび第２の特性を判別する操作を含むことができる。
【０２６１】
他の実施形態では、この方法は、データベースを使用して測定具により生成された判別
された特性を監視する操作を含むことができる。例えば、データベースは試料の少なくと
も２つの特性を含む。この方法は、所定の時間間隔で試料の少なくとも２つの特性を判別
する操作を含む。このようにして、この方法は、データベース内の試料の少なくとも２つ
の特性とさまざまな時間に判別した試料の少なくとも２つの特性とを比較する操作を含む
。したがって、この方法は、測定具の性能が時間の経過とともに変化するかどうかを判別
する操作を含むことができる。他の一例としては、この方法は、複数の試料の少なくとも
２つの特性を含むデータベースを生成する操作を含むことができる。複数の試料の少なく
とも２つの特性を判別するために測定具を使用できる。したがって、この方法は、このデ
ータベースを使用して複数の試料の判別された特性のうち少なくとも１つを比較する操作
を含むことができる。それとは別に、複数の試料の第１の特性と第２の特性を判別するた
めに複数の測定具を使用できる。したがって、この方法はさらに、上述のようなデータベ
ースを使用して複数の測定具を較正する操作を含むこともできる。さらに、この方法は、
上述のように複数の測定具により生成された判別された特性を監視する操作をも含む。一
実施形態では、この方法はさらに、試料の判別された特性のうち少なくとも１つに対して
複数の測定具のそれぞれに結合された測定器のパラメータを変更する操作を含むこともで
きる。複数の測定具のそれぞれに結合された計測器のパラメータを変更することについて
は、本明細書で説明しているどの実施形態も含む。
【０２６２】
他の実施形態では、この方法は、フィードバック制御手法を使用して試料の判別された
特性の少なくとも１つに対して半導体製造プロセス・ツールなどのプロセス・ツールに結
合された計測器のパラメータを変更する操作を含むことができる。例えば、この方法は、
上述のような判別された特性に対してリソグラフィ・ツールに結合されている計測器のパ
ラメータを変更する操作を含むことができる。さらに、この方法は、インサイチュー制御
手法を使用して、試料の判別された特性のうち少なくとも１つに対して計測器のパラメー
タを変更する操作を含むことができる。例えば、この方法は、測定具により特異性が検出
された頃に工程段階を終了する操作を含むことができる。
【０２６３】
さらに、この方法は、フィードフォワード制御手法を使用して、判別された特性のうち
少なくとも１つに対してプロセス・ツールに結合された測定器のパラメータを変更する操
作を含むこともできる。例えば、この方法は、現像プロセス・チャンバ内の現像プロセス
で試料の少なくとも２つの特性を判別する操作を含むことができる。さらに、この方法は
、プロセス・チャンバ内の試料の後処理前に判別された特性の少なくとも１つ対してプロ
セス・チャンバに結合されている計測器のパラメータを変更する操作を含むことができる
。さらに、この方法は、試料の判別された特性のうち少なくとも１つに対して複数のプロ
セス・ツールのそれぞれに結合された測定器のパラメータを変更する操作を含むことがで
きる。複数のプロセス・ツールのそれぞれに結合されている計測器のパラメータを変更す
ることについては、本明細書で説明しているどの実施形態も含む。
【０２６４】
他の実施形態では、この方法は、プロセス・ツールに結合された計測器のパラメータを
監視する操作を含むことができる。例えば、この方法は、リソグラフィ・ツールのレジス
ト塗布チャンバに結合された計測器のパラメータを監視する操作を含むことができる。こ
のようにして、この方法は、レジスト塗布チャンバの電動チャックの回転速度、レジスト
塗布チャンバの滴下システムの滴下時間、および／またはレジスト塗布チャンバの温度お
よび湿度を監視する操作を含むことができる。さらに、この方法は、試料の判別された特
性と計測器の監視されているパラメータとの関係を判別する操作を含むことができる。例
えば、この方法は、試料上に形成されたレジストの表面の欠陥の有無とレジスト塗布チャ
ンバの温度および／または湿度との関係を判別する操作を含むことができる。さらに、こ
の方法は、その関係に対して計測器の監視されているパラメータを変更する操作を含むこ
とができる。例えば、この方法は、判別された関係を用いてレジスト塗布チャンバに結合
されている計測器のパラメータを変更し、試料の表面上の欠陥の有無の判別に対応してレ
ジスト塗布チャンバの温度および湿度を変える操作を含むことができる。他の実施形態で
は、この方法は、試料の少なくとも１つの判別された特性に対して複数のプロセス・ツー
ルのそれぞれに結合された測定器のパラメータを変更する操作を含む。複数のプロセス・
ツールのそれぞれに結合された計測器のパラメータを変更することは、本明細書で説明し
ているようなどの実施形態も含む。
【０２６５】
他の実施形態では、検出されたエネルギーを処理する操作は、プロセッサを使用して試
料の第１および第２の特性を判別する操作を含むことができる。このプロセッサを測定具
に結合することができる。したがって、この方法は、検出されたエネルギーを表す信号を
プロセッサに送信することになる。プロセッサは、上の実施形態で説明されているように
構成することもできる。例えば、プロセッサはリモート・コントローラ・コンピュータに
結合されたローカル・プロセッサを含む。ローカル・プロセッサは、上の実施形態で説明
したように測定具に結合することができる。図２０は、試料の少なくとも２つの特性を判
別する方法の一実施形態を示している。例えば、ステップ２０２に示されているように、
この方法は、検出されたエネルギーを処理して、プロセッサを使用し、試料の第１の特性
および第２の特性を判別する操作を含むことができる。ステップ２０６に示されているよ
うに、検出された光を処理する操作は、ローカル・プロセッサを使用して検出されたエネ
ルギーを少なくとも一部処理することをも含む。この方法はさらに、ステップ２０８に示
されているように、一部処理された検出済みエネルギーをローカル・プロセッサからリモ
ート・コントローラ・コンピュータに送信することも含む。さらに、この方法は、ステッ
プ２１０に示されているように、リモート・コントローラ・コンピュータを使用して、少
なくとも一部が処理された検出済み光を処理する方法を含む。
【０２６６】
一実施形態では、検出されたエネルギーを少なくとも一部処理する操作は、試料の少な
くとも２つの特性を判別する操作を含む。したがって、検出されたエネルギーをさらに処
理する操作は、試料の判別された特性を処理する操作を含む。例えば、判別された特性を
処理する操作は、上の実施形態で説明したように、データベースを生成する操作を含む。
さらに、判別された特性を処理する操作は、判別された特性の少なくとも１つおよび、試
料の少なくとも１つの特性と計測器の変更されたパラメータを決定するためにプロセス・
ツールに結合されている計測器のパラメータとの関係を使用することを含む。検出された
光を少なくとも一部処理することや検出された光をさらに処理することには、本明細書で
説明しているように、追加ステップを含むこともできる。
【０２６７】
一実施形態はさらに、本明細書で説明しているようなステップのどれをも含む方法によ
り製造できる半導体デバイスにも関係する。例えば、半導体デバイスを製造する方法の一
実施形態は図１９に示されている。ステップ２０４に示されているように、この方法は、
ウェーハなどの試料の上に半導体デバイスの一部を製造することを含む。半導体デバイス
の一部を製造することには、半導体製造プロセスを使用して試料を処理する操作も含まれ
る。適切な半導体製造プロセスとしては、これらに限定されないが、リソグラフィ、エッ
チング、イオン注入、化学気相蒸着法、物理気相蒸着法、化学機械研磨、およびメッキが
ある。さらに、半導体デバイスの一部を製造することには、半導体製造プロセスの工程段
階を使用して試料を処理する操作が含まれる。
【０２６８】
一実施形態では、半導体デバイスを製造する方法は、さらに、ステップ１９６に示され
ているように、ステージの上の試料を処理することも含む。さらに、半導体デバイスを製
造する方法は、ステップ１９８に示されているように、試料に形成された半導体デバイス
の一部の表面にエネルギーを向ける操作を含む。この方法はさらに、ステップ２００に示
されているように、試料上に形成された半導体デバイスの一部の表面から来るエネルギー
を検出することも含む。さらにステップ２０２に示されているように、この方法は、検出
された光を処理して、試料に形成された半導体デバイスの一部の少なくとも２つの特性を
判別する操作を含む。さらに、半導体デバイスを製造する方法は、本明細書で説明してい
るようなあらゆるステップを含む。
【０２６９】
図２１は、システムを制御して試料の少なくとも２つの特性を判別するコンピュータで
実施される方法の一実施形態を示す。一実施形態では、このシステムは測定具を備えてい
る。ステップ２１２に示されているように、この方法は、照明システムと検出システムを
備えている測定具を制御する操作を含む。測定具をステージに結合する。この測定具は、
本明細書で説明しているように構成されている。さらに、この方法は、ステップ２１４に
示されているように、照明システムを制御して試料の表面にエネルギーを向ける操作も含
む。この方法はさらに、ステップ２１６に示されているように、検出システムを制御して
試料の表面から来るエネルギーを検出する操作を含む。さらに、この方法は、ステップ２
１８に示されているように、検出されたエネルギーを処理して、試料の少なくとも第１の
特性および第２の特性を判別することを含む。第１の特性には、試料の限界寸法を含める
ことができる。限界寸法としては、これらに限定されないが、試料の表面に形成されたフ
ィーチャの横方向の寸法、高さ、および／または側壁角度がありうる。それとは別に、限
界寸法としては、試料内に形成されたフィーチャの横方向の寸法、高さ、および／または
側壁角度などがある。第２の特性には、試料のオーバーレイ・ミスレジストレーションを
含めることができる。
【０２７０】
一実施形態では、この方法は、試料を支持するように構成されるステージを制御する操
作を含む。例えば、この方法では、ステージを制御することにより、ステージを横方向へ
移動、回転移動、または横方向回転移動させることができる。照明システムがエネルギー
を試料の表面に向けている間、また検出システムが試料の表面から来るエネルギーを検出
している間、ステージを移動させるように制御することができる。
【０２７１】
他の実施形態では、この方法は、検出されたエネルギーを処理して試料の第３の特性を
判別する操作を含むこともできる。例えば、第３の特性は試料の表面上の欠陥の有無を含
む。第３の特性にはさらに、試料の表面上の欠陥の個数、位置、および／または種類を含
む。欠陥には、微小な欠陥、目立った欠陥、または微小かつ目立つ欠陥がある。一実施形
態では、この方法は、照明システムを制御してエネルギーを試料の裏面に向ける操作をも
含む。この方法はさらに、検出システムを制御して、試料の裏面から来るエネルギーを検
出することも含む。したがって、試料の第３の特性はさらに、その試料の裏面にある欠陥
の有無を含む。このような欠陥には、目立った欠陥が含まれる。さらに、第３の特性は試
料の平坦さ測定結果をも含む。他の実施形態では、この方法は、検出された光を処理して
試料の第３および第４の特性を判別する操作をも含む。この方法により、第３および第４
の特性には、これらに限定されないが、試料の表面上の欠陥の有無、個数、位置、および
／または種類および試料の平坦さ測定結果などがある。さらに、この方法は、特性のうち
少なくとも２つを実質的に同時に判別する操作をも含む。この方法は、上述の４つの特性
すべてを順次または実質的に同時に判別する操作をも含む。
【０２７２】
一実施形態では、ステージと測定具を、本明細書で説明しているように、プロセス・ツ
ールに結合することができる。例えば、ステージと測定具をリソグラフィ・ツールに結合
することができる。この方法はさらに、プロセス・ツールのウェーハ・ハンドラを制御し
、プロセス・ツールからステージへ試料を移動させる操作をも含む。ウェーハ・ハンドラ
は、本明細書で説明したようになっている。それとは別に、この方法は、ステージを制御
し、試料をシステムからプロセス・ツールに移動させる操作を含む。他の実施形態では、
この方法は、ステージを制御して第１のプロセス・チャンバから第２のプロセス・チャン
バへ試料を移動させる操作をも含む。第１および第２のプロセス・チャンバは、本明細書
で説明したように構成されている。このようにして、この方法は、ステージで試料を第１
のプロセス・チャンバから第２のプロセス・チャンバに移動させている間に照明システム
を制御し、エネルギーを試料の表面に向ける操作をも含む。さらに、この方法は、ステー
ジで試料を第１のプロセス・チャンバから第２のプロセス・チャンバに移動させている間
に検出システムを制御し試料の表面から来るエネルギーを検出する操作をも含む。したが
って、この方法は、プロセスの２つの工程段階の間に試料の少なくとも２つの特性を判別
する操作を含む。
【０２７３】
他の実施形態では、この方法は、工程段階で試料の表面にエネルギーを向けるために照
明システムを制御することを含む。さらに、この方法は、工程段階で試料の表面から来る
エネルギーを検出するために検出システムを制御することをも含む。したがって、この方
法は、工程段階で検出されたエネルギーを処理して所定の時間間隔により試料の少なくと
も２つの特性を判別する操作をも含む。このようにして、この方法はさらに、システムを
制御して工程段階を特徴付けるシグネチャを取得することも含む。シグネチャは、工程段
階の終わりを表す可能性のある少なくとも１つの特異性を含む。さらに、この方法は、イ
ンサイチュー制御手法を使用して、システムを制御し判別された特性に対してプロセス・
ツールに結合された測定器のパラメータを変更する操作を含む。さらに、コンピュータで
実施される方法には、本明細書で説明しているようなあらゆるステップを含む。
【０２７４】
一実施形態では、コントローラをシステムに結合することができる。コントローラは、
上記の実施形態によりソフトウエアを操作してシステムを制御するように構成されたコン
ピュータ・システムとすることができる。コンピュータ・システムは、システムを制御し
、検出されたエネルギーを処理するためのコンピュータ・プログラムを格納するメモリ媒
体を備えている。「メモリ媒体」という用語は、インストール媒体、例えばＣＤ−ＲＯＭ
やフロッピー（登録商標）・ディスク、ＤＲＡＭ、ＳＲＡＭ、ＥＤＯ  ＲＡＭ、Ｒａｍｂ
ｕｓ  ＲＡＭなどのコンピュータ・システム・メモリ、または磁気媒体などの不揮発性メ
モリ、例えばハードディスク・ドライブや光記憶装置を含むものとする。メモリ媒体には
、他の種類のメモリも、あるいはそれらの組み合わせも使用できる。さらに、メモリ媒体
は、プログラムが実行される第１のコンピュータ内に配置したり、第１のコンピュータに
ネットワーク経由で接続する第２の別のコンピュータ内に配置することもできる。後者の
場合、第２のコンピュータは実行するプログラム命令を第１のコンピュータに送る。また
、コンピュータ・システムは、パーソナル・コンピュータ・システム、メインフレーム・
コンピュータ・システム、ワークステーション、ネットワーク・アプライアンス、インタ
ーネット・アプライアンス、パーソナル・デジタル・アシスタント（「ＰＤＡ」）、テレ
ビ・システム、またはその他のデバイスなどのさまざまな形態を取りうる。一般に、「コ
ンピュータ・システム」という用語は、メモリ媒体から命令を読み込んで実行するプロセ
ッサを備えるどんなデバイスも含む広い意味で定義される。
【０２７５】
メモリ媒体は、試料の少なくとも２つの特性を判別するシステムのオペレーションのた
めのソフトウェア・プログラムを格納するようになっている。ソフトウェア・プログラム
は、手続きベースの手法、コンポーネント・ベースの手法、および／またはとりわけオブ
ジェクト指向の手法を含むさまざまな方法で実装することができる。例えば、Ａｃｔｉｖ
ｅＸコントロール、Ｃ＋＋オブジェクト、Ｊａｖａ（登録商標）Ｂｅａｎｓ、Ｍｉｃｒｏ
ｓｏｆｔ  Ｆｏｕｎｄａｔｉｏｎ  Ｃｌａｓｓｅｓ（「ＭＦＣ」）、またはその他の技術
もしくは方法を望みに応じて使用してソフトウェア・プログラムを実装することができる
。メモリ媒体からコードおよびデータを読み込んで実行するホストＣＰＵなどのＣＰＵは
、上述の方法によりソフトウェア・プログラムを作成して実行する手段を備えている。
【０２７６】
さまざまな実施形態はさらに、キャリア媒体に関する前述の説明により実装された命令
および／またはデータを受信することまたは格納することを含む。適切なキャリア媒体に
は、磁気または光媒体などのメモリ媒体や記憶媒体、例えば、ディスクやＣＤ−ＲＯＭ、
さらにネットワークおよび／または無線リンクなどの通信媒体を介して伝達される電気信
号、電磁信号、またはデジタル信号などの信号が含まれる。
【０２７７】
実施形態は、試料の欠陥の有無および試料の薄膜特性を含む、試料の特性の少なくとも
二つを判別するように構成されているシステムに関係する。例えば、欠陥の有無は、本明
細書で説明しているように、試料の表面または裏面に対して判別する。これらの欠陥はさ
らに、銅汚染および／またはレジスト汚染を含む、面の下の欠陥および／または試料の裏
面の目立つ欠陥の有無も含む。さらに、薄膜特性は、銅などの薄膜の厚さを含む。システ
ムは、本明細書で説明しているようになっている。さらに、このようなシステムのプロセ
ッサは、測定具により検出されたエネルギーから試料の追加特性を判別するようにも構成
されている。一実施形態では、測定具は、非結像スキャタロメータ、スキャタロメータ、
分光スキャタロメータ、反射率計、分光反射率計、楕円偏光計、分光楕円偏光計、明視野
撮像デバイス、暗視野撮像デバイス、明視野暗視野撮像デバイス、明視野非結像デバイス
、暗視野非結像デバイス、明視野暗視野非結像デバイス、二重暗視野デバイス、コヒーレ
ンス・プローブ顕微鏡、干渉顕微鏡、光学プロフィルメータ、二重ビーム分光光度計、ビ
ーム・プロフィル楕円偏光計、またはそれらの任意の組み合わせとして構成されている。
このようにして、測定具は単一の測定具としてまたは複数の測定具として機能するように
構成されている。複数の測定具をシステムの単一の測定具に組み込むことができるため、
例えば、第１の測定具の光学素子はさらに第２の測定具の光学素子とすることもできる。
このようなシステムは、本明細書で説明しているように、化学機械研磨ツール、堆積ツー
ル、エッチング・ツール、湿式または乾式ストリッピング・ツールなどの洗浄ツール、ま
たは試料の高速熱加工（「ＲＴＰ」）を実行するように構成された加熱炉などのサーマル
・ツールに結合することができる。洗浄ツールの例は、ＰＣＴ出願番号ＷＯ００／１７９
０７および１９９８年４月１日〜３日間にＦｉｎｅ  Ｐａｒｔｉｃｌｅ  Ｓｏｃｉｅｔｙ
の第２８回年次総会でイスラエルのＯｒａｍｉｒ  Ｓｅｍｉｃｏｎｄｕｃｔｏｒ  Ｅｑｕ
ｉｐｍｅｎｔ  Ｌｔｄ．のＧｅｎｕｔらが発表した「Ｃｈｅｍｉｃａｌｌｙ  Ａｓｓｉｓ
ｔｅｄ  Ｌａｓｅｒ  Ｒｅｍｏｖａｌ  ｏｆ  Ｐｈｏｔｏｒｅｓｉｓｔ  ａｎｄ  Ｐａｒ
ｔｉｃｌｅｓ  ｆｒｏｍ  Ｓｅｍｉｃｏｎｄｕｃｔｏｒ  Ｗａｆｅｒｓ」で説明されてお
り、参照により本明細書に完全に規定されているかのように取り込まれる。
【０２７８】
分光楕円偏光計は、入射偏光光線を試料に集中させ、広範な波長スペクトルにわたって
試料から来るビームの少なくとも一部の偏光の変化を監視する機能を備えている。分光楕
円偏光計の例は、Ｇｏｌｄらによる米国特許第５０４２９５１号、Ｒｏｓｅｎｃｗａｉｇ
らによる米国特許第５４１２４７３号、Ｃｈｅｎらによる米国特許第５５８１３５０号、
Ｒｏｓｅｎｃｗａｉｇらによる米国特許第５５９６４０６号、Ｆａｎｔｏｎらによる米国
特許第５５９６４１１号、Ｃａｒｔｅｒらによる米国特許第５７７１０９４号、Ａｓｐｎ
ｅｓらによる米国特許第５７９８８３７号、Ａｓｐｎｅｓらによる米国特許第５８７７８
５９号、Ｂａｒｅｋｅｔらによる米国特許第５８８９５９３号、Ａｓｐｎｅｓらによる米
国特許第５９００９３９号、Ｎｏｒｔｏｎによる米国特許第５９１７５９４号、Ａｓｐｎ
ｅｓらによる米国特許第５９７３７８７号、Ｌｅｅらによる米国特許第６１８４９８４号
に説明されており、参照により本明細書に完全に規定されているかのように取り込まれる
。分光楕円偏光計の他の例は、ＲｏｓｅｎｃｗａｉｇらによるＰＣＴ出願番号ＷＯ９９／
０９２７０に説明されており、参照により本明細書に完全に規定されているかのように取
り込まれる。
【０２７９】
分光楕円偏光計として構成されている測定具は、検出システムに結合できる偏光器を備
えている。試料から来るビームはこの偏光器を通る。偏光器を通過する前は、戻ってきた
ビームは楕円偏光である。偏光器を通過した後、ビームは直線偏光になる。その後、反射
光が、検出システムに結合されている検光子を通過して、分散要素つまり分光計に入る。
この分散要素は、波長の異なるビーム成分を分離するように構成されている。ビームの分
離された成分は、検出器アレイの個々の要素により検出できる。偏光器は通常回転してお
り、検出器アレイの要素により時間とともに変化する強度を検出できる。
【０２８０】
システムのプロセッサは、検出器アレイの各要素から検出された光に対応する信号を受
信し、その信号を本明細書に説明されているように処理することができる。例えば、検出
器アレイの各要素での光の強度は、当業で知られている数式により、偏光パラメータ、Ψ
およびΔに変換することができる。偏光パラメータは、通常、ΨおよびｃｏｓΔで表すこ
とができる。ｔａｎΨは、サンプルの反射率のｓおよびｐ成分の複素比の振幅であり、Δ
は、サンプルの反射率のｓおよびｐ成分の複素比の位相である。「ｓ成分」という用語は
、電界が反射されたビームの入射平面内に垂直な偏光の成分を指す。「ｐ成分」という用
語は、電界が反射されたビームの入射平面内にある偏光の成分を指す。非常に薄い膜につ
いては、ｔａｎΨは厚さに無関係であり、Δはその厚さに直線的に比例する。
【０２８１】
システムのプロセッサに組み込まれたソフトウェアは、数学的又は光学的モデルを使用
して、偏光パラメータΨおよびΔを試料の光学特性に変換するようになっている。通常、
最小二乗近似法などのデータ近似計算を高速に実行するソフトウェア・パッケージが動作
するパーソナル・コンピュータがこの用途にふさわしい可能性がある。ΨおよびΔを含む
偏光パラメータは広い波長をスペクトルにわたり複数の角度で小さな増分値により決定で
きるため、数百のデータ点を計算に含めることができる。このような大量のデータを取り
扱える分光楕円偏光計で使用するように構成されたソフトウェア・パッケージがいくつか
市販されている。検出器アレイの各要素から検出された光に対応する信号を受信するため
に使用できるプロセッサは、反復データ近似計算を実行するのにも使用できる。このよう
なソフトウェア・パッケージの例を上の参照により含まれている分光楕円偏光計のオペレ
ーティング・システムに組み込むことができるが、通常、それらは市販されている。
【０２８２】
偏光データを分析するために使用できる光学モデルがいくつかある。このようなモデル
の例として、これらに限定されないが、コーシー・モデル、調和振動子モデル、および多
項式級数展開モデルなどがある。しかし、試料の特性、試料の望ましい光学特性、および
モデルに関わる計算の困難さを基に、適切なモデルを選択するとよい。例えば、コーシー
・モデルは、比較的複雑でない数学的モデルである。しかし、コーシー・モデルは、試料
に吸収作用がある波長では有効ではない。さらに、試料の複数の層の光学特性を、適切な
光学モデルまたは光学モデルの組み合わせを使用することにより同時に決定することもで
きる。したがって、分光楕円偏光計を使用して試料を分析する場合、１つまたは複数の光
学モデルが他のモデルに比べて分析に適している場合がある。
【０２８３】
試料の層、試料の層の一部、または試料の複数の層に対する厚さ、屈折率、および減衰
係数は、光学モデルを使用して偏光パラメータから求めることができる。屈折率「ｎ」は
、光が媒体中を進むときの光の速度に関係するため、光の波長に依存する。減衰係数「ｋ
」もまた、波長に依存し、媒体による光の吸収に関係する。減衰係数は、所定の波長に対
する吸収係数を求める場合にも使用することもできる。偏光パラメータおよび材料の光学
特性の詳細は、Ｆｏｒｏｕｈｉ，ｅｔ  ａｌ．による米国特許出願第４９０５１７０号に
説明されており、参照により本明細書に完全に規定されているかのように取り込まれる。
【０２８４】
図２２は、化学機械研磨ツール２２２に結合されている試料の少なくとも２つの特性を
判別するように構成されているシステムの一実施形態を示している。化学機械研磨（「Ｃ
ＭＰ」）は、通常、半導体業界において、試料上の層を一部除去または平坦化するために
使用されている。化学機械研磨では、加える圧力を制御しながら回転する研磨プラテンに
試料をあてがって保持かつ／または回転させることができる。化学機械研磨ツール２２２
は、試料２２６を研磨プラテン２２８にあてがって保持するように構成された研磨ヘッド
２２４を備えている。研磨ヘッド２２４は、多数のバネ２３０またはその他の適切な機械
デバイスを備え、これらは調整可能な圧力を試料２２６の裏面に加えられるようになって
いる。研磨ヘッド２２４はさらに、研磨ヘッドの中心軸を中心に回転するように構成され
ている。さらに、研磨ヘッド２２４は、研磨プラテンに対して直線的に移動させるように
構成することもできる。
【０２８５】
研磨プラテン２２８は、さらに、研磨パッド２３２を備えている。研磨パッドは裏板を
備えている。これで研磨パッド２３２が研磨プラテン２２８に確実に結合されるようにな
っている。研磨パッド２３２はさらに、試料２２６と接触し試料を研磨するようになって
いる上層を備えている。例えば、研磨パッド２３２の上層は、オープン・セル・フォーム
・ポリウレタン材料または表面に溝がついているポリウレタン層を備えている。上層はさ
らに、試料２２６を一部除去または研磨するように構成された追加研磨材料または粒子を
備えている。研磨プラテン２２８はさらに、研磨プラテンの中心軸を中心に回転するよう
に構成することもできる。例えば、研磨プラテン２２８は第１の方向に回転し、研磨ヘッ
ド２２４は第２の方向に回転するようになっている。第１の方向は、第２の方向とちょう
ど反対になるようにとることができる。
【０２８６】
化学機械研磨ツール２２２はさらに、滴下システム２３４を備えている。滴下システム
は、化学研磨スラリーなどの研磨薬剤を研磨パッド２３２に自動的に滴下するようになっ
ている。化学研磨スラリーは、研磨粒子および少なくとも１つの化学薬品を含む。例えば
、研磨粒子は溶融石英粒子、薬剤は水酸化カリウムとすることができる。それとは別に、
研磨パッド２３２は化学研磨溶液に実質的に粒子が含まれないような十分な研磨性を持つ
ものを用いる。研磨薬剤および研磨パッドの適切な組み合わせは、例えば、一部除去また
は平坦化される試料２２６の上層の組成およびトポグラフィおよび／または基層の組成お
よびトポグラフィにより異なる。
【０２８７】
試料の少なくとも２つの特性を判別するように構成されたシステムは、化学機械研磨ツ
ール２２２に結合された測定具２２０を備えている。測定具は、本明細書で説明した実施
形態のいずれかにより構成されている。例えば、測定具２２０は、非結像暗視野デバイス
、非結像明視野デバイス、非結像暗視野明視野デバイス、二重暗視野デバイス、暗視野撮
像デバイス、明視野撮像デバイス、暗視野明視野撮像デバイス、分光楕円偏光計、分光反
射率計、二重ビーム分光光度計、およびビーム・プロフィル楕円偏光計とすることができ
る。さらに、測定具は、上記デバイスのいずれの組み合わせを備えている。したがって、
測定具は単一の測定具としてまたは複数の測定具として機能するように構成されている。
複数の測定具をシステムの単一の測定具に組み込むことができるため、例えば、第１の測
定具の光学素子はさらに第２の測定具の光学素子とすることもできる。
【０２８８】
測定具が研磨プラテン２２８の外部デバイスとなるように測定具を化学機械研磨ツール
に結合することができる。この方法で、測定具が化学機械研磨プロセスの動作、性能、ま
たは制御に干渉しないように測定具を化学機械研磨ツール２２２に結合することができる
。例えば、研磨プラテン２２８および研磨パッド２３２を、光学的に実質的に透明な材料
の小さなセクション２３６が研磨プラテンおよび研磨パッド内に配置されるように改造す
ることができる。しかし、化学機械研磨ツールの構成により、透明材料セクション２３６
の配置と寸法が決まる。
【０２８９】
透明材料の小さなセクション２３６は、研磨プラテンの外部にある測定具２２０の光源
から入射光線を研磨ヘッド２２４により適所に保持されている試料２２６の表面に送り、
試料２２６の表面からの光を研磨プラテンの外部にある測定具２２０の検出器に送ること
ができる。光学的透明材料２３６は、測定具光源から出る光と試料２２６の表面からの光
が研磨プラテンの透明セクションおよび研磨パッドを通過し、しかも、入射光線および戻
ってくる光線の特性を変化させるという望ましくない効果を生じないような光学的または
材料特性を持っている。
【０２９０】
しかし、化学研磨スラリーなどの研磨薬剤は、試料から除去された研磨粒子、化学薬品
、および材料を含み、これが光源から出る光および試料の表面からの光と干渉することが
ある。したがって、一実施形態では、透明材料のセクション２３６をセルフ・クリア対象
として機能するように構成されている。セルフ・クリア対象は、光源から出た光を試料２
２６の表面に送るように構成された光学コンポーネントを含む。セルフ・クリア対象はさ
らに、セルフ・クリア対象と試料の間に実質的に透明な流体を流すように構成することも
できる。流れている流体は、試料から除去された研磨粒子、化学薬品、および材料を除去
し、光の光学的特性を変える望ましくない効果を生じることなく光が測定具から試料に伝
達され、また試料から測定具の検出器に伝達されるようになっている。セルフ・クリア対
象の例は、Ｎｉｋｏｏｎａｈａｄらによる米国特許出願第０９／３９６１４３号「Ａｐｐ
ａｒａｔｕｓ  ａｎｄ  Ｍｅｔｈｏｄｓ  ｆｏｒ  Ｐｅｒｆｏｒｍｉｎｇ  Ｓｅｌｆ−Ｃ
ｌｅａｒｉｎｇ  Ｏｐｔｉｃａｌ  Ｍｅａｓｕｒｅｍｅｎｔｓ」およびＮｉｋｏｏｎａｈ
ａｄらによる米国特許出願第０９／５５６２３８号「Ａｐｐａｒａｔｕｓ  ａｎｄ  Ｍｅ
ｔｈｏｄｓ  ｆｏｒ  Ｄｅｔｅｃｔｉｎｇ  Ｋｉｌｌｅｒ  Ｐａｒｔｉｃｌｅｓ  Ｄｕｒ
ｉｎｇ  Ｃｈｅｍｉｃａｌ  Ｍｅｃｈａｎｉｃａｌ  Ｐｏｌｉｓｈｉｎｇ」で説明されて
おり、参照により本明細書に完全に規定されているかのように取り込まれる。この方法で
は、測定具は、プロセス・チャンバ内に配置されたステージ（つまり、研磨プラテン２２
８）に結合され、試料を支持するように構成されている。
【０２９１】
化学機械研磨システムおよび方法の例は、Ｓａｎｄｈｕらによる米国特許第５７３０６
４２号、Ｈｏｌｚａｐｆｅｌらによる米国特許第５８７２６３３号、Ｂｉｒａｎｇらによ
る米国特許第５９６４６４３号、Ｂａｎらによる米国特許第６０１２９６６号、Ｄｖｉｒ
らによる米国特許第６０４５４３３号、Ｗｉｓｗｅｓｓｅｒらによる米国特許第６１５９
０７３号、Ｒｅｄｅｋｅｒらによる米国特許第６１７９７０９号に説明されており、参照
により本明細書に完全に規定されているかのように取り込まれる。化学機械研磨システム
および方法の他の例は、ＷｉｓｗｅｓｓｅｒによるＰＣＴ出願番号ＷＯ９９／２３４４９
、ＣａｍｐｂｅｌｌらによるＰＣＴ出願番号ＷＯ００／００８７３、Ｃａｍｐｂｅｌｌら
によるＰＣＴ出願番号ＷＯ００／００８７４、ＦｉｓｈｋｉｎらによるＰＣＴ出願番号Ｗ
Ｏ００／１８５４３、ＷｉｓｗｅｓｓｅｒらによるＰＣＴ出願番号ＷＯ００／２６６０９
、およびＷｉｓｗｅｓｓｅｒらによるＰＣＴ出願番号ＷＯ００／２６６１３、およびＢｉ
ｒａｎｇらによる欧州特許出願番号ＥＰ１０２２０９３Ａ２およびＺｕｎｉｇａらによる
欧州特許出願番号ＥＰ１０６６９２５Ａ２に説明されており、参照により本明細書に完全
に規定されているかのように取り込まれる。電気メッキ、化学機械研磨、洗浄・乾燥ステ
ーションを含む統合製造ツールの他の例は、ＳａｓｓｏｎらによるＰＣＴ出願番号ＷＯ９
９／２５００４に説明されており、参照により本明細書に完全に規定されているかのよう
に取り込まれる。
【０２９２】
実施形態は、試料の欠陥の有無および試料の限界寸法を含む、試料の少なくとも２つの
特性を判別するように構成されているシステムに関係する。このシステムは、本明細書で
説明しているように構成されている。例えば、システムは測定具に結合され、欠陥の少な
くとも有無を判別し、測定具の１つまたは複数の出力信号から試料の限界寸法を判別する
ように構成されたプロセスを備えている。さらに、プロセッサは、１つまたは複数の出力
信号から試料の他の特性を判別するように構成されている。一実施形態では測定具は、非
結像スキャタロメータ、スキャタロメータ、分光スキャタロメータ、反射率計、分光反射
率計、楕円偏光計、分光楕円偏光計、明視野撮像デバイス、暗視野撮像デバイス、明視野
暗視野撮像デバイス、明視野非結像デバイス、暗視野非結像デバイス、明視野暗視野非結
像デバイス、コヒーレンス・プローブ顕微鏡、干渉顕微鏡、光学プロフィルメータ、また
はそれらの任意の組み合わせを備えている。このようなシステムは、リソグラフィ・ツー
ル、エッチング・ツール、堆積ツール、またはメッキ・ツールなどのプロセス・ツールに
結合することができる。
【０２９３】
一実施形態では、本明細書で説明しているように、試料の欠陥の少なくとも有無を判別
し、また試料の限界寸法を判別するように構成されているシステムをエッチング・ツール
に結合することができる。欠陥の有無は、試料の裏面の欠陥の有無を含む。さらに、シス
テムは、試料の欠陥の個数、位置、および／または種類を判別するように構成されている
。このシステムは、エッチング・プロセスまたはエッチング・プロセスのステップの前お
よび後に試料の欠陥の少なくとも有無および試料の限界寸法を判別できるようにエッチン
グ・ツールに結合できる。本明細書で説明しているように、判別された特性の少なくとも
１つを使用して、プロセス・ツールに結合された１つまたは複数の計測器のパラメータを
変更することができる。例えば、試料の判別された限界寸法を使用すると、フィードフォ
ワード制御手法またはフィードバック制御手法を使用してリソグラフィ・ツールに結合さ
れた１つまたは複数の計測器のパラメータを変更することができる。さらに、試料の欠陥
の有無の判別を使用すると、フィードフォワード制御手法またはフィードバック制御手法
を使用してリソグラフィ・ツールに結合された１つまたは複数の計測器のパラメータを変
更することができる。
【０２９４】
一実施形態では、システムは、試料の限界寸法および試料の薄膜特性を含む、試料の少
なくとも２つの特性を判別するように構成されている。システムは、本明細書で説明して
いるように構成されている。例えば、システムは測定具に結合されたプロセッサを備えて
いる。プロセッサは、測定具で発生した１つまたは複数の出力信号から試料の少なくとも
限界寸法と薄膜特性を判別するように構成されている。さらに、プロセッサは、１つまた
は複数の出力信号から試料の他の特性を判別するように構成されている。一実施形態では
、測定具は、非結像スキャタロメータ、スキャタロメータ、分光スキャタロメータ、反射
率計、分光反射率計、楕円偏光計、分光楕円偏光計、光音響デバイス、グレージングＸ線
反射率計、明視野撮像デバイス、暗視野撮像デバイス、明視野暗視野撮像デバイス、コヒ
ーレンス・プローブ顕微鏡、干渉顕微鏡、光学プロフィルメータ、二重ビーム分光光度計
、ビーム・プロフィル楕円偏光計、またはそれらの任意の組み合わせを備えている。この
ようなシステムは、本明細書で説明しているように、リソグラフィ・ツール、エッチング
・ツール、堆積ツール、またはメッキ・ツールなどのプロセス・ツールに結合することが
できる。
【０２９５】
さらに、試料の少なくとも限界寸法および薄膜特性を判別するように構成されたシステ
ムは、化学研磨ツールに結合することができる。例えば、プロセッサは、非結像スキャタ
ロメータ、スキャタロメータ、または分光スキャタロメータから出た１つまたは複数の出
力信号から試料上のフィーチャの限界寸法を判別するように構成されている。さらに、プ
ロセッサは、反射率計、分光反射率計、楕円偏光計、分光楕円偏光計、光音響デバイス、
および／またはグレージングＸ線反射率計から出される１つまたは複数の出力信号から試
料上の層の厚さを判別するように構成されている。例えば、楕円偏光計または分光楕円偏
光計は、厚さが比較的薄く、また透明層は比較的厚い金属および半金属層の厚さに対応す
る１つまたは複数の出力信号を発生するように構成されている。光音響デバイスは、比較
的薄い金属層の厚さに対応する１つまたは複数の出力信号を発生するように構成すること
ができ、グレージングＸ線反射率計は、比較的厚いまた比較的薄い層に対応する１つまた
は複数の出力信号を発生するように構成されている。この方法により、本明細書で説明し
ているように、システムは、さまざまな厚さおよび材質の層の厚さを判別することができ
る。
【０２９６】
システムは、本明細書で説明されているいずれかの実施形態の化学機械研磨ツールに結
合されている。例えば、測定具は、システムが研磨パッド上に配置された試料の少なくと
も２つの特性を判別できるように化学機械研磨ツールの研磨パッドに結合することができ
る。それとは別に、測定具は、システムが研磨パッド上に配置されるまたはそこから除去
される試料の少なくとも２つの特性を判別できるように化学機械研磨ツールに結合するこ
とができる。例えば、ロボット・ウェーハ・ハンドラが測定具の下または上を移動するよ
うに、化学機械研磨ツールに測定具を結合することができる。他の実施形態では、化学機
械研磨ツールのロボット・ウェーハ・ハンドラに測定具を結合することができる。この方
法では、システムは、ロボット・ウェーハ・ハンドラが試料を移動しているときに試料の
少なくとも２つの特性を判別するように構成されている。
【０２９７】
他の実施形態では、測定具を、化学機械研磨ツールの出口チャンバの近くに横または垂
直に結合し配置することができる。化学機械研磨ツールの出口チャンバは、化学機械研磨
プロセスの後に試料を受け取るように構成された水槽を備えている。水槽を使用して、化
学機械研磨プロセスの後に試料に残留している化学薬品、スラリー粒子、および／または
試料粒子を除去することができる。この方法では、システムは、試料が出口チャンバ内に
配置されているか、または出口チャンバ内を移動しているときに試料の少なくとも２つの
特性を判別するように構成されている。
【０２９８】
他の実施形態では、測定具は、図１６に示されているように、測定チャンバ内に配置す
ることができる。測定チャンバは、図１７に示されているように、化学機械研磨ツールに
結合できる。例えば、測定チャンバは、化学機械研磨ツールの１つまたは複数の研磨チャ
ンバの近くに横または垂直に配置することができる。さらに、測定チャンバは、化学機械
研磨ツールの装填チャンバの近くに横または垂直に配置することができる。化学機械研磨
ツールの装填チャンバは、化学機械研磨ツール内で処理されるウェーハのカセットなどの
複数の試料を支持するように構成されている。ロボット・ウェーハ・ハンドラは、処理前
に装填チャンバから試料を取り出し、処理済みの試料を装填チャンバ内に配置するように
構成されている。さらに、測定チャンバは、システムのために十分なスペースが確保され
ている化学機械研磨ツールに近いどこかの場所やロボット・ウェーハ・ハンドラが研磨パ
ッドとシステムの間で試料を移動できるように収まるどこかの場所など化学機械研磨ツー
ルに近い他の場所に配置することができる。
【０２９９】
他の実施形態では、システムは、試料の限界寸法、試料の欠陥の有無、および試料の薄
膜特性を含む、試料の少なくとも３つの特性を判別するように構成されている。これらの
欠陥はさらに、これらの限定されないが、銅汚染および／またはレジスト汚染を含む、面
の下の欠陥および／または試料の裏面の目立つ欠陥の有無なども含む。さらに、薄膜特性
は、銅などの膜の厚さを含む。システムは、本明細書で説明しているように構成されてい
る。例えば、システムは、測定具に結合され、少なくとも限界寸法、欠陥の有無、および
測定具で発生した１つまたは複数の出力信号から試料の薄膜特性を判別するように構成さ
れたプロセッサを備えている。さらに、プロセッサは、１つまたは複数の出力信号から試
料の他の特性を判別するように構成されている。一実施形態では測定具は、非結像スキャ
タロメータ、スキャタロメータ、分光スキャタロメータ、反射率計、分光反射率計、楕円
偏光計、分光楕円偏光計、明視野撮像デバイス、暗視野撮像デバイス、明視野暗視野撮像
デバイス、明視野非結像デバイス、暗視野非結像デバイス、明視野暗視野非結像デバイス
、コヒーレンス・プローブ顕微鏡、干渉顕微鏡、光学プロフィルメータ、二重ビーム分光
光度計、ビーム・プロフィル楕円偏光計、またはそれらの任意の組み合わせを備えている
。このようなシステムは、本明細書で説明しているように、リソグラフィ・ツール、エッ
チング・ツール、堆積ツール、またはメッキ・ツールなどのプロセス・ツールに結合する
ことができる。
【０３００】
一実施形態では、システムは、試料上の目立つ欠陥の有無および試料上の微小欠陥の有
無を含む、試料の少なくとも２つの特性を判別するように構成されている。システムは、
本明細書で説明しているように構成されている。例えば、システムは測定具に結合された
プロセッサを備えている。プロセッサは、測定具で発生した１つまたは複数の出力信号か
ら試料上の少なくとも目立つ欠陥の有無および微小欠陥の有無を判別するように構成され
ている。さらに、プロセッサは、１つまたは複数の出力信号から試料の他の特性を判別す
るように構成されている。例えば、電子ビーム・デバイス、Ｘ線反射率計、またはＸ線蛍
光デバイスなどの測定具により発生した１つまたは複数の出力信号から空隙などの表面下
の欠陥の有無を判別するように、プロセッサを構成している。このような空隙は、特に、
銅構造では、空隙にメッキ溶液などの化学薬品が入り込むと金属が腐食し、不具合を生じ
ることがある。さらに、Ｘ線反射率計および／またはＸ線蛍光デバイスなどの測定具によ
り発生した１つまたは複数の出力信号から試料上の銅などの金属層の厚さを判別するよう
にプロセッサを構成している。
【０３０１】
さらに、プロセッサは、光学蛍光デバイスなどの測定具で発生した１つまたは複数の出
力信号から試料の裏面の目立つ欠陥の有無を判別するように構成されている。目立つ欠陥
には、銅汚染および／またはレジスト汚染などがある。光学蛍光デバイスは、光線が試料
の表面に向かい試料の蛍光を誘起するように構成されている。指向性光線の波長は、約３
６４ｎｍである。しかし、指向性光線の波長は、例えば、欠陥となりうる材料によって異
なることがある。光学蛍光デバイスはさらに、試料の蛍光を検出し、検出された蛍光に対
して１つまたは複数の出力信号を生成するように構成されている。プロセッサは、例えば
、試料上の複数の位置の検出された蛍光を比較することにより目立つ欠陥の有無を判別す
るように構成されている。
【０３０２】
一実施形態では、測定具は、非結像スキャタロメータ、スキャタロメータ、分光スキャ
タロメータ、反射率計、分光反射率計、楕円偏光計、分光楕円偏光計、明視野撮像デバイ
ス、暗視野撮像デバイス、明視野暗視野撮像デバイス、明視野非結像デバイス、暗視野非
結像デバイス、明視野暗視野非結像デバイス、二重暗視野デバイス、コヒーレンス・プロ
ーブ顕微鏡、干渉顕微鏡、光学プロフィルメータ、走査型電子顕微鏡またはトンネル電子
顕微鏡などの電子ビーム・デバイス、Ｘ線反射率計、Ｘ線蛍光デバイス、光学蛍光デバイ
ス、渦電流撮像デバイス、および比較的大きなスポットの電子ビーム・デバイス、または
それらの任意の組み合わせを備えている。例えば、適切な組み合わせとして、渦電流撮像
デバイスと比較的大きなスポットの電子ビーム・デバイスを含む。渦電流撮像デバイスは
１つまたは複数の出力信号を発生し、この信号を試料の表面上の目立つ欠陥の有無に対す
る定性的暴走モニタとして使用することができる。渦電流撮像デバイスは、本明細書で説
明しているように構成されている。走査型電子顕微鏡などの大きなスポットの電子ビーム
・デバイスは、分解能が比較的低く、またデータ転送速度も比較的遅い。このような電子
ビーム・デバイスにより発生する１つまたは複数の出力信号は、試料の表面上の目立つ欠
陥などの欠陥の有無により異なることがある電圧コントラストを含む。電子ビーム・デバ
イスの例は、２００１年６月１５日出願のＪｏｈｎ  Ａ．Ｎｏｔｔｅ  ＩＶによる「Ｓｅ
ｃｔｏｒｅｄ  Ｍａｇｎｅｔｉｃ  Ｌｅｎｓ」という表題の米国特許出願に説明されてお
り、参照により本明細書に完全に規定されているかのように取り込まれる。
【０３０３】
このようなシステムを、説明しているように、プロセス・ツールに結合することができ
る。例えば、このシステムは、説明しているようにリソグラフィ・ツールまたはエッチン
グ・ツールに結合できる。
【０３０４】
一実施形態では、システムは、試料の少なくとも１つの表面上の目立つ欠陥の有無およ
び試料のオーバーレイ・ミスレジストレーションを含む、試料の少なくとも２つの特性を
判別するように構成されている。判別される特性はさらに、試料の少なくとも１つの表面
上に存在する目立つ欠陥の個数、位置、および種類も含む。試料の少なくとも１つの表面
は、試料の裏面および／または表面を含む。このシステムは、本明細書で説明しているよ
うに構成されている。例えば、システムは測定具に結合されたプロセッサを備えている。
プロセッサは、測定具で発生した１つまたは複数の出力信号から試料の少なくとも目立つ
欠陥の有無およびオーバーレイ・ミスレジストレーションを判別するように構成されてい
る。さらに、プロセッサは、１つまたは複数の出力信号から試料上のフィーチャの限界寸
法などの他の特性を判別するように構成されている。一実施形態では測定具は、スキャタ
ロメータ、非結像スキャタロメータ、分光スキャタロメータ、反射率計、分光反射率計、
楕円偏光計、分光楕円偏光計、ビーム・プロフィル楕円偏光計、明視野撮像デバイス、暗
視野撮像デバイス、明視野暗視野撮像デバイス、明視野非結像デバイス、暗視野非結像デ
バイス、明視野暗視野非結像デバイス、コヒーレンス・プローブ顕微鏡、干渉顕微鏡、光
学プロフィルメータ、またはそれらの任意の組み合わせを備えている。
【０３０５】
このようなシステムは、本明細書で説明しているように、プロセス・ツールにのいずれ
にも結合できる。例えば、このシステムを、リソグラフィ・ツール、エッチング・ツール
、および堆積ツールなどのプロセス・ツールに結合することができる。本明細書に説明さ
れている実施形態のいずれかのように、システムをプロセス・ツールに結合することがで
きる。例えば、システムがプロセス・チャンバ内に配置された試料の少なくとも２つの特
性を判別するように、測定具をプロセス・ツールのプロセス・チャンバに結合することが
できる。それとは別に、システムがプロセス・チャンバ内に配置されるまたはそこから除
去される試料の少なくとも２つの特性を判別するように、プロセス・ツールのプロセス・
チャンバに測定具を結合することができる。例えば、ロボット・ウェーハ・ハンドラが測
定具の下または上を移動するように、測定具をプロセス・チャンバに結合することができ
る。他の実施形態では、測定具をプロセス・ツールのロボット・ウェーハ・ハンドラに結
合することができる。この方法では、システムは、ロボット・ウェーハ・ハンドラが試料
を移動しているときに試料の少なくとも２つの特性を判別するように構成されている。
【０３０６】
他の実施形態では、測定具は、図１６に示されているように、測定チャンバ内に配置す
ることができる。測定チャンバは、図１７に示されているように、プロセス・ツールに結
合できる。例えば、測定チャンバを、プロセス・ツールの１つまたは複数のプロセス・チ
ャンバの近くに横または垂直に配置してもよい。例えば、堆積ツールは、実質的に類似の
プロセスまたは異なるプロセスを実行するようにそれぞれ構成されているプロセス・チャ
ンバのクラスタを備えている。さらに、測定チャンバを、プロセス・ツールの装填チャン
バの近くに横または垂直に配置してもよい。堆積ツールの装填チャンバは、プロセス・ツ
ール内で処理されるウェーハのカセットなどの複数の試料を支持するように構成されてい
る。ロボット・ウェーハ・ハンドラは、処理前に装填チャンバから試料を取り出し、処理
済みの試料を装填チャンバ内に配置するように構成されている。さらに、測定チャンバを
、システムのために十分なスペースが確保されているプロセス・ツールに近いどこかの場
所やロボット・ウェーハ・ハンドラがプロセス・チャンバとシステムの間で試料を移動で
きるように収まるどこかの場所などプロセス・ツールに近い他の場所に配置してもよい。
【０３０７】
さらに、プロセス・ツールに結合された１つまたは複数の計測器のパラメータを、フィ
ードバック制御手法、インサイチュー制御手法、および／またはフィードフォワード制御
手法を使用してシステムにより判別された特性に対応して変更することができる。例えば
、エッチング・プロセス、堆積プロセス、および／または化学機械プロセスの実行前、実
行中、および／または実行後、システムによって判別された試料の裏面の目立つ欠陥の有
無など表面上の目立つ欠陥の有無を使用し、フィードフォワード制御手法によりリソグラ
フィ・ツールに結合されている１つまたは複数の計測器のパラメータを変更することがで
きる。この例では、試料の裏面の目立つ欠陥の有無の判別を用いて、リソグラフィ・プロ
セスの実行中に試料を露光するときに露光ツールの線量および焦点条件を変更することが
できる。他の例では、エッチング・プロセスおよび／または堆積プロセスの実行前、実行
中、および／または実行後、システムによって判別された試料のオーバーレイ・ミスレジ
ストレーションを使用し、フィードフォワード制御手法によりリソグラフィ・ツールに結
合されている１つまたは複数の計測器のパラメータを変更することができる。この例では
、判別されたオーバーレイ・ミスレジストレーションを用いて、リソグラフィ・プロセス
で試料を露光するときの露光ツール内のレチクルの横方向の位置揃えを変更することがで
きる。
【０３０８】
堆積ツールは、後述のように化学気相蒸着法または物理気相蒸着法に合わせて構成され
ている。物理気相蒸着法は、ウェーハなどの試料上に導体材料の層を形成するために半導
体業界でふつうに使用している方法である。物理気相蒸着ツールは、アルゴン・イオンを
発生する真空プロセス・チャンバを備えている。さらに、支持デバイスは、プロセス・チ
ャンバ内に配置できる。支持デバイスは、物理気相蒸着プロセス中試料を支持するように
構成されている。さらに、円状金属ターゲットは、支持デバイスの上に配置できる。物理
気相蒸着ツールはさらに、支持デバイスと金属ターゲットとの間に挿入される輪状金属コ
イルを備えている。輪状金属コイルは、金属ターゲットと同じ材質でよい。物理気相蒸着
ツールはさらに、金属ターゲット、金属コイル、および支持デバイスに電圧を供給するよ
うに構成された電圧コントローラを備えている。この電圧コントローラを、金属ターゲッ
トと支持デバイスの間、また支持デバイスと金属コイルの間に低圧バイアスを発生させる
ように構成することもできる。電圧バイアスがかかると、アルゴン・イオンが金属ターゲ
ットに衝突して、金属コイルが金属原子を放出し、これにより、支持デバイス上の試料の
表面にスパッタリングが行われる。物理気相蒸着システムの例は、Ｎｕｌｍａｎによる米
国特許第５７５４２９７号、Ｍａｓｔｅｒｓｏｎによる米国特許出願第５９３５３９７号
、Ｍｏｓｌｅｈｉらによる米国特許第６０３９８４８号、Ｄｒｅｗｅｒｙらによる米国特
許第６０８０２８７号、およびＣｈｅｎらによる米国特許第６０９９７０５号に説明され
ており、参照により本明細書に完全に規定されているかのように取り込まれる。
【０３０９】
本明細書で説明するシステムを物理気相蒸着ツールに結合できる。例えば、このシステ
ムを測定チャンバ内に配置してもよい。測定チャンバはそれぞれ、本明細書で説明してい
るように構成されている。測定チャンバは、物理気相蒸着ツールのプロセス・チャンバの
近くに配置してもよい。それとは別に、システムを物理気相蒸着ツールのプロセス・チャ
ンバに結合させることもできる。このような方法で、システムを物理気相蒸着ツールに組
み込むことができる。したがって、システムは、物理気相蒸着プロセスの実行前、実行中
、または実行後に、試料の少なくとも２つの特性を判別するように構成されている。シス
テムとプロセス・チャンバのこのような配置は、例えば、図１７および１８を参照しなが
ら説明されており、これはこれらの図に示されている。図１７および１８に示されている
ようなプロセス・チャンバ１８０および１８８は、プロセス・チャンバが物理気相蒸着プ
ロセスに合わせて構成されるように、図とは異なる形で構成されてもよい。例えば、プロ
セス・チャンバ１８０は、滴下システム１８６を備えず、その代わりに、上で説明したよ
うにさまざまなデバイスおよびコンポーネントを備えている。さらに、システムは、物理
気相蒸着ツールのウェーハ・ハンドラに結合することができる。したがって、このシステ
ムは、試料がプロセス・チャンバ内に入るときまたは物理気相蒸着ツールのプロセス・チ
ャンバから出るときに試料の少なくとも２つの特性を判別するように構成されている。
【０３１０】
メッキ法は、ウェーハなどの試料上に金属の層を形成するために半導体業界でふつうに
使用されている。メッキ・ツールは、メッキ・タンクなどのプロセス・チャンバを備えて
いる。複数の支持デバイスをメッキ・タンク内に配置できる。支持デバイスはそれぞれ、
メッキ・プロセスで試料を支えるように構成されている。メッキ・ツールはさらに、試料
の上面に配置され接触している陰極も備えている。さらに、メッキ・ツールは、試料の下
に配置された陽極を備えている。メッキ溶液が、入り口からメッキ・タンク内に流れ込み
、上に向かって排出され試料の表面に載る。さらに、メッキ・ツールは、メッキ・プロセ
スでメッキ溶液を加熱するように構成されたヒーターを備えている。メッキ溶液の温度を
制御することは、金属層を形成する際に、層の構造の変化、硬化、および／またはメッキ
焼けなどの欠陥を防ぐために重要である。さらに、試料上に形成された金属層の特性は、
メッキ溶液の他の特性によっても異なることがある。例えば、メッキされた金属の層の特
性は、メッキ溶液内の金属イオン濃度、メッキ溶液のｐＨレベル、およびメッキ溶液の比
重によって異なることがある。試料をメッキするシステムおよび方法の例は、Ｋａｔｏｕ
による米国特許出願第５，３４４，４９１号に説明されており、参照により本明細書に完
全に規定されているかのように取り込まれる。
【０３１１】
本明細書で説明されているように、システムをメッキ・ツールに結合することができる
。例えば、このシステムを測定チャンバ内に配置してもよい。測定チャンバはそれぞれ、
本明細書で説明しているように構成されている。測定チャンバは、メッキ・ツールのプロ
セス・チャンバの近くに配置してもよい。それとは別に、このシステムは、メッキ・ツー
ルのプロセス・チャンバに結合することができる。したがって、システムは、メッキ・プ
ロセスの実行前、実行中、または実行後に、試料の少なくとも２つの特性を判別するよう
に構成されている。システムとプロセス・チャンバのこのような配置は、例えば、図１７
および１８を参照しながら説明されており、これはこれらの図に示されている。図１７お
よび１８に示されているプロセス・チャンバ１８０および１８８は、プロセス・チャンバ
が物理気相蒸着プロセスに合わせて構成されるように図とは異なる形で構成されていても
よい。例えば、プロセス・チャンバ１８０は、滴下システム１８６を備えず、その代わり
に、上で説明したようにさまざまなデバイスおよびコンポーネントを備えている。さらに
、システムは、本明細書で説明しているように、メッキ・ツールのウェーハ・ハンドラに
結合することができる。したがって、システムは、試料がメッキ・ツールのプロセス・チ
ャンバ内に配置されるときまたは取り出されるときに試料の少なくとも２つの特性を判別
するように構成されている。
【０３１２】
実施形態は、少なくとも試料の平坦さ測定、試料の欠陥の有無、および試料の薄膜特性
を判別するように構成されたシステムに関係する。これらの欠陥は、これらに限定されな
いが、銅汚染および／またはレジスト汚染を含む、面の欠陥および／または試料の裏面の
目立つ欠陥の有無なども含む。さらに、薄膜特性は、銅などの薄膜の厚さを含む。システ
ムは、本明細書で説明しているように構成されている。例えば、システムは測定具に結合
されたプロセッサを備えている。プロセッサは、測定具で発生した１つまたは複数の出力
信号から少なくとも試料の平坦さ測定、試料の欠陥の有無、および試料の薄膜特性を判別
するように構成されている。さらに、プロセッサは、１つまたは複数の出力信号から試料
の他の特性を判別するように構成されている。一実施形態では、測定具は、非結像スキャ
タロメータ、スキャタロメータ、分光スキャタロメータ、反射率計、分光反射率計、楕円
偏光計、分光楕円偏光計、明視野撮像デバイス、暗視野撮像デバイス、明視野暗視野撮像
デバイス、明視野非結像デバイス、暗視野非結像デバイス、明視野暗視野非結像デバイス
、二重暗視野デバイス、コヒーレンス・プローブ顕微鏡、干渉顕微鏡、干渉計、光学プロ
フィルメータ、二重ビーム分光光度計、ビーム・プロフィル楕円偏光計、またはそれらの
任意の組み合わせを備えている。このようにして、測定具は単一の測定具としてまたは複
数の測定具として機能するように構成されている。
【０３１３】
このようなシステムを上述のように、化学機械研磨ツールに結合することができる。こ
のようにして、システムは、化学機械研磨プロセスの実行前、実行中、または実行後に、
試料の少なくとも３つの特性を判別するように構成されている。それとは別に、このよう
なシステムを測定チャンバ内に配置し、本明細書で説明しているように構成させてもよい
。測定チャンバは、化学機械研磨ツールの近くに配置してもよい。したがって、このよう
なシステムは、化学機械研磨プロセスの実行前または実行後に、試料の少なくとも３つの
特性を判別するように構成されている。したがって、試料の平坦さ測定に、化学機械研磨
プロセスによる応力で生じる試料の湾曲の測定を含めることができる。さらに、このプロ
セッサは、フィードフォワード制御手法用いて平坦さ測定結果に対して化学機械研磨ツー
ルに結合されている計測器のパラメータを変更するようにも構成されている。例えば、こ
のプロセッサは、フィードフォワード制御手法用いて平坦さ測定結果に対して化学機械研
磨ツールに結合されている研磨ヘッドの圧力を変更するように構成されている。さらに、
研磨ヘッドは、研磨ヘッドにかかる圧力がゾーン毎に異なるように構成されている。した
がって、研磨ヘッドの圧力を変更することには、研磨ヘッドの１つまたは複数のゾーンの
圧力の変更を含めることができる。このようにして、本明細書で説明しているシステムを
使用することで、化学機械研磨の後に試料の上面の平面性を高めることができる。
【０３１４】
それとは別に、このようなシステムを加熱炉または高速熱焼鈍炉などのサーマル・ツー
ルに結合することができる。したがって、試料の平坦さ測定は、熱加工による応力で生じ
る試料の湾曲の測定を含む。さらに、このようなシステムは、本明細書で説明しているよ
うに、エッチング・ツール、リソグラフィ・ツール、またはウェーハ製造ツールに結合す
ることもできる。
【０３１５】
一実施形態では、システムは、少なくとも試料のオーバーレイ・ミスレジストレーショ
ンおよび試料の平坦さ測定結果を判別するように構成されている。システムは、本明細書
で説明しているように構成されている。例えば、システムは測定具に結合されたプロセッ
サを備えている。プロセッサは、測定具で発生した１つまたは複数の出力信号から少なく
とも試料のオーバーレイ・ミスレジストレーションおよび試料の平坦さ測定結果を判別す
るように構成されている。さらに、プロセッサは、１つまたは複数の出力信号から試料の
他の特性を判別するように構成されている。一実施形態では測定具は、非結像スキャタロ
メータ、スキャタロメータ、分光スキャタロメータ、反射率計、分光反射率計、分光楕円
偏光計、明視野撮像デバイス、暗視野撮像デバイス、明視野暗視野撮像デバイス、コヒー
レンス・プローブ顕微鏡、干渉顕微鏡、干渉計、光学プロフィルメータ、二重ビーム分光
光度計、ビーム・プロフィル楕円偏光計、またはそれらの任意の組み合わせを備えている
。このシステムは、さらに、少なくとも試料のオーバーレイ・ミスレジストレーションお
よび試料の平坦さ測定結果を順次または実質的に同時に判別するように構成されている。
例えば、本明細書で説明しているように、システムをリソグラフィ・ツールに結合するこ
とができる。さらに、システムは、リソグラフィ・プロセスの露光段階の前に、試料の少
なくとも平坦さ測定結果を判別するように構成されている。システムは、さらに、露光段
階の前に試料のオーバーレイ・ミスレジストレーションを判別するように構成することも
できる。
【０３１６】
本明細書で説明しているように、システムは、少なくとも試料のイオン注入領域の特性
および試料の欠陥の有無を判別するように構成されている。システムは、本明細書で説明
しているように構成されている。例えば、このシステムは、測定具により発生した１つま
たは複数の出力信号から少なくとも試料のイオン注入領域の特性および試料の欠陥の有無
を判別するように構成されたプロセスを備えている。さらに、プロセッサは、１つまたは
複数の出力信号から試料の他の特性を判別するように構成されている。一実施形態では、
測定具は、変調光学反射率計、Ｘ線反射率デバイス、渦電流デバイス、光音響デバイス、
分光楕円偏光計、非結像スキャタロメータ、スキャタロメータ、分光スキャタロメータ、
反射率計、分光反射率計、楕円偏光計、明視野非結像デバイス、暗視野非結像デバイス、
明視野暗視野非結像デバイス、明視野撮像デバイス、暗視野撮像デバイス、明視野暗視野
撮像デバイス、コヒーレンス・プローブ顕微鏡、干渉顕微鏡、光学プロフィルメータ、二
重ビーム分光光度計、またはそれらの任意の組み合わせを備えている。
【０３１７】
イオン注入プロセスでは、通常、イオンのビームを発生し、それらのイオンの少なくと
も一部を半導体基板に送り込む。イオンを半導体基板に注入することにより、半導体基板
の電気的特性が変化することがある。イオン注入された半導体基板の電気的特性は、半導
体基板に注入されたイオンの濃度によって異なることがある。イオン注入された半導体基
板の電気的特性はさらに、半導体基板のイオン注入部分の深さと、厚さの関数として注入
されたイオンの分布に応じて変わることがある。半導体基板のイオン注入された領域のこ
のような特性は、これらに限定されないが、イオン種、注入エネルギー、注入線量、およ
び半導体基板の上に形成されたマスキング材料などのさまざまな要因により変わることが
ある。
【０３１８】
いくつかの実施形態では、マスキング材料の上側部分、真ん中部分、または下側部分の
光学的特性を使用して、注入されたイオンの深さなどのマスキング材料内の注入されたイ
オンの特性または注入エネルギーなどの注入プロセスの特性を判別することができる。例
えば、イオン注入プロセスで、イオンをマスキング材料の中に打ち込む。イオンをマスキ
ング材料の中に注入すると、マスキング材料の上面に物理的損傷が生じ、マスキング材料
に打ち込まれたイオンがマスキング材料の真ん中部分に留まることがある。イオンの注入
でマスキング材料の上側部分に損傷が生じる際の深さは、イオンのエネルギーの関数とし
て表すことができる。イオンがマスキング材料の中に打ち込まれる深さも、イオンのエネ
ルギーの関数として表すことができる。例えば、高エネルギーの注入プロセスでは、マス
キング材料の上側部分の損傷が大きくなり、イオンは低エネルギーのイオン注入プロセス
に比べてより深くマスキング材料の中に打ち込まれる。したがって、マスキング材料の上
側部分および真ん中部分の深さは、イオン注入プロセスの注入エネルギーに関連する。マ
スキング材料の上側および真ん中部分の深さはさらに、注入されるイオン種または注入線
量などのイオン注入の他のプロセス条件にも関係する。さらに、マスキング材料の下側部
分の測定された厚さも、イオン注入エネルギーによって異なることがある。上側部分、真
ん中部分、および下側部分の厚さは、マスキング材料の光学特性を測定することにより判
別することができる。したがって、イオンをマスキング材料またはイオン注入プロセスで
生じる注入済みマスキング材料に注入することはマスキング材料の測定された光学特性の
関数として判別できる。
【０３１９】
他の実施形態では、イオン注入されたマスキング材料は単一の実質的に同質な層として
分析することができる。したがって、注入済みマスキング材料のほぼ全体の光学特性も測
定できる。注入済みマスキング材料全体は、上述のように、注入済みマスキング材料の上
側部分、真ん中部分、および下側部分を含む。したがって、上側部分、真ん中部分、およ
び下側部分の個々の光学特性は、注入済みマスキング材料全体の光学特性の測定に実際に
含めることができる。例えば、注入済みマスキング層全体の光学特性は、個々の層の加え
たまたは平均した光学特性を含む。単一層として測定されたマスキング材料の光学特性を
使用して、イオン注入条件を決定することができる。一例としては、マスキング材料の厚
さのほぼ全体の光学特性をイオン注入の前のマスキング材料の厚さのほぼ全体の光学特性
と比較することができる。したがって、光学特性の比較から、イオン注入後のマスキング
材料の光学特性の変化がわかる。マスキング材料の光学特性の変化は、注入プロセスの後
マスキング材料の中注入済みイオンが存在していることに帰因すると考えられる。さらに
、注入済みマスキング材料のほぼ全体の光学特性もまた、知られている条件を使用して注
入されたマスキング材料のほぼ全体の光学特性と比較することができる。このようにして
、２つの注入済みマスキング材料の光学特性を比較することによりイオン注入プロセスが
時間の経過とともにまたは複数の半導体基板にわたってドリフトするかどうかが分かる。
【０３２０】
一実施形態では、マスキング材料の光学特性は、マスキング材料の厚さ、マスキング材
料の一部の厚さ、屈折率、または減衰係数などである。マスキング材料の光学特性を測定
するのに、分光偏光解析法または分光反射法などの広帯域放射手法を使用することができ
る。また、マスキング材料の厚さは、二重ビーム分光測光法などの他の光学的手法を使用
して別に測定することができる。二重ビーム分光測光法およびシステムの例は、Ａｓｉｍ
ｏｐｏｕｌｏｓによる米国特許第５６５２６５４号、Ｃａｒｖｅｒによる米国特許第５６
９９１５６号、およびＣａｒｖｅｒによる米国特許第５９５９８１２号に説明されており
、参照により本明細書に完全に規定されているかのように取り込まれる。さらに、マスキ
ング材料のいくつかの光学特性は同時に測定することができる。例えば、注入済みマスキ
ング材料の上側部分、真ん中部分、および下側部分の厚さを同時に測定できる。さらに、
注入済みマスキング材料または注入済みマスキング材料の一部に対する屈折率および減衰
係数も同時に測定できる。測定する光学特性の数に応じて、イオン注入プロセスおよび／
または注入済みマスキング材料のいくつかの特性を同時に判別することもできる。イオン
注入プロセスの特性としては、これに限定されないが注入線量、注入エネルギー、および
注入イオン種などがある。注入済みマスキング材料の特性には、マスキング材料に注入さ
れたイオンの濃度およびマスキング材料に注入されたイオンの存在などがありうる。
【０３２１】
一実施形態では、注入済みマスキング材料の測定された光学特性もまた、半導体基板の
イオン注入部分の特性を判別するために使用することができる。半導体基板の注入部分は
、マスキング材料にイオンを注入する際に、またはその後のイオン注入プロセスで形成す
ることができる。半導体基板の注入部分の特性には、注入部分の深さ、注入済み部分の中
のイオンの濃度、および注入部分の厚さの関数として表される注入イオンの分布などがあ
る。このような特性は、マスキング材料の測定された光学特性の関数として表される。こ
の関数により、注入済みマスキング材料の光学特性と半導体基板上のイオンの注入との関
係を記述することができる。この関数は、マスキング材料および半導体基板の一部にイオ
ンを同時に注入することにより実験的に求めることができる。そうしてから注入済みマス
キング層の光学特性および半導体基板の注入済み部分の電気的特性を測定することができ
る。イオン注入された半導体基板の電気的特性はさらに、イオン注入部分の深さまたは半
導体基板の厚さの関数として表される注入イオンの分布など半導体基板へのイオンの注入
の特性に関連付けられる。このようにして多数のウェーハを処理し、測定することにより
、一連のデータを生成し、これらのデータを使用して、注入済みマスキング材料の光学特
性と半導体基板内の注入済みイオンの特性との関数関係を求めることができる。
【０３２２】
それとは別に、この関数関係には、マスキング材料内の注入と半導体基板内への注入と
の関係を記述する数学的または理論的モデルを含めることができる。例えば、数学的また
は理論的モデルを使用することにより、注入済みマスキング材料の光学特性から判別され
るマスキング材料の注入済み領域の注入エネルギー、注入線量、または深さを用いて半導
体基板の注入済み部分の深さを判別することができる。分光偏光解析法および分光反射法
を使用してイオン注入を監視する方法の例は、Ｓｔｒｏｃｃｈｉａ−Ｒｉｖｅｒａによる
「Ｍｅｔｈｏｄ  ｏｆ  Ｍｏｎｉｔｏｒｉｎｇ  Ｉｏｎ  Ｉｍｐｌａｎｔｓ  ｂｙ  Ｅｘ
ａｍｉｎａｔｉｏｎ  ｏｆ  ａｎ  Ｏｖｅｒｌｙｉｎｇ  Ｍａｓｋｉｎｇ  Ｍａｔｅｒｉ
ａｌ」という表題の２０００年５月１２日に出願された米国特許出願第０９／５７０１３
５号に説明されており、参照により本明細書に完全に規定されているかのように取り込ま
れる。
【０３２３】
イオン注入プロセスの光学的評価には、イオンの注入プロセスを評価する現在の方法に
比べていくつかの利点などがある。例えば、光学的手法では非破壊検査を行うことができ
、半導体基板の加工または製造された半導体デバイスの性能に干渉することはあり得ない
。さらに、マスキング材料の光学的評価には、マスキング材料が形成される半導体基板の
焼きなましなどの追加処理が不要になる。したがって、広帯域放射手法などの光学的手法
を使用したイオン注入プロセスの評価は、イオン注入プロセスで実行することができる。
【０３２４】
一実施形態では、本明細書で説明されているように、イオン注入プロセスを評価するよ
うに構成されたシステムをイオン注入器に結合することができる。このシステムは、本明
細書で説明しているように、測定具を備えている。測定具は、例えば図１７に示されてい
るように、イオン注入器のプロセス・チャンバに結合することができる。測定具がイオン
注入器の外部になるように測定具をイオン注入器に結合することができる。このようにし
て、イオン注入器内の化学的および物理的条件に測定具のコンポーネントを晒す機会を低
減し、さらには排除することさえできる。さらに、このデバイスは、測定具がイオン注入
プロセスの動作、性能、または制御に干渉しないように測定具をイオン注入器に結合する
ことができる。
【０３２５】
測定具は、広帯域放射の入射ビームをイオン注入器内の試料に集中させるようにも構成
されている。測定具はさらに、試料から戻ってきた広帯域放射光ビームの少なくとも一部
を検出するように構成されている。例えば、イオン注入器のプロセス・チャンバはプロセ
ス・チャンバの壁内に配置された実質的に光学的に透明な材料からなる小さなセクション
を備えている。この透明材料の小さなセクションは、プロセス・チャンバの外部にある照
明システムからプロセス・チャンバ内の試料に、また試料からプロセス・チャンバの外部
にある検出システムに広帯域放射光の入射および反射ビームを送るように構成されている
。光学的透明材料は、入射および反射ビームの光学特性を変化させるという望ましくない
効果を引き起こすことなく入射および反射光線を送るように構成されている。しかし、測
定具をイオン注入器に結合する適切な方法は、例えば、イオン注入器の構成により異なる
ことがある。例えば、プロセス・チャンバの壁内に配置されている透明材料セクションの
配置および寸法は、プロセス・チャンバ内のコンポーネントの構成によって異なっていて
もよい。したがって、イオン注入器に結合された測定具は、マスキング材料の光学特性、
マスキング材料の一部の光学特性、多層マスキング・スタックの光学特性、または注入プ
ロセスでの試料の光学特性を測定するように構成される。
【０３２６】
他の実施形態では、このシステムはさらに、測定具とイオン注入器に結合されたプロセ
ッサを備えている。プロセッサはさらに、測定具およびイオン注入器とインターフェイス
するように構成されている。例えば、プロセッサは、イオン注入器からイオン注入器に結
合されている計測器のパラメータを表す信号および／またはデータを受信することができ
る。このプロセッサは、さらに、試料から戻ってきた光または試料のイオン注入領域の少
なくとも１つの特性を表す信号および／またはデータを測定具から受信するように構成さ
れている。さらに、プロセッサは、測定具およびイオン注入器を制御するように構成され
ている。例えば、プロセッサは、イオン注入器に結合された計測器のパラメータを変更す
ることにより試料のイオン注入済み領域の特性を変更することができる。したがって、シ
ステムはプロセスでイオンの注入を監視し制御することができる。
【０３２７】
他の実施形態では、システムは、注入済みマスキング材料の少なくとも１つの光学特性
の変動を監視または測定するように構成されている。例えば、測定具は、イオン注入プロ
セスで実質的に連続してまたは所定の時間間隔により注入済みマスキング材料の光学特性
を測定するように構成されている。したがって、プロセッサは、試料から反射された光を
表す１つまたは複数の出力信号を測定具から受信することができる。このプロセッサはさ
らに、イオン注入プロセスの実行期間にわたって１つまたは複数の出力信号の変化を監視
することもできる。注入時に１つまたは複数の出力信号の変化を分析することにより、プ
ロセッサはさらに、イオンをマスキング材料内に注入することを表すシグネチャを生成す
ることもできる。シグネチャは、イオン注入プロセスの終点に特有の少なくとも１つの特
異性を含む。イオン注入プロセスの適切な終点は、マスキング材料または試料内のイオン
の所定の濃度とすることができる。さらに、イオンの所定の濃度は、イオン注入プロセス
により製造される半導体デバイスのフィーチャにより異なっていてもよい。プロセッサが
シグネチャの特異性を検出した後、このプロセッサは、イオン注入器に結合された計測器
のパラメータのレベルを変更することによりイオンの注入を停止することができる。
【０３２８】
一実施形態では、半導体デバイスを製造する方法は、イオンをマスキング材料と半導体
基板に注入する操作を含む。半導体基板の所定の領域にイオンが注入されるようにマスキ
ング材料を半導体基板上に配置してもよい。例えば、リソグラフィ・プロセスおよび／ま
たはエッチング・プロセスでマスキング材料の一部を除去し、半導体基板の領域に注入プ
ロセスを実行する。イオン注入プロセスでは、通常、スキャンされる全体がドーパント・
イオンのビームでスキャンされる。したがって、イオン注入プロセスにおいて、マスキン
グ材料の残り部分によりドーパント・イオンが半導体基板の基礎領域に入るのを抑制する
ことができる。したがって、マスキング材料のパターン作成では、試料の露光領域にイオ
ンを選択的に注入することができる。
【０３２９】
露光領域は半導体デバイスのフィーチャが形成される試料の領域とすることができる。
例えば、イオン注入プロセスでゲートのチャネル領域の上に載る誘電体により、ゲート導
体またはゲート導体の下のチャンネル領域にイオンが注入されるのを防止できる。したが
って、接合領域など製造されている半導体デバイスの特定のフィーチャに試料の露光領域
を対応させることができる。それとは別に、イオンをマスキング材料に通し、半導体基板
の基礎領域に注入することができる。このようにして、マスキング材料はトランジスタの
接合部の上に配置された薄いゲート誘電体を含む。イオンをマスキング材料に注入すると
、例えば、試料に追い込まれるイオンの有向経路をランダム化することにより半導体基板
の注入領域の電気的特性が高まる。また、マスキング材料は、実質的に平坦な試料または
平坦でない試料の上に形成することもできる。
【０３３０】
半導体デバイスの製造では、イオン注入プロセスでマスキング材料の少なくとも１つの
光学特性を測定することによりイオンを半導体基板に注入する作業を監視することができ
る。マスキング材料の光学特性は、イオンをマスキング材料に注入することにより変更で
きる。したがって、半導体デバイスを製造する方法は、さらに、半導体基板に注入された
イオンの少なくとも１つの特性を判別する操作をも含む。例えば、注入済みマスキング材
料の光学特性と半導体基板上のイオンの注入との関係を記述する関数を使用して、この特
性を判別することができる。
【０３３１】
一実施形態では、上述のように測定具により出力される光の少なくとも一部に対し実質
的に透明である材料ならどれでも、マスキング材料の光学特性の測定に関わるイオン注入
プロセスの評価にマスキング材料として使用することができる。一実施形態では、マスキ
ング材料はレジストとすることができる。適切なレジストはフォトレジスト材料を含み、
これは光学的リソグラフィ手法でパターン化される。ただし、電子線レジストやＸ線レジ
ストなどの他のレジストも使用できる。これらは、電子線またはＸ線リソグラフィ手法で
それぞれパターン作成できる。他の実施形態では、マスキング材料は無機材料を使用でき
る。イオン注入を抑制するために使用できる無機マスキング材料としては、これらに限定
されないが、二酸化珪素、窒化ケイ素、窒化チタン、多結晶シリコン、ケイ化コバルト、
およびケイ化チタンなどがある。無機マスキング材料は、化学気相蒸着または熱成長法な
どの堆積手法により形成できる。無機マスキング材料は、エッチング手法を使用してパタ
ーン作成できる。
【０３３２】
他の実施形態では、マスキング材料はスタック上に配置された２つまたは以上の層の異
なるマスキング材料を含む。例えば、マスキング材料は無機材料上に形成されたレジスト
を含む。無機材料は、マスキング材料を通じてイオン注入を抑制する材料ならどれでもよ
い。無機材料は、マスキング材料の一部として使用する場合、イオンに晒されたとき、透
明でなくても、あるいは光学特性がかなり変化しないものでもよい。後続の光学分析は、
基礎の無機マスキング材料ではなく上に載るレジスト材料について実行できる。無機材料
は、レジストで試料をコーティングする前に試料上に形成することができる。この追加無
機材料は、上に載るレジストと組み合わせて、マスキング・スタックとして使用できる。
適切なマスキング材料は、例えば、イオン注入プロセスまたはイオン注入器構成によって
異なることがある。
【０３３３】
イオン注入プロセスのとき、特に比較的高い線量レベルを使用したプロセスでは、ドー
パント・イオンが半導体基板の領域に注入されることで半導体基板がかなり損傷すること
がある。例えば、このような損傷した半導体基板の注入領域は、上側結晶損傷層とアモル
ファス・シリコンの中間層を含む。上側結晶層の損傷は、例えば、半導体基板の原子と注
入されたイオンとの間の電子の衝突により生じることがある。しかし、半導体基板に入る
イオンに原子衝突毎にエネルギーが十分になく格子位置からケイ素原子が変位しないと、
変位損傷は発生しない。イオン、特に比較的重いイオンの線量を増やすと、単位体積当た
りの変位原子が半導体基板の原子密度に近づくアモルファス領域が生じることがある。イ
オン注入プロセスの注入線量が増えると、アモルファス層の厚さも増大する。シリコンの
アモルファス層が存在すると、この層は光学的放射を反射する境界として働くことができ
る。アモルファス層による光の反射はさらに、反射および偏光解析測定にも影響を及ぼし
うる。したがって、アモルファス・シリコン層の光学特性の測定も、イオン注入プロセス
の処理条件を監視するために使用できる。
【０３３４】
一実施形態では、半導体基板の注入部分の光学特性を測定することができる。光学特性
は、注入を部分の厚さ、屈折率、または減衰係数とすることができる。さらに、半導体基
板の注入部分の複数の光学特性を実質的に同時に測定することができる。半導体基板の注
入済み部分の光学特性および注入済みマスキング材料の光学特性も、実質的に同時に測定
することができる。半導体基板の注入イオンの特性は、半導体基板の注入済み部分の測定
した光学特性から判別することができる。したがって、この特性は、イオンを半導体基板
の一部に注入すること、またはその結果イオン注入された半導体基板の特性に関係する。
例えば、この特性には、イオン注入プロセスの注入エネルギー、注入線量、または注入イ
オン種などがある。さらに、この特性には、イオンの濃度、深さ、厚さの関数として表さ
れる注入イオンの分布、または半導体基板の注入済み部分内の注入イオンの存在などがあ
る。さらに、半導体基板の注入済み部分の光学特性を用いて、上述の特性を含むが限定さ
れないいくつかの特性を実質的に同時に判別できる。半導体基板の特性およびマスキング
材料内の注入イオンの特性も、実質的に同時に判別することができる。
【０３３５】
他の実施形態では、本明細書で説明しているように広帯域波長手法を使用して半導体基
板の注入済み部分の光学特性を測定することができる。例えば、本明細書で説明している
ように、測定具は、広帯域波長手法を使用して半導体基板の注入済み部分の光学特性を測
定するように構成されている。さらに、上述のように測定具をイオン注入器に結合し、イ
オン注入プロセスにおいて半導体基板の注入済み部分の光学特性の測定を実行できる。し
たがって、イオン注入プロセスにおいて半導体基板の注入済み部分の光学特性の変動も測
定することができる。このようにして、イオンを半導体基板に注入する操作に特有のシグ
ネチャが得られる。このシグネチャは、注入プロセスの終わりを表す特異性を含む。上述
のように、適切な終了点は例えば、半導体基板内でイオンが所定の濃度に達したときであ
る。本明細書で説明しているように、適切なプロセッサにより、イオン注入器を制御し半
導体基板の処理を少なくまたは実質的に無くすことができる。
【０３３６】
一実施形態では、注入済みマスキング材料の測定された光学特性を使用して、追加半導
体基板または半導体デバイス製品ウェーハなどの追加試料の後のイオン注入プロセスに関
する処理条件を判別することができる。例えば、イオンをマスキング材料に注入する注入
エネルギーを判別するために、注入済みマスキング材料の測定した光学特性を使用するこ
とができる。判別された注入エネルギーを用いて、イオン注入プロセスでの半導体基板の
注入済み部分の深さを判別することができる。半導体基板の注入済み部分の深さは、半導
体基板の注入済み部分の測定した光学特性から判別することができる。
【０３３７】
半導体基板の注入済み部分の判別された深さは、所定の深さよりも小さい場合がある。
所定の深さは、例えば、イオン注入プロセスで形成されたフィーチャにより異なることが
ある。したがって、半導体基板をさらに処理したり、さらに製品ウェーハを処理する前に
、イオン注入プロセスの注入エネルギーまたはその他のプロセス条件を変更し、追加半導
体基板の注入済み部分の深さが所定の深さに等しくなるようにできる。例えば、イオン注
入プロセスの注入エネルギーを増やして、イオンをより深く半導体基板に打ち込むことが
できる。このようにして、マスキング材料の測定された光学特性を利用することにより、
フィードバック制御手法を使用してイオン注入プロセスのプロセス条件を判別し、変更す
ることができる。他の実施形態では、半導体基板の注入済み部分の測定された光学特性を
利用して、フィードバック制御手法を使用してイオン注入プロセスのプロセス条件を判別
し、変更することができる。
【０３３８】
他の実施形態では、注入済みマスキング材料の測定された光学特性を利用して、イオン
注入プロセスの後に実行できる追加半導体製造プロセスのプロセス条件を判別することが
できる。追加半導体製造プロセスには、これらに限定しないが、半導体基板の注入済み領
域をアニーリングするプロセスおよびマスキング材料を除去するプロセスなどが含まれる
。例えば、イオン注入プロセスの注入エネルギーは、注入済みマスキング材料の測定した
光学特性を使用して判別することができる。判別された注入エネルギーを用いて、イオン
をイオン注入プロセスを使用して半導体基板に注入できる深さを判別する。それとは別に
，半導体基板の注入済み部分の深さを、注入済み半導体基板の測定した光学特性を利用し
て判別することもできる。
【０３３９】
半導体基板の注入済み部分の判別された深さは、所定の深さよりも大きい場合がある。
しかし、イオン注入プロセスの後に実行されるアニーリング・プロセスのプロセス条件を
所定の条件について最適化することができる。したがって、深さが判別されている注入済
み半導体基板をアニーリングする前に、アニーリング時間またはアニーリング温度などの
アニーリング・プロセスのプロセス条件を変更することができる。この一例としては、ア
ニーリング・プロセスのアニーリング時間を長くし、イオン注入プロセスにより半導体基
板内に形成されたアモルファス層の実質的に完全な再結晶化を行わせることができる。こ
のようにして、フィードフォワード制御手法を使用してイオン注入プロセスの後に実行さ
れる半導体製造プロセスのプロセス条件を判別するのに、マスキング材料の測定された光
学特性を利用することができる。また、半導体基板の注入済み部分の測定された光学特性
を利用することにより、フィードフォワード制御手法を使用してイオン注入プロセスの後
に実行される半導体製造プロセスのプロセス条件を判別することもできる。
【０３４０】
マスキング材料の測定された光学特性を含む一組のデータを収集し分析することができ
る。このデータの組を使用して、イオン注入プロセスの処理条件を判別したり、時間の経
過に従って処理条件を監視することができる。また、本明細書で説明しているようなプロ
セス制御方法を半導体基板の注入済み領域の電気的検査とともに使用することができる。
光学的分析と電気的分析とを組み合わせることにより、イオン注入プロセスに対する特性
データを多数取り扱える。特性データを使用することで、イオン注入のメカニズムを評価
し、欠陥の原因を突き止め、プロセス条件を変更することができる。さらに、このプロセ
ス制御戦略を用いれば、新しいイオン注入器の適格性を調べる、つまりその性能を特徴付
けることができる。さらに、このプロセス制御戦略を使用すると、イオン注入プロセスの
開発で適切なマスキング材料およびマスキング材料の厚さを決定することができる。この
プロセス制御方法はさらに、２つまたはそれ以上のイオン注入機器の性能を比較するのに
も使用できる。このようなプロセス制御方法を、複数のイオン注入器が１種類のデバイス
または製品の製造と並行して稼働する製造施設で使用することができる。
【０３４１】
一実施形態では、システムは、少なくとも試料の粘着特性および試料の厚さを判別する
ように構成されている。システムは、本明細書で説明しているように構成されている。例
えば、このシステムは、測定具に結合されたプロセッサを備えている。さらに、プロセッ
サは、検出された光から試料の他の特性を判別するように構成されている。一実施形態で
は、測定具は、光音響デバイス、分光楕円偏光計、楕円偏光計、Ｘ線反射率計、グレージ
ングＸ線反射率計、Ｘ線回折計、非結像スキャタロメータ、スキャタロメータ、分光スキ
ャタロメータ、反射率計、分光反射率計、明視野撮像デバイス、暗視野撮像デバイス、明
視野暗視野撮像デバイス、コヒーレンス・プローブ顕微鏡、干渉顕微鏡、光学プロフィル
メータ、渦電流デバイス、音響パルス・デバイス、またはそれらの任意の組み合わせを備
えている。プロセッサは、測定具で発生した１つまたは複数の出力信号から試料の少なく
とも粘着特性と厚さを判別するように構成されている。
【０３４２】
一実施形態では、音響パルス・デバイスまたは光音響デバイスは、音響パルスを使用し
て試料上に形成された層の特性を示すように構成されている。例えば、音響パルスを使用
して、試料上に配置された金属などの層の厚さを判別することができる。音響パルス・デ
バイスの利点は、試料上に形成された層の特性をデバイスで測定する操作は実質的に非破
壊であるという点である。音響パルス・デバイスは、レーザー・パルスを試料に向けるよ
うに構成されている。レーザ・パルスは、その層の上面から１吸収距離の範囲内で吸収さ
れ、そのため、局所表面温度が上昇する。層の膨張の温度係数（膨張係数）に応じて、層
に対し熱応力がかかることがあり、これにより層内に弾性パルスが発生する。この弾性パ
ルスは、ほぼ音速で層を通る。層上の弾性パルスの持続時間を測定し、これを使用して層
の厚さを判別することができる。弾性パルスの持続時間を測定する操作には、後述の方法
の各段階が含まれる。
【０３４３】
一実施形態では、レーザー放射パルスを試料の第１の表面領域に加えて、試料内に弾性
パルスを非破壊的に発生させることができる。弾性パルスにより、第１の表面領域が移動
する。音響パルス・デバイスは、試料を横切るパルスの音響エコーを検出するように構成
された干渉計を備えている。干渉計はさらに、プローブ・パルスと基準放射パルスを含む
パルスのペアを出力するように構成することもできる。この干渉計はさらに、弾性パルス
および基準パルスにより第２の表面領域に移動するときに、プローブ・パルスを第１の表
面領域に向けるように構成されている。第２の表面領域は、第１の表面領域から横方向に
間隔をあけて並べられる。この干渉計はさらに、試料の表面から発射されるパルスの反射
を監視するように構成することもできる。パルスのペアの反射を使用して、試料上の層の
厚さを判別することができる。例えば、システムのプロセッサは、干渉計からの１つまた
は複数の出力信号を使用して層の厚さを判別するように構成されている。
【０３４４】
一実施形態では、試料の特性の非破壊測定を行う方法は、ポンプ放射パルスを試料の第
１の表面領域に向け、試料内に弾性パルスを非破壊的に発生させることができる。発生し
た弾性パルスにより第１の表面領域が移動する。この方法はさらに、干渉計を使用してプ
ローブ・パルスおよび基準放射パルスを試料に向ける操作も含む。プローブ・パルスおよ
び基準パルスを向ける操作は、弾性パルスによって移動させるときにプローブ・パルスを
第１の表面領域に向ける操作と基準パルスを第２の表面領域に向ける操作を含む。第２の
表面領域は、第１の表面領域から横方向に間隔をあけて並べられる。さらに、この方法は
、プローブ・パルスおよび基準パルスの反射を監視することも含む。この方法はさらに、
試料の層の厚さを判別することも含む。上述の音響パルス法はどちらも、Ｎｉｋｏｏｎａ
ｈａｄらによる米国特許第６１０８０８７号および米国特許出願第０９／３１００１７号
で詳しく説明されており、両方とも参照により本明細書に完全に規定されているかのよう
に取り込まれる。音波を使用して薄膜を測定する他の方法については、米国特許第６１０
８０８７号でも説明されている。
【０３４５】
他の実施形態では、音響パルス・デバイスは、互いに位相が実質的に一致するプローブ
・パルスおよび基準パルスを使用して層の厚さ判別するように構成されている。同相パル
スを使用して、層の一領域に当てられるポンプ・パルスにより発生する音響得エコーを測
定することができる。加えられたポンプ・パルスにより、層内を通る弾性パルスが発生す
る。プローブ・パルスを、弾性パルスが通る試料の領域に向ける。基準パルスは、実質的
にサンプルの同じ表面領域または異なる表面領域に向けられ、試料によりパルスのペアが
修正される。修正されたパルスは検出器で干渉する。例えば、少なくとも１つのパルスが
、サンプルによる修正の前または後、および検出器による検出の前に、同相または周波数
一致で変調される。検出器から送られてきた１つまたは複数の出力信号を処理する前に、
試料上の層の厚さを判別することができる。
【０３４６】
一実施形態では、光学的遅延を使用して、ポンプ・パルスとプローブ・パルスとの時間
関係を変更することができる。このようにして、試料の表面がポンプ・パルスによって発
生する弾性パルスの影響を受けるとき、プローブ・パルスを試料の表面に向けることがで
きる。基準パルスおよびプローブ・パルスを、光源と検出器の間の実質的に同じ光学経路
に沿って送ることができる。このような構成をとることで、例えば環境要因により引き起
こされる可能性のある、検出器の１つまたは複数の出力信号に混じるランダム・ノイズを
低減し、最小限に抑えることさえできる。このような構成は、さらに、米国特許出願第０
９／３７５６６４号に説明されており、これは参照により本明細書に完全に規定されてい
るかのように取り込まれる。
【０３４７】
上述のように、音響パルスデバイスを本明細書で説明しているようなシステムおよび／
またはプロセス・ツールに組み込むことができる。
【０３４８】
一実施形態では、システムは、少なくとも試料内の要素の濃度および試料上の層の厚さ
を判別するように構成されている。システムは、本明細書で説明しているように構成され
ている。例えば、このシステムは、測定具に結合されたプロセッサを備えている。このプ
ロセッサは、測定具で発生した１つまたは複数の出力信号から少なくとも試料内の要素の
濃度および試料上に形成されている層の厚さを判別するように構成されている。さらに、
プロセッサは、検出された光から試料の他の特性を判別するように構成されている。一実
施形態では、測定具は、光音響デバイス、Ｘ線反射率計、グレージングＸ線反射率計、Ｘ
線回折計、渦電流デバイス、分光楕円偏光計、楕円偏光計、非結像スキャタロメータ、ス
キャタロメータ、分光スキャタロメータ、反射率計、分光反射率計、明視野撮像デバイス
、暗視野撮像デバイス、明視野暗視野撮像デバイス、コヒーレンス・プローブ顕微鏡、干
渉顕微鏡、光学プロフィルメータ、渦電流デバイス、またはそれらの任意の組み合わせを
備えている。
【０３４９】
Ｘ線反射率（「ＸＲＲ」）手法を使用して、層の厚さまたは試料の層間の境界における
要素の濃度などの試料の特性を測定することができる。Ｘ線反射率を使用して、試料上の
層の厚さまたは層間の境界を判別することもできる。Ｘ線反射率で測定できる層は、誘電
体などの光に対して実質的に透明な層や金属などの光に対して実質的に不透明な層を含む
。Ｘ線反射率法は、Ｘ線を試料の表面に照射する操作と、試料の表面から反射されるＸ線
を検出する操作を含む。試料の表面から反射されたＸ線の干渉に基づき層の厚さを判別す
ることができる。さらに、試料の表面からのＸ線の反射は、試料上の層の表面および試料
の層間の境界での屈折率の変化および層または境界の密度によって異なる。したがって、
Ｘ線方式の複素屈折率は、層の密度に正比例する。このようにして、層内のまたは層間の
要素の濃度は、層の密度および厚さに基づいて決定することができる。
【０３５０】
Ｘ線反射率法は、例えば、試料の特性に応じて異なる入射角度で実行することができる
。試料の表面から反射されたＸ線の検出に対応する１つまたは複数の出力信号を使用して
プロセッサによりＸ線反射曲線を生成することができる。Ｘ線反射曲線は、平均反射成分
を含み、これは、試料のバルク特性により生じる。１つまたは複数の出力信号から平均反
射率成分を引いて、干渉発振成分曲線を出力することができる。干渉発振成分曲線のパラ
メータを変換し、フーリエ変換を実行する。層の厚さをフーリエ係数Ｆ（ｄ）のピークの
位置によって決定する。さらに、フーリエ係数Ｆ（ｄ）のピーク強度を使用して、層密度
または境界密度を決定することができる。例えば、フーリエ係数のピーク強度と、層密度
との関係をシミュレートし、これを使用して層密度を決定することができる。それとは別
に、非線形最小２乗曲線近似法などの数学的方法を用い、曲線をモデル・データに当ては
めることによりＸ線反射曲線に基づいて層密度を求めることができる。当てはめたパラメ
ータのうちいくつかに相関関係がある。したがって、試料間で実質的に一定なパラメータ
を平均値に固定し、解が複数存在しないようにできる。
【０３５１】
層の表面または層間の境界の要素の濃度は、境界層の密度と濃度との関係を記述するデ
ータを使用して判別することができる。このデータは、二次イオン質量分析法（「ＳＩＭ
Ｓ」）などの他の分析手法を使用して生成することができる。ＳＩＭＳでは、サンプルの
表面からイオンをはね飛ばしてサンプルから材料を除去し、質量分析法によりはね飛ばさ
れたイオンを分析することができる。ＳＩＭＳ手法の例が、Ｃｒｉｅｇｅｒｎらによる米
国特許第４６４５９２９号、およびＮａｉｔｏによる米国特許第４９１２３２６号、Ｍａ
ｕｌらによる米国特許第６０７８０４４５号、Ｂｅｎｎｉｎｇｈｏｖｅｎらによる米国特
許第６１０７６２９号に説明されており、参照により本明細書に完全に規定されているか
のように取り込まれる。このようにして、さまざまな要素濃度を持つ複数のサンプルを作
成することができる。サンプルをＸＲＲで分析して、注目する層または境界の密度を判別
し、さらにＳＩＭＳで分析して、注目する層または境界の濃度を判別することができる。
その後、密度と濃度との関係を決定することができる。決定された関係を使用して、層の
表面または追加試料内の層間の境界の要素の濃度を判別することができる。
【０３５２】
層または試料の層間の境界のＸ線反射率を測定するように構成されたデバイスは測定チ
ャンバを備えている。試料は、ステージまたは他の機械的デバイスにより測定チャンバ内
で支持することができる。測定時に試料の位置を維持し、Ｘ線反射率測定前、測定中、お
よび／または測定後に試料を移動させるように適切なステージまたは機械式デバイスを構
成している。ステージまたは機械式デバイスはさらに、本明細書で説明しているように構
成することもできる。測定チャンバは、半導体製造に使用されるプロセス・ツールのプロ
セス・チャンバとして構成することもできる。例えば、プロセス・チャンバは、試料上に
金属膜を形成する堆積チャンバまたはイオンを試料に打ち込むイオン注入チャンバを備え
ている。このようにして、プロセス・チャンバ内で実行するプロセスの実行前、実行中、
または実行後にＸ線反射率測定を実行することができる。測定チャンバはさらにプロセス
・ツール内またはその近くに配置し、プロセス・ツールのプロセス・チャンバから測定チ
ャンバに試料を移動させるように構成できる。一例としては、測定チャンバを化学機械研
磨ツールに結合し、化学機械研磨プロセスの工程段階の前または後にＸ線反射率測定を実
行することができる。
【０３５３】
層または試料の層間の境界のＸ線反射率を測定するように構成されたデバイスは、さら
に、ローターＸ線源などのＸ線源を備えている。Ｘ線源で発生するＸ線をゲルマニウム・
モノクロメータに通すことができる。測定チャンバはさらに測定チャンバの壁にベリリウ
ム製の窓を備え、そこからＸ線が測定チャンバに入る。このようにして、測定チャンバ内
で支持されている試料の表面にＸ線を向けることができる。さらに、このデバイスは、Ｘ
線源と反対の測定チャンバの側に配置されているＸ線検出器を備えている。こうして、試
料の表面から反射されたＸ線を検出することができる。システムはさらに、デバイスおよ
び／またはデバイスの個々のコンポーネントを制御するように構成されたコントローラ・
コンピュータを備えている。コントローラ・コンピュータはさらに、検出されたＸ線に対
応して検出器により発生した信号を処理し、層内または試料の層間の境界の要素の濃度を
判別するように構成することもできる。コントローラ・コンピュータはさらに、本明細書
で説明しているようにプロセッサとして構成されている。Ｘ線反射率法およびシステムの
他の例は、Ｋｏｍｉｙａらによる米国特許第５７４０２２６号、およびＫｏｍｉｙａらに
よる米国特許第６０４０１９８号に説明されており、参照により本明細書に完全に規定さ
れているかのように取り込まれる。
【０３５４】
一実施形態では、渦電流デバイスは、試料上に形成された層の厚さを測定するように構
成されている。渦電流デバイスはさらに、試料内の接合漏れ電流を測定するように構成す
ることもできる。渦電流デバイスは、交流を試料に流すように構成されたセンサを備えて
いる。流される交流により、試料内に渦電流が発生する。この渦電流を用いて試料の抵抗
またはコンダクタンスを分析することができる。試料上の層の厚さは、抵抗または導電率
の変化により判別できる。渦電流を使用して試料上の層の厚さを判別する方法は、Ｈａｒ
ａｄａによる米国特許第６０８６７３７号、およびＫ．Ｋｅｈｍａｎ、Ｓ．Ｍ．Ｌｅｅ、
Ｗ．Ｊｏｈｎｓｏｎ、およびＪ．Ｆｉｅｌｄｅｎによる「Ｉｎ−Ｓｉｔｕ  Ｍｅｔａｌｌ
ｉｚａｔｉｏｎ  Ｍｏｎｉｔｏｒｉｎｇ  Ｕｓｉｎｇ  Ｅｄｄｙ  Ｃｕｒｒｅｎｔ  Ｍｅ
ａｓｕｒｅｍｅｎｔｓ」という表題の米国特許出願に説明されており、参照により本明細
書に完全に規定されているかのように取り込まれる。
【０３５５】
センサまたは渦電流デバイスは、キャパシタとインダクタを備えている。センサは、使
用時、試料の近くに配置してもよい。試料上に形成された層が導電性または磁性を持つ場
合、交流（「ａｃ」）電磁場を層に結合するようにインダクタを構成している。交流電磁
場により、層内に渦（つまり、フーコー）電流が誘導され、２つの効果が存在する。１つ
は、層が損失の多い抵抗器として働くもので、センサ回路内に抵抗性の負荷が生じ、共振
信号の振幅を低くし、共振周波数を下げる効果がある。もう１つは、層の厚さが減ること
で、インダクタのコイルから金属棒が引き抜かれるときと同じような効果を生じるもので
、これにより、インダクタンスの変化だけでなく、振動数シフトも生じる。追加または除
去により層の厚さが変化すると、渦電流が変化し、その結果、抵抗性負荷効果と振動数シ
フトの大きさも変化する。層が存在していない場合、センサ回路には何の影響も生じない
（つまり、抵抗性負荷がない、インダクタンス変化がない、振動数シフトがない）。した
がって、層の厚さの変化は、これらのパラメータのどれかが変化するのを監視することに
より実質的に連続してまたは間欠的に監視することができる。
【０３５６】
導電性被膜は、半導体基板上の薄膜などの層だけでなく、渦電流デバイスを使用して監
視することができることに注意されたい。例えば、電気メッキ・プロセスでは、陽極とし
て作用する金属ブロック電極から溶解するメッキ溶液中の金属イオンが陰極のところのタ
ーゲット上に析出し、被膜を形成することができる。渦電流測定法により、インサイチュ
ーおよびリアルタイムで電気メッキ・プロセスでのターゲット上の被膜の形成を監視する
ことができる。
【０３５７】
渦電流デバイスと測定結果は、さまざまな用途に使用できる。一実施形態では、渦電流
デバイスを化学機械研磨ツールに結合できる。この用途では、渦電流デバイスを使用して
、研磨プロセスの１つまたは複数の終点および／または研磨プロセスの実行前、実行中、
または実行後の１つまたは複数の研磨された層の厚さを判別することができる。他の実施
形態では、渦電流デバイスを堆積ツールに結合することができる。この場合、渦電流デバ
イスを利用することで、層の堆積終了後、または層の堆積中に堆積された層の厚さを検出
することができる。また、渦電流デバイスを使用して、堆積プロセスの１つまたは複数の
終点を決定することもできる。
【０３５８】
他の方法では、渦電流特性と表面光起電力の監視を組み合わせて、試料内の接合漏れ電
流を判別することができる。一般に、半導体基板などの試料は、第１の接合と第２の接合
を含む。接合漏れ電流は、変化する光を半導体基板に当て、半導体基板の表面に発生する
表面光起電力を測定し、その光に対する半導体基板の渦電流特性を測定することにより監
視することができる。接合タイプの少なくとも１つの接合漏れ電流特性を、表面光起電力
と渦電流特性の組み合わせから判別することができる。渦電流を監視して接合漏れ電流を
測定する方法については、Ｖｅｒｋｕｉｌによる米国特許第６０７２３２０号で詳細に説
明されており、引用により本明細書に取り込まれる。
【０３５９】
渦電流測定具は、本明細書で説明しているようにどのようなシステムにも備えている。
例えば、システムは、分光楕円偏光計として構成された測定具に結合された渦電流測定具
を備えている。この方法では、システムのプロセッサは、試料上の層の厚さおよび試料上
のフィーチャの限界寸法を含むことのできる、試料の少なくとも２つの特性を判別するよ
うに構成されている。層はバリア層を含み、フィーチャは「シート」を含む。
【０３６０】
渦電流測定具および分光楕円偏光計を備えるシステムを、原子層堆積（「ＡＬＤ」）ツ
ールなどのプロセス・ツールに結合することができる。ＡＬＤは、バリア層および／また
はシートを形成する場合に使用できる。ＡＬＤは、通常、個々の反応剤を分離し、表面吸
着の現象を利用する操作を伴うことがある、薄膜を堆積するための手法でよい。例えば、
試料をガスに晒した場合、その試料はそのガスの層で被覆される。例えば、真空ポンプで
プロセス・チャンバからガスを排出する方法でガスを除去すると、ある状況の下では、ガ
スの単分子層が試料の表面に残ることがある。比較的穏やかな温度（つまり、室温）では
、単分子層は物理吸着力により試料の表面に弱く保持される。それでも高い温度では、表
面化学反応が発生し、ガスは化学吸着力により試料の表面に強く保持される。第２の反応
剤をプロセス・チャンバに導入すると、第２の反応剤が吸着している単分子層と反応し固
体被膜の層を形成することができる。このようにして、バリア層などの比較的薄い固体被
膜が、一度に単分子層１つずつ、成長させることができる。さらに、このような薄い固体
被膜は、例えば、特定のプロセスに応じて、アモルファス、多結晶、またはエピタキシャ
ルとすることができる。
【０３６１】
図２３は、堆積プロセスを評価するように構成されたシステムの一実施形態を示す。一
実施形態では、システムは堆積ツール２４０に結合された測定具２３８を備えている。測
定具が堆積ツールのプロセス・チャンバの外部になるように、測定具２３８を堆積ツール
２４０に結合させることができる。したがって、プロセス・チャンバ内で測定具が化学薬
品および物理条件に晒される機会が低減され、さらには実質的に排除される。さらに、測
定具が堆積プロセスの動作、性能、または制御を変更しないように測定具を外部的にプロ
セス・チャンバに結合することができる。例えば、プロセス・チャンバはプロセス・チャ
ンバの壁内に配置された実質的に光学的に透明な材料２４２からなる小さなセクションを
備えている。しかし、堆積ツールの構成は、測定具を堆積ツールに結合する適切な方法に
おうじて決めることができる。例えば、プロセス・チャンバの壁内に配置されている実質
的光学的透明材料セクション２４２の配置および寸法は、プロセス・チャンバ内のコンポ
ーネントの配置によって異なっていてもよい。さらに、測定具を２３８を外部でプロセス
・チャンバに結合し、測定具がエネルギーを試料の表面に向け、試料がプロセス・チャン
バ内に配置されたとき、かつ／またはプロセス・チャンバから除去されるときに、試料の
表面から戻ってくるエネルギーを検出することができる。試料の表面は、試料の表の面ま
たは裏面を含む。
【０３６２】
堆積ツールは、誘電体または導体を堆積するように構成された化学気相蒸着ツールまた
は物理気相蒸着ツールとすることができる。堆積ツールの例は、Ｒｏｓｌｅｒらによる米
国特許第４２３２０６３号、Ｓｉｎｈａらによる米国特許第５６９５５６８号、Ｍａｙｄ
ａｎらによる米国特許第５８８２１６５号、Ｌｅｉらによる米国特許第５９３５３３８号
、Ｌｏｗｅｌｌらによる米国特許第５９６３７８３号、Ｌｅｉらによる米国特許第６１０
３０１４号、Ｓｈａｒａｎらによる米国特許第６１１２６９７号、およびＹｉｅｈらによ
る米国特許第６１１４２１６号、およびＧｕｐｔａらによるＰＣＴ出願番号ＷＯ９９／３
９１８３、ＲｅｄｉｎｂｏらによるＰＣＴ出願番号ＷＯ００／０７２２６で説明されおり
、両方とも参照により本明細書に完全に規定されているかのように取り込まれる。
【０３６３】
他の実施形態では、測定具２３８は、図１６に示されているように、測定チャンバ内に
配置してもよい。測定チャンバは、図１７に示されているように、堆積ツール２４０に結
合することができる。例えば、測定チャンバは、堆積ツール２４０の１つまたは複数のプ
ロセス・チャンバの近くに横または垂直に配置してもよい。例えば、堆積ツールは、実質
的に類似のプロセスまたは異なるプロセスを実行するようにそれぞれ構成されているプロ
セス・チャンバのクラスタを備えている。さらに、測定チャンバは、堆積ツール２４０の
装填チャンバの近くに横または垂直に配置してもよい。堆積ツールの装填チャンバは、堆
積ツール内で処理されるウェーハのカセットなどの複数の試料を支持するように構成され
ている。ロボット・ウェーハ・ハンドラは、処理前に装填チャンバから試料を取り出し、
処理済みの試料を装填チャンバ内に配置するように構成されている。さらに、測定チャン
バは、システムのために十分なスペースが確保されている堆積ツールに近いどこかの場所
やロボット・ウェーハ・ハンドラがプロセス・チャンバとシステムの間で試料を移動でき
るように収まるどこかの場所など堆積ツールに近い他の場所に配置してもよい。
【０３６４】
このようにして、堆積ツール２４０、ステージ２６４、または他の適切な機械デバイス
からなるロボット・ウェーハ・ハンドラは、試料２４６が堆積ツールの測定チャンバとプ
ロセス・チャンバの間で移動できるように構成されている。さらに、ロボット・ウェーハ
・ハンドラ、ステージ、または他の適切な機械デバイスは、試料２４６が堆積ツールのプ
ロセス・チャンバと測定チャンバの間で移動できるように構成されている。測定具２３８
は、さらに、図１７に関して詳述されているように、堆積ツール２４０に結合することが
できる。
【０３６５】
測定具２３８は、偏光状態が知られている光を試料２４６に向け堆積プロセスの実行前
、実行中、または実行後に試料のある領域に光が当たるように構成された第１の照明シス
テム２４４を備えている。第１の照明システム２４４により試料２４６に向けられた光の
一部２４９は、試料の光が当たった領域から広がる。さらに、測定具は、堆積プロセスの
実行前、実行中、または実行後に試料２４６の表面からの光２４９の偏光状態を分析する
ように構成された検出システム２４８を備えている。このような方法で、測定具は分光楕
円偏光計として動作する。
【０３６６】
さらに、測定具２３８は、偏光状態が知られている光を試料２４６に向け堆積プロセス
の実行中に試料のある領域に光が当たるように構成された第２の照明システム２５０を備
えている。第２の照明システム２５０により試料２４６に向けられた光の一部２５１は、
向けられている光の経路に沿って試料の光が当たっている領域から広がる。さらに、測定
具は、堆積プロセスの実行前、実行中、または実行後に試料２４６の表面からの光の強度
を測定するように構成された検出システム２５２を備えている。このような方法で、測定
具は分光反射率計として動作する。しかし、測定具は、ビーム・プロフィル楕円偏光計お
よびヌル楕円偏光計として動作するようにも構成されている。
【０３６７】
実質的光学的透明材料２４２の比較的小さなセクションは、光をプロセス・チャンバの
外部にある第１の照明システム２４４の光源２５４からプロセス・チャンバ内の試料２４
６の表面に送り、試料の表面からの光をプロセス・チャンバの外部にある検出器２５６に
送るように構成されている。さらに、実質的光学的透明材料２４２の比較的小さなセクシ
ョンは、光をプロセス・チャンバの外部にある第２の照明システム２５０の光源２５８か
らプロセス・チャンバ内の試料２４６の表面に送り、試料の表面からの光をプロセス・チ
ャンバの外部にある検出器２６０および２６２に送るように構成されている。実質的光学
的透明材料は、当てられて戻ってくる光の光学特性を変化させるという望ましくない効果
を生じさせないで、光源２５４および２５８から出る光と試料２４６の表面からの光がプ
ロセス・チャンバ内に配置されている比較的小さなセクション２４２を通過することがで
きる光学的特性または材料特性を持つ。さらに、この実質的光学的透明材料は、光源２５
４および２５８から出た光が半導体２４６の表面に集中するように構成されている。この
方法では、測定具２３８は、プロセス・チャンバ内に配置されたステージ２６４に結合す
ることができる。ステージ２６４は、本明細書で説明したように構成されうる。
【０３６８】
分光楕円偏光計は、入射偏光光線を試料に集中させ、広範な波長スペクトルにわたって
試料から反射された入射光線の少なくとも一部の偏光の変化を監視する機能を備えている
。分光楕円偏光計の例は、Ｇｏｌｄらによる米国特許第５０４２９５１号、Ｒｏｓｅｎｃ
ｗａｉｇらによる米国特許第５４１２４７３号、Ｃｈｅｎらによる米国特許第５５８１３
５０号、Ｒｏｓｅｎｃｗａｉｇらによる米国特許第５５９６４０６号、Ｆａｎｔｏｎらに
よる米国特許第５５９６４１１号、Ｃａｒｔｅｒらによる米国特許第５７７１０９４号、
Ａｓｐｎｅｓらによる米国特許第５７９８８３７号、Ａｓｐｎｅｓらによる米国特許第５
８７７８５９号、Ｂａｒｅｋｅｔらによる米国特許第５８８９５９３号、Ａｓｐｎｅｓら
による米国特許第５９００９３９号、Ｐｉｗｏｎｋａ−Ｃｏｒｌｅらによる米国特許第５
９１０８４２号、Ｎｏｒｔｏｎによる米国特許第５９１７５９４号、Ａｓｐｎｅｓらによ
る米国特許第５９７３７８７号、Ｗａｇｎｅｒによる米国特許第６２５６０９７号に説明
されており、参照により本明細書に完全に規定されているかのように取り込まれる。分光
偏光解析デバイスの他の例は、ＲｏｓｅｎｃｗａｉｇらによるＰＣＴ出願番号ＷＯ９９／
０９２７０に説明されており、参照により本明細書に完全に規定されているかのように取
り込まれる。
【０３６９】
光源２５４は、広帯域光を放射するように構成されている、本明細書で説明しているよ
うな光源であればどのようなものでも使用できる。照明システム２４４はさらに、放射光
の経路に沿って配置された光コンポーネント２６６を備えている。光コンポーネント２６
６は、放射光の偏光状態を変化させ、直線偏光または回転偏光などの偏光状態が分かって
いる光を試料２４６の表面に向けるように構成されている。さらに、照明システム２４４
は、光源２５４から放射された光を試料２４６の表面に集中させて向けるように構成され
ている追加光学コンポーネント（図には示されていない）を備えている。検出システム２
４８はさらに、試料の表面からの光の経路に沿って配置された光コンポーネント２６８を
備えている。光学コンポーネント２６８は、分光楕円偏光計の検光子として機能するよう
に構成されている。検出システム２４８は、さらに、分光計（図に示されていない）など
の散乱要素を備えている。散乱要素は、異なる波長を持つ試料の表面から伝搬される光を
分離するように構成されている。ビームの分離された成分は、検出器アレイとして機能す
るように構成された、検出器２５６の個々の要素により検出できる。偏光器は、検出器ア
レイの要素により時間とともに変化する強度が検出されるように、回転するように構成さ
れている。プロセッサ２７０は、検出器２５６から１つまたは複数の出力信号を受信する
ように構成することができ、またデータを処理するように構成されている。
【０３７０】
検出器２５６からの出力信号は、検出器アレイの要素の光の強さに対応する。プロセッ
サ２７０は、上述のように当業で知られている数式により出力信号を偏光解析パラメータ
Ψおよび□に変換するように構成されている。プロセッサ２７０は、本明細書で説明して
いるように、数学的または光学的モデルを使用して、偏光解析パラメータΨおよび□を、
試料２４６の表面上に形成される層の特性に変換するように構成されている。例えば、プ
ロセッサ２７０は、光学的モデルを使用して偏光解析パラメータから試料２４６の層、層
の一部、または複数の層の厚さ、屈折率、および減衰係数を判別するように構成されてい
る。厚さ、屈折率、および減衰係数を、一般に、層の「薄膜」特性と呼ぶことができる。
【０３７１】
それとは別に、プロセッサ２７０は、測定具２３８からの１つまたは複数の出力信号か
ら試料２４６上のフィーチャの限界寸法を判別するように構成されている。例えば、フィ
ーチャの限界寸法には、これらに限定されないが、幅などの横寸法、高さなどの縦寸法、
および本明細書で説明しているような側壁プロフィルなどがある。さらに、プロセッサ２
７０は、測定具２３８からの１つまたは複数の出力信号から試料の層の厚さ、屈折率、お
よび／または減衰係数、および試料上のフィーチャの限界寸法を判別するように構成され
ている。例えば、プロセッサ２７０は、測定具からの１つまたは複数の出力信号を、幅、
高さ、および側壁プロフィルなどのさまざまな特性に対する予想される出力信号と波長と
の対比を記述した１つまたは複数の所定の表と比較するように構成されている。所定の表
の異なる特性に対する予想される出力信号と波長との対比は、例えば、特性が知られてい
る試料を使って実験的におよび／または数学的モデリングを通じて理論的に求めることが
できる。
【０３７２】
さらに、プロセッサ２７０は、測定具２３８からの１つまたは複数の出力信号を、さま
ざまな特性および予想される出力信号と波長との間の補間データに対する予想される出力
信号と波長との対比を記述した１つまたは複数の所定の表と比較するように構成されてい
る。それとは別に、プロセッサ２７０は、（場合によっては近似）式による１つまたは複
数の開始推定値を使用して反復演算を実行し、測定具からの１つまたは複数の出力信号に
対して近似値に収束するように構成されている。適切な式として、当業で知られている非
線形回帰アルゴリズムなどがあるが、これに限定はしない。
【０３７３】
他の実施形態では、システムはさらに較正楕円偏光計（図に示されていない）を備えて
いる。較正楕円偏光計は、試料の基準層の厚さを判別するように構成されている。基準層
の厚さは、本明細書で説明しているように測定具の分光楕円偏光計を使用して測定するこ
とができる。プロセッサ２７０により、較正楕円偏光計および測定具によって生成される
基準層の厚さ測定結果の位相オフセットを決定できる。プロセッサは、位相オフセットを
使用して、測定具により行った測定から追加層の厚さを判別するように構成されている。
較正楕円偏光計はさらに、堆積ツールのプロセス・チャンバに結合することもできる。し
たがって、較正楕円偏光計を使用して、測定された楕円偏光計パラメータの変動を低減し
、さらには除去することさえできる。例えば、偏光解析パラメータ□の測定結果は、測定
具の１つまたは複数の光学経路に沿って環境条件が変化するため変動することがある。偏
光解析パラメータ□のこのような変動により、試料上の層の厚さ測定が変わりうる。した
がって、較正楕円偏光計を使用して、試料上の層の厚さ測定のドリフトを低減させ、さら
には除去することさえできる。
【０３７４】
分光反射法は、広帯域放射ビームを試料に集中させ、層の厚さを決定するための反射ス
ペクトルと試料の屈折率を測定する操作を含む。分光反射率計の例が、Ｇｏｌｄらによる
米国特許出願第４９９９０１４号、およびＮｏｒｔｏｎらによる米国特許出願第５７４７
８１３号に説明されており、参照により本明細書に完全に規定されているかのように取り
込まれる。第２の照明システム２５０は、キセノンアーク・ランプなどの光源２５８を備
えている。光源２５８はさらに、可視光線および紫外線などの広帯域の光を放射するよう
に構成された光源を備えている。第２の照明システム２５０はさらに、ビーム・スプリッ
タ２５９に結合することもできる。ビーム・スプリッタ２５９は、光源２５８によって放
射される光を試料２４６の表面に向け、実質的に連続的な広帯域光スペクトルが試料２４
６の表面に向かうように構成されている。
【０３７５】
サンプル・ビームを試料２４６の領域に集中させ、光が当てられている領域から反射し
たサンプル・ビームの少なくとも一部が検出システム２５２の分光計（図に示されていな
い）に通すことができる。さらに、検出システム２５２は分光計に入るときにそこを通過
する光を分散させるように構成された回折格子（図には示されていない）を備えている。
このようにして、得られた一次の回折ビームをリニア・フォトダイオード・アレイを備え
る検出器２６０または検出器２６２により集光することができる。したがって、フォトダ
イオード・アレイは、サンプル反射スペクトルを測定することができる。相対反射率を求
めるには、各波長のサンプル光強度を各波長の相対的基準強度で割ればよい。相対的反射
スペクトルを使用して、試料上の１つまたは複数の層の厚さを測定することができる。さ
らに、単一波長の反射率および１つまたは複数の層の屈折率も、相対的反射スペクトルか
ら求めることができる。
【０３７６】
さらに、モード展開（model method by modal expantion:「ＭＭＭＥ」）モデルによる
モデル手法を使用して、さまざまな反射スペクトルのライブラリを生成することができる
。本明細書で説明しているように、ＭＭＭＥモデルは、パラメータ空間内の各格子から理
論的回折光の「指紋」を判別するために使用できる厳密な回折モデルである。他のモデル
も、厳密カップリング導波管分析（「ＲＣＷＡ」）モデルなどの理論的回折光を計算する
のに使用することができる。測定された反射スペクトルをさまざまな反射スペクトルのラ
イブラリに当てはめることができる。
【０３７７】
試料２４６の表面からの光の偏光状態と強度は、試料２４６上に層を形成するときに変
えることができる。例えば、化学気相蒸着（「ＣＶＤ」）および低圧化学気相蒸着（「Ｌ
ＰＣＶＤ」）プロセスなどの堆積プロセスで、シラン、クロロシラン、窒素、および／ま
たはアンモニアなどの反応ガスをプロセス・チャンバ内に導入することにより層を試料２
４６上に形成することができる。反応ガスが試料の加熱された表面で分解して反応し、材
料の堆積層を形成する。このようにして、試料２４６の表面上に形成される層の厚さは堆
積プロセスで大きくなる。
【０３７８】
堆積プロセスで層の厚さが増えると、層の表面の反応性が層の厚さの変動とともに正弦
曲線を描いて変化する。したがって、反射された光の強さは、堆積層の厚さに応じて変化
する。さらに、反射された光の強さは、式Ｉr＝｜ＥR｜2に従って電界強度の平方にほぼ
等しい。Ｉrはさらに、偏光解析パラメータΨおよび□に関して表すこともできる。非常
に薄い層については、ｔａｎΨは厚さに無関係であり、□はその厚さに正比例する。この
ようにして、測定具によって生成される試料から戻ってくる光の強度に対応する１つまた
は複数の出力信号を使用して、層の厚さを判別することができる。
【０３７９】
さらに、試料上の層の厚さの変動も、例えば、堆積ツールに結合されている計測器のパ
ラメータに応じて変化することができる。堆積ツールに結合されている計測器のパラメー
タにより、堆積プロセスのプロセス条件を決定できる。例えば、堆積速度は、一定期間に
試料の表面に形成された層の厚さとして定義できる。したがって、堆積速度は、堆積プロ
セスでの試料上の層の厚さの変動に影響を及ぼすことがある。堆積速度は、堆積プロセス
全体を通して実質的に一定である。それとは別に、堆積速度は、堆積プロセス全体を通し
て変動してもよい。堆積速度は、これらに限定されないが、プロセス・チャンバ内の温度
、プロセス・チャンバ内の温度こう配、プロセス・チャンバ内の圧力、反応ガスの全流量
、反応ガス比、および１つまたは複数のドーパント・ガスの流量などの堆積ツールに結合
されている１つまたは複数の計測器のパラメータにより異なることができる。このように
して、試料の表面からの光の強度の変動は、堆積ツールに結合されている計測器のパラメ
ータに応じて変化することができる。したがって、測定具に結合されているプロセッサは
、堆積プロセスで試料の表面からの光の測定済み強度変化から堆積ツールに結合されてい
る計測器のパラメータを判別するように構成されている。
【０３８０】
一実施形態では、図２３に示されているように、測定具に結合されたプロセッサは、検
出された光から試料上に形成された層の特性を判別するように構成されている。測定具は
、上の実施形態で説明されているように構成されている。形成された層の特性には、これ
らに限定されないが、厚さ、屈折率、減衰係数、限界寸法、またはそれらの組み合わせな
どがある。堆積プロセスの後、試料を研磨して、堆積材料の上側表面が実質的に平坦にな
るようにすることができる。研磨の後、レジストの層を堆積層上に形成し、リソグラフィ
・プロセスでレジストの層を露光してレジストのパターンを作成することができる。この
方法で、堆積層の選択済み領域を露光し、エッチング・プロセスで選択済み領域の少なく
とも一部を除去することができる。アルミニウムまたは銅などの導体は、例えば物理気相
蒸着プロセスにより堆積層のエッチングされた部分および堆積層の上面に堆積することが
できる。試料を研磨して、試料の上面が実質的に平坦になるようにすることができる。こ
のようにして、中間接触構造などのさまざまな半導体フィーチャを試料上に形成すること
ができる。
【０３８１】
試料に形成された半導体フィーチャの特性は、例えば、堆積層の特性および堆積、研磨
、リソグラフィ、エッチング、および物理気相蒸着プロセスの導体およびプロセス条件に
応じて異なる。したがって、試料上の半導体フィーチャの特性は、堆積層の判別された特
性を使用して決定できる。さらに、測定具に結合されたプロセッサも、検出された光から
の堆積プロセスの実行前、実行中、または実行後の堆積層上の異物などの欠陥の有無を判
別するように構成することもできる。
【０３８２】
他の実施形態では、プロセッサ２７０は、図２３に示されているように、測定具２３８
および堆積ツール２４０に結合できる。プロセッサは、測定具および堆積ツールのインタ
ーフェイスになるように構成されている。例えば、このプロセッサは、堆積プロセスで堆
積ツールから１つまたは複数の信号を受信する。信号は堆積ツールに結合された１つまた
は複数の計測器のパラメータを表している。さらに、このプロセッサを測定具から１つま
たは複数の信号を受信するように構成することもできる。測定具からの信号は、本明細書
で説明しているように、検出器２５６、２６０、および２６２から検出された光を表すこ
とができる。他の実施形態では、測定具２３８は、本明細書で説明しているように、堆積
プロセスにおいて、試料から来る光の強度の変動を測定するように構成されている。例え
ば、測定具２３８は、堆積プロセスで、実質的に連続的にまたは所定の時間間隔により、
試料から来る光の強度を測定するように構成されている。したがって、プロセッサは、堆
積プロセスで、測定具から送られてきた出力信号の変化を監視するように構成されている
。このようにして、プロセッサは、測定具からの監視されている変動および／または出力
信号と堆積ツールに結合された１つまたは複数の計測器のパラメータに対応する堆積ツー
ルからの出力信号との関係を判別するように構成されている。したがって、プロセッサは
、判別された関係を使って、堆積ツールに結合されている１つまたは複数の計測器のパラ
メータを変更するように構成されている。さらに、プロセッサは、判別された関係と測定
具からの１つまたは複数の出力信号を使用して１つまたは複数の計測器のパラメータを判
別するように構成されている。
【０３８３】
さらに、プロセッサは、測定具および堆積ツールを制御するように構成することもでき
る。例えば、プロセッサは、検出された光に対応して堆積ツールに結合されている計測器
のパラメータを変更するように構成されている。このようにして、プロセッサは、インサ
イチュー制御手法を使用して堆積ツールに結合されている計測器のパラメータを変更する
ように構成される。さらに、プロセッサは、検出された光に対応して測定具に結合されて
いる計測器のパラメータを変更するように構成されている。例えば、処理デバイスは、検
出された光に対して測定具のサンプリング周波数を変更するように構成されている。
【０３８４】
堆積プロセスで測定具からの出力信号の変化を分析することにより、プロセッサ２７０
はさらに試料２４６上の層の形成を表すことができるシグネチャを生じさせることもでき
る。このシグネチャは、堆積プロセスの終点に特有の少なくとも１つの特異性を含む。例
えば、堆積プロセスに適した１つの終点は、試料上の層が所定の厚さに達したときである
。試料上の層の所定の厚さは、例えば、堆積プロセスにより加工される半導体デバイスに
応じて厚かったり薄かったりしてよい。プロセッサがシグネチャの特異性を検出した後、
このプロセッサは、堆積ツールに結合されている計測器のパラメータを変更することによ
り試料上の層の堆積を遅くし、さらに終了することさえする。
【０３８５】
一実施形態では、プロセッサ２７０は、測定具２３８からの１つまたは複数の出力信号
を使用して、追加試料の層の堆積のため堆積ツール２４０に結合されている１つまたは複
数の計測器のパラメータを判別するように構成されている。例えば、測定具２３８から送
られてきた１つまたは複数の出力信号を使用して、試料上の層の厚さを判別することがで
きる。試料上の層の厚さは、所定の厚さよりも厚くてもよい。したがって、追加試料を処
理する前に、反応ガスの流量または堆積ツールに結合されている１つまたは複数の計測器
の他のパラメータを変更することができる。このようにして、追加試料上に形成された層
の厚さを測定された層よりも所定の厚さに近づけることができる。例えば、堆積プロセス
で使用する反応ガスの流量を減らして、追加試料上の堆積する層を薄くすることができる
。このような方法で、このプロセッサを使用することで、フィードバック制御手法により
、測定具の１つまたは複数の出力信号に対応して堆積ツールに結合されている１つまたは
複数の計測器のパラメータを変更することができる。
【０３８６】
他の実施形態では、プロセッサ２７０は、測定具２３８からの１つまたは複数の出力信
号を使用して、追加半導体製造プロセスを実行するように構成されたプロセス・ツールに
結合されている１つまたは複数の計測器のパラメータを判別するように構成されている。
追加半導体製造プロセスは、堆積プロセスの後に実行できる。堆積プロセスの後に実行さ
れる追加半導体製造プロセスとしては、試料上に堆積された層を平坦化する化学機械研磨
プロセスなどがあるが、これに限定されない。例えば、測定具から送られてきた１つまた
は複数の出力信号を使用して、堆積プロセスで試料上に堆積された層の厚さを判別するこ
とができる。堆積された層の判別された厚さは、層の所定の厚さよりも厚くできる。
【０３８７】
それ以降の研磨プロセスのプロセス条件を、試料上に堆積された層の所定の厚さに対し
て最適化することができる。したがって、堆積された層を研磨する前に、処理時間または
試料の裏面に加えられる圧力など研磨ツールに結合された１つまたは複数の計測器のパラ
メータを変更し、堆積された層の上面が平坦化されるようにできる。例えば、処理時間を
長くし、堆積された層の平坦化をいっそう完全なものとすることができる。この方法によ
り、プロセッサは、フィードフォワード制御手法用いて測定具から得られる１つまたは複
数の出力信号に対して化学機械研磨ツールに結合されている計測器のパラメータを変更す
るように構成されている。さらに、プロセッサおよび測定具は、本明細書で説明した実施
形態のいずれかにより構成されている。例えば、測定具に結合されたプロセスは、測定具
からの１つまたは複数の出力信号を使用して堆積プロセスの実行時に試料の欠陥、堆積材
料の厚さ、堆積材料のシート抵抗、堆積材料の熱拡散率、またはそれらの組み合わせを検
出するように構成することもできる。
【０３８８】
一実施形態では、堆積プロセスで試料の特性を判別する方法には、ステージ上に試料を
配置する操作が含まれる。ステージは、図２３に示されているように、堆積ツールのプロ
セス・チャンバ内に配置してもよい。ステージはさらに、堆積プロセスで試料を支持する
ように構成することもできる。測定具は、図２３に示されているように堆積ツールに結合
される。したがって、このステージを測定具に結合させることができる。さらに、測定具
は、上の実施形態で説明されているように構成することもできる。この方法は、光を試料
の表面に向ける操作も含む。この向けられる光は、偏光状態が知られているものである。
この向けられた光は、試料の表面に当たることができる。堆積プロセスで、試料の表面に
層を形成することができる。
【０３８９】
さらに、この方法は、堆積プロセスで試料の表面からの光を検出する方法も含む。この
方法はさらに、検出された光の強度および／または偏光状態に対応して１つまたは複数の
出力信号を生成するステップをも含む。検出された光の強度および／または偏光状態は、
例えば試料上に形成された層の１つまたは複数の特性によって異なってもよい。したがっ
て、このような１つまたは複数の出力信号を使用して、形成された層の１つまたは複数の
特性を判別することができる。このようにして、この方法は、試料上に形成された層の１
つまたは複数の特性を判別することを含む。さらに、この方法は、試料上に形成される複
数の層の１つまたは複数の特性を判別することを含む。これら１つまたは複数の特性とし
ては、これらに限定されないが試料上の１つまたは複数の層の厚さ、屈折率、減衰係数、
試料上のフィーチャの限界寸法、試料の欠陥の有無、またはそれらの組み合わせなどがあ
る。
【０３９０】
他の実施形態では、堆積プロセスで試料上の層の特性を判別する方法には、本明細書で
説明しているような方法のステップが含まれうる。例えば、この方法は、検出された光の
強度および／または偏光状態に応答する１つまたは複数の出力信号に対応して堆積ツール
に結合された計測器のパラメータを変更する操作を含む。このようにして、この方法は、
フィードバック制御手法、インサイチュー制御手法、またはフィードフォワード制御手法
を使用して堆積ツールに結合されている計測器のパラメータを変更することを含む。さら
に、この方法は、１つまたは複数の出力信号に対応して測定具に結合されている計測器の
パラメータを変更する操作を含む。例えば、この方法は、１つまたは複数の出力信号に対
応して測定具のサンプリング周波数を変更する操作を含む。さらに、この方法は、試料上
の層の堆積を特徴付けるシグネチャを得る操作も含む。このシグネチャは、堆積プロセス
の終点を表す少なくとも１つの特異性を含む。例えば、堆積プロセスに適した１つの終点
は、試料上に形成された層が所定の厚さに達したときである。さらに、所定の厚さは、例
えば、堆積プロセスにより加工される半導体デバイスに応じて厚かったり薄かったりする
ことができる。終点を表す特異性を得た後、この方法では、堆積ツールに結合されている
計測器のパラメータを変更することにより、堆積プロセスを低減し、さらには終了さえす
ることができる。
【０３９１】
一実施形態では、コンピュータ実装方法を使用して、堆積プロセスで層の特性を判別す
るように構成されたシステムを制御することができる。システムは、本明細書で説明した
ように、堆積ツールに結合されている測定具を備えている。このシステムは測定具を制御
する操作を含む。測定具を制御する操作には、光源を制御することにより光を試料の表面
に向け、向けられた光が試料の表面に当たるようにできる。この向けられる光は、偏光状
態が知られているものである。さらに、測定具を制御する操作には、堆積プロセスで，検
出器を制御して試料の表面からの光を検出することも含む。さらに、この方法は、検出さ
れた光を処理して検出された光の強度または偏光状態を判別する操作を含む。例えば、こ
の方法は、検出された光を処理する操作を含み、検出された光に対応して１つまたは複数
の出力信号を発生する操作を含む。さらに、この方法は、１つまたは複数の出力信号を使
用して、試料上に形成される層の１つまたは複数の特性を判別する操作を含む。これら１
つまたは複数の特性としては、試料上の層の厚さ、屈折率、および減衰係数、試料上のフ
ィーチャの限界寸法、試料の欠陥の有無、またはそれらの組み合わせがある。
【０３９２】
他の実施形態では、システムを制御して堆積プロセスで試料上に形成される層の特性を
判別するコンピュータ実装方法には、本明細書で説明しているような方法のステップが含
まれる。例えば、この方法は、堆積ツールに結合されている計測器を制御し、１つまたは
複数の出力信号に対応して計測器のパラメータを変更する操作を含む。堆積ツールに結合
されている計測器を制御する操作は、フィードバック制御手法、インサイチュー制御手法
、および／またはフィードフォワード制御手法を使用する操作を含む。さらに、この方法
は、測定具に結合されている計測器を制御し、１つまたは複数の出力信号に対応して計測
器のパラメータを変更する操作を含む。例えば、この方法は、測定具に結合されている計
測器を制御し、１つまたは複数の出力信号に対応して測定具のサンプリング周波数を変更
する操作を含む。
【０３９３】
他の一例としては、コンピュータ実装方法は、測定具を制御して試料上の層の堆積を特
徴付けるシグネチャを得る操作を含む。このシグネチャは、堆積プロセスの終点を表す少
なくとも１つの特異性を含む。例えば、堆積プロセスに適した１つの終点は、試料上に堆
積された層が所定の厚さに達したときである。終点を表す特異性を得た後、この方法では
、堆積ツールに結合されている計測器のパラメータを制御して計測器のパラメータを変更
することにより、試料上の層の堆積を低減し、さらには終了さえすることができる。
【０３９４】
他の実施形態は、半導体デバイスを製造する方法に関係する。この方法は、ステージに
ウェーハなどの試料を配置するステップを含む。ステージは、堆積ツールのプロセス・チ
ャンバ内に配置してもよい。ステージは、堆積プロセスで試料を支持するように構成され
ている。さらに、測定具を堆積ツールのプロセス・チャンバに結合することができる。こ
のようにして、ステージを測定具に結合することができる。この方法は、さらに、試料の
上に半導体デバイスの一部を形成する操作を含む。例えば、半導体デバイスの一部を形成
する操作は、試料上に材料の層を形成する操作を含む。試料上に層を堆積する操作は、複
数のダイスを用い試料上に誘電体の層を形成する操作を含む。複数のダイスは、繰り返し
可能なパターン・フィーチャを備えている。例えば、堆積層を使用して、試料上に形成さ
れうる半導体デバイスの近いまたは隣接するフィーチャを電気的に分離することができる
。
【０３９５】
本半導体デバイスを製造する方法はさらに、光を試料の表面に向ける操作も含む。この
向けられる光は、偏光状態が知られているものである。この方法はさらに、堆積プロセス
で試料の表面から伝播される光を検出するステップも含む。さらに、この方法は、検出さ
れた光の強度および／または偏光状態を判別する操作を含む。検出された光の強度および
／または偏光状態は、例えば試料上に形成された層の１つまたは複数の特性によって異な
る。この方法はさらに、検出された光の強度および／または偏光状態に対応して１つまた
は複数の出力信号を生成するステップをも含む。このようにして、この方法は、１つまた
は複数の出力信号を使用して、試料上に堆積された層の特性を判別する操作を含む。特性
としては、試料上の層の厚さ、屈折率、および減衰係数、試料上のフィーチャの限界寸法
、またはそれらの組み合わせなどがある。
【０３９６】
他の実施形態では、半導体デバイスを製造する方法は、本明細書で説明されているよう
な方法のステップを含む。例えば、この方法は、１つまたは複数の出力信号に対応して堆
積ツールに結合されている計測器のパラメータを変更する操作を含む。堆積ツールに結合
されている計測器のパラメータを変更する操作は、フィードバック制御手法、インサイチ
ュー制御手法、および／またはフィードフォワード制御手法を使用する操作を含む。さら
に、この方法は、１つまたは複数の出力信号に対応して測定具に結合されている計測器の
パラメータを変更する操作を含む。例えば、この方法は、１つまたは複数の出力信号に対
応して測定具のサンプリング周波数を変更する操作を含む。さらに、この方法は、試料上
の層の堆積を特徴付けるシグネチャを得る操作も含む。このシグネチャは、堆積プロセス
の終点を表す少なくとも１つの特異性を含む。例えば、堆積プロセスに適した１つの終点
は、試料上に堆積された層が所定の厚さに達したときである。終点を表す特異性を得た後
、この方法では、堆積ツールに結合されている計測器のパラメータを変更することにより
、堆積プロセスを低減し、さらには終了さえすることができる。
【０３９７】
図２４は、エッチング・プロセスを評価するように構成されたシステムの一実施形態を
示す。一実施形態では、エッチング・プロセスを評価するように構成されたシステムは、
エッチング・ツールのプロセス・チャンバ２７４に結合された測定具２７２を備えている
。測定具がプロセス・チャンバの外部のものとなるように測定具２７２をプロセス・チャ
ンバ２７４に結合することができる。したがって、プロセス・チャンバ内で測定具が化学
薬品および物理条件に晒される機会が低減され、さらには実質的に排除されさえする。さ
らに、測定具がエッチング・プロセスの動作、性能、または制御を変更しないように測定
具を外部的にプロセス・チャンバに結合することができる。例えば、プロセス・チャンバ
はプロセス・チャンバ２７４の壁内に配置された実質的に光学的に透明な材料２７６から
なる１つまたは複数の小さなセクションを備えている。しかし、プロセス・チャンバ２７
４の構成は、測定具２７２をプロセス・チャンバに結合する適切な方法に応じて決めるこ
とができる。例えば、プロセス・チャンバの壁内の実質的光学的透明材料セクション２７
６の配置および寸法は、プロセス・チャンバ内のコンポーネントの構成によって異なる。
【０３９８】
他の実施形態では、測定具２７２は、図１６に関して図１６に示されているように、測
定チャンバ内に配置してもよい。測定チャンバは、図１７に示されているように、エッチ
ング・ツールのプロセス・チャンバ２７４に結合することができる。例えば、測定チャン
バは、エッチング・ツールの１つまたは複数のプロセス・チャンバの近くに横または垂直
に配置してもよい。このようにして、エッチング・ツール、ステージ２８０、または他の
適切な機械デバイスからなるロボット・ウェーハ・ハンドラを、エッチング・ツールの測
定チャンバとプロセス・チャンバの間で試料２７８を移動させることができるように構成
することができる。さらに、ロボット・ウェーハ・ハンドラ、ステージ、または他の適切
な機械デバイスは、エッチング・ツールのプロセス・チャンバと測定チャンバの間で試料
２７８を移動させることができるように構成されている。測定具２７２は、さらに、図１
７に関して詳述されているように、プロセス・チャンバ２７２に結合することができる。
【０３９９】
エッチング・ツールの例は、Ｃｈｅｎｇらによる米国特許第４８４２６８３号、Ｃｈｅ
ｎｇらによる米国特許第５２１５６１９号、Ｈａｎａｗａによる米国特許第５６１４０６
０号、Ｒｉｃｅらによる米国特許第５７７００９９号、Ｍａｙｄａｎらによる米国特許第
５８８２１６５号、Ｍｉｎｔｚらによる米国特許第５８４９１３６号、Ｃｒｕｓｅによる
米国特許第５９１００１１号、Ｔｏｐｒａｃらによる米国特許第５９２６６９０号、Ｌｅ
ｖｙによる米国特許第５９７６３１０号、Ｋｏｓｈｉｉｓｈｉらによる米国特許第６０７
２１４７号、Ｉｍａｆｕｋｕらによる米国特許第６０７４５１８号、Ａｓｈｔｉａｎｉら
による米国特許第６０８３３６３号、およびＳｕｅｍａｓａらによる米国特許第６０８９
１８１号、Ａｒａｉらによる米国特許第６１１０２８７号に説明されており、参照により
本明細書に完全に規定されているかのように取り込まれる。エッチング・ツールに結合さ
れている測定具の他の例は、ＧｒｉｍｂｅｒｇｅｎらによるＰＣＴ出願番号ＷＯ
９９／５４９２６に説明されており、参照により本明細書に完全に規定されているかの
ように取り込まれる。ＷＯ９９／５４９２６では、エッチング・ツールに結合されている
測定具を「反射率厚さ測定装置」として記述しており、これは本明細書で説明しているよ
うな測定具と実質的に異なる。プロセス・チャンバ内に配置されているウェーハ上の電圧
を推定する装置の例は、Ｌｏｅｗｅｎｈａｒｄｔらによる欧州特許出願番号ＥＰ１０７２
８９４Ａ２に説明されており、参照により本明細書に完全に規定されているかのように取
り込まれる。
【０４００】
測定具２７２は、偏光状態が知られている入射光線を試料２７８に向け、エッチング・
プロセスの実行前、実行中、または実行後に試料のある領域に光が当たるように構成され
ている。さらに、測定具は、エッチング・プロセスの実行前、実行中、または実行後に試
料の照らされている領域から反射した光の偏光状態を分析するように構成されている。例
えば、測定具はビーム・プロフィル楕円偏光計を備えている。しかし、これに加えて、測
定具２７２は、分光ビーム・プロフィル楕円偏光計、ヌル楕円偏光計、および／または分
光楕円偏光計を備えている。さらに、測定具２７２は本明細書で説明しているようにスキ
ャタロメータとして構成されている。
【０４０１】
透明材料２７６の比較的小さなセクションは、入射光線をプロセス・チャンバの外部に
ある光源からプロセス・チャンバ内の試料に、また反射した光線を試料２７８からプロセ
ス・チャンバの外部にある検出器に送ることができる。光学的透明材料は、入射光線およ
び反射光線が透明材料の比較的小さなセクションを通過し、しかも入射光線および反射光
線の光学特性を変える望ましくない作用を生じることのない光学または材料特性を持つ。
この方法では、測定具２７２を、プロセス・チャンバ内に配置されたステージ２８０に結
合することができ、試料２７８を支持するように構成する。
【０４０２】
測定具２７２は、入射光線を発生するように構成された光源２８２を備えている。例え
ば、光源２８２は、ガスレーザーまたは固体レーザー・ダイオードなどの偏光状態が分か
っている光を放射するように構成されたレーザーを使用する。このようなレーザーは、通
常、それぞれ６３３ｎｍおよび６７０ｎｍの単一波長の光を放射することができる。測定
具２７２は、さらに、これらに限定しないが直線または回転偏光器または複屈折１／４波
長板補償器などの偏光セクション２８４を備えている。偏光セクションは、直線偏光を回
転偏光に変換するように構成されている。このようにして、偏光状態が知られている入射
光線は試料に向かうことができる。さらに、測定具２７２は、入射光線の少なくとも一部
を試料２７８の上面に向けるように構成されたビーム・スプリッタ２８６を備えている。
ビーム・スプリッタ２８６はさらに、入射ビームを高開口数（「ＮＡ」）のレンズ２８８
に通すようにも構成されている。このようにして、測定具２７２は、入射光線が複数の入
射角度で試料２７８に向かうように構成されている。例えば、高ＮＡレンズ２８８の開口
数は約０．９である。しかし、レンズの開口数は、たとえば必要な入射角度の数に応じて
多い場合も少ない場合もある。さらに、高ＮＡレンズ２８８は、入射ビームを試料２７８
の上面の非常に小さなスポット・サイズに絞るように構成されている。このようにして、
入射ビームをいくつかの入射角度で試料上の単一のフィーチャまたは領域に向けることが
できる。ビーム・スプリッタ２８６は、さらに、入射光線の一部を透過させ、その入射光
線の透過した部分が検出器２８３に入射するするようにも構成されている。検出器２８３
は、光源２８２の出力パワーの変動を監視するように構成されている。
【０４０３】
試料２７８の表面から戻る光は、高いＮＡレンズ２８８とビーム・スプリッタ２８６を
通り、偏光器２９０に戻ることができる。例えば、偏光器２９０は、回転偏光フィルタを
備えている。測定具は、いくつかの入射角度で反射した光の強度を測定するように構成さ
れた検出器２９２を備えている。例えば、検出器２９２では、ダイオード・アレイを二次
元配置で放射状に配置することで、反射した光の強度をいくつかの入射角度で測定するこ
とができる。
【０４０４】
他の実施形態では、試料から戻ってきた光は１／４波長板２９４を通過することができ
る。１／４波長板は、戻ってきた光の偏光状態の１つの位相を約９０度遅らせるように構
成されている。このような測定具では、２つの偏光状態が干渉し合うように偏光器２９０
を構成している。このような測定具用の検出器２９２は、４象限を持つクォッド・セル検
出器を備えている。検出器のそれぞれの象限は、検出器の象限に入射する反射光のパワー
の大きさにほぼ比例する１つまたは複数の出力信号を発生するように構成されている。そ
れぞれの信号は、異なる入射角度で戻ってきた光の強度の積分を表す。このようなクォッ
ド・セル検出器は、さらに、すべての象限からの１つまたは複数の出力信号が総和される
場合に、全出力検出器として動作するように構成することもできる。
【０４０５】
上述のそれぞれの実施形態では、プロセッサ２９６は、検出器２９２からの１つまたは
複数の出力信号から試料の層の厚さ、屈折率、減衰係数、および／または試料上のフィー
チャの限界寸法を判別するように構成されている。例えば、プロセッサ２９６は、検出器
２９２の１つまたは複数の出力信号から層または試料２７８のフィーチャの厚さまたは試
料２７８内に形成された絶縁構造などのフィーチャの厚さを判別することができる。
【０４０６】
他の実施形態では、偏光状態が分かっている広帯域光を発生するように光源２８２を構
成している。適切な光源としては、ハロゲン電球などの多色灯などがある。測定具のこの
ような構成では、試料から反射された光をフィルタ（図に示されていない）を通す。その
フィルタは、光をフィルタの２象限に通し、フィルタの他の２つの象限を通る光を遮るよ
うに構成されている。したがって、このフィルタを通過する光は、１つの符号、例えば正
の符号のみをとる楕円偏光信号ｄを有することができる。反射した光はこのフィルタを通
った後、開口の小さな空間フィルタ（図には示されていない）を通る。空間フィルタは、
検出器２９２に向かうことができる光の波長を制限するように構成されている。したがっ
て、空間フィルタの開口の幅は、例えば、目的の波長分解能により大きい場合も小さい場
合もありうる。
【０４０７】
測定具はさらに、すべての入射角度からの光を組み合わせるように戻った光を集束させ
、その戻った光を波長の関数として角度的に分散させるように構成した格子（図に示され
ていない）を備えている。この格子は、湾曲格子および湾曲鏡、レンズおよび別の平面格
子、またはプリズムを備えている。検出器２９２は、複数の個々の検出器要素からなるア
レイを備えている。このようにして、検出器は、狭い波長帯と多数の入射角度に対して反
射光の強度を測定するように構成されている。したがって、空間フィルタ、格子、および
検出器は、その構成が従来の分光計に非常によく似ていることなどがある。
【０４０８】
測定具はさらに、試料の表面から戻ってきた光をもう一度測定するように構成されてい
る。この測定では、フィルタを通った光には、第１の測定でフィルタを通過した光の符号
と反対の楕円偏光信号ｄ（つまり負）が含まれる。上述の他の実施形態では、プロセッサ
２９６はさらに、検出器からの１つまたは複数の出力信号から試料の層の厚さ、屈折率、
減衰係数、および／または試料上のフィーチャの限界寸法を判別するように構成すること
もできる。例えば、プロセッサは、検出器の１つまたは複数の出力信号から試料２７８上
の層または試料２７８内に形成された絶縁構造などのフィーチャの厚さを判別することが
できる。ビーム・プロフィル楕円偏光計の例は、Ｇｏｌｄらによる米国特許第５０４２９
５１号、Ｆａｎｔｏｎらによる米国特許第５１８１０８０号、Ｆａｎｔｏｎらによる米国
特許第５５９６４１１号、Ａｓｐｎｅｓらによる米国特許第５７９８８３７号、およびＡ
ｓｐｎｅｓらによる米国特許第５９００９３９号に説明されており、参照により本明細書
に完全に規定されているかのように取り込まれる。
【０４０９】
他の実施形態では、システムはさらに較正楕円偏光計（図に示されていない）を備えて
いる。較正楕円偏光計は、試料の基準層の厚さを判別するように構成されている。基準層
の厚さは、本明細書で説明している測定具を使用して測定することができる。プロセッサ
２９６により、較正楕円偏光計および測定具によって生成される基準層の厚さ測定結果の
位相オフセットを決定できる。プロセッサは、位相オフセットを使用して、測定具により
行った測定から追加層の厚さを判別するように構成されている。また、較正楕円偏光計を
エッチング・ツールのプロセス・チャンバ２７４に結合させることもできる。したがって
、較正楕円偏光計を使用して、測定された楕円偏光計パラメータの変動を低減し、さらに
は除去することさえできる。例えば、偏光解析パラメータ□の測定結果は、測定具の１つ
または複数の光学経路に沿って環境条件が変化するため変動することがある。偏光解析パ
ラメータ□のこのような変動により、試料上の層の厚さ測定が変わることなどがある。し
たがって、較正楕円偏光計を使用して、試料上の層の厚さ測定のドリフトを低減し、さら
には除去することさえできる。
【０４１０】
試料から戻ってきた光の偏光状態は、試料のエッチング中に変更できる。例えば、反応
性イオン・エッチング（「ＲＩＥ」）またはプラズマ・エッチング・プロセスなどのエッ
チング・プロセスで、プラズマ２９８の化学反応種および試料２７８の表面および試料２
７８の表面に入射するプラズマ２９８のイオン種を伴う化学反応により試料上に選択的露
光した層を除去することができる。この方法で、エッチング・プロセスで選択的露光した
層の厚さを除去することができる。エッチング・プロセスで層の厚さが減ると、層の反射
率が層の厚さの変動とともにほぼ正弦曲線を描いて変化する。したがって、反射された光
の強さは、選択的露光された層の厚さに応じて変化する。さらに、反射された光の強さは
、式Ｉr＝｜ＥR｜2に従って電界強度の平方にほぼ等しい。Ｉrはさらに、偏光解析パラメ
ータΨおよびｄに関して表すこともできる。非常に薄い層については、ｔａｎΨは厚さに
無関係であり、ｄはその厚さにほぼ正比例する。このようにして、試料から反射された光
の強度に対応する測定具からの出力信号を使用して、層の厚さを判別することができる。
【０４１１】
エッチング速度は、一定期間に除去できる試料上の層の厚さとして定義することができ
る。したがって、エッチング速度は、エッチング・プロセスでの試料上の層の厚さの変動
を決定することがある。そのエッチング速度は、エッチング・プロセス全体を通して実質
的に一定である。それとは別に、エッチング速度を、エッチング・プロセス全体を通して
変えてもよい。例えば、エッチング速度は、エッチング・プロセス全体を通して指数関数
的に減少してもよい。エッチング速度は、エッチング・ツールに結合されている１つまた
は複数の計測器のパラメータにより決定される。例えば、１つのパラメータに、ガス源３
００からエッチング・ツールのプロセス・チャンバ２７４へのエッチャント・ガスの流量
が含まれる。この流量は、例えば、位置などのパラメータまたは弁３０１などの機器の設
定により異なる。さらに、このようなパラメータは、プロセス・チャンバ２７４に結合さ
れている電源３０２および３０４などの機器により決定できる無線周波電力値も含む。追
加パラメータとしてはプロセス・チャンバ内の圧力があるが、これは、圧力計として構成
される計測器３０６によって測定できる。
【０４１２】
このようなパラメータは、エッチング・プロセスで試料上の層の厚さの変動に影響を及
ぼす。例えば、プロセス・チャンバ内で圧力が低下すると、エッチング・プロセスにおい
て試料上の層の厚さがすぐに除去される。この方法では、反射されたサンプル・ビームの
強度は、エッチング・ツールのプロセス・チャンバに結合されている１つまたは複数の計
測器のパラメータにより異なる。したがって、測定具２７２に結合されているプロセッサ
２９６は、エッチング・プロセスで反射されたサンプル・ビームの測定済み強度からエッ
チング・ツールのプロセス・チャンバ２７４に結合されている計測器のパラメータを判別
する。
【０４１３】
一実施形態では、測定具２７２に結合されているプロセッサ２９６は、検出器２９２か
ら１つまたは複数の出力信号を受信するように構成されている。さらに、このプロセッサ
は、１つまたは複数の出力信号から試料２７８のエッチングされた領域の特性を判別する
ように構成されている。測定具２７２は、本明細書で説明しているように構成されている
。例えば、測定具２７２は、本明細書で説明しているように、ビーム・プロフィル楕円偏
光計、分光ビーム・プロフィル楕円偏光計、ヌル楕円偏光計、分光楕円偏光計、および／
またはスキャタロメータを備えている。したがって、エッチングされた領域の特性には、
これらに限定されないが、試料上のフィーチャの厚さ、屈折率、減衰係数、限界寸法、ま
たはそれらの組み合わせなどがある。厚さ、屈折率、および／または減衰係数を、一般に
、「薄膜」特性と呼ぶことができる。
【０４１４】
エッチング・プロセスの後に、試料から残留マスキング材料を取り除くことがある。さ
らに、導体などの材料を試料上に堆積させる。試料を研磨して、試料の上面が実質的に平
坦になるようにする。このようにして、中間接触構造などのさまざまな半導体フィーチャ
を試料上に形成することができる。試料上に形成された半導体フィーチャの特性は、例え
ば、エッチング領域の１つまたは複数の特性および剥離、堆積、および研磨プロセスのプ
ロセス条件により異なっていてもよい。したがって、試料２７８上の半導体フィーチャの
特性は、エッチングされた領域の判別された特性を使用して決定できる。さらに、測定具
２７２に結合されたプロセッサ２９６を、検出器２９２からの１つまたは複数の出力信号
からエッチング・プロセスの実行前、実行中、または実行後の試料上の異物などの欠陥の
有無を判別するように構成することもできる。
【０４１５】
他の実施形態では、プロセッサ２９６は、測定具２７２およびエッチング・ツールのプ
ロセス・チャンバ２７４に結合される。プロセッサ２９６は、測定具２７２およびプロセ
ス・チャンバ２７４とインターフェイスするように構成されている。例えば、プロセッサ
２９６は、エッチング・プロセスでプロセス・チャンバ２７４に結合されたデバイスから
１つまたは複数の信号を受信する。このような１つまたは複数の出力信号は、圧力計３０
６などのプロセス・チャンバに結合された計測器のパラメータに対応するものである。プ
ロセッサ２９６は、本明細書で説明しているように、検出器２９２から１つまたは複数の
出力信号を受信するように構成されている。
【０４１６】
他の実施形態では、測定具は、上述のように、エッチング・プロセスにおいて、試料か
ら戻ってくる光の強度の変化を測定するようにも構成されている。例えば、測定具は、エ
ッチング・プロセスで、実質的に連続的にまたは所定の時間間隔により、試料から反射さ
れる光の強度を測定する。したがって、このプロセッサは、測定具から試料から戻ってき
た光の強度に対応する出力信号を受信し、エッチング・プロセスで出力信号の変化を監視
する。さらに、プロセッサ２９６は、測定具２７２からの出力信号とプロセス・チャンバ
２７４に結合されている１つまたは複数の計測器のパラメータとの関係を判別するように
も構成されている。したがって、プロセッサ２９６は、判別された関係に対してプロセス
・チャンバ２７４に結合されている１つまたは複数の計測器のパラメータを変更すること
ができる。さらに、プロセッサは、この関係と測定具からの１つまたは複数の出力信号を
使用して計測器のパラメータを判別するように構成されている。
【０４１７】
さらに、プロセッサ２９６は、測定具２７２およびエッチング・ツール２７４を制御す
るように構成されている。例えば、このプロセッサは、測定具からの１つまたは複数の出
力信号に対応してエッチング・ツールに結合されている計測器のパラメータを変更するよ
うに構成されている。プロセッサは、フィードバック制御手法、インサイチュー制御手法
、および／またはフィードフォワード制御手法を使用して、エッチング・ツールに結合さ
れている計測器のパラメータを変更するように構成されている。さらに、このプロセッサ
は、測定具からの１つまたは複数の出力信号に対応して測定具に結合されている計測器の
パラメータを変更するように構成されている。例えば、プロセッサは、本明細書で説明し
ているように、測定具からの出力信号に対応して測定具のサンプリング周波数を変更する
ように構成されている。
【０４１８】
エッチング・プロセスで測定具からの出力信号の変化を分析することにより、プロセッ
サはさらにエッチング・プロセスに対応するシグネチャを生じさせることもできる。この
シグネチャは、エッチング・プロセスの終点に特有であってよい少なくとも１つの特異性
を含む。例えば、エッチング・プロセスの１つの終点は、試料上の層が所定の厚さに達し
たときである。試料上の層の所定の厚さは、例えば、試料に加工される半導体デバイスに
応じて厚かったり薄かったりする。さらに、エッチング・プロセスの１つの終点は、試料
上の層がほぼ完全に除去されたときでもよい。このような終点は、材料の基礎層が後処理
を受けることができるような層の厚さの実質的全体を通じたエッチングに対応している。
プロセッサがシグネチャの特異性を検出した後、このプロセッサは、エッチング・ツール
に結合されている計測器のパラメータを変更することにより試料のエッチングを減らし、
さらに終了することさえできる。エッチング・プロセスの終点を検出する方法は、Ｓｕｉ
らによるＰＣＴ出願番号ＷＯ００／０３４２１とＧｒｉｍｂｅｒｇｅｎらによるＰＣＴ出
願番号ＷＯ００／６０６５７に説明されており、参照により本明細書に完全に規定されて
いるかのように取り込まれる。
【０４１９】
一実施形態では、プロセッサは、測定具からの１つまたは複数の出力信号を使用して、
追加試料の後続のエッチング・プロセス用のエッチング・ツールに結合されている１つま
たは複数の計測器のパラメータを判別するように構成されている。例えば、測定具から送
られてきた１つまたは複数の出力信号を使用して、試料上の層の厚さを判別することがで
きる。例えば、試料上の層の厚さは、所定の厚さよりも厚くてもよい。所定の厚さは、例
えば、エッチング・プロセスで製造されることができる半導体デバイスのフィーチャによ
り異なっている。追加試料を処理する前に、エッチング・ツールに結合されている１つま
たは複数の計測器の無線周波電力または他のパラメータを変更することができる。例えば
、エッチング・プロセスの無線周波電力を高くして、エッチングする追加試料上の層の厚
さを増やすことができる。このようにして、エッチング・プロセスによりエッチングされ
た追加試料上の層の厚さを試料上の測定された層よりも所定の厚さに近づけることができ
る。このような方法で、このプロセッサは、フィードバック制御手法を使用して、測定具
からの出力信号に対応してエッチング・ツールに結合されている１つまたは複数の計測器
のパラメータを変更することができる。
【０４２０】
他の実施形態では、プロセッサは、測定具からの１つまたは複数の出力信号を使用して
追加半導体製造プロセスのプロセス条件を判別するように構成されている。追加半導体製
造プロセスは、エッチング・プロセスの後に実行できる。エッチング・プロセスの後に実
行される追加半導体製造プロセスとしては、これに限定されないが、試料上のマスキング
材料を剥離するプロセスなどがある。通常、後の処理で試料の領域を露光できるようにリ
ソグラフィ・プロセスを使用してマスキング材料を試料上にパターン形成することができ
る。後のエッチング・プロセスで、試料の露光領域の少なくとも一部を除去することがで
きる。
【０４２１】
エッチング・プロセスの後、試料に残っているマスキング材料は、剥離プロセスで除去
することができる。測定具からの１つまたは複数の出力信号を使用して、エッチング・プ
ロセスの実行中または実行後の試料のマスキング材料の厚さを判別することができる。例
えば、エッチング・プロセスの後の試料上のマスキング材料の判別された厚さは、所定の
厚さよりも厚くてもよい。しかし、剥離プロセスの現在のプロセス条件は、試料上のマス
キング材料の所定の厚さに対して最適にすることができる。したがって、マスキング材料
を剥離する前に、プロセス時間またはプロセス温度などの剥離プロセスのプロセス条件を
変更し、実質的にマスキング材料全体を剥離プロセスによって除去することができる。例
えば、剥離プロセスのプロセス時間を長くして、マスキング材料のほぼ全体の厚さ分を試
料から除去することができる。この方法により、プロセッサは、フィードフォワード制御
手法用いて測定具から得られる１つまたは複数の出力信号に対して剥離ツールに結合され
ている計測器のパラメータを変更するように構成されている。さらに、本明細書に説明さ
れているいずれかの実施形態によりプロセッサを構成している。
【０４２２】
一実施形態では、エッチング・プロセスで試料の特性を判別する方法は、ステージ２８
０上に試料２７８を配置する操作を含む。ステージ２８０は、エッチング・ツールのプロ
セス・チャンバ２７４内に配置してもよい。ステージは、エッチング・プロセスで試料を
支持するように構成されている。本明細書で説明しているように、測定具２７２をエッチ
ング・ツールのプロセス・チャンバ２７４に結合することができる。したがって、ステー
ジ２８０を測定具２７２に結合することができる。さらに、測定具２７２は、本明細書で
説明しているように構成されている。この方法は、入射光線を試料の領域に向ける操作も
含む。入射光線は偏光状態が知られているものである。向けられた入射光線は、エッチン
グ・プロセスにおいて複数の入射角度で試料の領域を照らすことができる。試料の照らさ
れている領域は、エッチング・プロセスで除去される試料の露光領域である。
【０４２３】
さらに、この方法は、エッチング・プロセスで試料の照らされている領域から反射する
光を検出する方法を含む。この方法はさらに、検出された光に対して１つまたは複数の出
力信号を生成するステップをも含む。これらの１つまたは複数の出力信号は、試料の照ら
されている領域から戻ってきた光の偏光状態に対応している。したがって、この方法は、
試料から反射した入射光線の偏光状態の変化を判別する操作を含む。試料から戻ってきた
入射光線の偏光状態の変化は、例えば、試料上の層の厚さなどの試料の１つまたは複数の
特性によって異なっている。このようにして、この方法は、１つまたは複数の出力信号を
使用して、試料上の層の１つまたは複数の特性を判別する操作を含む。さらに、この方法
は、１つまたは複数の出力信号を使用して、試料上の複数の層の１つまたは複数の特性を
判別する操作を含む。このような特性としては、試料上の層の厚さ、屈折率、および減衰
係数、試料上のフィーチャの限界寸法、またはそれらの組み合わせなどがある。
【０４２４】
他の実施形態では、エッチング・プロセスで試料上の層の特性を判別する方法には、本
明細書で説明しているような実施形態のステップが含まれる。例えば、この方法は、測定
具からの１つまたは複数の出力信号に対応してエッチング・ツールに結合されている１つ
または複数の計測器のパラメータを変更する操作を含む。このようにして、この方法は、
フィードバック制御手法、インサイチュー制御手法、および／またはフィードフォワード
制御手法を使用してエッチング・ツールに結合されている１つまたは複数の計測器のパラ
メータを変更する操作を含む。さらに、この方法は、測定具からの１つまたは複数の出力
信号に対応して測定具に結合されている１つまたは複数の計測器のパラメータを変更する
操作を含む。例えば、この方法は、測定具からの１つまたは複数の出力信号に対応して測
定具のサンプリング周波数を変更する操作を含む。
【０４２５】
さらに、この方法は、エッチング・プロセスを特徴付けるシグネチャを取得することも
含む。このシグネチャは、エッチング・プロセスの終点を表す少なくとも１つの特異性を
含む。例えば、エッチング・プロセスの１つの終点は、試料上の層が所定の厚さに達した
ときである。さらに、所定の厚さは、例えば、試料に加工される半導体デバイスに応じて
厚かったり薄かったりする。終点を表す特異性を得た後、この方法では、エッチ・ツール
に結合されている１つまたは複数の計測器のパラメータを変更することにより、エッチン
グ・プロセスを低減し、さらには終了さえすることができる。
【０４２６】
他の実施形態は、エッチング・プロセスで試料の特性を判別するように構成されたシス
テムを制御するコンピュータ実装方法に関係する。システムは、本明細書で説明している
ように、エッチング・ツールに結合された測定具を備えている。この方法は、エッチング
・プロセスで試料のある領域から反射する光を検出するため測定具を制御する操作を含む
。例えば、測定具を制御する操作は、エッチング・プロセスで光源を制御して入射光線を
試料の領域に向ける操作を含む。光源は、エッチング・プロセスにおいて複数の入射角度
で入射光線が試料の領域を照らすように制御される。入射光線は偏光状態が知られている
ものである。試料の照らされている領域は、エッチング・プロセスで除去される試料の露
光領域を含む。さらに、測定具を制御する操作は、検出器を制御してエッチング・プロセ
スで試料の照らされている領域から戻ってくる光の少なくとも一部を検出する操作を含む
。この方法はさらに、検出された光に対応して１つまたは複数の出力信号を生成するステ
ップをも含む。さらに、この方法は、１つまたは複数の出力信号を処理して、試料の照ら
されている領域から反射した入射光線の偏光状態の変化を判別する操作を含む。さらに、
この方法は、１つまたは複数の出力信号を使用して、試料上の層の１つまたは複数の特性
を判別する操作を含む。特性としては、これらに限定されないが、試料上の層の厚さ、屈
折率、および減衰係数、および／または試料上のフィーチャの限界寸法、またはそれらの
組み合わせなどがある。
【０４２７】
他の実施形態では、エッチング・プロセスで試料の特性を判別するように構成されたシ
ステムを制御するコンピュータ実装方法は、本明細書で説明しているようないずれかの実
施形態のステップを含む。例えば、この方法は、エッチング・ツールに結合されている計
測器を制御し、測定具からの１つまたは複数の出力信号に対応して計測器のパラメータを
変更する操作を含む。この方法は、フィードバック制御手法、インサイチュー制御手法、
および／またはフィードフォワード制御手法を使用して、エッチング・ツールに結合され
ている計測器を制御して計測器のパラメータを変更する操作を含む。さらに、この方法は
、測定具に結合されている計測器を制御し、測定具からの１つまたは複数の出力信号に対
応して計測器のパラメータを変更する操作を含む。例えば、この方法は、測定具に結合さ
れている計測器を制御し、測定具からの１つまたは複数の出力信号に対応して測定具のサ
ンプリング周波数を変更する操作を含む。
【０４２８】
他の一例としては、この方法は、測定具を制御してエッチング・プロセスに特有のシグ
ネチャを得る操作を含む。このシグネチャは、エッチング・プロセスの終点を表す少なく
とも１つの特異性を含む。エッチング・プロセスの１つの終点は、これに限定されないが
試料上の層が所定の厚さに達したときである。所定の厚さは、例えば、試料に加工される
半導体デバイスに応じて厚かったり薄かったりする。終点を表す特異性を得た後、この方
法では、エッチング・ツールに結合されている１つまたは複数の計測器のパラメータを制
御し計測器のパラメータを変更することにより、エッチング・プロセスを低減し、さらに
は終了さえすることができる。
【０４２９】
他の実施形態は、ステージ上に試料を配置する操作を含む、半導体デバイスを製造する
方法に関係する。このステージは、図２４に示されているように、エッチング・ツールの
プロセス・チャンバ内に配置してもよい。ステージは、エッチング・プロセスで試料を支
持するように構成されている。測定具はさらに、図２４に示されているように、エッチン
グ・ツールのプロセス・チャンバに結合することができる。このようにして、ステージを
測定具に結合することができる。
【０４３０】
この方法は、さらに、試料の上に半導体デバイスの一部を形成する操作を含む。例えば
、半導体デバイスの一部を形成する操作は、試料の露光領域をエッチングする操作を含む
。エッチング・プロセスでは、通常、試料全体に化学エッチングを施すことができる。試
料の所定の領域に化学エッチングを施すエッチング・プロセスの前にマスキング材料を試
料に配置してもよい。例えば、リソグラフィ・プロセスおよび／またはエッチング・プロ
セスを使用して試料の所定の領域を露光することによりマスキング材料の一部を除去する
ことができる。所定の露光領域は半導体デバイスのフィーチャが形成される試料の領域と
することができる。エッチング・プロセスにおいて、試料の基礎領域のエッチングがマス
キング材料の残り部分により実質的に抑制される。適切なマスキング材料には、これらに
限定されないが、レジスト、酸化ケイ素、窒化ケイ素、および窒化チタンなどの誘電体、
多結晶シリコン、ケイ化コバルト、およびケイ化チタンなどの導体、またはそれらの組み
合わせなどがある。
【０４３１】
半導体デバイスを製造する方法は、さらに、入射光線を試料の領域に向ける操作も含む
。入射光線は偏光状態が知られているものである。試料の領域は、エッチング・プロセス
で除去される試料の領域とすることができる。この方法は、さらに、エッチング・プロセ
スで試料の照らされている領域から反射する光の少なくとも一部を検出することも含む。
この方法はさらに、検出された光に対応する信号を生成する操作を含む。さらに、この方
法は、試料から反射した入射光線の偏光状態の変化を判別する操作を含む。試料から戻っ
てきた入射光線の偏光状態の変化は、例えば、試料の１つまたは複数の特性によって異な
ってよい。このようにして、この方法は、１つまたは複数の出力信号を使用して、試料上
の層の１つまたは複数の特性を判別する操作を含む。特性としては、これらに限定しない
が、試料上の層の厚さ、屈折率、および減衰係数、試料上のフィーチャの限界寸法、また
はそれらの組み合わせなどなどがある。
【０４３２】
他の実施形態では、半導体デバイスを製造する方法は、本明細書で説明したようないず
れかの実施形態のステップを含む。例えば、この方法は、測定具からの１つまたは複数の
出力信号に対応してエッチング・ツールに結合されている１つまたは複数の計測器のパラ
メータを変更する操作を含む。このようにして、この方法は、フィードバック制御手法、
インサイチュー制御手法、またはフィードフォワード制御手法を使用してエッチング・ツ
ールに結合されている１つまたは複数の計測器のパラメータを変更する操作を含む。さら
に、この方法は、測定具からの１つまたは複数の出力信号に対応して測定具に結合されて
いる１つまたは複数の計測器のパラメータを変更する操作を含む。例えば、この方法は、
測定具からの１つまたは複数の出力信号に対応して測定具のサンプリング周波数を変更す
る操作を含む。
【０４３３】
この方法はさらに、エッチング・プロセスに特有のシグネチャを取得することも含む。
このシグネチャは、エッチング・プロセスの終点を表す少なくとも１つの特異性を含む。
エッチング・プロセスの１つの終点は、試料上の層が所定の厚さに達したときである。さ
らに、所定の厚さは、例えば、試料に加工される半導体デバイスに応じて厚かったり薄か
ったりする。終点を表す特異性を得た後、この方法では、エッチング・ツールに結合され
ている１つまたは複数の計測器のパラメータを変更することにより、エッチング・プロセ
スを低減し、さらには終了さえすることができる。
【０４３４】
図２５は、イオン注入プロセスを評価するように構成されたシステムの一実施形態を示
す。一実施形態では、イオン注入プロセスを評価するように構成されたシステムは、イオ
ン注入器３１０に結合されている測定具３０８を備えている。測定具３０８はイオン注入
器の外部のものとなるようにイオン注入器３１０に結合されてもよい。したがって、イオ
ン注入器内で測定具が化学薬品および物理条件に晒される機会が低減され、さらには実質
的に排除さえされうる。さらに、測定具３０８を、測定具がイオン注入プロセスの動作、
性能、または制御を変更しないようにイオン注入器に結合することができる。例えば、イ
オン注入器のプロセス・チャンバは、プロセス・チャンバの壁内に配置された実質的に透
明な材料３１２からなる比較的小さなセクションを備えている。しかし、イオン注入器の
構成により、測定具をイオン注入器に結合する適切な方法を決めることができる。例えば
、プロセス・チャンバの壁内の実質的に透明な材料セクション３１２の配置および寸法は
、プロセス・チャンバ内のコンポーネントの構成によって異なってよい。イオン注入器の
例は、Ａｉｔｋｅｎによる米国特許第４５７８５８９号、Ａｉｔｋｅｎによる米国特許第
４５８７４３２号、Ｒｏｂｉｎｓｏｎらによる米国特許第４７３３０９１号、Ｐｌｕｍｂ
らによる米国特許第４７４３７６７号、Ｆｉｓｈｋｉｎらによる米国特許第５０４７６４
８号、Ｃｏｏｋｅらによる米国特許第５６４１９６９号、Ｂｒｉｇｈｔらによる米国特許
第５８８６３５５号、Ｂｕｒｇｉｎらによる米国特許第５９２００７６号、Ｅｎｇｌａｎ
ｄらによる米国特許第６０６０７１５号、Ｗａｇｎｅｒらによる米国特許第６０９３６２
５号、Ｄｅｎｈｏｌｍらによる米国特許第６１０１９７１号に説明されており、参照によ
り本明細書に完全に規定されているかのように取り込まれる。
【０４３５】
他の実施形態では、測定具３０８を、図１６に関して図１６に示されているように、測
定チャンバ内に配置してもよい。測定チャンバを、図１７に示されているように、イオン
注入注入器３１０に結合することができる。例えば、測定チャンバは、イオン注入器３１
０の１つまたは複数のプロセス・チャンバの近くに横または垂直に配置される。このよう
にして、イオン注入器３１０、ステージ３１６、または他の適切な機械デバイスからなる
ロボット・ウェーハ・ハンドラは、イオン注入器の測定チャンバとプロセス・チャンバの
間で試料３１４を移動させることができるように構成されている。さらに、ロボット・ウ
ェーハ・ハンドラ、ステージ、または他の適切な機械デバイスは、イオン注入器のプロセ
ス・チャンバと測定チャンバの間で試料３１４を移動させることができるように構成され
ている。測定具３０８は、さらに、図１７に関して詳述されているように、イオン注入器
３１０に結合することができる。
【０４３６】
測定具３０８は、イオン注入の実行前、実行中、または実行後に試料のある領域を周期
的に励起するように、入射光線を試料３１４に周期的に向けるように構成されている。測
定具３０８を、イオン注入の実行前、実行中、または実行後にサンプル光線を試料３１４
の周期的励起領域に向けるように構成させてもよい。さらに、測定具３０８を、イオン注
入の実行前、実行中、または実行後に試料３１４の周期的励起領域から反射されたサンプ
ル・ビームの強度を測定するように構成させてもよい。実質的に透明な材料３１２の小さ
なセクションは、プロセス・チャンバの外部の１つまたは複数の照明システムから入射ビ
ームおよびサンプル・ビームをプロセス・チャンバ内の試料に送り、また試料から反射さ
れたサンプル・ビームをプロセス・チャンバの外部の検出システムに送ることができる。
実質的に透明な材料３１２は、入射ビーム、サンプル・ビーム、および反射ビームの光学
特性を変化させる望ましくない作用を引き起こすことなくビームがプロセス・チャンバの
実質的に透明なセクションを通過するような光学および／または材料特性を備えている。
この方法では、測定具３０８は、プロセス・チャンバ内に配置されたステージ３１６に結
合することができ、試料３１４を支持するように構成されている。
【０４３７】
一実施形態では、測定具３０８は、入射光線を放射するように構成されたアルゴン・レ
ーザーなどの光源３１８を備えている。光源は、Ｘ線、ガンマ線、赤外線、紫外線、可視
光、マイクロ波、または無線周波を含む他のおよび／または複数の波長の電磁放射を発生
するものでもよい。光源３１８は、さらに、電子、陽子、中性子、イオン、または分子の
ビームなど試料３１４の表面に局部的加熱領域を発生させることができるエネルギー源を
備えている。このようなエネルギー源は、イオン注入器３１０のプロセス・チャンバ内に
配置してもよい。さらに、光源３１８は、試料の少なくとも一部の価電子帯の電子をバン
ド・ギャップ間で導体バンドへ励起させて、プラズマと呼ばれる複数の電子−ホール対を
生成するように構成されたエネルギー源ならどんなものもよい。測定具３０８は、さらに
、光源３１８から放射された入射ビームをチョップするように構成された変調器３２０を
備えている。変調された入射光線を試料３１４に向けて、その試料の領域を周期的に励起
することができる。
【０４３８】
測定具３０８は、さらに、サンプル光線を放射するように構成されたヘリウム・ネオン
・レーザーなどの追加光源３２２を備えている。測定具はさらに、ダイクロイック・ミラ
ー３２４、偏光ビーム・スプリッタ３２６、１／４波長板３２８、顕微鏡対物レンズなど
の集光レンズ３３０などの追加光学コンポーネントを備えている。変調した入射ビームお
よびサンプル・ビームを試料の実質的に同じ領域に向けることができるように測定具内に
追加光学コンポーネントを配置してもよい。しかし、追加の光学コンポーネントは、変調
した入射ビームおよびサンプル・ビームを試料の２つの重なり合うが同軸でない、あるい
は２つの横に間隔をあけて並べた領域に向けることができるように測定具内に配置するこ
ともできる。
【０４３９】
測定具３０８はさらに、光源のそれぞれに結合されたトラッカー（図に示されていない
）を備えている。トラッカーは、入射ビームおよびサンプル・ビームの位置を制御するよ
うに構成されている。例えば、トラッカーは、イオン注入プロセスでサンプル・ビームの
位置に対して入射ビームの位置を変更するように構成されている。さらに、トラッカーは
、入射ビームおよびサンプル・ビームの位置を制御して、イオン注入プロセスでビームが
試料の実質的に異なる領域に向かうように構成されている。したがって、システムは、試
料上の任意の数の位置でイオン注入プロセスを評価するように構成されている。追加光学
コンポーネントは、試料の表面から反射されたサンプル・ビームが測定具の検出システム
に向かうように測定具内に配置してもよい。
【０４４０】
一実施形態では、検出システム３３２は、反射されたサンプル・ビームの強度変化を測
定できるように構成されることができる従来の光検出器を備えている。反射されたサンプ
ル・ビームの強度変化は、例えば、試料３１４の周期的に励起される領域の周期的反射率
変化によって異なってよい。他の実施形態では、検出システム３３２は従来の干渉計を備
えている。このようにして、反射されたサンプル・ビームは、干渉計に入射す前に基準光
線と組み合わせることができる。基準ビームは、サンプル・ビームの一部であり、一部透
過型鏡３２６により干渉計に向けることができる。試料から反射されたサンプル・ビーム
と基準ビームの位相が一致しないので、この組み合わせたビーム内に干渉パターンが発生
する。干渉パターンの強度変化は干渉計で検出できる。
【０４４１】
他の実施形態では、検出システム３３２は多数の象限を持つ分割フォトダイオードまた
は２セル光検出器を備えている。光検出器の各象限は、反射されたサンプル・ビームの強
度を無関係に測定するように構成されている。このようにして、各象限は、反射されたサ
ンプル・ビームが光検出器の表面に対して変化するときに異なる強度を検出できる。した
がって、分割光検出器は、反射されたサンプル・ビームの偏光の範囲を測定するように構
成されている。偏光測定については、上述のように、変調された入射ビームおよびサンプ
ル・ビームを試料の２つの重なり合うが同軸でない領域に向けることができる。変調光学
反射率測定具の例は、Ｒｏｓｅｎｃｗａｉｇらによる米国特許第４５７９４６３号、Ｒｏ
ｓｅｎｃｗａｉｇらによる米国特許第４７５０８２２号、Ｏｐｓａｌらによる米国特許第
４８５４７１０号、およびＯｐｓａｌらによる米国特許第５９７８０７４号に説明されて
おり、参照により本明細書に完全に規定されているかのように取り込まれる。本明細書で
説明している実施形態はさらに、これらの特許で説明されているシステムおよび方法の特
徴をも含む。さらに、上述の検出器はそれぞれ、反射したサンプル・ビームの強度変化に
対応する１つまたは複数の出力信号を発生するように構成されている。
【０４４２】
反射したサンプル・ビームの強度変化を、イオンを試料に注入することにより変えるこ
とができる。例えば、イオン注入プロセスでは、特に高い線量レベルを使用したプロセス
で、イオンが試料に注入されるため試料の一部が損傷することがある。通常、試料の損傷
部分は、結晶損傷層と、アモルファス・シリコンの中間層を含む。上側結晶損傷層の格子
構造は、アモルファス・シリコンの中間層の格子構造とかなり異なってよい。したがって
、上側結晶層およびシリコンのアモルファス層は温度境界および光学境界として働くこと
ができる。例えば、格子構造の違いのため２つの層は異なる周期的励起が生じることがあ
る。さらに、異なる周期励起により、２つの層がサンプル・ビームを反射する仕方が異な
る。したがって、反射したサンプル・ビームの強度変化は、厚さおよび、上側結晶層とア
モルファス層の格子構造に依存する。
【０４４３】
上側結晶層およびアモルファス層の厚さは、イオン注入器に結合された１つまたは複数
の計測器のパラメータに依存する。イオン注入器に結合されている１つまたは複数の計測
器のパラメータにより、イオン注入プロセスのプロセス条件を決定することができる。イ
オン注入器に結合されている計測器としては、これらに限定されないが、ガス供給源３３
４、エネルギー源３３６、圧力弁３３８、および変調器３４０などがある。上側結晶層の
損傷は、例えば、シリコン層の原子と注入されたイオンとの間の電子の衝突に応じて異な
る。しかし、シリコン層に入るイオンに原子衝突毎にエネルギーが十分になく格子位置か
らケイ素原子が変位しないと、変位損傷は発生しない。このようにして、上側結晶層の厚
さは、例えば、注入エネルギーに応じて異なってよい。イオン、特に重いイオンの線量を
増やすと、単位体積当たりの変位原子が半導体の原子密度に近づくアモルファス領域が上
側結晶損傷層の下に生じることなどがある。イオン注入プロセスの注入線量が増えると、
アモルファス層の厚さも増大することがある。このようにして、反射したサンプル・ビー
ムの強度変化は、これらに限定されないが、注入エネルギーおよび線量などを含む注入時
のプロセス条件に左右される。したがって、測定具３０８に結合されているプロセッサ３
４２は、イオン注入の実行前、実行中、および／または実行後に反射したサンプル・ビー
ムの測定された強度変化からイオン注入器３１０に結合されている計測器のパラメータを
判別するように構成されている。イオン注入器に結合されている１つまたは複数の計測器
のパラメータにより、これらに限定されないが、注入エネルギー、注入線量、注入イオン
種、注入角度、および温度などのプロセス条件を定義することができる。
【０４４４】
一実施形態では、測定具３０８に結合されているプロセッサ３４２は、イオン注入の実
行前、実行中、および／または実行後に検出システム３３２からの１つまたは複数の出力
信号から試料３１４の注入領域の１つまたは複数の特性を判別するように構成されている
。注入領域の特性には、これらに限定されないが、試料内の注入イオンの有無、試料内の
注入イオンの濃度、試料内の注入イオンの深さ、試料内の注入イオンの分布プロフィル、
またはそれらの組み合わせなどを含む。注入後、試料をアニーリングして、試料の注入領
域を電気的に活性化させることができる。深さおよび分布プロフィルなどの電気的に活性
化された注入領域の特性は、上側結晶層と注入時に形成されるアモルファス層の厚さおよ
びアニーリング・プロセスのプロセス条件に左右される。したがって、電気的に活性化さ
れた注入領域の特性は、注入領域の判別された特性から判別することができる。さらに、
測定具３０８に結合されたプロセッサ３４２は、検出システム３３２の１つまたは複数の
出力信号から注入プロセスの実行前、実行中、および／または実行後の試料上の異物など
の欠陥の有無を判別するように構成されている。
【０４４５】
他の実施形態では、プロセッサ３４２は、測定具３０８およびイオン注入器３１０に結
合される。プロセッサはさらに、測定具およびイオン注入器とインターフェイスするよう
に構成されている。例えば、プロセッサは、イオン注入器に結合されている１つまたは複
数の計測器のパラメータを表すことができる出力信号をイオン注入プロセスのときにイオ
ン注入器から受信することができる。プロセッサは、さらに、イオン注入プロセスで検出
システムから出力信号を受信するように構成されている。他の実施形態では、測定具は、
イオン注入プロセスで検出システムから出力信号の変化を測定するように構成されている
。例えば、測定具は、注入時に実質的に連続的にまたは所定の時間間隔により、反射され
たサンプル・ビームを検出するように構成されている。したがって、プロセッサは、実質
的に連続的にまたは所定の時間間隔により、検出された光に対応する出力信号を受信し、
イオン注入プロセスで１つまたは複数の出力信号の変化を監視するように構成されている
。このようにして、プロセッサ３４２は、検出された光に対応する出力信号とイオン注入
器に結合されている１つまたは複数の計測器のパラメータとの関係を判別する。したがっ
て、プロセッサ３４２は、判別された関係に対応して１つまたは複数の計測器のパラメー
タを変更する。さらに、プロセッサ３４２は、この関係と測定具からの出力信号を使用し
て１つまたは複数の計測器のパラメータを判別するようにも構成されている。
【０４４６】
さらに、追加コントローラ・コンピュータ３４４は、イオン注入器３１０に結合するこ
とができる。コントローラ・コンピュータ３４４は、イオン注入器に結合された１つまた
は複数の計測器のパラメータを変更するように構成されている。プロセッサ３４２がさら
に、コントローラ・コンピュータ３４４に結合されている。このような方法で、コントロ
ーラ・コンピュータ３４４は、判別されたパラメータに対応することができるプロセッサ
３４２からの１つまたは複数の出力信号に対応してイオン注入器に結合されている１つま
たは複数の計測器のパラメータを変更する。さらに、コントローラ・コンピュータ３４４
は、イオン注入器に結合されている１つまたは複数の計測器のパラメータを監視し、監視
されているパラメータに対応する１つまたは複数の出力信号をプロセッサ３４２に送信す
ることができる。
【０４４７】
さらに、プロセッサは、測定具およびイオン注入器を制御するように構成されている。
例えば、プロセッサは、測定具からの１つまたは複数の出力信号に対応してイオン注入器
に結合されている１つまたは複数の計測器のパラメータを変更するように構成されている
。このようにして、プロセッサは、フィードバック制御手法、インサイチュー制御手法、
および／またはフィードフォワード制御手法を使用して、イオン注入器に結合されている
計測器のパラメータを変更するように構成されている。さらに、このプロセッサは、測定
具からの出力信号に対応して測定具に結合されている計測器のパラメータを変更するよう
に構成されている。例えば、処理デバイスは、測定具からの出力信号に対応して測定具の
サンプリング周波数を変更するように構成されている。
【０４４８】
イオン注入プロセスで測定具からの出力信号の変化を分析することにより、プロセッサ
はさらに、イオンを試料に注入することを表すシグネチャを生じさせることもできる。シ
グネチャは、イオン注入プロセスの終点に特有な少なくとも１つの特異性を含む。例えば
、イオン注入プロセスに適した１つの終点は、試料内のイオンが所定の濃度に達したとき
である。さらに、イオンの所定の濃度は、試料に加工される半導体デバイスに応じて大き
かったり小さかったりする。プロセッサがシグネチャの特異性を検出した後、このプロセ
ッサは、イオン注入器に結合されている１つまたは複数の計測器のパラメータを変更する
ことによりイオンを試料に注入するのを減らし、さらに終了することさえできる。
【０４４９】
一実施形態では、プロセッサは、測定具からの出力信号を使用して追加試料の後のイオ
ン注入プロセスの適切なプロセス条件を判別するように構成されている。例えば、出力信
号を使用して試料内の注入されたイオンの深さを判別することができる。試料の注入済み
領域の判別された深さは、所定の深さよりも小さい場合がある。所定の深さは、試料上に
形成される半導体デバイスによって異なる。追加試料を処理する前に、イオン注入器に結
合された１つまたは複数の計測器のパラメータを変更し、追加試料の注入深さを測定され
た試料の注入深さよりも所定の深さに近づけることができる。例えば、イオン注入プロセ
スの注入エネルギーを増やして、イオンをより深く追加試料内に打ち込むことができる。
このような方法で、このプロセッサは、フィードバック制御手法を使用して、測定具から
の出力信号に対応してイオン注入器に結合されている１つまたは複数の計測器のパラメー
タを変更する。
【０４５０】
他の実施形態では、プロセッサは、測定具からの出力信号を使用してイオン注入プロセ
スの後に実行することができる追加半導体製造プロセスのプロセス条件を判別するように
構成されている。追加半導体製造プロセスとしては、これに限定されないが、試料の注入
領域をアニーリングするプロセスなどなどがある。例えば、出力信号を使用して、試料の
注入領域の深さを判別することができる。試料の注入済み領域の判別された深さは、所定
の深さよりも大きい場合がある。しかし、後のアニーリング・プロセスの現在のプロセス
条件は、所定の深さに対して最適にすることができる。したがって、注入されている試料
をアニーリングする前に、アニーリング時間またはアニーリング温度などのアニーリング
・プロセスのプロセス条件を変更することができる。例えば、アニーリング時間を長くし
、試料内に形成されたアモルファス層の再結晶化をかなり完全なものにできる。このよう
な方法で、このプロセッサは、フィードフォワード制御手法を使用して、測定具の出力信
号に対応してアニーリングツールに結合されている１つまたは複数の計測器のパラメータ
を変更する。さらに、プロセッサは、本明細書で説明しているようないずれかの実施形態
に基づいて構成されている。
【０４５１】
一実施形態では、イオン注入プロセスの実行前、実行中、および／または実行後に試料
の特性を判別する方法は、ステージ上に試料を配置する操作を含む。ステージは、イオン
注入器のプロセス・チャンバ内に配置してもよい。ステージは、本明細書で説明している
ような実施形態のいずれかにより構成される。測定具は、本明細書で説明しているように
イオン注入装置に結合される。したがって、このステージを測定具に結合させることがで
きる。測定具は、本明細書で説明しているように構成されている。
【０４５２】
この方法は、イオン注入プロセスで入射光線を試料のある領域に向けることにより試料
の領域を周期的に励起する操作を含む。試料の領域は、イオン注入プロセスで注入される
試料の領域であってよい。この方法は、さらに、イオン注入プロセスでサンプル光線を試
料の周期的に励起される領域に向ける操作を含む。さらに、この方法は、イオン注入プロ
セスで試料の周期的に励起される領域から反射するサンプル・ビームの少なくとも一部を
検出する操作を含む。この方法はさらに、検出された光に対して１つまたは複数の出力信
号を生成するステップをも含む。さらに、この方法は、１つまたは複数の出力信号を使用
して、試料の注入領域の１つまたは複数の特性を判別する操作を含む。注入領域の特性は
これらに限定されないが、試料内の注入イオンの有無、試料内の注入イオンの濃度、試料
内の注入イオンの深さ、試料内の注入イオンの分布プロフィル、またはそれらの組み合わ
せなどを含む。
【０４５３】
他の実施形態では、イオン注入プロセスで試料の特性を判別する方法には、本明細書で
説明しているようないずれかの実施形態のステップが含まれる。例えば、この方法は、１
つまたは複数の出力信号に対応してイオン注入器に結合されている１つまたは複数の計測
器のパラメータを変更する操作を含む。このようにして、この方法は、フィードバック制
御手法、インサイチュー制御手法、および／またはフィードフォワード制御手法を使用し
てイオン注入器に結合されている１つまたは複数の計測器のパラメータを変更する操作を
含む。さらに、この方法は、１つまたは複数の出力信号に対応して測定具に結合されてい
る１つまたは複数の計測器のパラメータを変更する操作を含む。例えば、この方法は、１
つまたは複数の出力信号に対応して測定具のサンプリング周波数を変更する操作を含む。
【０４５４】
この方法は、さらに、試料へのイオン注入を特徴付けるシグネチャを得る操作も含む。
このシグネチャは、イオン注入プロセスの終点を表す少なくとも１つの特異性を含む。例
えば、イオン注入プロセスの１つの終点は、イオンが所定の濃度に達したときである。さ
らに、イオンの所定の濃度は、試料に加工される半導体デバイスに応じて大きかったり小
さかったりする。終点を表す特異性を得た後、この方法では、イオン注入器に結合されて
いる１つまたは複数の計測器のパラメータを変更することにより、イオン注入プロセスを
低減し、さらには終了することさえできる。
【０４５５】
一実施形態では、コンピュータ実装方法を使用して、イオン注入プロセスの実行前、実
行中、および／または実行後に試料の特性を判別するように構成されたシステムを制御す
ることができる。システムは、本明細書で説明しているように、イオン注入器に結合され
た測定具を備えている。この方法は、測定具を制御してイオン注入プロセスで試料の領域
の変調された光学反射率を測定する操作を含む。例えば、測定具を制御する操作は、イオ
ン注入プロセスで光源を制御して入射光線を試料の領域に向けてその領域を周期的に励起
する操作を含む。測定具を制御する操作は、さらに、イオン注入プロセスで追加光源を制
御してサンプル光線を試料の周期的に励起される領域に向ける操作も含む。
【０４５６】
さらに、測定具を制御する操作は、イオン注入プロセスで、検出システムを制御し、試
料の周期的に励起される領域から反射するサンプル・ビームの少なくとも一部を検出する
操作を含む。さらに、この方法は、検出された光に対応する１つまたは複数の出力信号を
生成する操作を含む。さらに、この方法は、１つまたは複数の出力信号を処理して試料の
注入領域の１つまたは複数の特性を判別する操作を含む。注入領域の特性は、これらに限
定されないが試料内の注入イオンの有無、試料内の注入イオンの濃度、試料内の注入イオ
ンの深さ、試料内の注入イオンの分布プロフィル、またはそれらの組み合わせなどを含む
。
【０４５７】
他の実施形態では、イオン注入プロセスの実行前、実行中、および／または実行後にシ
ステムを制御して試料の特性を判別するコンピュータ実装方法は、本明細書で説明してい
るいずれかの実施形態のステップを含む。例えば、この方法は、イオン注入器に結合され
ている計測器を制御し、１つまたは複数の出力信号に対応して計測器のパラメータを変更
する操作を含む。このようにして、この方法は、フィードバック制御手法、インサイチュ
ー制御手法、および／またはフィードフォワード制御手法を使用して、イオン注入器に結
合されている計測器を制御して計測器のパラメータを変更する。さらに、この方法は、測
定具に結合されている計測器を制御し、１つまたは複数の出力信号に対応してパラメータ
を変更する操作を含む。例えば、この方法は、測定具に結合されている計測器を制御し、
１つまたは複数の出力信号に対応して測定具のサンプリング周波数を変更する操作を含む
。さらに、この方法は、システムの追加コンポーネントを制御する操作を含む。例えば、
この方法は、使用中、トラッカーを制御して、試料に関して入射ビームおよびサンプル・
ビームの横方向の位置を制御する操作を含む。このようにして、この方法は、トラッカー
を制御して、試料上の任意の数の位置でイオン注入プロセスを評価する。
【０４５８】
他の一例としては、この方法は、測定具を制御して、試料へのイオンの注入を特徴付け
るシグネチャを得る操作を含む。このシグネチャは、イオン注入プロセスの終点を表す少
なくとも１つの特異性を含む。例えば、イオン注入プロセスの１つの終点は、イオンが所
定の濃度に達したときである。イオンの所定の濃度は、例えば、試料に加工される半導体
デバイスに応じて濃かったり薄かったりする。終点を表す特異性を得た後、この方法では
、イオン注入器に結合されている計測器のパラメータを制御して計測器のパラメータを変
更することにより、試料へのイオン注入を低減し、さらには終了することさえできる。
【０４５９】
他の実施形態は、ステージ上に試料を配置する操作を含む半導体デバイスを製造する方
法に関係する。ステージは、イオン注入器のプロセス・チャンバ内に配置してもよい。ス
テージは、本明細書で説明したように構成されている。測定具をさらに、イオン注入器の
プロセス・チャンバに結合することができる。このようにして、ステージを測定具に結合
することもできる。この方法は、試料の上に半導体デバイスの一部を形成する操作を含む
。例えば、半導体デバイスの一部を形成する操作は、試料にイオンを注入する操作を含む
。イオン注入プロセスでは、通常、ウェーハ全体がイオンのビームでスキャンされること
がある。試料の所定の領域にイオン注入を施すマスキング材料を試料に配置することがあ
る。例えば、リソグラフィ・プロセスおよび／またはエッチング・プロセスを使用してマ
スキング材料の一部を除去し、試料の領域に注入プロセスを実行することができる。露光
領域は半導体デバイスのフィーチャが形成される試料の領域を含む。適切なマスキング材
料には、これらに限定されないがレジスト、酸化ケイ素、窒化ケイ素、および窒化チタン
などの誘電体、多結晶シリコン、ケイ化コバルト、およびケイ化チタンなどの導体、また
はそれらの組み合わせなどを含む。
【０４６０】
半導体デバイスを製造する方法は、さらに、入射光線を試料の領域に向ける操作を含む
。向けられた入射光線は、イオン注入プロセスで試料の領域を周期的に励起する。試料の
領域は、イオン注入プロセスで注入される試料の領域であってよい。この方法は、さらに
、イオン注入プロセスでサンプル光線を試料の周期的に励起される領域に向ける操作をも
含む。さらに、この方法は、イオン注入プロセスで試料の周期的に励起される領域から反
射するサンプル・ビームの少なくとも一部を検出する操作を含む。この方法はさらに、検
出された光に対して１つまたは複数の出力信号を生成する操作をも含む。さらに、この方
法は、１つまたは複数の出力信号を使用して、試料の注入領域の１つまたは複数の特性を
判別する操作を含む。注入領域の特性は、これらに限定されないが、試料内の注入イオン
の有無、試料内の注入イオンの濃度、試料内の注入イオンの深さ、試料内の注入イオンの
分布プロフィル、またはそれらの組み合わせなどを含む。
【０４６１】
他の実施形態では、半導体デバイスを製造する方法は、本明細書で説明しているいずれ
かの実施形態のステップを含む。例えば、この方法は、１つまたは複数の出力信号に対応
してイオン注入器に結合されている計測器のパラメータを変更する操作を含む。このよう
にして、この方法は、フィードバック制御手法、インサイチュー制御手法、および／また
はフィードフォワード制御手法を使用してイオン注入器に結合されている計測器のパラメ
ータを変更する操作を含む。さらに、この方法は、１つまたは複数の出力信号に対応して
測定具に結合されている計測器のパラメータを変更する操作を含む。例えば、この方法は
、１つまたは複数の出力信号に対応して測定具のサンプリング周波数を変更する操作を含
む。
【０４６２】
さらに、この方法は、試料へのイオン注入に特有のシグネチャを得る操作も含む。この
シグネチャは、イオン注入プロセスの終点を表す少なくとも１つの特異性を含む。例えば
、イオン注入プロセスの１つの終点は、イオンが所定の濃度に達したときである。さらに
、イオンの所定の濃度は、試料に加工される半導体デバイスに応じて大きかったり小さか
ったりする。終点を表す特異性を得た後、この方法では、イオン注入器に結合されている
計測器のパラメータを変更することにより、試料へのイオン注入を低減し、さらには終了
さえすることさえできる。
【０４６３】
図２６は、試料の表面上の微小欠陥の少なくとも１つの特性を判別するように構成され
たシステムの一実施形態を示す。一実施形態では、このようなシステムはプロセス・ツー
ル３４８に結合された測定具３４６を備えている。プロセス・ツール３４８は、半導体製
造プロセス・ツールのプロセス・チャンバまたは半導体製造プロセス・ツールとして構成
されている。このようにして、プロセス・ツール３４８は、リソグラフィ、エッチング、
イオン注入、化学機械研磨、メッキ、化学気相蒸着、物理気相蒸着、および洗浄などの半
導体製造プロセスの工程段階を実行するように構成されている。例えば、図２６に示され
ているように、プロセス・ツール３４８は、プロセス・ツールのレジスト塗布チャンバま
たはプロセス・ツールの現像チャンバを備えている。したがって、プロセス・ツール３４
８は、試料に半導体デバイスの一部を製造するように構成されている。
【０４６４】
測定具３４６は、測定具がプロセス・ツールの外部のデバイスとなることができるよう
にプロセス・ツール３４８に結合されている。したがって、プロセス・ツール内で測定具
が化学薬品および物理条件に晒される機会が低減され、さらには実質的になくなる。さら
に、測定具は、プロセス・ツールに外部で結合することで、測定具によりプロセスの動作
、性能、または制御が変わらないようにできる。例えば、プロセス・ツールはプロセス・
ツールの壁内に配置された実質的に透明な材料３５０の比較的小さな１つまたは複数のセ
クションを備えている。しかし、プロセス・ツール３４８の構成により、測定具３４６を
プロセス・ツールに結合する適切な方法を決めることができる。例えば、プロセス・ツー
ルの壁内の実質的に透明な材料セクション３５０の配置および寸法は、プロセス・ツール
内のコンポーネントの構成によって異なってよい。
【０４６５】
他の実施形態では、測定具３４６は、図１６に関して図１６に示されているように、測
定チャンバ内に配置してもよい。測定チャンバは、図１７に示されているように、プロセ
ス・ツール３４８に結合されている。例えば、測定チャンバは、プロセス・ツール３４８
の１つまたは複数のプロセス・チャンバの近くに横または垂直に配置してもよい。このよ
うにして、プロセス・ツール３４８、ステージ３５４、または他の適切な機械デバイスか
らなるロボット・ウェーハ・ハンドラを、プロセス・ツールの測定チャンバとプロセス・
チャンバの間で試料３５２を移動させることができるように構成する。さらに、ロボット
・ウェーハ・ハンドラ、ステージ、または他の適切な機械デバイスは、プロセス・ツール
のプロセス・チャンバと測定チャンバの間で試料３５２を移動させることができるように
構成されている。測定具３４６はさらに、図１７に関して詳述されているように、プロセ
ス・ツール３４８に結合することができる。
【０４６６】
一実施形態では、ステージ３５４は、プロセス・ツール３４８内に配置してもよい。ス
テージ３５４は、プロセスで試料３５２を支持するように構成されている。さらに、ステ
ージ３５４は、本明細書で説明している実施形態のどれかにより構成することもできる。
例えば、ステージをベクトル３５６によって示される方向に回転するように構成されてい
る電動式ステージを備えている。測定具３４６の照明システム３５８は、試料３５２の表
面に光が当たるように構成されている。さらに、照明システム３５８は、半導体デバイス
の一部の製造などのプロセスおよびステージの回転で、光を試料の表面に向けるように構
成されている。さらに、測定具３４６の検出システムは、第１の検出器３６０および第２
の検出器３６２を備えている。検出器３６０および３６２は、半導体デバイスの一部の製
造などのプロセスおよびステージの回転で、試料の表面からの光を検出するように構成さ
れている。
【０４６７】
図２６に示されているように、試料３５２の表面から暗視野経路に沿って来る暗視野光
を検出するように第１の検出器３６０を構成している。さらに、試料３５２の表面から明
視野経路に沿って来る明視野光を検出するように第２の検出器３６２を構成している。こ
のようにして、測定具によって検出される光は、試料の表面から暗視野経路に沿って来る
暗視野光と試料の表面から明視野経路に沿って来る明視野光を含む。さらに、検出器は、
試料の表面からの光を実質的に同時に検出するように構成されている。
【０４６８】
さらに、検出される光は、試料の表面から複数の暗視野経路に沿って来る暗視野光を含
む。例えば、図２７に示されているように、測定具３６５の検出システムは複数の検出器
３６６を備えている。この複数の検出器を光源３６８に対して配置し、複数の検出器のそ
れぞれが試料の表面から来る暗視野光を検出するようにできる。さらに、複数の検出器を
、光源３６８に対して異なる半径方向の位置および垂直位置に配置してもよい。測定具３
６５を備えるシステムは、一般に「ピクセルベース」検索システムと呼ぶことができる。
ピクセル・ベース検査システムの例は、Ｏｔｓｕｋａによる米国特許出願第５８８７０８
５号、およびＬｅｓｌｉｅらによる米国特許出願第６０８１３２５号、およびＳｍｉｌａ
ｎｓｋｙらによるＰＣＴ出願番号ＷＯ００／０２０３７に説明されており、参照により本
明細書に完全に規定されているかのように取り込まれる。可変角度設計を使用する光学的
検査方法および装置の例は、ＧｏｌｂｅｒｇらによるＰＣＴ出願番号ＷＯ００／７７５０
０Ａ１に説明されており、参照により本明細書に完全に規定されているかのように取り込
まれる。
【０４６９】
図２７に示されているように、測定具３６５は、さらに、ステージ（図に示されていな
い）上に配置されることができる、試料３７０の複数の表面に光を向けるように構成され
ている。このステージは、本明細書で説明しているように、測定具３６５に対して横方向
に移動かつ／または回転移動させるように構成されている。例えば、ステージを横に移動
させるように構成しながら、光源３６８から出た光が試料の半径方向に実質的に平行な方
向で試料をスキャンするように構成されている。それとは別に、ステージを、互いに実質
的に直交する２つの直線方向に移動させるように構成することができ、また測定具３６５
の光学コンポーネントは、実質的に静止状態を保つようにできる。しかし、測定具の光学
コンポーネントに関するステージの構成は、例えば、システム内のスペースと機械的制約
によって異なることがある。測定具の光源３６８は、本明細書で説明しているような光源
であればどのようなものをも含む。さらに、光ファイバー・ケーブル３７２または他の適
切な光ケーブルを試料３７０の下に配置されている光源３６８および照明システム３７４
に結合することができる。このようにして、測定具は、試料の複数の表面に光が当たるよ
うに構成されている。他の実施形態では、測定具３６５は、少なくとも２つの光源を備え
ている。複数の光源はそれぞれ、光が試料の異なる表面に向かうように構成されている。
【０４７０】
測定具３６５は、さらに、照明システム３７４に結合された検出器３７６を備えている
。図２７に示されているように、検出器３７６を、検出器が暗視野経路に沿って来る暗視
野光を検出するように照明システム３７４に対して配置している。しかし、他の実施形態
では、検出器３７６を、検出器が明視野経路に沿って来る明視野光を検出するように照明
システム３７４に対して配置してもよい。測定具３４６および測定具３６５は、本明細書
で説明しているようないずれかの実施形態に基づいて構成されている。
【０４７１】
測定具は、さらに、本明細書で説明した実施形態のいずれかにより構成されている。さ
らに、このシステムは追加測定具を備えている。追加測定具は、本明細書で説明している
ような測定具であればどのようなものをも含む。
【０４７２】
一実施形態では、図２６に示されているように、測定具３４６に結合されたプロセッサ
３６４は、試料３５２の表面上の欠陥の１つまたは複数の特性を判別するように構成され
ている。さらに、測定具３６５に結合されたプロセッサ３７８は、試料３７０の１つまた
は複数の表面上の欠陥の１つまたは複数の特性を判別するように構成されている。プロセ
ッサ３６４およびプロセッサ３７８は似た形で構成されている。例えば、プロセッサ３６
４および３７８は、検出器によって検出された光に対応して、それぞれ検出器３６０およ
び３６２または３６６および３７６から１つまたは複数の出力信号を受信するように構成
されている。さらに、この両方のプロセッサは、試料の少なくとも１つの表面上の欠陥の
少なくとも１つの特性を判別するように構成されている。これらの欠陥には、目立った欠
陥および／または微小な欠陥があってよい。例えば、プロセッサ２６４およびプロセッサ
３７８は、試料の表面および裏面の目立った欠陥の少なくとも１つの特性を判別するよう
に構成されている。さらに、欠陥の１つまたは複数の特性としては、これらに限定されな
いが、試料の表面上の欠陥の有無、試料の表面上の欠陥の種類、試料の表面上の欠陥の個
数、および試料の表面上の欠陥の位置などなどがある。さらに、プロセッサ３６４および
プロセッサ３７８は、実質的に同時にまたは順次に欠陥の１つまたは複数の特性を判別す
るように構成されている。このようにして、プロセッサ３６４の詳細は等しくプロセッサ
３７８にも適用することができる。
【０４７３】
他の実施形態では、プロセッサ３６４を測定具３４６およびプロセス・ツール３４８に
結合することができる。例えば、プロセス・ツールには、湿式または乾式洗浄ツール、レ
ーザー洗浄ツール、または衝撃波粒子除去ツールなどのウェーハ洗浄ツールなどがある。
レーザー洗浄ツールの例は、１９９８年４月１日〜３日間にＦｉｎｅ  Ｐａｒｔｉｃｌｅ
Ｓｏｃｉｅｔｙの第２８回年次総会でイスラエルのＯｒａｍｉｒ  Ｓｅｍｉｃｏｎｄｕ
ｃｔｏｒ  Ｅｑｕｉｐｍｅｎｔ  Ｌｔｄ．のＧｅｎｕｔらが発表した「Ｃｈｅｍｉｃａｌ
ｌｙ  Ａｓｓｉｓｔｅｄ  Ｌａｓｅｒ  Ｒｅｍｏｖａｌ  ｏｆ  Ｐｈｏｔｏｒｅｓｉｓｔ
ａｎｄ  Ｐａｒｔｉｃｌｅｓ  ｆｒｏｍ  Ｓｅｍｉｃｏｎｄｕｃｔｏｒ  Ｗａｆｅｒｓ
」で説明されており、参照により本明細書に完全に規定されているかのように取り込まれ
る。衝撃波粒子除去方法および装置の例は、Ｖａｕｇｈｔによる米国特許第５０２３４２
４号に説明されており、参照により本明細書に完全に規定されているかのように取り込ま
れる。プロセッサ３６４は、測定具３４６およびプロセス・ツール３４８とインターフェ
イスするように構成されている。例えば、プロセッサ３６４は、プロセス・ツールに結合
された計測器のパラメータに対応することができる１つまたは複数の出力信号をプロセス
実行時にプロセス・ツール３４８から受信することができる。プロセッサ３６４は、本明
細書で説明しているように、検出器３６０および検出器３６２によって検出された光に対
応する１つまたは複数の出力信号を測定具３４６から受信するように構成されている。
【０４７４】
他の実施形態では、測定具は、本明細書で説明しているように、プロセスにおいて試料
から戻ってくる光を検出するように構成されている。例えば、測定具は、プロセスで実質
的に連続してまたは所定の時間間隔により、試料から来る光を検出するように構成されて
いる。したがって、このプロセッサは、測定具から検出された光に対応する出力信号を受
信し、プロセス実行中に出力信号の変化を監視することができる。このようにして、プロ
セッサ３６４は、出力信号とプロセス・ツール３４８に結合された１つまたは複数の計測
器のパラメータとの関係を判別するように構成されている。したがって、プロセッサ３６
４は、判別された関係に対応して、プロセス・ツールに結合されている計測器のパラメー
タを変更するように構成されている。さらに、プロセッサは、この関係と測定具からの１
つまたは複数の出力信号を使用してプロセス・ツールに結合されている計測器のパラメー
タを判別するように構成されている。
【０４７５】
さらに、プロセッサ３６４は、測定具３４６およびプロセス・ツール３４８を制御する
ように構成されている。例えば、プロセッサは、測定具からの出力信号に対応してプロセ
ス・ツールに結合されている１つまたは複数の計測器のパラメータを変更するように構成
されている。このようにして、プロセッサは、フィードバック制御手法、インサイチュー
制御手法、またはフィードフォワード制御手法を使用してプロセス・ツールに結合されて
いる１つまたは複数の計測器のパラメータを変更するように構成されている。さらに、こ
のプロセッサは、測定具からの１つまたは複数の出力信号に対応して測定具に結合されて
いる計測器のパラメータを変更するように構成されている。例えば、プロセッサは、出力
信号に対して測定具のサンプリング周波数を変更するように構成されている。
【０４７６】
プロセスで測定具からの出力信号の変化を分析することにより、プロセッサは、さらに
、プロセスに特有のシグネチャを生成することもできる。このシグネチャは、プロセスの
終点に特有な少なくとも１つの特異性を含む。例えば、プロセスの１つの終点は、層の所
定の厚さに達したときである。試料上の層の所定の厚さは、例えば、試料に加工される半
導体デバイスに応じて厚かったり薄かったりする。特異性を検出した後、プロセッサは、
プロセス・ツールに結合されている１つまたは複数の計測器のパラメータを変更すること
により試料の処理を減らし、さらに終了することさえできる。
【０４７７】
一実施形態では、プロセッサは、測定具からの出力信号を使用して、追加試料の処理用
のプロセス・ツールに結合されている１つまたは複数の計測器のパラメータを判別するよ
うに構成されている。例えば、測定具から送られてきた出力信号を使用して、試料上の層
の厚さを判別することができる。試料上の層の厚さは、所定の厚さよりも厚くてもよい。
所定の厚さは、例えば、試料上に形成される半導体デバイスによって異なってよい。追加
試料を処理する前に、プロセス・ツールに結合された１つまたは複数の計測器のパラメー
タを変更し、追加試料上の層の厚さを測定された試料の層の厚さよりも所定の厚さに近づ
けることができる。例えば、エッチング・プロセスの無線周波電力を高くして、エッチン
グする試料上の層の厚さを増やすことができる。このような方法で、このプロセッサを使
用して、フィードバック制御手法により、測定具からの出力信号に対応してプロセス・ツ
ールに結合されている１つまたは複数の計測器のパラメータを変更することができる。
【０４７８】
他の実施形態では、このプロセッサは、測定具からの出力信号を使用して追加半導体製
造プロセスのプロセス条件を判別するように構成されている。例えば、このプロセッサは
、フィードフォワード制御手法を用いて測定具から得られる出力信号に対して剥離ツール
に結合されている計測器のパラメータを変更するように構成されている。さらに、プロセ
ッサは、本明細書で説明している実施形態に基づいて構成されている。
【０４７９】
一実施形態では、プロセスで試料の特性を判別する方法は、ステージ３５４上に試料３
５２を配置する操作を含む。ステージ３５４は、プロセス・ツール３４８内に配置しても
よい。ステージは、さらに、本明細書で説明しているいずれかの実施形態により構成され
ている。本明細書で説明しているように、測定具３４６は、プロセス・ツール３４８に結
合されている。したがって、ステージ３５４を測定具３４６に結合することができる。さ
らに、測定具３４６は、本明細書で説明しているように構成されている。この方法は、プ
ロセスの実行時に光を試料の表面に向ける操作も含む。さらに、この方法は、プロセスで
試料の表面から戻ってくる光を検出する操作を含む。この方法はさらに、検出された光に
対して１つまたは複数の出力信号を生成する操作をも含む。このようにして、この方法は
、１つまたは複数の出力信号を使用して、処理される試料の特性を判別する操作を含む。
この特性は、試料の少なくとも１つの表面上の欠陥の有無、個数、位置、および種類、ま
たはその組み合わせを含む。
【０４８０】
他の実施形態では、プロセスで試料の特性を判別する方法には、本明細書で説明してい
るようないずれかの実施形態のステップを含む。例えば、この方法は、１つまたは複数の
出力信号に対応してプロセス・ツールに結合されている計測器のパラメータを変更する操
作を含む。このようにして、この方法は、フィードバック制御手法、インサイチュー制御
手法、および／またはフィードフォワード制御手法を使用してプロセス・ツールに結合さ
れている計測器のパラメータを変更する操作を含む。さらに、この方法は、１つまたは複
数の出力信号に対応して測定具に結合されている計測器のパラメータを変更する操作を含
む。例えば、この方法は、１つまたは複数の出力信号に対応して測定具のサンプリング周
波数を変更する操作を含む。さらに、この方法は、プロセスに特有のシグネチャを取得す
ることも含む。このシグネチャは、プロセスの終点を表す少なくとも１つの特異性を含む
。終点を表す特異性を得た後、この方法では、プロセス・ツールに結合されている１つま
たは複数の計測器のパラメータを変更することにより、プロセスを低減し、さらには終了
することさえできる。
【０４８１】
一実施形態では、コンピュータにより実施される方法を使用し、プロセスで試料の特性
を判別するように構成されたシステムを制御することができる。このシステムは、本明細
書で説明しているように、プロセス・ツールに結合された測定具を備えている。この方法
は、プロセスで試料の表面から反射する光を検出するため測定具を制御する操作を含む。
例えば、測定具を制御する操作は、プロセスで光源を制御して光を試料の表面に向ける操
作を含む。さらに、測定具を制御する操作は、プロセスで、試料の表面から戻ってきた光
を検出するように構成された検出器の制御を含む。この方法はさらに、検出された光に対
して１つまたは複数の出力信号を生成する操作をも含む。さらに、この方法は、１つまた
は複数の出力信号を処理して、１つまたは複数の出力信号を使用し試料の少なくとも１つ
の表面上の欠陥の少なくとも１つの特性を判別する操作を含む。これらの特性は、本明細
書で説明しているような特性であればどのようなものでもよい。
【０４８２】
他の実施形態では、プロセスで試料の特性を判別するシステムを制御するためのコンピ
ュータ実装方法は、本明細書で説明しているような実施形態のいずれかのステップを含む
。例えば、この方法は、プロセス・ツールに結合されている１つまたは複数の計測器を制
御し、１つまたは複数の出力信号に対応して計測器のパラメータを変更する操作を含む。
このようにして、この方法は、プロセス・ツールに結合されている１つまたは複数の計測
器を制御し、フィードバック制御手法、インサイチュー制御手法、および／またはフィー
ドフォワード制御手法を使用して計測器のパラメータを変更する操作を含む。さらに、こ
の方法は、測定具に結合されている計測器を制御し、１つまたは複数の出力信号に対応し
てパラメータを変更する操作を含む。例えば、この方法は、測定具に結合されている計測
器を制御し、１つまたは複数の出力信号に対応して測定具のサンプリング周波数を変更す
る操作を含む。
【０４８３】
他の一例としては、この方法は、測定具を制御してプロセスに特有のシグネチャを得る
操作を含む。このシグネチャは、プロセスの終点を表す少なくとも１つの特異性を含む。
終点を表す特異性を得た後、この方法では、プロセス・ツールに結合されている１つまた
は複数の計測器のパラメータを制御し計測器のパラメータを変更することにより、プロセ
スを低減し、さらには停止することさえできる。
【０４８４】
他の実施形態は、ステージ上に試料を配置する操作を含む半導体デバイスを製造する方
法に関係する。ステージは、プロセス・ツール内に配置してもよい。ステージは、本明細
書で説明したように構成されている。測定具は、プロセス・ツールに結合することもでき
る。このようにして、ステージを測定具に結合することができる。この方法は、さらに、
試料の上に半導体デバイスの一部を形成する操作を含む。例えば、半導体デバイスの一部
を形成する操作は、試料上で半導体製造プロセスの少なくとも１つの工程段階を実行する
操作を含む。半導体デバイスを製造する方法はさらに、光を試料の表面に向ける操作も含
む。この方法はさらに、プロセスで試料の表面から戻る光を検出するステップも含む。さ
らに、この方法は、検出された光に対応する１つまたは複数の出力信号を生成する操作を
も含む。さらに、この方法は、１つまたは複数の出力信号から試料の少なくとも１つの特
性を判別する操作を含む。この特性は、試料の少なくとも１つの表面上の欠陥の有無、個
数、種類、または位置、またはその組み合わせを含む。
【０４８５】
他の実施形態では、半導体デバイスを製造する方法は、本明細書で説明している実施形
態のいずれかのステップを含む。例えば、この方法は、１つまたは複数の出力信号に対応
してプロセス・ツールに結合されている１つまたは複数の計測器のパラメータを変更する
操作を含む。このようにして、この方法は、フィードバック制御手法、インサイチュー制
御手法、および／またはフィードフォワード制御手法を使用してプロセス・ツールに結合
されている１つまたは複数の計測器のパラメータを変更する操作を含む。さらに、この方
法は、１つまたは複数の出力信号に対応して測定具に結合されている１つまたは複数の計
測器のパラメータを変更する操作を含む。例えば、この方法は、１つまたは複数の出力信
号に対応して測定具のサンプリング周波数を変更する操作を含む。さらに、この方法は、
プロセスに特有のシグネチャを取得することも含む。このシグネチャは、プロセスの終点
を表す少なくとも１つの特異性を含む。終点を表す特異性を得た後、この方法では、プロ
セス・ツールに結合されている１つまたは複数の計測器のパラメータを変更することによ
り、プロセスを低減し、さらには終了することさえできる。
【０４８６】
一実施形態では、上述のシステムをそれぞれ、エネルギー分散型Ｘ線分光器（「ＥＤＳ
」）デバイスに結合することができる。このようなデバイスは、電子ビームを試料の表面
に向けるように構成されている。試料が、向けられた電子ビームに対応して二次電子およ
び特性Ｘ線を放射する。二次電子は、二次電子検出器により検出され、電気的信号に変換
される。この電気的信号は、システムによって出力される試料の像の輝度変調または振幅
変調に使用できる。特性Ｘ線は、半導体Ｘ線検出器により検出され、エネルギー分析の対
象となる。Ｘ線スペクトルを分析して、試料の表面上の欠陥など試料の材料組成を調べる
。ＥＤＳシステムおよび方法の例は、Ｒｏｂｉｎｓｏｎらによる米国特許第４５５９４５
０号、Ｍｉｚｕｎｏによる米国特許第６０７２１７８号、およびＳｔｅｆｆａｎらによる
米国特許第６０８４６７９号に説明されており、参照により本明細書に完全に規定されて
いるかのように取り込まれる。
【０４８７】
他の改善
一実施形態では、本明細書で説明しているように、各システムを使用して、ウェーハ内
で（「ＷＩＷ」）、リソグラフィ・プロセスなどのプロセスの限界測定基準の変動性を小
さくし、さらには最小にすることさえできる。例えば、リソグラフィ・プロセスの限界測
定基準は、これらに限定しないが、リソグラフィ・プロセスによって形成されたフィーチ
ャの限界寸法およびオーバーレイ・ミスレジストレーションなどの特性を含む。しかし、
限界測定基準は、これらに限定しないが、試料の欠陥の有無、試料の薄膜特性、試料の平
坦さ測定、試料の注入特性、試料の粘着特性、試料内の要素の濃度をはじめとする、本明
細書で説明しているような特性のいずれも含む。本明細書で説明しているように、このよ
うなシステムは、試料上の複数の位置で試料の少なくとも１つの特性を判別するように構
成されている。例えば、測定具は、フィールド内の複数の位置で、および／または試料上
の少なくとも２つのフィールド内の複数の位置で、試料の少なくとも１つの特性を測定す
るように構成されている。測定された特性は、プロセッサへ、またはウェーハ膜プロセッ
サ内に送ることができる。プロセッサを測定具に結合し、本明細書で説明しているように
構成されている。
【０４８８】
さらに、試料の少なくとも１つの特性は試料上のさまざまな位置で測定することができ
るため、さまざまな位置のそれぞれで少なくとも１つの特性を判別することができる。し
たがって、上で説明したように、ツール、またはプロセス・ツールのプロセス・チャンバ
に結合されている１つまたは複数の計測器のパラメータを試料上でフィールド毎に別々に
変更することもできる。例えば、露光プロセスの露光線量および焦点条件が試料上で、つ
まりフィールド毎に変化させられるように、さまざまな露光プロセス・ツールを構成して
いる。このようにして、試料上のフィールド毎の少なくとも１つの測定された特性の変動
に対応して後のプロセスで露光線量および／または露光後焼き入れ温度などのプロセス条
件が試料上で変化させることができる。露光線量および焦点条件は、フィードバックまた
はフィードフォワード制御手法使用して、本明細書で説明しているように、判別および／
または変更することができる。このようにして、リソグラフィ・プロセスなどのプロセス
の限界測定基準は試料上で実質的に一様なものとすることができる。
【０４８９】
さらに、一次加熱要素内に配置されている多数の離散二次加熱要素を使用して焼き入れ
板に対して露光後焼き入れ板の温度を変更することができる。二次加熱要素は、独立に制
御することができる。したがって、露光後焼き入れプロセスでの試料の温度プロフィルを
変更し、試料上の個々のフィールドを実質的に同じ温度または個別に決定された温度に加
熱することができる。試料上の複数の位置で判別された少なくとも２つの特性に対応して
、化学機械研磨ツールのメッキ・ヘッドの圧力を同様に変更することができる。
【０４９０】
さらに、プロセス・チャンバの少なくとも１つのパラメータを変更し、工程段階で第１
のプロセス条件の集合で試料の第１の部分を処理し、その工程段階で第２のプロセス条件
の集合で試料の第２の部分を処理することができる。例えば、試料のそれぞれの部分を試
料のフィールドとすることができる。このようにして、試料の各フィールドに、これらに
限定されないが、露光線量および焦点条件および露光後焼き入れ温度などのさまざまなプ
ロセス条件を適用することができる。したがって、試料の各フィールドに試料の測定され
た特性に応じて変化することができるプロセス条件が適用されるため、プロセスの限界測
定基準のウェーハ内変動は実質的に低減されるかまたは最小に抑えることさえできる。
【０４９１】
上述の測定をすべて使用して、フィードバック、フィードフォワード、またはインサイ
チュープロセス制御手法によりプロセス・チャンバのパラメータを変更できることは理解
されるであろう。さらに、リソグラフィ・プロセスなどのプロセスの限界測定基準のウェ
ーハ内変動も、上記の手法を組み合わせることにより低減することができる。
【０４９２】
上述のようにフィールド・レベル分析を使用してプロセスを評価し制御するように構成
されたシステムを利用することにより、現在のプロセス制御手法に勝る劇的な改善を達成
できる。限界測定基準のウェーハ内変動または限界寸法を測定することで、限界寸法分布
をより厳格に制御することができる。したがって、上述の方法を使用した場合、製造歩留
まりの改善に加えて、製造プロセスにおいて製造されるデバイスの分布性能をより高い性
能レベルに近づけることができる。したがって、高マージンの製品歩留まりもプロセスを
評価し制御するこのような方法を使用することにより改善できる。さらに、プロセスに加
わる変動も最小に抑えることができる。例えば、プロセスにおいて、２つの異なる、実質
的に類似の構成のプロセス・チャンバを使用して１ロット分の試料を処理することができ
る。２つのプロセス・チャンバを使用して、同じプロセスを実行することにより２つの試
料を同時に処理できるため、全体の処理時間を短縮することができる。したがって、上記
の方法を使用して、それぞれのプロセス・チャンバを別々に評価し、制御することができ
る。そのため、プロセスの全体的な散らばりも低減できる。
【０４９３】
本明細書で説明しているように、適切な手段を使い、システムを使用して収集したデー
タを分析し、整理し、表示することができる。例えば、試料のデータを半径の連続関数と
してグループ化できるが、その際のグループ分けの基準として半径範囲、ステッパー・フ
ィールド、ｘ−ｙ位置（またはグリッド上などのｘ−ｙ位置）、最も近いところのダイス
、および／またはその他後適切な方法を用いることができる。データの変動は、平均値か
らの標準偏差、値の範囲、および／またはその他の適切な統計手法により報告できる。
【０４９４】
ウェーハ内変動の程度（範囲、標準偏差など）は、試料、ロット、および／またはプロ
セス条件に関して分析することができる。例えば、測定ＣＤのウェーハ内標準偏差は、ロ
ット間、ウェーハ間などの変動に関して分析することができる。これは、現像時間、フォ
トリソグラフィ露光条件、レジストの厚さ、露光後焼き入れ時間および／または温度、露
光前焼き入れ時間および／または温度などの１つまたは複数のプロセス条件の変動の関数
としてグループ化し、報告し、および／または分析することもできる。これはさらに、ま
たはその代わりに、このような処理条件の１つまたは複数のウェーハ内変動の関数として
グループ化し、報告し、および／または分析することもできる。
【０４９５】
本明細書で説明しているように、システムを使用して集めたデータは、プロセス条件を
適切に制御するためだけでなく、望ましい場合には、インサイチュー終点設定および／ま
たはプロセス制御手法を適切に制御するためにも使用することができる。例えば、Ｇｒｏ
ｎｅｔらによる米国特許第５６８９６１４号および／または公開欧州特許出願番号ＥＰ１
０６６９２５Ａ２で規定され、参照により本明細書に完全に規定されているかのように取
り込まれるような装置とともにこのようなデータを使用して、基板の局部加熱または閉ル
ープ制御アルゴリズムの制御を改善することができる。このようなツールにウェーハ内変
動データをフィードフォワードまたはフィードバックすることで、局所的な試料加熱また
は研磨の制御で使用するアルゴリズムを最適化したり、さらにはツール設計を最適化する
ことさえできる。このような局部プロセス制御後の他の一例としては、ウェーハ内変動デ
ータを使用して、公開ＰＣＴ特許出願番号ＷＯ９９／４１４３４またはＷＯ９９／２５０
０４および／または公開欧州特許出願番号１０６５５６７Ａ２の１つまたは複数で規定さ
れ、参照により本明細書に完全に規定されているかのように取り込まれるようなプロセス
またはツールを制御または最適することができる。また、例えば、スタンドアロンの測定
ツールおよび／または統合測定ツールを使って得られたウェーハ内変動データを使用して
、このようなツールまたはプロセスにおけるアルゴリズム、プロセス・パラメータ、およ
び統合プロセス制御装置および方法を適切に制御および／または最適化することができる
。金属の厚さおよびそのウェーハ内変動に関するデータは、米国特許第５６１９５４８号
および／または公開ＰＣＴ出願番号ＷＯ０１／０９５６６で開示され、参照により本明細
書に完全に規定されているかのように取り込まれるようなＸ線反射率ツールから、渦電流
測定、電子ビーム誘導Ｘ線分析、またはその他の適切な方法により導くことができる。
【０４９６】
図９に示されているように、システム７０の実施形態は複数の測定具を備えている。測
定具のそれぞれは、本明細書で説明しているように構成されている。上述のように、各測
定具を試料の異なる特性を判別するように構成されている。また、システム７０は、試料
の少なくとも４つの特性を判別するように構成されている。例えば、測定具７２は試料の
限界寸法を判別するように構成されている。さらに、試料のオーバーレイ・ミスレジスト
レーションを判別するように測定具７４を構成している。他の実施形態では、測定具７６
は、試料上の目立つ欠陥などの欠陥の有無を判別するように構成されている。さらに、測
定具７６は、試料の欠陥の個数、位置、および／または種類を判別するように構成されて
いる。さらに、測定具７８は、試料および／または試料上の層の１つまたは複数の薄膜特
性を判別するように構成されている。薄膜特性の例としては、これらに限定されないが、
厚さ、屈折率、および減衰係数がある。さらに、各測定具を試料の２つまたはそれ以上の
特性を判別するように構成されている。例えば、測定具７２は、試料の限界寸法および試
料の薄膜特性を実質的に同時にまたは順次判別するように構成されている。さらに、試料
の欠陥の有無を判別するように測定具７２を構成している。そこで、システム７０を、試
料の少なくとも４つの特性を同時にまたは順次判別するように構成されている。
【０４９７】
システム７０は、クラスタ・ツールとしてすることができる。クラスタ・ツールの構成
例を図１４に示す。例えば、本明細書で説明している測定具をそれぞれ、測定チャンバ内
に配置してもよい。測定チャンバはそれぞれ、互いに近い位置に配置かつ／または互いに
結合することができる。さらに、システム７０はウェーハ・ハンドラを備えている。ウェ
ーハ・ハンドラは、本明細書で説明したように機械デバイスを備えている。このシステム
は、ウェーハのカセットなど測定および／または検査対象の複数の試料を受け取るように
構成されている。ウェーハ・ハンドラは、測定および／または検査の前にカセットから試
料を取り出し、測定および／または検査の後に試料をカセットの中に配置するように構成
されている。ウェーハ・ハンドラはさらに、各測定チャンバ内に試料を配置し、各測定チ
ャンバから試料を取り出すように構成されてもよい。さらに、システムは複数のこのよう
なウェーハ・ハンドラを備えている。このシステムはさらに、図１４に関して説明されて
いるように構成されている。さらに、システムは、スタンドアロンの測定および／または
検査システムとして構成されている。この方法では、システムはプロセス・ツールに結合
することはできない。このようなシステムは、類似の構成の統合ツールに勝っている利点
を提供することができる。例えば、このようなシステムは、スタンドアロン・システムと
統合システムとの対比で、物理的制約と機械的制約が少ないため、類似の構成の統合ツー
ルよりも速く安価な設計とすることができる。システム７０はさらに、本明細書で説明し
ているように構成されている。
【０４９８】
一実施形態では、試料上に形成されている層の厚さなど試料の少なくとも２つの特性お
よび試料上に形成された層またはフィーチャのプロフィルを含む屈折率、音速、密度、お
よび限界寸法などの少なくとも１つの追加特性を判別するようにシステムを構成している
。試料は、試料上に形成された単一の層または複数の層などの構造を含む。さらに、試料
上に形成された単一の層または複数の層は、これらに限定されないが、実質的に透明な金
属被膜、半透明な金属皮膜、および不透明な金属皮膜の任意の組み合わせを含む。また試
料は、ブランケット・ウェーハまたはパターン形成ウェーハであってよい。本明細書で使
用しているように、「ブランケット・ウェーハ」という用語は、一般に、リソグラフィ・
プロセスが適用されていない上層を持つウェーハを指す。対照的に、本明細書で使用して
いるように、「パターン形成ウェーハ」という用語は、一般に、例えば、リソグラフィ・
プロセスおよび／またはエッチング・プロセスでパターン形成されていている上層を持つ
ウェーハを指す。
【０４９９】
システムは、本明細書で説明しているように構成されている。例えば、システムは、２
つまたはそれ以上の測定具に結合されたプロセスを備えている。プロセッサは、測定具で
発生した１つまたは複数の出力信号から試料および／または試料上の層の少なくとも厚さ
および試料および／または試料上の層の少なくとも１つの追加特性を判別するように構成
されている。さらに、プロセッサは、１つまたは複数の出力信号から試料の他の特性を判
別するように構成されている。一実施形態では、測定具として、これらに限定されないが
、スモール・スポット光音響デバイス、グレージングＸ線反射率計、および広帯域スモー
ル・スポット分光楕円偏光計などがある。光音響デバイスの例は、Ｔａｕｃらによる米国
特許第４７１００３０号、Ｍａｒｉｓらによる米国特許第５７４８３１８号、Ｍａｒｉｓ
らによる米国特許第５８４４６８４号、Ｍａｒｉｓによる米国特許第５６８４３９３号、
Ｍａｒｉｓらによる米国特許第５９５９７３５号、Ｍａｒｉｓによる米国特許第６００８
９０６号、Ｍａｒｉｓによる米国特許第６０２５９１８号、Ｍａｒｉｓらによる米国特許
第６１７５４１６号、Ｍａｒｉｓによる米国特許第６１９１８５５号、Ｍａｒｉｓによる
米国特許第６２０８４１８号、Ｍａｒｉｓらによる米国特許第６２０８４２１号、および
Ｍａｒｉｓによる米国特許第６２１１９６１号で説明されており、参照により本明細書に
完全に規定されているかのように取り込まれる。システムはさらに、上記デバイスととも
に使用することができるパターン認識システムを備えている。
【０５００】
このようにして、測定具は単一の測定具としてまたは複数の測定具として機能するよう
に構成されている。複数の測定具をシステムの単一の測定具に組み込むことができるため
、例えば、第１の測定具の少なくとも１つの要素はさらに第２の測定具の少なくとも１つ
の要素とすることもできる。さらに、第２の測定具により使用される第１の測定具のハン
ドリング・ロボット、ステージ、プロセッサ、および電源などの追加要素についてメリッ
トがある。このシステムはさらに、まず第１の測定具に関して試料に焦点が合い（つまり
、ほぼ正しい高さに）、次に第２の測定具に関して試料に焦点を合うように構成されたオ
ートフォーカス機構を備えている。オートフォーカス機構の例は、図１１ｂにオートフォ
ーカス・センサ１２４として示されている。オートフォーカス装置の他の例は、Ｋａｔｚ
らによる米国特許出願第６１７２３４９号に説明されており、参照により本明細書に完全
に規定されているかのように取り込まれる。システム、測定具、およびプロセッサはさら
に、本明細書で説明しているように構成されている。
【０５０１】
例えば、測定具に含まれるデバイスの適切な組み合わせとして、スモール・スポット光
音響デバイスとグレージングＸ線反射率計またはスモール・スポット光音響デバイスと広
帯域スモール・スポット分光楕円偏光計などがある。例えば、光音響デバイスを使用する
と、厚さが数百オングストローム未満の層を測定することができるが、グレージングＸ線
反射率計を使用すると、厚さが約５０オングストロームから約１０００オングストローム
の範囲の層を測定することができる。偏光解析法、特に広帯域偏光解析法では、厚さが約
５００オングストローム未満の金属層および半金属層を測定することができるが、それは
、そのような厚さだと金属であっても光の一部が層を透過するからである。さらに、偏光
解析法では、厚さが約０オングストロームから数ミクロンまでの透明層を測定することが
できる。したがって、本明細書で説明しているように、システムは、さまざまな厚さおよ
び材質の層を測定することができる。
【０５０２】
さらに、このようなシステムは、本明細書で説明しているように化学機械研磨ツールに
結合することができる。さらに、システムを化学機械研磨ツールに結合するかまたはその
近くに配置することにより、システムは化学機械研磨プロセスの後に試料、試料の層、お
よび／または試料上に形成されたフィーチャの少なくとも２つの特性を判別することがで
きる。例えば、試料上に形成されたフィーチャは、比較的幅の広い金属線を含む。このよ
うな比較的幅の広い金属線は、例えば、試料上に形成されたテスト構造を備えている。こ
のようにして、テスト構造の判別された特性のうち１つまたは複数と試料上に形成された
デバイス構造などのフィーチャの１つまたは複数の特性との相関関係を（実験的にまたは
理論的に）求めることができる。さらに、試料の少なくとも一部は露光誘電体層を含む。
それとは別に、システムを本明細書で説明しているような他のプロセス・ツールに結合す
ることができる。
【０５０３】
適切な分光楕円偏光計は、キセノン・アーク・ランプ、石英ハロゲン・ランプ、または
重水素放電管などの光源の１つまたは組み合わせを含む広帯域光源を備えている。楕円偏
光計は、比較的高い入射角度を持つことができる。例えば、入射角度は、試料の表面の法
線方向に約４０度から約８０度の範囲でよい。分光楕円偏光計は、バックシンである、シ
リコン・フォトダイオード・アレイまたはＣＣＤアレイなどのアレイ検出器を備えている
。
【０５０４】
また、分光楕円偏光計に１つまたは複数の光ファイバー要素を備えると都合がよいこと
がある。例えば、光源から第１の偏光要素へ光を送るように第１の光ファイバー要素を構
成する。例えば、このようなファイバーにより、光をランダムに偏光させたり、偏光をな
くしたりすることができる。分光楕円偏光計はさらに、光を検光子アセンブリから分光計
に送るように構成された第２の光ファイバー要素を備えている。このようにして、検光子
アセンブリから光の偏光状態を変更または「スクランブル」するように光ファイバー要素
を構成しているので、分光計の偏光感度に対して信号に補正の必要をなくすることができ
る。さらに、あるいはそれとは別に、第２の光ファイバー要素は、分光計を試料から一定
の距離のところに都合よく配置できるように、光の偏光状態を変更するように構成されて
いる。光ファイバー要素の材質は、光ファイバー要素が紫外線波長で透過的になるように
溶融石英またはサファイヤとするのが好ましい。
【０５０５】
第１の偏光器は、ロション・プリズムまたはウォラストン・プリズムおよび、オプショ
ンでリターダ（つまり、補償器）などの直線偏光要素を備えている。検光子アセンブリは
、直線偏光要素および、オプションで、リターダを備えている。直線偏光要素のうち少な
くとも１つは、測定を行うときに連続的に回転することができる。較正については、少な
くとも２つの要素を連続的にまたは一連の離散ステップで回転させる。
【０５０６】
分光楕円偏光計はさらに、光を試料上のスモール・スポットに集束させ、試料から集光
するように構成された反射または屈折光学系（またはその組み合わせ）を備えている。屈
折コンポーネントの材質は溶融ＳｉＯ2またはＣａＦ2とすると、紫外線透過性が比較的良
好なので好ましい。反射コンポーネントはＡｌでコーティングすると、比較的良好な広帯
域透過性が得られるため好ましい。通常、ＭｇＦ2またはＳｉＯ2の薄いオーバーコートを
Ａｌ上に形成し、Ａｌの酸化を低減し、さらには酸化を防止することさえできる。反射コ
ンポーネントは、球面でも非球面でもよい。ダイアモンド・チューニングは便利であり、
非球面鏡を製作するためのよく知られている手法である。波長が約１９０ｎｍ未満の範囲
である紫外線に適している条件などの真空条件では、金またはプラチナがコーティング材
料として適している。分光楕円偏光計はさらに、本明細書で説明しているように構成され
ている。
【０５０７】
一実施形態では、分光解析器をリソグラフィ・トラックに結合することができる。リソ
グラフィ・トラックは、図１３に示されているように、また本明細書で説明されているよ
うに構成されている。分光楕円偏光計は、本明細書で説明している実施形態のいずれかと
して構成されている。プロセッサを分光楕円偏光計に結合することができる。プロセッサ
は、分光楕円偏光計で発生した１つまたは複数の出力信号から試料、試料上に形成された
層、および／または試料上に形成されたフィーチャの限界寸法、プロフィル、厚さ、また
はその他の薄膜特性などの、これらに限定されない試料の少なくとも１つの特性を判別す
るように構成されている。さらに、本明細書で説明しているように、分光楕円偏光計をリ
ソグラフィ・トラックに結合することができる。例えば、分光楕円偏光計は、分光楕円偏
光計がプロセス・チャンバ内の支持デバイス上の試料に光を当て、また試料から反射され
た光を検出するようにリソグラフィ・トラックのプロセス・チャンバに結合することがで
きる。さらに、分光楕円偏光計は、支持デバイスが回転している間に試料に光を当て、試
料から帰ってきた光を検出するように構成されている。さらに、分光楕円偏光計は、プロ
セス・チャンバ内でプロセスが進行している間に試料に光を当て、試料から帰ってきた光
を検出するように構成されている。このプロセスには、これらに限定されないが、レジス
ト塗布プロセス、塗布後焼き入れプロセス、および冷却プロセスなどがある。
【０５０８】
それとは別に、分光楕円偏光計をリソグラフィ・トラック内に配置してもよい。例えば
、分光楕円偏光計を冷却チャンバの上、統合システム内、またはリソグラフィ・トラック
のプロセス・チャンバの横方向近くにまたは縦方向近くに配置してもよい。統合システム
は、リソグラフィ・トラックを露光ツールに結合するように構成されている。例えば、リ
ソグラフィ・トラックから試料を受け取り、その試料を露光ツールに送るように統合シス
テムを構成している。さらに、統合システムは、露光ツールから試料を取り出し、その試
料をリソグラフィ・トラックに送るように構成されている。統合システムはさらに、１つ
または複数の冷却板およびハンドリング・ロボットを備えている。このようにして、シス
テムは、露光工程段階の前、露光工程段階の後、および現像工程段階の後などにリソグラ
フィ・プロセス内のいくつかの位置で試料の少なくとも１つの特性を判別するように構成
されている。
【０５０９】
分光楕円偏光計は上述のように測定チャンバ内に配置してもしなくてもよい。例えば、
他の実施形態では、分光楕円偏光計をリソグラフィ・トラックのロボット・ウェーハ・ハ
ンドラに結合することができる。このようにして、分光楕円偏光計は、露光前、露光後、
または現像後などにプロセスの前またはプロセスの後に試料に光を当て、試料から帰って
きた光を検出するように構成されている。例えば、露光後、分光楕円偏光計は、露光プロ
セスにより試料上に形成されている潜像の限界寸法、プロフィル、厚さ、またはその他の
薄膜特性に対応して１つまたは複数の出力信号を発生するように構成されている。
【０５１０】
トラック内の環境は、大気の化学的濾過を行うかまたは十分な純粋ガスを供給すること
で制御することができる。例えば、これらに限定されないがアンモニアおよびアミン基含
有化合物、水、二酸化炭素、および酸素などの化学種のレベルが低減されるようにトラッ
ク内の環境を制御することができる。さらに、トラック内の環境は、図１４に示されてい
るようにＩＳＰシステムに結合されているコントローラ・コンピュータ１６２などのコン
トローラ・コンピュータにより制御することができる。コントローラ・コンピュータはさ
らに、これらに限定されないが相対湿度、粒子数、および温度などのトラック内の追加環
境条件を制御するように構成されている。
【０５１１】
分光楕円偏光計は、本明細書で説明しているように構成されている。例えば、適切な分
光楕円偏光計は、キセノン・アーク・ランプ、石英ハロゲン・ランプ、または重水素放電
管などの光源の１つまたは組み合わせを含む広帯域光源を備えている。楕円偏光計は、比
較的高い入射角度を持つことができる。例えば、入射角度は、試料の表面の法線方向に約
４０度から約８０度の範囲である。分光楕円偏光計は、裏側を薄くされた、シリコン・フ
ォトダイオード・アレイまたはＣＣＤアレイなどのアレイ検出器を備えている。
【０５１２】
また、分光楕円偏光計に１つまたは複数の光ファイバー要素を備えると都合がよい。例
えば、光源から第１の偏光要素へ光を送るように第１の光ファイバー要素を構成している
。例えば、このようなファイバーにより、光をランダムに偏光させたり、偏光をなくした
りすることができる。分光楕円偏光計はさらに、光を検光子アセンブリから分光計に送る
ように構成された第２の光ファイバー要素を備えている。このようにして、検光子アセン
ブリから光の偏光状態を変更または「スクランブル」するように光ファイバー要素を構成
しているので、分光計の偏光感度に対して信号に補正を必要なくすることができる。さら
に、あるいはそれとは別に、光の偏光状態を変更するように第２の光ファイバー要素を構
成しているので分光計を試料から一定の距離のところに都合よく配置できる。光ファイバ
ー要素の材質は、光ファイバー要素が紫外線波長で透過的になるように溶融石英またはサ
ファイヤとするのが好ましい。
【０５１３】
第１の偏光器は、ロション・プリズムまたはウォラストン・プリズムおよび、オプショ
ンでリターダ（つまり、補償器）などの直線偏光要素を備えている。検光子アセンブリは
、直線偏光要素および、オプションで、リターダを備えている。直線偏光要素のうち少な
くとも１つは、測定を行うときに連続的に回転することができる。較正については、少な
くとも２つの要素を連続的にまたは一連の離散ステップで回転させることができる。
【０５１４】
分光楕円偏光計はさらに、光を試料上のスモール・スポットに集中させ、試料から集光
するように構成された反射または屈折光学系（またはその組み合わせ）を備えている。屈
折コンポーネントの材質は溶融ＳｉＯ2またはＣａＦ2とすると、紫外線透過性が比較的良
好なので好ましい。反射コンポーネントはＡｌでコーティングすると、比較的良好な広帯
域透過性が得られるため好ましい。通常、ＭｇＦ2またはＳｉＯ2の薄いオーバーコートを
Ａｌ上に形成し、Ａｌの酸化を低減し、さらには酸化を防止することさえできる。反射コ
ンポーネントは、球面でも非球面でもよい。ダイアモンド・チューニングは便利であり、
非球面鏡を製作するためのよく知られている手法である。波長が約１９０ｎｍ未満の範囲
である紫外線に適している条件などの真空条件では、金またはプラチナがコーティング材
料として適している。分光楕円偏光計はさらに、本明細書で説明しているように構成され
ている。
【０５１５】
さらに、プロセッサは、分光楕円偏光計からの１つまたは複数の出力信号を、さまざま
な特性および場合によっては予想される出力信号と波長との間の補間データに対する予想
される出力信号と波長との対比を記述した１つまたは複数の所定の表と比較するように構
成されている。それとは別に、プロセッサは、（場合によっては近似）式による１つまた
は複数の開始推定値を使用して反復演算を実行し、分光楕円偏光計からの１つまたは複数
の出力信号に対して近似値に収束するように構成されている。適切な式として、当業で知
られている非線形回帰アルゴリズムなどなどがあるが、限定はされない。
【０５１６】
それとは別に、分光楕円偏光計は、試料のほぼすべてまたは一領域を一次元または２次
元の検出器上に結像するように構成されている。このようにして、試料上の複数の場所を
実質的に同時に測定することができる。さらに、分光楕円偏光計は、フィルタ、単色光分
光器、または光の散乱で波長を順次変化させることにより複数の波長を測定するように構
成されている。例えば、一次元または二次元の検出器のプリズムまたは格子で光を散乱さ
せる一方で、試料の一次元を他の次元に結像することができる。
【０５１７】
一実施形態では、試料および／または試料上に形成されている層、試料上に形成されて
いるフィーチャの厚さなどの少なくとも２つの特性および試料上に形成された層またはフ
ィーチャのプロフィルを含む格子定数、残留応力、平均粒径、結晶化度、結晶の欠陥、屈
折率、音速、密度、および限界寸法などの追加特性を判別するようにシステムを構成して
いる。試料は、試料上に形成された単一の層または複数の層を含む。さらに、試料上に形
成された単一の層または複数の層はこれらに限定されないが、透明な金属被膜、半透明な
金属皮膜、および不透明な金属皮膜の任意の組み合わせを含む。また試料は、ブランケッ
ト・ウェーハまたはパターン形成ウェーハとすることもできる。
【０５１８】
システムは、本明細書で説明しているように構成されている。例えば、システムは、測
定具で発生した１つまたは複数の出力信号から試料および／または試料上の層の少なくと
も厚さおよび試料上の層および／または試料上に形成されたフィーチャの追加特性を判別
するように構成されている。さらに、プロセッサは、１つまたは複数の出力信号から試料
の他の特性を判別するように構成されている。一実施形態では、測定具として、これらに
限定されないが、グレージングＸ線反射率計、グレーティングＸ線反射率計などのＸ線反
射率計、および／またはＸ線回折器などでよい。測定具はさらに、上記デバイスとともに
使用することができるパターン認識システムを備えている。
【０５１９】
Ｘ線反射率計は、本明細書で説明しているように、Ｘ線反射率手法を実行するように構
成されている。
【０５２０】
Ｘ線回折計は、Ｘ線回折手法を実行するように構成されている。Ｘ線回折には、多結晶
材料によるＸ線の干渉性散乱が伴う。Ｘ線は、特性角度で格子平面の各集合により散乱さ
れ、散乱強度はその平面を占有する原子の個数の関数となっている。Ｘ線回折のピークは
、特定の角度で格子平面の各集合から散乱された単色ビームの干渉による強め合いにより
発生することができる。このピーク強度は、格子平面内の原子の配置により決定すること
ができる。このようにして、平面のすべての異なる集合からの散乱により、所定の化合物
に固有のパターンが発生する。さらに、応力、固溶体、またはその他の効果による格子平
面内のひずみが尺度となりうる。散乱Ｘ線が検出され、この散乱Ｘ線の強度に対応する１
つまたは複数の出力信号が発生することがある。１つまたは複数の出力信号を使用して、
試料上の層または試料の１つまたは複数の特性を判別することができる。Ｘ線回折の利点
は、実質的非破壊手法であるという点にある。市販のＸ線回折計は、例えば、Ｓｉｅｍｅ
ｎｓ（ウィスコンシン州マジソン）およびＲｉｇａｋｕ  ＵＳＡ，Ｉｎｃ．（テキサス州
ウッドランズ）製のものがある。
【０５２１】
一実施形態では、Ｘ線回折計をウェーハなどの試料上のシリコンのエピタキシャル層を
成長させるように構成されたプロセス・ツールに結合できる。エピタキシーは、比較的薄
い結晶層を結晶基板上に成長させるプロセスである。シリコンのエピタキシャル層は、一
般に「エピタキシー」または「エピ」と呼ぶことができ、シリコン含有基板上に形成され
た極めて純度の高いシリコンまたはシリコン・ゲルマニウムの層である。この層を成長さ
せ、実質的に一様な結晶構造をウェーハ上に形成することができる。エピタキシャル成長
では、基板は結晶の種として作用し、エピタキシャル膜により結晶の構造（向き）が複製
される。エピタキシャル手法には、これらに限定されないが、気相エピタキシー、液相エ
ピタキシー、固相エピタキシー、および分子線エピタキシーがある。エピタキシー・プロ
セスでのエピタキシャル層の厚さ（つまり、成長率）は、例えば、ケミカル・ソース、堆
積温度、および反応物のモル分数に応じて時間とともに変化することがある。適切なケミ
カル・ソースの例としては、これらに限定されないが、四塩化珪素（「ＳｉＣｌ4」）、
トリクロロシラン（「ＳｉＨＣｌ3」）、ジクロロシラン（「ＳｉＨ2Ｃｌ2」）、および
シラン（「ＳｉＨ4」）などがある。エピタキシー・プロセスの適切な温度の例は、約９
５０℃から約１２５０℃までである。ただし、適切な温度は、例えば、エピタキシー・プ
ロセスに使用されるケミカル・ソースに応じて、高くまたは低くなることがある。このよ
うなプロセス・ツールは、Ａｐｐｌｉｅｄ  Ｍａｔｅｒｉａｌｓ，Ｉｎｃ．（カリフォル
ニア州サンタクララ）が市販している。Ｘ線回折計は、上述のように構成されている。
【０５２２】
Ｘ線回折計は、本明細書で説明している実施形態に従ってプロセス・ツールに結合する
ことができる。例えば、Ｘ線回折計をエピタキシャル・プロセス・ツールのプロセス・チ
ャンバに結合したり、あるいは測定チャンバ内のプロセス・チャンバの近くに配置したり
することができる。さらに、プロセスをＸ線回折計およびプロセス・ツールに結合するこ
とができる。このプロセッサは、さらに、上述のように構成されている。
【０５２３】
このようにして、測定具は単一の測定具としてまたは複数の測定具として機能するよう
に構成されている。複数の測定具をシステムの単一の測定具に組み込むことができるため
、例えば、第１の測定具の要素はさらに第２の測定具の要素とすることもできる。さらに
、第２の測定具により使用される第１の測定具のハンドリング・ロボット、ステージ、プ
ロセッサ、および電源などの追加要素についてメリットなどがある。測定具はさらに、ま
ず第１の測定具に関して試料に焦点が合い（つまり、ほぼ正しい高さに）、次に第２の測
定具に関して試料に焦点が合うように構成されているオートフォーカス機構を備えている
。システム、測定具、オートフォーカス機構、およびプロセッサはさらに、本明細書で説
明しているように構成されている。
【０５２４】
さらに、このようなシステムは、これらに限定されないが、化学機械研磨ツール、物理
気相蒸着ツールなどの堆積ツール、メッキ・ツール、およびエッチング・ツールといった
プロセス・ツールに結合される。システムは、本明細書で説明しているようなプロセス・
ツールに結合される。さらに、システムをプロセス・ツールに結合するかまたはその近く
に配置することにより、システムはプロセスの実行前、実行中、または実行後に試料、試
料の層、および／または試料上に形成されたフィーチャの少なくとも２つの特性を判別す
ることができる。
【０５２５】
一実施形態では、システムは、試料および／または試料上の層の容量、誘電定数、およ
び抵抗などの電気的特性および試料および／または試料の層の薄膜特性などの試料の少な
くとも２つの特性を判別するように構成されている。薄膜特性は、本明細書で説明してい
るような特性ならどれでも含む。試料は、ウェーハまたは他の基板上に配置されたウェー
ハまたは誘電体を含む。適切な誘電体の例としては、これらに限定されないが、ゲート誘
電体および低ｋ誘電体などがある。通常、低ｋ誘電体は誘電定数が約３．８未満の材料を
含み、高ｋ誘電体は誘電定数が約４．５超の材料を含む。
【０５２６】
システムは、本明細書で説明しているように構成されている。例えば、システムは、第
１の測定具および第２の測定具に結合され第１の測定具の１つまたは複数の出力信号から
試料および／または試料上の層の少なくとも薄膜特性を判別し、第２の測定具の出力信号
から試料および／または試料上の層の電気的特性を判別するように構成されたプロセッサ
を備えている。さらに、プロセッサは、１つまたは複数の出力信号から試料の他の特性を
判別するように構成されている。例えば、このプロセッサを使用して、試料上の金属汚染
の特性などの、これに限定されない試料の追加特性を判別することができる。一実施形態
では、第１の測定具は、これらに限定されないが、反射率計、分光反射率計、楕円偏光計
、分光楕円偏光計、ビーム・プロフィル楕円偏光計、光音響デバイス、渦電流デバイス、
Ｘ線反射率計、グレージングＸ線反射率計、およびＸ線回折計、および試料の電気的特性
を測定するように構成されたシステムなどを備えている。システム、第１の測定具、およ
びプロセッサはさらに、本明細書で説明しているように構成されている。
【０５２７】
このようなシステムは、本明細書で説明しているように、これらに限定されないが、化
学気相蒸着ツール、原子層堆積ツールおよび物理気相蒸着ツール、メッキ・ツール、化学
機械研磨ツール、加熱炉などの熱ツール、洗浄ツール、およびイオン注入器をはじめとす
る堆積ツールなどのプロセス・ツールに結合される。このようなシステムはさらに、エッ
チング・ツールに結合される。このようにして、少なくとも２つの特性を使用して、エッ
チング・ツールによって実行されるエッチング・プロセスで試料および／または試料上の
層に対して発生するプラズマ損傷の量を判別することができる。例えば、プラズマ損傷と
しては、これらに限定されないが、エッチング・プロセスで発生する試料または試料上の
層の粗さおよびピッチングがある。
【０５２８】
第２の測定具は、例えば、２００１年５月１０日に出願された「Ａ  Ｍｅｔｈｏｄ  Ｏ
ｆ  Ｄｅｔｅｃｔｉｎｇ  Ｍｅｔａｌ  Ｃｏｎｔａｍｉｎａｔｉｏｎ  Ｏｎ  Ａ  Ｓｅｍ
ｉｃｏｎｄｕｃｔｏｒ  Ｗａｆｅｒ」という表題のＸｕらによる米国特許出願で説明され
（参照により本明細書に完全に規定されているかのように取り込まれる）ているように、
試料の電気的特性を測定するように構成されている。例えば、試料をウェーハ・カセット
内に入れて、システムに装着することができる。システムは、本明細書で説明しているよ
うに構成されているロボット・ハンドラを備えている。システムはさらに、試料の一部を
変更するように構成されている事前半導体微細パターン転写装置を備えている。例えば、
事前半導体微細パターン転写装置は、試料の位置を変更することにより各試料の向きが加
工時に実質的に同じになるように構成されている。それとは別に、事前半導体微細パター
ン転写装置は、試料上に形成された位置揃えマークを検出し、試料の位置を変更すること
により位置揃えマークの位置が所定の位置と実質的に同じになるように構成されている。
【０５２９】
一実施形態では、第２の測定具はさらに、試料をアニーリングするために使用する炉を
備えている。この炉は、例えば、約１１００℃未満の温度に試料を加熱するように構成さ
れている。この炉は、さらに、金属汚染を試料の誘電体または試料の半導体基板の中に追
い込むように構成することもできる。第２の測定具はさらに、アニーリング・プロセスの
後に試料の温度を下げるように構成された冷却デバイスを備えている。冷却デバイスは、
冷却板などの当業で知られているデバイスを備えている。
【０５３０】
一実施形態では、第２の測定具は、試料の上面に電荷を堆積するように構成されたデバ
イスを備えている。このデバイスには、例えば、針コロナ発生源やワイヤ・コロナ発生源
などの非接点コロナ帯電デバイスなどがある。非接点コロナ帯電デバイスの他の例は、Ｃ
ａｓｔｅｌｌａｎｏらによる米国特許第４５９９５５８号、Ｖｅｒｋｕｉｌらによる米国
特許第５５９４２４７号、Ｖｅｒｋｕｉｌによる米国特許第５６４４２２３号、およびＭ
ｉｌｌｅｒらによる米国特許第６１９１６０５号に説明されており、参照により本明細書
に完全に規定されているかのように取り込まれる。堆積電荷は、電荷を堆積するのに使用
したデバイスのパラメータに応じて正または負であってよい。このデバイスを使用して、
試料の所定の領域に、または試料のランダムに決定された領域に電荷を堆積することがで
きる。さらに、このデバイスを使用することで、試料の一部に、または試料の実質的全体
に電荷を堆積することもできる。
【０５３１】
一実施形態では、第２の測定具は、試料の帯電している上面の少なくとも１つの電気的
特性を測定するように構成されたセンサを備えている。このセンサは、非接点作業機能セ
ンサまたは表面光電圧センサとして動作するように構成されている。非接点作業機能セン
サには、例えば、ケルビン・プローブ・センサやモンロー・センサなどがある。システム
に組み込むことができる作業機能センサの他の例は、Ｃｕｒｔｉｓらによる米国特許第４
８１２７５６号、Ｖｅｒｋｕｉｌによる米国特許第５４８５０９１号、Ｆｕｎｇによる米
国特許第５６５０７３１号、およびＶｅｒｋｕｉｌによる米国特許第５７６７６９３号に
説明されており、参照により本明細書に完全に規定されているかのように取り込まれる。
このセンサを使用して、これらに限定されないが、トンネル電圧、表面電圧、および時間
の関数としての表面電圧などの電気的特性を測定することができる。第２の測定具はさら
に、光のパルスを試料に向けるように構成することができ、試料の表面光電圧を発生する
ために使用されうる照明システムを備えている。したがって、センサによって測定するこ
とができる電気的特性には、試料の表面光電圧を含む。システムはさらに、試料の位置を
デバイスの下、照明システムの下、およびセンサの下に変更するように構成された移動可
能チャックを備えている。したがって、第２の測定具を使用して、試料の電気的特性を試
料の時間および位置の関数として測定することができる。
【０５３２】
他の実施形態では、システムはさらに、本明細書に説明されているように構成されてい
る、試料をアニーリング温度まで加熱する炉の動作を監視し、制御するために使用できる
プロセッサを備えている。プロセッサはさらに、試料の上面に電荷を堆積するデバイスの
動作を監視し制御するように構成することもできる。さらに、プロセッサは、試料の電気
的特性を測定するセンサの動作を監視し制御するように構成されている。測定される電気
的特性には、時間の関数として測定することができる試料上に形成された誘電体の表面電
圧などがある。第２の測定具は、測定された電気的特性に対して１つまたは複数の出力信
号を生成するように構成されている。プロセッサは、第２の測定具からの１つまたは複数
の出力信号を使用して誘電体の抵抗などの試料の少なくとも１つの特性を判別するように
構成されている。誘電体の抵抗は、以下の式を用いて求めることができる。
ρdielectric＝−Ｖ／［（ｄＶ／ｄｔ）・ｅ・ｅ0］
ただし、ρdielectricは誘電体の抵抗、Ｖは誘電体の測定された表面電圧、ｔは減衰時
間、ｅは誘電体の誘電定数、ｅ0は真空の誘電率である。誘電体内の金属汚染の特性もま
た、誘電体の抵抗の関数となる。
【０５３３】
さらに、プロセッサを使用して、試料内の金属汚染の特性を判別することができる。試
料内の金属汚染の特性は、測定された電気的特性の関数として判別できる。さらに、プロ
セッサは、これらに限定されないが、ロボット・ウェーハ・ハンドラ、事前半導体微細パ
ターン転写装置、ウェーハ・チャック、および／または照明システムなどを含む、オペレ
ーティング・システムの追加デバイスを監視し制御するように構成されている。
【０５３４】
一実施形態では、上述のシステムはそれぞれ、二次電子分光デバイスに結合することが
できる。このようなシステムは、試料から二次電子放射を分析することにより試料の材料
組成を決定するように構成されている。このようなデバイスの例は、Ｓｈａｃｈａｌらに
よるＰＣＴ出願番号ＷＯ００／７０６４６に説明されており、参照により本明細書に完全
に規定されているかのように取り込まれる。
【０５３５】
他の実施形態では、本明細書に説明されている複数のシステムを半導体製造プロセス・
ツールに結合することができる。システムはそれぞれ、使用時に試料の少なくとも２つの
特性を判別するように構成されている。さらに、システムはそれぞれ、少なくとも２つの
実質的に類似している特性または少なくとも２つの異なる特性を判別するように構成され
ている。このようにして、複数の試料の特性は、半導体製造プロセス全体を通して実質的
に同時に複数の位置で測定することができる。
【０５３６】
他の実施形態では、本明細書で説明しているシステムのそれぞれをスタンドアロンの測
定および／または検査システムに結合できる。例えば、本明細書に説明されているシステ
ムをそれぞれ、スタンドアロンの測定および／または検査システムに結合し、アナログ信
号やデジタル信号などの信号をその結合されたシステム間でやり取りするようにできる。
それぞれのシステムは、単一のツールまたはクラスタ・ツールとして構成することができ
、半導体製造プロセス・ツールなどのプロセス・ツールに結合することも結合しないこと
もできる。スタンドアロンの測定および／または検査システムは、較正標準に合わせて較
正するように構成されている。適切な較正標準として、当業で知られているどのような較
正標準でも使用できる。スタンドアロンの測定および／または検査システムは、スタンド
アロンのシステムに結合されたシステムを較正するように構成されている。
【０５３７】
さらに、本明細書で説明しているように、スタンドアロンの測定および／または検査シ
ステムは、複数のシステムに結合することができる。このようにして、スタンドアロンの
測定および／または検査システムは、スタンドアロンのシステムに結合された複数のシス
テムを較正するように構成されている。例えば、複数のシステムにおいて、同じ製造およ
び／または研究開発施設内に単一ツールおよび／またはクラスタ・ツールを組み込むこと
ができる。複数のシステムはそれぞれ、試料の少なくとも２つの同じ特性を判別するよう
に構成されている。さらに、複数のシステムはそれぞれ、実質的に類似している種類の半
導体デバイスが形成される試料など実質的に同じ種類の試料の少なくとも２つの特性を判
別するように構成されている。例えば、複数のシステムのそれぞれを、製造施設内の同じ
種類の生産ラインに組み込むことができる。
【０５３８】
さらに、スタンドアロンの測定および／または検査システムは、同じ較正標準を使用し
て複数のシステムのそれぞれを較正するように構成されている。したがって、同じ較正標
準を使用して製造および／または研究開発施設内の複数の測定および／または検査システ
ムを較正することができる。さらに、スタンドアロンの測定および／または検査システム
は、データの集合を生成するように構成されている。このデータの集合には、システムの
測定具からの出力信号およびその出力信号を使用してシステムのプロセッサにより判別さ
れた試料の特性が含まれる。このデータの集合はさらに、出力信号および本明細書で説明
しているように複数のシステムを使用して生成される出力信号に対応する判別された特性
も含む。したがって、このデータの集合を使用して、複数のシステムの性能を較正かつ／
または監視することができる。
【０５３９】
他の実施形態では、本明細書で説明しているようなそれぞれのシステムを洗浄ツールに
結合することができる。洗浄ツールは、乾式洗浄ツール、湿式洗浄ツール、レーザー洗浄
ツール、および／または衝撃波洗浄ツールなどのウェーハから不要な物質を取り除くよう
に構成されたツールならどんなものも含む。乾式洗浄ツールは、試料をプラズマにさらす
ように構成されうる、乾式エッチング・ツールを含む。例えば、プラズマ・エッチング・
ツールで酸素プラズマを使用して試料からレジストを剥離することができる。適切なプラ
ズマは、例えば、試料から剥離する材料の種類により異なることがある。プラズマ・エッ
チング・ツールはさらに、本明細書で説明しているように構成されている。乾式洗浄ツー
ルは、例えば、Ａｐｐｌｉｅｄ  Ｍａｔｅｒｉａｌｓ，Ｉｎｃ．（カリフォルニア州サン
タクララ）が市販している。湿式洗浄ツールは、試料を薬剤溶液中に沈めるように構成さ
れ、これらの限定されないが硫酸混合液やフッ酸混合液などを使用することができる。薬
剤溶液に晒した後、試料を脱イオン水ですすぎ、乾燥させる。湿式洗浄ツールは、例えば
、ＦＳＩ  Ｉｎｔｅｒｎａｔｉｏｎａｌ，Ｉｎｃ．（ミネソタ州チャスカ）が市販してい
る。レーザー洗浄ツールの例は、１９９８年４月１日〜３日間にＦｉｎｅ  Ｐａｒｔｉｃ
ｌｅ  Ｓｏｃｉｅｔｙの第２８回年次総会でイスラエルのＯｒａｍｉｒ  Ｓｅｍｉｃｏｎ
ｄｕｃｔｏｒ  Ｅｑｕｉｐｍｅｎｔ  Ｌｔｄ．のＧｅｎｕｔらが発表した「Ｃｈｅｍｉｃ
ａｌｌｙ  Ａｓｓｉｓｔｅｄ  Ｌａｓｅｒ  Ｒｅｍｏｖａｌ  ｏｆ  Ｐｈｏｔｏｒｅｓｉ
ｓｔ  ａｎｄ  Ｐａｒｔｉｃｌｅｓ  ｆｒｏｍ  Ｓｅｍｉｃｏｎｄｕｃｔｏｒ  Ｗａｆｅ
ｒｓ」で説明されており、参照により本明細書に完全に規定されているかのように取り込
まれる。衝撃波洗浄ツールの例は、Ｖａｕｇｈｔによる米国特許第５０２３４２４号に説
明されており、参照により本明細書に完全に規定されているかのように取り込まれる。
【０５４０】
他の実施形態では、本明細書で説明しているように、それぞれのシステムをウェーハの
急速加熱処理（「ＲＴＰ」）用に構成されたツールなど加熱ツールに結合することができ
る。急速加熱処理ツールは、試料を比較的短いが、精密に制御された熱サイクルに通すよ
うに構成されている。例えば、ＲＴＰツールは、約１０秒弱の間、約１０００℃の温度ま
で試料を加熱するように構成されている。ＲＴＰは、主に、試料または他のプロセスによ
り形成された試料上に形成された薄膜の特性を変更するために使用できる。例えば、ＲＴ
Ｐは一般にアニーリングに使用され、イオン注入後試料内の原子の移動を活性化し、制御
することができる。他の一般的な用途としては、タングステンやチタンなどの金属ととも
にシリコン含有化合物を形成することができるシリサイド化がある。第３の種類のＲＴＰ
用途は、シリコン・ウェーハなどの試料上に酸化物を成長させることができる酸化がある
。ＲＴＰツールは、例えば、Ａｐｐｌｉｅｄ  Ｍａｔｅｒｉａｌｓ，Ｉｎｃ．（カリフォ
ルニア州サンタクララ）が市販している。
【０５４１】
一実施形態では、ローカル・プロセッサ、リモート・コントローラ・コンピュータ、ま
たはローカル・プロセッサに結合されているリモート・コントローラ・コンピュータを含
む上述の各プロセッサは、Ａｒａｃｋａｐａｒａｍｂｉｌらによる欧州特許出願番号ＥＰ
１０７２９６７Ａ２で説明されており、参照により本明細書に完全に規定されているかの
ように取り込まれるようなコンピュータ統合製造手法を実行するように構成されている。
【０５４２】
他の実施形態では、本明細書で説明しているような各プロセッサは、Ｊｅｖｔｉｃによ
る米国特許第６２０１９９９号、Ｊｅｖｔｉｃによる米国特許第６２２４６３８号、およ
びＪｅｖｔｉｃによるＰＣＴ出願番号ＷＯ９８／５７３５８で説明され、参照により本明
細書に完全に規定されているかのように取り込まれるような多チャンバ半導体ウェーハ処
理ツール内でウェーハ処理のためのスケジュールを自動的に作成するように構成されてい
る。さらに、本明細書で説明しているように各システムは、複数ブレード・ウェーハ・ハ
ンドラを備えている。本明細書で説明しているようなプロセッサは、複数ブレード・ウェ
ーハ・ハンドラを制御するように構成されている。本明細書で説明しているような各プロ
セッサは、優先度値をプロセス・ツールまたは測定および／または検査システムなどのク
ラスタ・ツールのプロセス・チャンバおよび／または測定チャンバに割り向けるように構
成されている。本明細書で説明しているような実施形態に従って１つまたは複数の測定チ
ャンバをプロセス・ツールに結合することができる。本明細書で説明しているような各プ
ロセッサは、優先度を測定および／または検査システムなどのクラスタ・ツールの測定チ
ャンバに割り向けるように構成することもできる。
【０５４３】
このプロセッサは、割り当てられた優先度に従って試料をチャンバからチャンバへ移動
させるように複数ブレード・ウェーハ・ハンドラを制御するように構成されている。プロ
セッサはさらに、優先度移動が実行されるまでの有効期間を決定するように構成すること
もできる。決定された時間が優先度移動を実行するのに十分な時間であれば、プロセッサ
により複数ブレード・ウェーハ・ハンドラを制御して待機中に非優先度移動を実行するこ
とができる。例えば、試料に工程段階を実行するまでに決定された時間が十分あれば、複
数ブレード・ウェーハ・ハンドラは試料を測定チャンバに移動できる。このようにして、
本明細書で説明しているようなシステムは、工程段階で試料の待機中に試料の少なくとも
２つの特性を判別するように構成されている。プロセッサはさらに、例えば、プロセスお
よび／または測定チャンバの可用性に応じて割り当てられて優先度を動的に変えるように
構成することもできる。さらに、プロセッサは、例えば、ウェーハ・ハンドラが特定の順
序でウェーハを移動させるのに要する時間に基づいてプロセスおよび／または測定チャン
バに優先度を割り向けることができる。
【０５４４】
さらに、本明細書で説明しているような各プロセッサは、プロセス・ツールのオプショ
ン・コンポーネントに対応し、Ｄｏｖらによる米国特許第６１９９１５７号で説明され、
参照により本明細書に完全に規定されているかのように取り込まれるようなプロセス・ツ
ールの一部としてユーザー側で備えることを望むオプション・コンポーネントに従ってユ
ーザー側で選択できる「オプション」を使用するように構成されている。
【０５４５】
本明細書で説明しているようなプロセス・ツールはさらに、複数の冷却プロセス・チャ
ンバまたは複数スロット冷却プロセス・チャンバを備えている。このような複数または複
数スロット冷却プロセス・チャンバを使用することで、他のチャンバ内で他のウェーハを
処理しながら複数のウェーハを冷却することができる。さらに、本明細書で説明している
ような各プロセッサは、処理段階に応じた処理順序で各ウェーハに優先度レベルを割り向
けるように構成することができ、この優先のレベルを使用して、Ｌｉｎらによる米国特許
第６２０１９９８号で説明され、参照により本明細書に完全に規定されているかのように
取り込まれるように、チャンバ間のウェーハの移動の順序を決めることができる。このよ
うにして、本明細書で説明されているようなシステムを使用すると、ウェーハ処理施設内
の異なる処理チャンバ間でウェーハを移動させる効率が高まる。
【０５４６】
他の実施形態では、本明細書で説明されているように、各プロセッサは、試料、試料上
の層、および／または試料のフィーチャの少なくとも粗さを判別するように構成されてい
る。例えば、プロセッサは、数学的モデルの使用により測定具の１つまたは複数の出力信
号から粗さを判別するように構成されている。例えば、非結像スキャタロメータ、スキャ
タロメータ、分光スキャタロメータ、および非結像Ｌｉｎｎｉｋ顕微鏡などの測定具によ
り１つまたは複数の出力信号を発生させることができる。適切な数学的モデルとしては、
フィーチャの限界寸法を決定するために使用される数学的モデルなど当業界で知られてい
る数学的モデルであれば何でも使用できる。これらの数学的モデルは、複数の波長のデー
タまたは単一波長のデータを処理するように構成されている。
【０５４７】
このようなプロセッサを含むシステムを、リソグラフィ・ツール、原子層堆積ツール、
洗浄ツール、およびエッチング・ツールなどのプロセス・ツールに結合することができる
。例えば、リソグラフィ・プロセスの現像工程段階により、パターン形成レジストに対し
かなりの粗さが生じる場合がある。さらに、原子層堆積により形成された材料の層では、
特に試料のフィーチャの側壁にかなりの粗さが生じることがある。さらに、湿式洗浄ツー
ルは、試料、試料上の層、および／または試料上のフィーチャをエッチングし、このため
、それぞれ試料、層、および／またはフィーチャに粗さが生じる。このシステムはさらに
、試料の表面に粗さを生じるプロセスを実行するようように構成されたプロセス・ツール
のどれでもに結合することもできる。このシステムを本明細書で説明している実施形態に
従ってプロセス・ツールに結合することができる。例えば、このようなシステムの測定具
をプロセス・ツールのプロセス・チャンバに結合して、プロセスの前および後に試料、試
料上の層、および／または試料上のフィーチャの少なくとも粗さをシステム側で判別する
ようにできる。例えば、測定具をプロセス・ツールに結合して、ロボット・ウェーハ・ハ
ンドラが測定具の下または上に移動させるようにできる。システムは、さらに、本明細書
で説明しているように構成されている。
【０５４８】
１９９９年５月１１日に出願された米国特許出願第０９／３１００１７号、１９９９年
９月１５日に出願された米国特許出願第０９／３９６１４３号、２０００年４月２４日に
出願された米国特許出願第０９／５５６２３８号、および２０００年１０月２３日に出願
された米国特許出願第０９／６９５７２６号は、手順の例やその他の情報または本明細書
に記載されている内容を補足する詳細を説明しており、これらは特に参照により本明細書
に取り込まれる。
【０５４９】
本発明のさまざまな形態の他の修正およびその他の実施形態は、本明細書の説明を読め
ば当業者にとっては明白なことであろう。例えば、システムは測定具に関して複数の角度
および方向で傾斜するように構成されたステージを備えている。したがって、この説明は
、解説を示すのみと解釈すべきであり、本発明を実施する一般的な方法を当業者に教示す
ることを目的としている。また、本明細書で示され説明されている発明の形態は、今のと
ころ好ましい実施形態として解釈すべきであることは理解されるであろう。本明細書で示
し説明している要素および材料については置き換えることができ、パーツおよびプロセス
は逆にすることができ、本発明のいくつかのフィーチャは独立して利用することができる
が、すべて、本発明の説明を理解した後では当業者にとって明白なことであろう。請求項
で説明している発明の精神と範囲を逸脱することなく、本明細書で説明している要素に変
更を加えることができる。
＜付記１＞  使用時に試料の少なくとも２つの特性を判別するように構成されたシステム
であって、
使用時に試料を支持するように構成されているステージと、
ステージに結合され、
使用時にエネルギーを試料の表面に向けるように構成された照明システムと、
照明システムに結合され、使用時に試料の表面から伝搬するエネルギーを検出するよ
うに構成され、測定具が使用時に検出されたエネルギーに対応して１つまたは複数の出力
信号を発生するように構成されている検出システムとを備える測定具と、
測定具に結合され、使用時に１つまたは複数の出力信号から試料の第１の特性および第
２の特性を判別するように構成され、第１の特性が試料の限界寸法を含み、第２の特性が
試料のオーバーレイ・ミスレジストレーションを含むプロセッサと
を備えるシステム。
＜付記２＞  ステージがさらに、使用時に横方向に移動するように構成されている付記１
に記載のシステム。
＜付記３＞  ステージがさらに、使用時に回転移動するように構成されている付記１に記
載のシステム。
＜付記４＞  ステージがさらに、使用時に水平移動と回転移動をするように構成されてい
る付記１に記載のシステム。
＜付記５＞  照明システムが単一エネルギー源を備える付記１に記載のシステム。
＜付記６＞  照明システムが複数のエネルギー源を備える付記１に記載のシステム。
＜付記７＞  検出システムが単一エネルギー感知デバイスを備える付記１に記載のシステ
ム。
＜付記８＞  検出システムが複数のエネルギー感知デバイスを備える付記１に記載のシス
テム。
＜付記９＞  測定具がさらに非結像スキャタロメータを備える付記１に記載のシステム。
＜付記１０＞  測定具がさらにスキャタロメータを備える付記１に記載のシステム。
＜付記１１＞  測定具がさらに分光スキャタロメータを備える付記１に記載のシステム。
＜付記１２＞  測定具がさらに反射率計を備える付記１に記載のシステム。
＜付記１３＞  測定具がさらに分光反射率計を備える付記１に記載のシステム。
＜付記１４＞  測定具がさらに偏光解析器を備える付記１に記載のシステム。
＜付記１５＞  測定具がさらに分光偏光解析器を備える付記１に記載のシステム。
＜付記１６＞  測定具がさらに明視野撮像デバイスを備える付記１に記載のシステム。
＜付記１７＞  測定具がさらに暗視野撮像デバイスを備える付記１に記載のシステム。
＜付記１８＞  測定具がさらに明視野暗視野撮像デバイスを備える付記１に記載のシステ
ム。
＜付記１９＞  測定具がさらに明視野非結像デバイスを備える付記１に記載のシステム。
＜付記２０＞  測定具がさらに暗視野非結像デバイスを備える付記１に記載のシステム。
【図１】
2016122860.tif 000003
【図２ａ】
2016122860.tif 000004
【図２ｂ】
2016122860.tif 000005
【図３】
2016122860.tif 000006
【図４】
2016122860.tif 000007
【図５】
2016122860.tif 000008
【図６】
2016122860.tif 000009
【図７】
2016122860.tif 000010
【図８】
2016122860.tif 000011
【図９】
2016122860.tif 000012
【図１０】
2016122860.tif 000013
【図１１ａ】
2016122860.tif 000014
【図１１ｂ】
2016122860.tif 000015
【図１２】
2016122860.tif 000016
【図１３】
2016122860.tif 000017
【図１４】
2016122860.tif 000018
【図１５】
2016122860.tif 000019
【図１６】
2016122860.tif 000020
【図１７】
2016122860.tif 000021
【図１８】
2016122860.tif 000022
【図１９】
2016122860.tif 000023
【図２０】
2016122860.tif 000024
【図２１】
2016122860.tif 000025
【図２２】
2016122860.tif 000026
【図２３】
2016122860.tif 000027
【図２４】
2016122860.tif 000028
【図２５】
2016122860.tif 000029
【図２６】
2016122860.tif 000030
【図２７】
2016122860.tif 000031